(57)【要約】【課題】優れたインクジェットプリンタ用のカートリッジユニットを提供する。【解決手段】インクジェットプリンタ用のカートリッジユニットは、１つまたは複数のインク貯蔵コンパートメントを有する本体部分と、上記インク貯蔵コンパートメントからインクを受け取り、その長さに沿ってインクを分配するページ幅印字ヘッドアセンブリとを備え、ページ幅印字ヘッドアセンブリが、その長さに沿って延びる１つまたは複数の集積回路を備え、集積回路間に継手が形成され、各集積回路には、その上に複数のノズルが形成され、各ノズルが、使用中に上記インク供給チャネルからインクを受け取り、通過する印刷媒体にインクを送るように配置され、集積回路の１つの端に隣接する行の各ノズルが、ある度合のノズルオーバーラップを継手で提供し、継手に跨るノズルピッチを維持するため、ノズルの残りに関して垂直に変位される。【選択図】図６
2010012795.tif 000002
【特許請求の範囲】
【請求項１】
１つまたは複数のインク貯蔵コンパートメントを有する本体部分と、
前記本体部分に取り付け可能であり、前記１つまたは複数のインク貯蔵コンパートメントからインクを受け取り、ページ幅印字ヘッドアセンブリの長さに沿って前記インクを分配するように構成された、前記ページ幅印字ヘッドアセンブリと、
を備え、
前記ページ幅印字ヘッドアセンブリが、当該ページ幅印字ヘッドアセンブリの長さに沿って延びる１つまたは複数の集積回路を備え、前記集積回路間に継手が形成され、前記集積回路それぞれには、該集積回路の上に複数のノズルが形成され、前記ノズルのそれぞれが、使用中に、前記１つまたは複数のインク供給チャネルからインクを受け取り、通過する印刷媒体に前記インクを送るように配置され、
前記集積回路の１つの端に隣接する行のそれぞれの前記ノズルが、ある度合のノズルオーバーラップを前記継手で提供し、前記継手にまたがるノズルピッチを維持するために、前記ノズルの残りに関して垂直に変位される、
インクジェットプリンタ用のカートリッジユニット。
【請求項２】
前記垂直に変位されたノズルが、三角形構成で配置される、請求項１に記載のカートリッジユニット。
【請求項３】
前記垂直に変位されたノズルが、台形構成で配置される、請求項１に記載のカートリッジユニット。
【請求項４】
前記ページ幅印字ヘッドアセンブリが、
該ページ幅印字ヘッドアセンブリの表面から突き出し、前記ページ幅印字ヘッドアセンブリを固定するために前記本体部分によって受けられる複数のコネクタ、
を含む、請求項１に記載のカートリッジユニット。
【請求項５】
前記本体部分は、該本体部分の表面に沿って１つまたは複数のインク出口が形成され、
前記インク出口のそれぞれは、前記インク貯蔵コンパートメントのうちの１つに関連し、前記ページ幅印字ヘッドアセンブリが取り付けられた時に前記ページ幅印字ヘッドアセンブリのインク入口を受けるように構成される、請求項４に記載のカートリッジユニット。
【請求項６】
前記インク入口は、前記ページ幅印字ヘッドアセンブリから突き出す中空のチューブであり、前記ページ幅印字ヘッドアセンブリにインクを送るのを容易にするために前記本体部分の前記インク出口内に受けられる、請求項５に記載のカートリッジユニット。
【請求項７】
前記ページ幅印字ヘッドアセンブリは、当該ページ幅印字ヘッドアセンブリの長さに沿って延びる１つまたは複数のインク供給チャネルを備え、
前記インク供給チャネルのそれぞれは、前記インク入口のうちの１つだけからインクを受け取るように構成される、請求項６に記載のカートリッジユニット。
【請求項８】
インク分配部材が、前記インクを、前記１つまたは複数のインク供給チャネルから前記集積回路の前記ノズルに分配する、請求項７に記載のカートリッジユニット。
【請求項９】
前記集積回路が、前記インク分配部材の表面に固定される、請求項８に記載のカートリッジユニット。
【請求項１０】
前記集積回路が、前記インク分配部材の長さにまたがってエンドツーエンド配置で前記インク分配部材の前記表面に固定される、請求項９に記載のカートリッジユニット。
【発明の詳細な説明】
【技術分野】
【０００１】
本発明は、インクジェットプリンタ用のカートリッジユニットに関する。
【０００２】
［同時係属中の出願］
次の特許出願が、本願と同時に本出願人によって出願された。
【表１】
2010012795.tif 000003
これらの同時係属出願の開示が、参照によって本明細書に組み込まれている。上記出願は、出願整理番号によって識別されているが、これらは、対応する出願番号が割り当てられた後に、これに置換される。
［関連出願への相互参照］
本発明の出願人または譲受人によって出願された次の特許または特許出願が、相互参照によって本明細書に組み込まれている。
【表２】
2010012795.tif 000004
【表３】
2010012795.tif 000005
一部の特許出願が、整理番号によってリストされている。これらは、出願番号が既知になった時に置換される。
【背景技術】
【０００３】
通常、ほとんどの市販インクジェットプリンタは、プリンタの全体的な構造および設計の一部を形成する印刷エンジンを有する。これに関して、プリンタユニットの本体は、通常、印字ヘッドおよび関連する媒体配送機構を収容するように構成され、これらの特徴は、プリンタユニットと一体である。
【０００４】
これは、媒体がプリンタユニットを通って小さい反復で進められる時に媒体上で前後に移動する印字ヘッドを使用するインクジェットプリンタに関して特にそうである。その場合に、往復する印字ヘッドは、通常、プリンタユニットの本体に取り付けられ、媒体入力ローラと媒体出力ローラの間でプリンタユニットの幅をトラバースできるようされ、媒体入力ローラおよび媒体出力ローラは、プリンタユニットの構造の一部を形成する。そのようなプリンタユニットを用いると、交換のために印字ヘッドを取り外すことを可能にすることができるが、媒体転送ローラ、制御回路網、およびメンテナンスステーションなどの印刷エンジンの他の部品は、通常、プリンタユニットに固定され、これらの部品の交換は、プリンタユニット全体を交換せずには不可能である。
【０００５】
どちらかといえばその設計構成において固定されているのと同様に、往復タイプの印字ヘッドを使用するプリンタユニットは、特にフルカラーおよび／または写真品質の印刷ジョブを実行する時に、かなり低速である。これは、印字ヘッドが、媒体の表面にインクを置くために静止媒体を継続的にトラバースしなければならず、イメージの１ラインを置くために印字ヘッドの複数の移動（ｓｗａｔｈｅ）を要する場合があるからである。
【０００６】
最近、印刷媒体の幅全体に延びる印字ヘッドを提供し、その結果、媒体が印字ヘッドを通って移動される時に印字ヘッドを静止したままにすることができるようにすることが可能になった。そのようなシステムは、印字ヘッドがイメージの１ラインを置くために複数の移動を実行する必要がもはやなく、印字ヘッドが、媒体が高速で通過する際に媒体にインクを置くことができるので、印刷を行える速度を大きく高める。そのような印字ヘッドは、以前に従来のインクジェットプリンタを用いて達成できなかった速度である６０ページ毎分付近の速度でフルカラー１６００ｄｐｉ印刷を実行することを可能にする。
【０００７】
そのようなページ幅印字ヘッドは、通常、高い精度および高速の紙送りを必要とし、したがって、印刷エンジン全体（印字ヘッド、用紙ハンドリング機構、および制御回路網など）を、高品質出力を保証するためにそれ相応に構成しなければならない。したがって、プリンタユニットの標準的な本体の中でたやすく使用でき、印刷エンジンのすべての必要な部分が一貫した高速印刷を可能にする形で構成されることを保証する方３値で構成された、ページ幅印字ヘッドを有する印刷エンジンを提供する必要がある。
【先行技術文献】
【特許文献】
【０００８】
【特許文献１】米国特許第６４０９３２３号
【発明の概要】
【０００９】
第１の態様で、本発明は、
印刷のために印刷媒体を供給する媒体入力トレイと、
前記印刷媒体にイメージを印刷する印刷エンジンと、
前記印刷された媒体を収集する媒体出力トレイと
を具備するインクジェットプリンタであって、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える
インクジェットプリンタを提供する。
【００１０】
任意選択で、前記クレードルが、前記媒体入力トレイから印刷媒体を受け取り、印刷された媒体を前記媒体出力トレイに送るために、前記インクジェットプリンタに固定されるように構成される。
【００１１】
任意選択で、前記クレードルが、印刷のために前記媒体入力トレイから前記印字ヘッドへ、および前記印刷された媒体を収集するために前記印字ヘッドから前記媒体出力トレイへ、前記印刷媒体を転送する媒体転送機構を含む。
【００１２】
任意選択で、前記媒体搬送機構が、駆動ローラアセンブリおよび出口ローラアセンブリを備える。
【００１３】
任意選択で、前記本体が、前記取外し可能インクジェットカートリッジを受ける凹窩を画定する。
【００１４】
任意選択で、前記クレードルが、印刷を容易にするために前記印字ヘッドの動作を制御するコントローラを備える。
【００１５】
任意選択で、複数の端子が、前記コントローラと前記カートリッジとの間の電気通信を可能にするために、前記取外し可能インクジェットカートリッジの長さに沿って置かれた対応する端子と接触するように前記本体の長さに沿って置かれる。
【００１６】
任意選択で、前記複数の端子が、前記凹窩内に置かれる。
【００１７】
任意選択で、前記コントローラが、プリント回路基板上に設けられる電気回路網の形であり、前記複数の端子が、前記プリント回路基板の表面に沿って形成される。
【００１８】
任意選択で、前記コントローラが、前記印字ヘッドの動作を制御する１つまたは複数のＳｏＰＥＣデバイスを含む。
【００１９】
任意選択で、前記電気回路網が、前記プリント回路基板の１つの表面の上に設けられ、前記複数の端子が、前記プリント回路基板の反対の表面の上に設けられる。
【００２０】
任意選択で、前記電気回路網が、前記取外し可能インクジェットカートリッジ上の前記対応する端子への伝送のために前記複数の端子にデータ信号および電力信号の形の電気信号を送る。
【００２１】
任意選択で、前記取外し可能インクジェットカートリッジの前記ページ幅印字ヘッドが、使用中に通る印刷媒体にインクを送るように配置された複数のノズルを有し、前記対応する端子が、電気コネクタ上に設けられ、前記電気コネクタが、前記印字ヘッドアセンブリの前記ノズルと電気的に通じ、前記印字ヘッドアセンブリの長さに沿って配置される。
【００２２】
任意選択で、前記複数のノズルが、実質的に前記印字ヘッドアセンブリの長さに延びる１つまたは複数の集積回路上に設けられる。
【００２３】
任意選択で、各集積回路が、前記電気コネクタの一端がそれに取り付けられる１つまたは複数の接触パッドをその縁に沿って形成される。
【００２４】
任意選択で、前記電気コネクタの自由端が、前記クレードルの前記コントローラから電力信号および／またはデータ信号を受け取る前記対応する端子を設けられる。
【００２５】
任意選択で、前記電気コネクタが、前記印字ヘッドアセンブリの回りに延びるのに十分な長さおよび柔軟性を有する。
【００２６】
任意選択で、前記電気コネクタの前記自由端が、前記印字ヘッドアセンブリが前記カートリッジの表面に固定された時に前記カートリッジの前記表面に沿って受けられるように構成される。
【００２７】
任意選択で、前記電気コネクタの前記自由端が、その中に複数の穴を形成され、前記穴のそれぞれが、前記電気コネクタの前記自由端を前記カートリッジの前記表面で定位置に保持するために前記表面に形成されたスタッドを受けるように構成される。
【００２８】
任意選択で、前記電気コネクタの前記自由端が、前記カートリッジの前記表面で定位置に保持され、前記対応する端子が、前記電気コネクタの前記表面で露出される。
【００２９】
任意選択で、前記電気コネクタが、フレキシブルプリント回路基板である。
【００３０】
任意選択で、前記クレードルが、媒体入力トレイから印刷媒体を受け取り、印刷された媒体を媒体出力トレイに送るために前記インクジェットプリンタに固定されるように構成される。
【００３１】
任意選択で、前記カートリッジが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備える。
【００３２】
任意選択で、前記カートリッジが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備える。
【００３３】
任意選択で、前記カートリッジが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備える。
【００３４】
任意選択で、前記カートリッジが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備え、
前記インク貯蔵コンパートメントが、前記印字ヘッドアセンブリの前記ノズルへの供給のために毛細管現象の下でその中に前記インクを貯蔵する吸収材料を備える。
【００３５】
任意選択で、前記ページ幅印字ヘッドが、ページ幅印字ヘッドアセンブリに含まれ、前記ページ幅印字ヘッドアセンブリが、さらに、
１つまたは複数のインク供給源からインクを受け取り、前記インクを前記印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備え、
前記集積回路が、前記インク分配部材の長さにまたがって接触する配置で位置合せされる。
【００３６】
任意選択で、前記ページ幅印字ヘッドが、ページ幅印字ヘッドアセンブリに含まれ、前記ページ幅印字ヘッドアセンブリが、さらに、
１つまたは複数のインク供給源からインクを受け取り、前記インクを前記印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される。
【００３７】
任意選択で、前記ページ幅印字ヘッドが、ページ幅印字ヘッドアセンブリに含まれ、前記ページ幅印字ヘッドアセンブリが、さらに、
１つまたは複数のインク供給源からインクを受け取り、前記インクを前記印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる。
【００３８】
任意選択で、前記ページ幅印字ヘッドが、ページ幅印字ヘッドアセンブリに含まれ、前記ページ幅印字ヘッドアセンブリが、さらに、
１つまたは複数のインク供給源からインクを受け取る本体部分であって、前記インクを実質的に前記印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備え、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する。
【００３９】
任意選択で、前記ページ幅印字ヘッドが、ページ幅印字ヘッドアセンブリに含まれ、前記ページ幅印字ヘッドアセンブリが、さらに、
１つまたは複数のインク供給源からインクを受け取る本体部分であって、前記インクを実質的に前記印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備え、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える。
【００４０】
任意選択で、前記ユニットが、前記ページ幅印字ヘッドをキャップするキャッピングアセンブリを有し、前記キャッピングアセンブリが、
前記印字ヘッドの長さに延びるように構成された本体と、
前記本体の中に収納される、前記印字ヘッドの少なくとも一部をキャップするために前記本体に関して移動可能の、キャッピング要素と
を備え、
前記本体が、前記キャッピングアセンブリを前記印字ヘッドに取外し可能に取り付ける取付け要素を含む。
【００４１】
任意選択で、前記ユニットが、前記ページ幅印字ヘッドをキャップするキャッピングアセンブリを有し、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と
を備え、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である。
【００４２】
任意選択で、前記ユニットが、前記ページ幅印字ヘッドをキャップするキャッピングアセンブリを有し、前記キャッピングアセンブリが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備え、
前記キャッピング要素が、前記第１位置に偏らされる。
【００４３】
任意選択で、前記ユニットが、前記ページ幅印字ヘッドをキャップするキャッピングアセンブリを有し、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備え、
前記変位アセンブリが、前記位置を決定する電磁石によって制御される。
【００４４】
任意選択で、前記クレードルの前記本体が、前記取外し可能インクジェットカートリッジに対して相補的であり、前記クレードルが、さらに、印刷を容易にするために前記印字ヘッドの動作を制御するコントローラを備え、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる。
【００４５】
任意選択で、前記クレードルの前記本体が、前記取外し可能インクジェットカートリッジに対して相補的であり、前記クレードルが、さらに、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備え、
前記複数の端子が、前記カートリッジが前記本体によって受けられる時に、前記カートリッジに設けられた前記対応する端子とピボット式に係合するように配置される。
【００４６】
任意選択で、前記クレードルが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットであり、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる。
【００４７】
任意選択で、前記クレードルが、
前記取外し可能インクジェットカートリッジに対して相補的であり、前記カートリッジに補充インクを供給する補充ユニットを受けるように構成された本体であって、前記補充ユニットから前記補充可能インク供給にインクを施与する補充アクチュエータを有する前記本体と、
印刷を容易にするために前記印字ヘッドの動作を制御するコントローラと
を備えるクレードルユニットである。
【００４８】
任意選択で、前記クレードルが、前記取外し可能インクジェットカートリッジに対して相補的であり、電磁石アセンブリを取り付けられた本体を備えるクレードルユニットであり、前記電磁石アセンブリが、前記取外し可能インクジェットカートリッジの前記キャッパアセンブリを動作させるために前記コントローラによって制御され、
前記クレードルが、さらに、印刷を容易にするために前記印字ヘッドの動作を制御するコントローラを備える。
【００４９】
任意選択で、前記ユニットが、さらに、前記クレードル用のカバーアセンブリを備え、前記クレードルが、前記取外し可能インクジェットカートリッジに対して相補的である本体と、印刷を容易にするために前記印字ヘッドの動作を制御するコントローラとを有し、
前記カバーアセンブリが、その中に形成された少なくとも１つのポートを備え、前記少なくとも１つのポートを介して、補充ユニットが、前記カートリッジの前記インク供給を補充するために受けられる。
【００５０】
任意選択で、前記ユニットが、さらに、前記クレードル用のカバーアセンブリを備え、前記クレードルが、ページ幅印字ヘッドおよびインク供給を有するタイプの取外し可能インクジェットカートリッジに対して相補的である本体と、印刷を容易にするために前記印字ヘッドの動作を制御するコントローラとを備え、
前記カバーアセンブリが、インク補充ユニットから前記補充可能インク供給にインクを施与する補充アクチュエータを備える。
【００５１】
任意選択で、前記ユニットが、さらに、１つまたは複数のインク貯蔵コンパートメントと流体的に通じたページ幅印字ヘッドアセンブリを有するタイプのカートリッジユニット用のインクプライミングシステムを具備し、前記プライミングシステムが、
前記カートリッジをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる。
【００５２】
任意選択で、前記ユニットが、さらに、
前記カートリッジをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムを具備し、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる。
【００５３】
任意選択で、前記ユニットが、さらに、印刷液補充カートリッジおよび前記印刷液補充カートリッジ用の印刷液ディスペンサを具備し、前記液ディスペンサが、
印刷液を貯蔵し、前記印刷液がそれを介して施与される出口を有する、本体と、
前記本体から施与される前記印刷液の量を選択するように配置されたセレクタと
を備える。
【００５４】
さらなる態様で、前記印刷ユニットで印刷液の供給を補充する方法であって、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法が提供される。
【００５５】
さらなる態様で、前記インクジェットプリンタユニットが、印刷液補充カートリッジおよび前記補充カートリッジ用の施与アセンブリをさらに具備し、前記施与アセンブリが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える。
【００５６】
さらなる態様で、前記インクジェットプリンタユニットが、印刷液補充ユニットによる印刷エンジンの補充を制御するシステムをさらに具備し、前記システムが、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を含む。
【００５７】
さらなる態様で、前記インクジェットプリンタユニットが、前記印刷エンジン用の印刷液補充ユニットを有し、前記補充ユニットが、前記補充ユニットに含まれる印刷液の量に関する情報を保管する情報記憶要素であって、前記補充ユニットが前記印刷エンジンに取り付けられた時に前記記憶要素によって保管された前記情報を読み取るために前記印刷エンジンに組み込まれた情報リーダと接続される、前記情報記憶要素を含み、
前記記憶要素によって保管される前記情報は、前記リーダが、前記補充ユニットに含まれる前記印刷液による前記印刷エンジンの前記補充を制御することを可能にする。
【００５８】
さらなる態様で、印刷液補充カートリッジによる前記印刷ユニットの補充を制御する方法であって、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法が提供される。
【００５９】
さらなる態様で、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを有し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
インクジェットプリンタユニットが提供される。
【００６０】
第２の態様で、本発明は、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備え
前記クレードルが、媒体入力トレイから印刷媒体を受け取り、印刷された媒体を媒体出力トレイに送るために、前記インクジェットプリンタに固定されるように構成される
インクジェットプリンタ用の印刷エンジンを提供する。
【００６１】
任意選択で、前記クレードルが、印刷のために前記媒体入力トレイから前記印字ヘッドへ、および前記印刷された媒体を収集するために前記印字ヘッドから前記媒体出力トレイへ、前記印刷媒体を転送する媒体転送機構を含む。
【００６２】
任意選択で、前記媒体搬送機構が、駆動ローラアセンブリおよび出口ローラアセンブリを備える。
【００６３】
任意選択で、前記本体が、前記取外し可能インクジェットカートリッジを受ける凹窩を画定する。
【００６４】
任意選択で、前記クレードルが、印刷を容易にするために前記印字ヘッドの動作を制御するコントローラを備える。
【００６５】
任意選択で、複数の端子が、前記コントローラと前記カートリッジとの間の電気通信を可能にするために、前記取外し可能インクジェットカートリッジの長さに沿って置かれた対応する端子と接触するように前記本体の長さに沿って置かれる。
【００６６】
任意選択で、前記複数の端子が、前記凹窩内に置かれる。
【００６７】
任意選択で、前記コントローラが、プリント回路基板上に設けられる電気回路網の形であり、前記複数の端子が、前記プリント回路基板の表面に沿って形成される。
【００６８】
任意選択で、前記コントローラが、前記印字ヘッドの動作を制御する１つまたは複数のＳｏＰＥＣデバイスを含む。
【００６９】
任意選択で、前記電気回路網が、前記プリント回路基板の１つの表面の上に設けられ、前記複数の端子が、前記プリント回路基板の反対の表面の上に設けられる。
【００７０】
任意選択で、前記電気回路網が、前記取外し可能インクジェットカートリッジ上の前記対応する端子への伝送のために前記複数の端子にデータ信号および電力信号の形の電気信号を送る。
【００７１】
任意選択で、前記取外し可能インクジェットカートリッジの前記ページ幅印字ヘッドが、使用中に通る印刷媒体にインクを送るように配置された複数のノズルを有し、前記対応する端子が、電気コネクタ上に設けられ、前記電気コネクタが、前記印字ヘッドアセンブリの前記ノズルと電気的に通じ、前記印字ヘッドアセンブリの長さに沿って配置される。
【００７２】
任意選択で、前記複数のノズルが、実質的に前記印字ヘッドアセンブリの長さに延びる１つまたは複数の集積回路上に設けられる。
【００７３】
任意選択で、各集積回路が、前記電気コネクタの一端がそれに取り付けられる１つまたは複数の接触パッドをその縁に沿って形成される。
【００７４】
任意選択で、前記電気コネクタの自由端が、前記クレードルの前記コントローラから電力信号および／またはデータ信号を受け取る前記対応する端子を設けられる。
【００７５】
任意選択で、前記電気コネクタが、前記印字ヘッドアセンブリの回りに延びるのに十分な長さおよび柔軟性を有する。
【００７６】
任意選択で、前記電気コネクタの前記自由端が、前記印字ヘッドアセンブリが前記カートリッジの表面に固定された時に前記カートリッジの前記表面に沿って受けられるように構成される。
【００７７】
任意選択で、前記電気コネクタの前記自由端が、その中に複数の穴を形成され、前記穴のそれぞれが、前記電気コネクタの前記自由端を前記カートリッジの前記表面で定位置に保持するために前記表面に形成されたスタッドを受けるように構成される。
【００７８】
任意選択で、前記電気コネクタの前記自由端が、前記カートリッジの前記表面で定位置に保持され、前記対応する端子が、前記電気コネクタの前記表面で露出される。
【００７９】
任意選択で、前記電気コネクタが、フレキシブルプリント回路基板である。
【００８０】
任意選択で、前記エンジンが、前記印刷媒体にイメージを印刷するためにインクジェットプリンタユニット内で使用されるように配置され、前記プリンタユニットが、
印刷のために印刷媒体を供給する媒体入力トレイと、
前記印刷された媒体を収集する媒体出力トレイと
をも備え、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを具備する。
【００８１】
任意選択で、前記カートリッジが、
１つまたは複数のインク貯蔵コンパートメントを有する本体部分と、
前記本体に取り付け可能であり、前記１つまたは複数のコンパートメントからインクを受け取り、ページ幅前記印字ヘッドアセンブリの長さに沿って前記インクを分配するように構成された、前記ページ幅印字ヘッドアセンブリと
を備える。
【００８２】
任意選択で、前記カートリッジが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備える。
【００８３】
任意選択で、前記カートリッジが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備える。
【００８４】
さらなる態様で、前記カートリッジが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備え、
前記インク貯蔵コンパートメントが、前記印字ヘッドアセンブリの前記ノズルへの供給のために毛細管現象の下でその中に前記インクを貯蔵する吸収材料を備える
印刷エンジンが提供される。
【００８５】
さらなる態様で、前記印刷エンジンが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリを具備し、
前記集積回路が、前記インク分配部材の長さにまたがって接触する配置で位置合せされる
印刷エンジンが提供される。
【００８６】
さらなる態様で、前記印刷エンジンが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を有する前記ページ幅印字ヘッドアセンブリを具備し、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
印刷エンジンが提供される。
【００８７】
さらなる態様で、前記印刷エンジンが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を含む前記ページ幅印字ヘッドアセンブリを具備し、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
印刷エンジンが提供される。
【００８８】
さらなる態様で、前記印刷エンジンが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を含む前記ページ幅印字ヘッドアセンブリを具備し、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
印刷エンジンが提供される。
【００８９】
さらなる態様で、前記印刷エンジンが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を含む前記ページ幅印字ヘッドアセンブリを具備し、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
印刷エンジンが提供される。
【００９０】
さらなる態様で、前記印刷エンジンが、前記ページ幅印字ヘッドをキャップするキャッピングアセンブリを備え、前記キャッピングアセンブリが、
前記印字ヘッドの長さに延びるように構成された本体と、
前記本体の中に収納される、前記印字ヘッドの少なくとも一部をキャップするために前記本体に関して移動可能の、キャッピング要素と
を有し、
前記本体が、前記キャッピングアセンブリを前記印字ヘッドに取外し可能に取り付ける取付け要素を含む
印刷エンジンが提供される。
【００９１】
さらなる態様で、前記印刷エンジンが、前記ページ幅印字ヘッドをキャップするキャッピングアセンブリを備え、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と
を有し、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
印刷エンジンが提供される。
【００９２】
さらなる態様で、前記印刷エンジンが、前記ページ幅印字ヘッドをキャップするキャッピングアセンブリを備え、前記キャッピングアセンブリが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を有し、
前記キャッピング要素が、前記第１位置に偏らされる
印刷エンジンが提供される。
【００９３】
さらなる態様で、前記印刷エンジンが、前記ページ幅印字ヘッドをキャップするキャッピングアセンブリを備え、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を有し、
前記変位アセンブリが、前記位置を決定する電磁石によって制御される
印刷エンジンが提供される。
【００９４】
さらなる態様で、前記クレードルが、
前記取外し可能インクジェットカートリッジに対して相補的な本体と、
印刷を容易にするために前記印字ヘッドの動作を制御するコントローラと
を備えるクレードルユニットであり、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
印刷エンジンが提供される。
【００９５】
さらなる態様で、前記クレードルが、
前記取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットであり、
前記複数の端子が、前記カートリッジが前記本体によって受けられる時に、前記カートリッジに設けられた前記対応する端子とピボット式に係合するように配置される
印刷エンジンが提供される。
【００９６】
さらなる態様で、前記クレードルが、
前記取外し可能インクジェットカートリッジに対して相補的な本体と、
印刷を容易にするために前記印字ヘッドの動作を制御するコントローラと
を備えるクレードルユニットであり、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
印刷エンジンが提供される。
【００９７】
さらなる態様で、前記クレードルが、
前記取外し可能インクジェットカートリッジに対して相補的である本体と、
印刷を容易にするために前記印字ヘッドの動作を制御するコントローラと
を備えるクレードルユニットであり、
前記本体が、前記カートリッジに補充インクを供給する補充ユニットを受けるように構成され、前記本体が、前記補充ユニットから前記補充可能インク供給にインクを施与する補充アクチュエータを含む
印刷エンジンが提供される。
【００９８】
さらなる態様で、前記クレードルが、
前記取外し可能インクジェットカートリッジに対して相補的である本体と、
印刷を容易にするために前記印字ヘッドの動作を制御するコントローラと
を備えるクレードルユニットであり、
前記本体が、それに取り付けられた電磁石アセンブリを含み、前記電磁石アセンブリが、前記取外し可能インクジェットカートリッジの前記キャッパアセンブリを動作させるために前記コントローラによって制御される
印刷エンジンが提供される。
【００９９】
任意選択で、前記印刷エンジンが、ページ幅印字ヘッドおよびインク供給を有するタイプの取外し可能インクジェットカートリッジに対して相補的である本体と、印刷を容易にするために前記印字ヘッドの動作を制御するコントローラとを有する前記クレードルユニット用のカバーアセンブリを有し、前記カバーアセンブリが、その中に形成された少なくとも１つのポートを備え、前記少なくとも１つのポートを介して、補充ユニットが、前記カートリッジの前記インク供給を補充するために受けられる。
【０１００】
任意選択で、前記印刷エンジンが、ページ幅印字ヘッドおよびインク供給を有するタイプの取外し可能インクジェットカートリッジに対して相補的である本体と、印刷を容易にするために前記印字ヘッドの動作を制御するコントローラとを有する前記クレードルユニット用のカバーアセンブリを有し、前記カバーアセンブリが、
インク補充ユニットから前記補充可能インク供給にインクを施与する補充アクチュエータ
を備える。
【０１０１】
任意選択で、前記印刷エンジンが、１つまたは複数のインク貯蔵コンパートメントと流体的に通じたページ幅印字ヘッドアセンブリを有するタイプの前記カートリッジユニット用のインクプライミングシステムを有し、前記システムが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる。
【０１０２】
任意選択で、前記印刷エンジンが、１つまたは複数のインク貯蔵コンパートメントと流体的に通じたページ幅印字ヘッドアセンブリを有するタイプの前記カートリッジユニット用のインクプライミングシステムを有し、前記システムが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる。
【０１０３】
任意選択で、前記印刷エンジンが、
印刷液を貯蔵し、前記印刷液がそれを介して施与される出口を有する、本体と、
前記本体から施与される前記印刷液の量を選択するように配置されたセレクタと
を備える印刷液ディスペンサに関連する印刷液補充カートリッジと共に使用されるように配置される。
【０１０４】
任意選択で、前記カートリッジが、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液の供給によって補充されるように配置される。
【０１０５】
任意選択で、前記印刷エンジンが、印刷液補充カートリッジ用の施与アセンブリと共に使用されるように配置され、前記施与アセンブリが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える。
【０１０６】
任意選択で、前記印刷エンジンが、印刷液補充ユニットによる前記印刷エンジンの補充を制御するシステムを有し、前記システムが、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を含む。
【０１０７】
任意選択で、前記印刷エンジンが、印刷液補充ユニットに含まれる印刷液の量に関する情報を保管する情報記憶要素であって、前記補充ユニットが前記印刷エンジンに取り付けられた時に前記記憶要素によって保管された前記情報を読み取るために前記印刷エンジンに組み込まれた情報リーダと接続される、前記情報記憶要素を備える前記印刷液補充ユニットと共に使用されるように配置され、
前記記憶要素によって保管される前記情報は、前記リーダが、前記補充ユニットに含まれる前記印刷液による前記印刷エンジンの前記補充を制御することを可能にする。
【０１０８】
任意選択で、前記カートリッジが、印刷液補充カートリッジによる印刷液の供給によって補充されるように配置され、前記カートリッジの前記補充を制御する方法が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む。
【０１０９】
任意選択で、前記インクジェットカートリッジが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを具備し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される。
【０１１０】
第３の態様で、本発明は、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備える、インクジェットプリンタ用のカートリッジユニットを提供する。
【０１１１】
任意選択で、前記ページ幅印字ヘッドアセンブリが、その表面から突き出し、それに前記印字ヘッドアセンブリを固定するために前記本体部分によって受けられる複数のコネクタを含む。
【０１１２】
任意選択で、前記本体部分が、その表面に沿って１つまたは複数のインク出口を形成され、前記インク出口のそれぞれが、前記インク貯蔵コンパートメントのうちの１つに関連し、前記ページ幅印字ヘッドアセンブリがそれに取り付けられた時に前記ページ幅印字ヘッドアセンブリのインク入口を受けるように構成される。
【０１１３】
任意選択で、前記インク入口が、前記ページ幅印字ヘッドアセンブリから突き出す中空のチューブであり、前記印字ヘッドアセンブリにインクを送るのを容易にするために前記本体部分の前記インク出口内に受けられる。
【０１１４】
任意選択で、前記印字ヘッドアセンブリが、その長さに延びる１つまたは複数のインク供給チャネルを備え、前記インク供給チャネルのそれぞれが、前記インク入口のうちの１つだけからインクを受け取るように構成される。
【０１１５】
任意選択で、前記印字ヘッドアセンブリが、実質的にその長さに延びる１つまたは複数の集積回路を備え、前記１つまたは複数の集積回路のそれぞれが、その上に複数のノズルを形成され、前記ノズルのそれぞれが、使用中に、前記１つまたは複数のインク供給チャネルからインクを受け取り、通る印刷媒体に前記インクを送るように配置される。
【０１１６】
任意選択で、インク分配部材が、前記インクを前記１つまたは複数のインク供給チャネルから前記集積回路の前記ノズルに分配する。
【０１１７】
任意選択で、前記集積回路が、前記インク分配部材の表面に固定される。
【０１１８】
任意選択で、前記集積回路が、前記インク分配部材の長さにまたがってエンドツーエンド配置で前記インク分配部材の前記表面に固定される。
【０１１９】
任意選択で、前記集積回路の端が、隣接する集積回路の間の長方形継手を容易にするために直線の縁を有する形状にされる。
【０１２０】
任意選択で、前記集積回路の端が、隣接する集積回路の間の傾斜した継手を容易にするために角度付きの縁を有する形状にされる。
【０１２１】
任意選択で、隣接する集積回路が、前記インク分配部材の長さに沿って互いから垂直にオフセットされる。
【０１２２】
任意選択で、前記ノズルが、前記集積回路の表面に沿って傾斜した行で設けられる。
【０１２３】
任意選択で、前記角度付きの縁が、４５°の角度を有する。
【０１２４】
任意選択で、前記角度付きの縁が、鋸歯プロファイルを有する。
【０１２５】
任意選択で、前記集積回路の１つの端に隣接する前記行のそれぞれの前記ノズルが、前記継手でのある度合のノズルオーバーラップを提供し、前記継手にまたがるノズルピッチを維持するために、前記ノズルの残りに関して垂直に変位される。
【０１２６】
任意選択で、前記垂直に変位されたノズルが、三角形構成で配置される。
【０１２７】
任意選択で、前記垂直に変位されたノズルが、台形構成で配置される。
【０１２８】
任意選択で、隣接する集積回路の間の分離の距離が、１５μ未満である。
【０１２９】
さらなる態様で、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備えるインクジェットプリンタであり、
前記印刷エンジンが、前記カートリッジと、前記カートリッジを受け、印刷に関する前記印字ヘッドアセンブリの動作を制御するように適合された本体を有するクレードルとを備える
カートリッジが提供される。
【０１３０】
さらなる態様で、インクジェットプリンタ用の印刷エンジン内で使用されるように配置され、前記印刷エンジンが、さらに、前記取外し可能インクジェットカートリッジを受け、印刷に関する前記印字ヘッドの動作を制御するように適合された本体を有するクレードルを備え、
前記クレードルが、媒体入力トレイから印刷媒体を受け取り、印刷された媒体を媒体出力トレイに送るために、前記インクジェットプリンタに固定されるように構成される
カートリッジが提供される。
【０１３１】
さらなる態様で、前記カートリッジが、前記印字ヘッドアセンブリの長さに沿って延びるように前記本体部分に取り付け可能なキャッパユニットをさらに備え、前記キャッパユニットが、前記印字ヘッドアセンブリの表面と接触するために前記キャッパユニットに関して移動可能なキャッピング要素を収納する、カートリッジが提供される。
【０１３２】
さらなる態様で、前記ページ幅印字ヘッドアセンブリが、前記１つまたは複数のインク貯蔵コンパートメントからインクを受け取るように構成され、前記ページ幅印字ヘッドアセンブリが、使用中に通る印刷媒体に前記インクを送るように配置された複数のノズルを有し、前記カートリッジが、さらに、前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタを備える、カートリッジが提供される。
【０１３３】
さらなる態様で、前記ページ幅印字ヘッドアセンブリが、インク貯蔵コンパートメントからインクを受け取るように構成され、使用中に通る印刷媒体に前記インクを送るように配置された複数のノズルに前記インクを分配するように構成され、
前記インク貯蔵コンパートメントが、前記印字ヘッドアセンブリの前記ノズルへの供給のために毛細管現象の下でその中に前記インクを貯蔵する吸収材料を備える
カートリッジが提供される。
【０１３４】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備え、
前記集積回路が、前記インク分配部材の長さにまたがって接触する配置で位置合せされる
カートリッジが提供される。
【０１３５】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
カートリッジが提供される。
【０１３６】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
カートリッジが提供される。
【０１３７】
さらなる態様で、前記ページ幅印字ヘッドアセンブリが、
１つまたは複数のインク供給源からインクを受け取る本体部分であって、前記インクを実質的に前記印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備え、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
カートリッジが提供される。
【０１３８】
さらなる態様で、前記ページ幅印字ヘッドアセンブリが、
１つまたは複数のインク供給源からインクを受け取る本体部分であって、前記インクを実質的に前記印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備え、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
カートリッジが提供される。
【０１３９】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納される、前記印字ヘッドの少なくとも一部をキャップするために前記本体に関して移動可能の、キャッピング要素と
を備え、
前記本体が、前記キャッピングアセンブリを前記印字ヘッドに取外し可能に取り付ける取付け要素を含む
カートリッジが提供される。
【０１４０】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と
を備え、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
カートリッジが提供される。
【０１４１】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備え、
前記キャッピング要素が、前記第１位置に偏らされる
カートリッジが提供される。
【０１４２】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備え、
前記変位アセンブリが、前記位置を決定する電磁石によって制御される
カートリッジが提供される。
【０１４３】
さらなる態様で、
前記カートリッジに対して相補的な本体と、
印刷を容易にするために前記印字ヘッドの動作を制御するコントローラと
を備えるクレードルユニットと共に使用されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
カートリッジが提供される。
【０１４４】
さらなる態様で、
前記カートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように配置され、
前記複数の端子が、前記カートリッジが前記本体によって受けられる時に、前記カートリッジに設けられた前記対応する端子とピボット式に係合するように配置される
カートリッジが提供される。
【０１４５】
さらなる態様で、
前記カートリッジに対して相補的な本体と、
印刷を容易にするために前記印字ヘッドの動作を制御するコントローラと
を備えるクレードルユニットと共に使用されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
カートリッジが提供される。
【０１４６】
さらなる態様で、
前記カートリッジに対して相補的である本体と、
印刷を容易にするために前記印字ヘッドの動作を制御するコントローラと
を備えるクレードルユニットと共に使用されるように配置され、
前記本体が、前記カートリッジに補充インクを供給する補充ユニットを受けるように構成され、前記本体が、前記補充ユニットから前記補充可能インク供給にインクを施与する補充アクチュエータを含む
カートリッジが提供される。
【０１４７】
さらなる態様で、
前記カートリッジに対して相補的である本体と、
印刷を容易にするために前記印字ヘッドの動作を制御するコントローラと
を備えるクレードルユニットと共に使用されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
カートリッジが提供される。
【０１４８】
さらなる態様で、前記カートリッジに対して相補的である本体と、印刷を容易にするために前記印字ヘッドの動作を制御するコントローラとを有する、カバーアセンブリと共に使用されるように配置されたクレードルユニットと共に使用されるように適合され、
前記カバーアセンブリが、その中に形成された少なくとも１つのポートを備え、前記少なくとも１つのポートを介して、補充ユニットが、前記カートリッジの前記インク供給を補充するために受けられる
カートリッジが提供される。
【０１４９】
さらなる態様で、前記カートリッジに対して相補的である本体と、インク供給と、印刷を容易にするために前記印字ヘッドの動作を制御するコントローラとを有する、カバーアセンブリと共に使用されるように配置されたインクジェットプリンタのクレードルユニットと共に使用されるように適合され、
前記カバーアセンブリが、インク補充ユニットから前記補充可能インク供給にインクを施与する補充アクチュエータを備える
カートリッジが提供される。
【０１５０】
さらなる態様で、前記カートリッジをプライミングするインクプライミングシステムと共に使用されるように配置され、前記システムが、
前記カートリッジをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
カートリッジが提供される。
【０１５１】
さらなる態様で、前記カートリッジをプライミングするインクプライミングシステムと共に使用されるように適合され、前記システムが、
前記カートリッジをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
カートリッジが提供される。
【０１５２】
さらなる態様で、
印刷液を貯蔵し、前記印刷液がそれを介して施与される出口を有する、本体と、
前記本体から施与される前記印刷液の量を選択するように配置されたセレクタと
を備える印刷液ディスペンサを有する印刷液補充カートリッジと共に使用されるように適合された、カートリッジが提供される。
【０１５３】
さらなる態様で、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液補充カートリッジからの印刷液の供給によって補充されるように適合された、カートリッジが提供される。
【０１５４】
さらなる態様で、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する印刷液補充カートリッジと共に使用されるように配置された、カートリッジが提供される。
【０１５５】
さらなる態様で、印刷液補充カートリッジと共に使用されるように配置され、印刷液補充ユニットによる前記カートリッジの補充を制御するシステムが、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備える
カートリッジが提供される。
【０１５６】
さらなる態様で、印刷エンジン用の印刷液補充ユニットと共に使用されるように配置され、前記補充ユニットが、前記補充ユニットに含まれる印刷液の量に関する情報を保管する情報記憶要素であって、前記補充ユニットが前記印刷エンジンに取り付けられた時に前記記憶要素によって保管された前記情報を読み取るために前記印刷エンジンに組み込まれた情報リーダと接続される、前記情報記憶要素を備え、
前記記憶要素によって保管される前記情報は、前記リーダが、前記補充ユニットに含まれる前記印刷液による前記印刷エンジンの前記補充を制御することを可能にする
カートリッジが提供される。
【０１５７】
さらなる態様で、前記カートリッジが、印刷液補充カートリッジと共に使用されるように配置され、前記補充カートリッジによる前記インクジェットカートリッジの補充を制御する方法が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む
カートリッジが提供される。
【０１５８】
さらなる態様で、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスと共に使用されるように配置され、
前記チャネルのそれぞれの第１端が、毛細管現象の下でそこに貯蔵するために印刷液供給から印刷液を抽出するために前記液供給と流体的に通じており、前記貯蔵された印刷液が、毛細管現象の下で前記少なくとも１つのノズルに供給される
カートリッジが提供される。
【０１５９】
第４の態様で、本発明は、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備える、インクジェットプリンタ用のカートリッジユニットを提供する。
【０１６０】
任意選択で、前記キャッパユニットが、前記キャッパユニットを前記本体部分に取り付ける取付け要素を含み、前記取付け要素が、前記本体部分に設けられた対応するクリップと係合する、前記キャッパユニットから突き出す１つまたは複数のクリップを備える。
【０１６１】
任意選択で、前記キャッパユニットが、前記印字ヘッドアセンブリとキャッパユニットの間にギャップがもたらされるように前記本体部分に取り付けられ、前記ギャップが、前記印字ヘッドによる印刷のために印刷媒体がその間を通ることを可能にするのに十分である。
【０１６２】
任意選択で、前記キャッパユニットの前記印字ヘッドと反対の表面が、媒体ガイドとして働き、前記印刷媒体が印刷のために前記印字ヘッドを通る時に前記印刷媒体を支持する。
【０１６３】
任意選択で、前記表面が、前記本体の長さに延びるスロットをその中に形成される。
【０１６４】
任意選択で、前記キャッピング要素が、前記印字ヘッドアセンブリの印刷表面をキャップするために、前記スロットを通って前記ギャップにまたがって突き出すために移動可能である。
【０１６５】
任意選択で、前記印刷表面が、複数のノズルを備え、前記ノズルのそれぞれが、使用中に前記通る印刷媒体にインクを送るように配置される。
【０１６６】
任意選択で、前記キャッピング要素が、前記印字ヘッドアセンブリの前記印刷表面に接触し、前記キャッピング要素の内部空間の中に前記ノズルを密閉する、開いたリム部分を有する。
【０１６７】
任意選択で、前記キャッピング要素の前記内部空間が、前記ノズルによって吐出されたインクを受ける吸収材料を備える。
【０１６８】
任意選択で、前記キャッピング要素が、印刷を行うことを可能にするために前記印刷表面のキャップを外すために前記キャッパユニットに引っ込むために移動可能である。
【０１６９】
さらなる態様で、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備え、
前記印刷エンジンが、前記カートリッジと、前記取外し可能インクジェットカートリッジを受け、印刷に関する前記印字ヘッドアセンブリの動作を制御するように適合された本体を有するクレードルとを備える
カートリッジが提供される。
【０１７０】
さらなる態様で、
前記取外し可能インクジェットカートリッジを受け、印刷に関する前記印字ヘッドの動作を制御するように適合された本体を有するクレードル
をさらに備える印刷エンジン内で使用されるように配置され、
前記クレードルが、媒体入力トレイから印刷媒体を受け取り、印刷された媒体を媒体出力トレイに送るために、前記インクジェットプリンタに固定されるように構成される
カートリッジが提供される。
【０１７１】
さらなる態様で、前記ページ幅印字ヘッドアセンブリが、前記本体に取り付け可能であり、前記１つまたは複数のコンパートメントからインクを受け取り、前記印字ヘッドアセンブリの長さに沿って前記インクを分配するように構成される、カートリッジが提供される。
【０１７２】
さらなる態様で、前記ページ幅印字ヘッドアセンブリが、前記１つまたは複数のインク貯蔵コンパートメントからインクを受け取るように構成され、前記ページ幅印字ヘッドアセンブリが、使用中に通る印刷媒体に前記インクを送るように配置された複数のノズルを有し、前記カートリッジが、さらに、前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタを備える、カートリッジが提供される。
【０１７３】
さらなる態様で、前記ページ幅印字ヘッドアセンブリが、インク貯蔵コンパートメントからインクを受け取るように構成され、使用中に通る印刷媒体に前記インクを送るように配置された複数のノズルに前記インクを分配するように構成され、
前記インク貯蔵コンパートメントが、前記印字ヘッドアセンブリの前記ノズルへの供給のために毛細管現象の下でその中に前記インクを貯蔵する吸収材料を備える
カートリッジが提供される。
【０１７４】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備え、
前記集積回路が、前記インク分配部材の長さにまたがって接触する配置で位置合せされる
カートリッジが提供される。
【０１７５】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
カートリッジが提供される。
【０１７６】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
カートリッジが提供される。
【０１７７】
さらなる態様で、前記ページ幅印字ヘッドアセンブリが、
１つまたは複数のインク供給源からインクを受け取る本体部分であって、前記インクを実質的に前記印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備え、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
カートリッジが提供される。
【０１７８】
さらなる態様で、前記ページ幅印字ヘッドアセンブリが、
１つまたは複数のインク供給源からインクを受け取る本体部分であって、前記インクを実質的に前記印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備え、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
カートリッジが提供される。
【０１７９】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納される、前記印字ヘッドの少なくとも一部をキャップするために前記本体に関して移動可能の、キャッピング要素と
を備え、
前記本体が、前記キャッピングアセンブリを前記印字ヘッドに取外し可能に取り付ける取付け要素を含む
カートリッジが提供される。
【０１８０】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と
を備え、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
カートリッジが提供される。
【０１８１】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備え、
前記キャッピング要素が、前記第１位置に偏らされる
カートリッジが提供される。
【０１８２】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備え、
前記変位アセンブリが、前記位置を決定する電磁石によって制御される
カートリッジが提供される。
【０１８３】
さらなる態様で、
前記カートリッジに対して相補的な本体と、
印刷を容易にするために前記印字ヘッドの動作を制御するコントローラと
を備えるクレードルユニットと共に使用されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
カートリッジが提供される。
【０１８４】
さらなる態様で、
前記カートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように配置され、
前記複数の端子が、前記カートリッジが前記本体によって受けられる時に、前記カートリッジに設けられた前記対応する端子とピボット式に係合するように配置される
カートリッジが提供される。
【０１８５】
さらなる態様で、
前記カートリッジに対して相補的な本体と、
印刷を容易にするために前記印字ヘッドの動作を制御するコントローラと
を備えるクレードルユニットと共に使用されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
カートリッジが提供される。
【０１８６】
さらなる態様で、
前記カートリッジに対して相補的である本体と、
印刷を容易にするために前記印字ヘッドの動作を制御するコントローラと
を備えるクレードルユニットと共に使用されるように配置され、
前記本体が、前記カートリッジに補充インクを供給する補充ユニットを受けるように構成され、前記本体が、前記補充ユニットから前記補充可能インク供給にインクを施与する補充アクチュエータを含む
カートリッジが提供される。
【０１８７】
さらなる態様で、
前記カートリッジに対して相補的である本体と、
印刷を容易にするために前記印字ヘッドの動作を制御するコントローラと
を備えるインクジェットプリンタ用のクレードルユニットと共に使用されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
カートリッジが提供される。
【０１８８】
さらなる態様で、前記カートリッジに対して相補的である本体と、印刷を容易にするために前記印字ヘッドの動作を制御するコントローラとを有する、カバーアセンブリと共に使用されるように配置されたクレードルユニットと共に使用されるように適合され、
前記カバーアセンブリが、その中に形成された少なくとも１つのポートを備え、前記少なくとも１つのポートを介して、補充ユニットが、前記カートリッジの前記インク供給を補充するために受けられる
カートリッジが提供される。
【０１８９】
さらなる態様で、前記カートリッジに対して相補的である本体と、インク供給と、印刷を容易にするために前記印字ヘッドの動作を制御するコントローラとを有する、カバーアセンブリと共に使用されるように配置されたクレードルユニットと共に使用されるように適合され、
前記カバーアセンブリが、インク補充ユニットから前記補充可能インク供給にインクを施与する補充アクチュエータを備える
カートリッジが提供される。
【０１９０】
さらなる態様で、前記カートリッジをプライミングするインクプライミングシステムと共に使用されるように適合され、前記システムが、
前記カートリッジをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
カートリッジが提供される。
【０１９１】
さらなる態様で、前記カートリッジをプライミングするインクプライミングシステムと共に使用されるように適合され、前記システムが、
前記カートリッジをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
カートリッジが提供される。
【０１９２】
さらなる態様で、
印刷液を貯蔵し、前記印刷液がそれを介して施与される出口を有する、本体と、
前記本体から施与される前記印刷液の量を選択するように配置されたセレクタと
を備える印刷液ディスペンサを有する印刷液補充カートリッジと共に使用されるように配置された、カートリッジが提供される。
【０１９３】
さらなる態様で、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液補充カートリッジからの印刷液の供給によって補充されるように適合された、カートリッジが提供される。
【０１９４】
さらなる態様で、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する印刷液補充カートリッジからの印刷液の供給によって補充されるように適合された、カートリッジが提供される。
【０１９５】
さらなる態様で、印刷液補充カートリッジからの印刷液の供給によって補充されるように適合され、前記インクジェットカーリッジの補充を制御するシステムが、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備える
カートリッジが提供される。
【０１９６】
さらなる態様で、印刷液補充ユニットに含まれる印刷液の量に関する情報を保管する情報記憶要素であって、前記補充ユニットが前記印刷エンジンに取り付けられた時に前記記憶要素によって保管された前記情報を読み取るために前記印刷エンジンに組み込まれた情報リーダと接続される、前記情報記憶要素を備える前記印刷液補充ユニットからの印刷液の供給によって補充されるように適合され、
前記記憶要素によって保管される前記情報は、前記リーダが、前記補充ユニットに含まれる前記印刷液による前記印刷エンジンの前記補充を制御することを可能にする
カートリッジが提供される。
【０１９７】
さらなる態様で、印刷液補充カートリッジからの印刷液の供給によって補充されるように適合され、前記補充を制御する方法が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む
カートリッジが提供される。
【０１９８】
さらなる態様で、前記カートリッジが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを具備し、
前記チャネルのそれぞれの第１端が、毛細管現象の下でそこに貯蔵するために印刷液供給から印刷液を抽出するために前記液供給と流体的に通じており、前記貯蔵された印刷液が、毛細管現象の下で前記少なくとも１つのノズルに供給される
カートリッジが提供される。
【０１９９】
第５の態様で、本発明は、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備える、インクジェットプリンタ用のカートリッジユニットを提供する。
【０２００】
任意選択で、前記複数のノズルが、実質的に前記印字ヘッドアセンブリの長さに延びる１つまたは複数の集積回路上に設けられる。
【０２０１】
任意選択で、各集積回路が、前記電気コネクタの一端がそれに取り付けられる１つまたは複数の接触パッドをその縁に沿って形成される。
【０２０２】
任意選択で、前記電気コネクタの自由端が、前記集積回路の対応する前記接触パッドに送るために前記インクジェットプリンタから電力信号および／またはデータ信号を受け取る複数の接点を設けられる。
【０２０３】
任意選択で、前記電気コネクタが、前記印字ヘッドアセンブリの回りに延びるのに十分な長さおよび柔軟性を有する。
【０２０４】
任意選択で、前記電気コネクタの前記自由端が、前記印字ヘッドアセンブリが前記本体部分の表面に固定された時に前記本体部分の前記表面に沿って受けられるように構成される。
【０２０５】
任意選択で、前記電気コネクタの前記自由端が、それに沿って複数の穴を形成され、前記穴のそれぞれが、前記電気コネクタの前記自由端を前記本体部分の表面で定位置に保持するために前記本体部分に形成されたスタッドを受けるように構成される。
【０２０６】
任意選択で、前記電気コネクタの前記自由端が、前記カートリッジユニットの表面で定位置に保持された時に、前記複数の接点が、前記電気コネクタの前記表面で露出される。
【０２０７】
任意選択で、前記電気コネクタが、フレキシブルプリント回路基板である。
【０２０８】
さらなる態様で、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備え、
前記印刷エンジンが、前記カートリッジと、前記取外し可能インクジェットカートリッジを受け、印刷に関する前記印字ヘッドアセンブリの動作を制御するように適合された本体を有するクレードルとを備える
カートリッジが提供される。
【０２０９】
さらなる態様で、
前記取外し可能インクジェットカートリッジを受け、印刷に関する前記印字ヘッドの動作を制御するように適合された本体を有するクレードル
をさらに備える印刷エンジン内で使用されるように配置され、
前記クレードルが、媒体入力トレイから印刷媒体を受け取り、印刷された媒体を媒体出力トレイに送るために、前記インクジェットプリンタに固定されるように構成される
カートリッジが提供される。
【０２１０】
さらなる態様で、前記ページ幅印字ヘッドアセンブリが、前記本体に取り付け可能であり、前記１つまたは複数のコンパートメントからインクを受け取り、前記印字ヘッドアセンブリの長さに沿って前記インクを分配するように構成される、カートリッジが提供される。
【０２１１】
さらなる態様で、
前記ページ幅印字ヘッドアセンブリが、前記本体部分に取り付け可能であり、印刷のために前記１つまたは複数のコンパートメントからインクを受け取るように構成され、前記カートリッジが、さらに、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニット
を備える
カートリッジが提供される。
【０２１２】
さらなる態様で、
前記ページ幅印字ヘッドアセンブリが、インク貯蔵コンパートメントからインクを受け取るように構成され、使用中に通る印刷媒体に前記インクを送るように配置された複数のノズルに前記インクを分配するように構成され、
前記インク貯蔵コンパートメントが、前記印字ヘッドアセンブリの前記ノズルへの供給のために毛細管現象の下でその中に前記インクを貯蔵する吸収材料を備える
カートリッジが提供される。
【０２１３】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備え、
前記集積回路が、前記インク分配部材の長さにまたがって接触する配置で位置合せされる
カートリッジが提供される。
【０２１４】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
カートリッジが提供される。
【０２１５】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
カートリッジが提供される。
【０２１６】
さらなる態様で、前記ページ幅印字ヘッドアセンブリが、
１つまたは複数のインク供給源からインクを受け取る本体部分であって、前記インクを実質的に前記印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備え、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
カートリッジが提供される。
【０２１７】
さらなる態様で、前記ページ幅印字ヘッドアセンブリが、
１つまたは複数のインク供給源からインクを受け取る本体部分であって、前記インクを実質的に前記印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備え、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
カートリッジが提供される。
【０２１８】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納される、前記印字ヘッドの少なくとも一部をキャップするために前記本体に関して移動可能の、キャッピング要素と
を備え、
前記本体が、前記キャッピングアセンブリを前記印字ヘッドに取外し可能に取り付ける取付け要素を含む
カートリッジが提供される。
【０２１９】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と
を備え、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
カートリッジが提供される。
【０２２０】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備え、
前記キャッピング要素が、前記第１位置に偏らされる
カートリッジが提供される。
【０２２１】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備え、
前記変位アセンブリが、前記位置を決定する電磁石によって制御される
カートリッジが提供される。
【０２２２】
さらなる態様で、
前記カートリッジに対して相補的な本体と、
印刷を容易にするために前記印字ヘッドの動作を制御するコントローラと
を備えるクレードルユニットと共に使用されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
カートリッジが提供される。
【０２２３】
さらなる態様で、
前記カートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように配置され、
前記複数の端子が、前記カートリッジが前記本体によって受けられる時に、前記カートリッジに設けられた前記対応する端子とピボット式に係合するように配置される
カートリッジが提供される。
【０２２４】
さらなる態様で、
前記カートリッジに対して相補的な本体と、
印刷を容易にするために前記印字ヘッドの動作を制御するコントローラと
を備えるクレードルユニットと共に使用されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
カートリッジが提供される。
【０２２５】
さらなる態様で、
前記カートリッジに対して相補的である本体と、
印刷を容易にするために前記印字ヘッドの動作を制御するコントローラと
を備えるクレードルユニットと共に使用されるように配置され、
前記本体が、前記カートリッジに補充インクを供給する補充ユニットを受けるように構成され、前記本体が、前記補充ユニットから前記補充可能インク供給にインクを施与する補充アクチュエータを含む
カートリッジが提供される。
【０２２６】
さらなる態様で、
前記カートリッジに対して相補的である本体と、
印刷を容易にするために前記印字ヘッドの動作を制御するコントローラと
を備えるインクジェットプリンタ用のクレードルユニットと共に使用されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
カートリッジが提供される。
【０２２７】
さらなる態様で、
前記カートリッジに対して相補的である本体と、印刷を容易にするために前記印字ヘッドの動作を制御するコントローラとを有する、カバーアセンブリと共に使用されるように配置されたクレードルユニットと共に使用されるように適合され、
前記カバーアセンブリが、その中に形成された少なくとも１つのポートを備え、前記少なくとも１つのポートを介して、補充ユニットが、前記カートリッジの前記インク供給を補充するために受けられる
カートリッジが提供される。
【０２２８】
さらなる態様で、
前記カートリッジに対して相補的である本体と、印刷を容易にするために前記印字ヘッドの動作を制御するコントローラとを有する、カバーアセンブリと共に使用されるように配置されたクレードルユニットと共に使用されるように適合され、
前記カバーアセンブリが、インク補充ユニットから前記補充可能インク供給にインクを施与する補充アクチュエータを備える
カートリッジが提供される。
【０２２９】
さらなる態様で、前記カートリッジをプライミングするインクプライミングシステムと共に使用されるように適合され、前記システムが、
前記カートリッジをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
カートリッジが提供される。
【０２３０】
さらなる態様で、前記カートリッジをプライミングするインクプライミングシステムと共に使用されるように適合され、前記システムが、
前記カートリッジをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
カートリッジが提供される。
【０２３１】
さらなる態様で、
印刷液を貯蔵し、前記印刷液がそれを介して施与される出口を有する、本体と、
前記本体から施与される前記印刷液の量を選択するように配置されたセレクタと
を備える印刷液ディスペンサを有する印刷液補充カートリッジと共に使用されるように配置された、カートリッジが提供される。
【０２３２】
さらなる態様で、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液補充カートリッジからの印刷液の供給によって補充されるように適合された、カートリッジが提供される。
【０２３３】
さらなる態様で、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する印刷液補充カートリッジからの印刷液の供給によって補充されるように適合された、カートリッジが提供される。
【０２３４】
さらなる態様で、印刷液補充カートリッジからの印刷液の供給によって補充されるように適合され、前記インクジェットカーリッジの補充を制御するシステムが、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備える
カートリッジが提供される。
【０２３５】
さらなる態様で、印刷液補充ユニットに含まれる印刷液の量に関する情報を保管する情報記憶要素であって、前記補充ユニットが前記印刷エンジンに取り付けられた時に前記記憶要素によって保管された前記情報を読み取るために前記印刷エンジンに組み込まれた情報リーダと接続される、前記情報記憶要素を備える前記印刷液補充ユニットからの印刷液の供給によって補充されるように適合され、
前記記憶要素によって保管される前記情報は、前記リーダが、前記補充ユニットに含まれる前記印刷液による前記印刷エンジンの前記補充を制御することを可能にする
カートリッジが提供される。
【０２３６】
さらなる態様で、印刷液補充カートリッジからの印刷液の供給によって補充されるように適合され、前記補充を制御する方法が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む
カートリッジが提供される。
【０２３７】
さらなる態様で、前記カートリッジが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを具備し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
カートリッジが提供される。
【０２３８】
第６の態様で、本発明は、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を具備し、
前記インク貯蔵コンパートメントが、前記印字ヘッドアセンブリの前記ノズルへの供給のために毛細管現象の下でその中に前記インクを貯蔵する吸収材料を備える
インクジェットプリンタ用のカートリッジユニットを提供する。
【０２３９】
任意選択で、各インク貯蔵コンパートメントが、前記印字ヘッドアセンブリの前記ノズルに供給される特定のタイプのインクの貯蔵専用である。
【０２４０】
任意選択で、インクの前記タイプが、前記インクの色によって決定される。
【０２４１】
任意選択で、各インク貯蔵コンパートメントが、前記印字ヘッドアセンブリに前記インクを別々に供給する。
【０２４２】
任意選択で、前記吸収材料の毛細管現象に起因して、前記インクが、負圧の下で前記印字ヘッドアセンブリに供給され、これによって、前記インクが非印刷期間中に前記ノズルから漏れなくなる。
【０２４３】
任意選択で、前記吸収材料が、発泡体である。
【０２４４】
さらなる態様で、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備え、
前記印刷エンジンが、前記カートリッジと、前記取外し可能インクジェットカートリッジを受け、印刷に関する前記印字ヘッドアセンブリの動作を制御するように適合された本体を有するクレードルとを備える
カートリッジが提供される。
【０２４５】
さらなる態様で、
前記取外し可能インクジェットカートリッジを受け、印刷に関する前記印字ヘッドの動作を制御するように適合された本体を有するクレードル
をさらに備える印刷エンジン内で使用されるように配置され、
前記クレードルが、媒体入力トレイから印刷媒体を受け取り、印刷された媒体を媒体出力トレイに送るために、前記インクジェットプリンタに固定されるように構成される
カートリッジが提供される。
【０２４６】
さらなる態様で、前記ページ幅印字ヘッドアセンブリが、前記本体に取り付け可能であり、前記１つまたは複数のコンパートメントからインクを受け取り、前記印字ヘッドアセンブリの長さに沿って前記インクを分配するように構成される、カートリッジが提供される。
【０２４７】
さらなる態様で、前記ページ幅印字ヘッドアセンブリが、前記本体部分に取り付け可能であり、印刷のために前記１つまたは複数のコンパートメントからインクを受け取るように構成され、前記カートリッジが、さらに、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニット
を備える
カートリッジが提供される。
【０２４８】
さらなる態様で、前記カートリッジが、さらに、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタ
を備える
カートリッジが提供される。
【０２４９】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備え、
前記集積回路が、前記インク分配部材の長さにまたがって接触する配置で位置合せされる
カートリッジが提供される。
【０２５０】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
カートリッジが提供される。
【０２５１】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
カートリッジが提供される。
【０２５２】
さらなる態様で、前記ページ幅印字ヘッドアセンブリが、
１つまたは複数のインク供給源からインクを受け取る本体部分であって、前記インクを実質的に前記印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備え、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
カートリッジが提供される。
【０２５３】
さらなる態様で、前記ページ幅印字ヘッドアセンブリが、
１つまたは複数のインク供給源からインクを受け取る本体部分であって、前記インクを実質的に前記印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備え、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
カートリッジが提供される。
【０２５４】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納される、前記印字ヘッドの少なくとも一部をキャップするために前記本体に関して移動可能の、キャッピング要素と
を備え、
前記本体が、前記キャッピングアセンブリを前記印字ヘッドに取外し可能に取り付ける取付け要素を含む
カートリッジが提供される。
【０２５５】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と
を備え、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
カートリッジが提供される。
【０２５６】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備え、
前記キャッピング要素が、前記第１位置に偏らされる
カートリッジが提供される。
【０２５７】
さらなる態様で、前記カートリッジが、前記ページ幅印字ヘッドをキャップするキャッピングアセンブリを有し、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備え、
前記変位アセンブリが、前記位置を決定する電磁石によって制御される
カートリッジが提供される。
【０２５８】
さらなる態様で、
前記カートリッジに対して相補的な本体と、
印刷を容易にするために前記印字ヘッドの動作を制御するコントローラと
を備えるクレードルユニットと共に使用されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
カートリッジが提供される。
【０２５９】
さらなる態様で、
前記カートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように配置され、
前記複数の端子が、前記カートリッジが前記本体によって受けられる時に、前記カートリッジに設けられた前記対応する端子とピボット式に係合するように配置される
カートリッジが提供される。
【０２６０】
さらなる態様で、
前記カートリッジに対して相補的な本体と、
印刷を容易にするために前記印字ヘッドの動作を制御するコントローラと
を備えるクレードルユニットと共に使用されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
カートリッジが提供される。
【０２６１】
さらなる態様で、
前記カートリッジに対して相補的である本体と、
印刷を容易にするために前記印字ヘッドの動作を制御するコントローラと
を備えるクレードルユニットと共に使用されるように配置され、
前記本体が、前記カートリッジに補充インクを供給する補充ユニットを受けるように構成され、前記本体が、前記補充ユニットから前記補充可能インク供給にインクを施与する補充アクチュエータを含む
カートリッジが提供される。
【０２６２】
さらなる態様で、
前記カートリッジに対して相補的である本体と、
印刷を容易にするために前記印字ヘッドの動作を制御するコントローラと
を備えるインクジェットプリンタ用のクレードルユニットと共に使用されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
カートリッジが提供される。
【０２６３】
さらなる態様で、前記カートリッジに対して相補的である本体と、印刷を容易にするために前記印字ヘッドの動作を制御するコントローラとを有する、カバーアセンブリと共に使用されるように配置されたクレードルユニットと共に使用されるように適合され、
前記カバーアセンブリが、その中に形成された少なくとも１つのポートを備え、前記少なくとも１つのポートを介して、補充ユニットが、前記カートリッジの前記インク供給を補充するために受けられる
カートリッジが提供される。
【０２６４】
さらなる態様で、前記カートリッジに対して相補的である本体と、印刷を容易にするために前記印字ヘッドの動作を制御するコントローラとを有する、カバーアセンブリと共に使用されるように配置されたクレードルユニットと共に使用されるように適合され、
前記カバーアセンブリが、インク補充ユニットから前記補充可能インク供給にインクを施与する補充アクチュエータを備える
カートリッジが提供される。
【０２６５】
さらなる態様で、前記カートリッジをプライミングするインクプライミングシステムと共に使用されるように適合され、前記システムが、
前記カートリッジをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
カートリッジが提供される。
【０２６６】
さらなる態様で、前記カートリッジをプライミングするインクプライミングシステムと共に使用されるように適合され、前記システムが、
前記カートリッジをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
カートリッジが提供される。
【０２６７】
さらなる態様で、
印刷液を貯蔵し、前記印刷液がそれを介して施与される出口を有する、本体と、
前記本体から施与される前記印刷液の量を選択するように配置されたセレクタと
を備える印刷液ディスペンサを有する印刷液補充カートリッジと共に使用されるように配置された、カートリッジが提供される。
【０２６８】
さらなる態様で、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液補充カートリッジからの印刷液の供給によって補充されるように適合された、カートリッジが提供される。
【０２６９】
さらなる態様で、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する印刷液補充カートリッジからの印刷液の供給によって補充されるように適合された、カートリッジが提供される。
【０２７０】
さらなる態様で、印刷液補充カートリッジからの印刷液の供給によって補充されるように適合され、前記インクジェットカーリッジの補充を制御するシステムが、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備える
カートリッジが提供される。
【０２７１】
さらなる態様で、印刷液補充ユニットに含まれる印刷液の量に関する情報を保管する情報記憶要素であって、前記補充ユニットが前記印刷エンジンに取り付けられた時に前記記憶要素によって保管された前記情報を読み取るために前記印刷エンジンに組み込まれた情報リーダと接続される、前記情報記憶要素を備える前記印刷液補充ユニットからの印刷液の供給によって補充されるように適合され、
前記記憶要素によって保管される前記情報は、前記リーダが、前記補充ユニットに含まれる前記印刷液による前記印刷エンジンの前記補充を制御することを可能にする
カートリッジが提供される。
【０２７２】
さらなる態様で、前記カートリッジが、印刷液補充カートリッジからの印刷液の供給によって補充されるように適合され、前記補充を制御する方法が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む
カートリッジが提供される。
【０２７３】
さらなる態様で、前記カートリッジが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを具備し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
カートリッジが提供される。
【０２７４】
第７の態様で、本発明は、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備え、
前記集積回路が、前記インク分配部材の長さにまたがって接触する配置で位置合せされる
インクジェットプリンタ用の前記ページ幅印字ヘッドアセンブリを提供する。
【０２７５】
任意選択で、前記集積回路が、前記インク分配部材の長さにまたがってエンドツーエンド配置で接触する。
【０２７６】
任意選択で、前記集積回路の端が、隣接する集積回路の間の長方形継手を容易にするために直線の縁を有する形状にされる。
【０２７７】
任意選択で、前記集積回路の端が、隣接する集積回路の間の傾斜した継手を容易にするために角度付きの縁を有する形状にされる。
【０２７８】
任意選択で、隣接する集積回路が、前記インク分配部材の長さに沿って互いから垂直にオフセットされる。
【０２７９】
任意選択で、ノズルの前記行が、前記集積回路の表面に沿って傾斜した配置で配置される。
【０２８０】
任意選択で、前記角度付きの縁が、４５°の角度を有する。
【０２８１】
任意選択で、前記角度付きの縁が、鋸歯プロファイルを有する。
【０２８２】
任意選択で、前記集積回路の１つの端に隣接する前記行のそれぞれの前記ノズルが、前記継手でのある度合のノズルオーバーラップを提供し、前記継手にまたがるノズルピッチを維持するために、前記ノズルの残りに関して垂直に変位される。
【０２８３】
任意選択で、前記垂直に変位されたノズルが、三角形構成で配置される。
【０２８４】
任意選択で、前記垂直に変位されたノズルが、台形構成で配置される。
【０２８５】
任意選択で、隣接する集積回路の間の分離の距離が、１５μ未満である。
【０２８６】
さらなる態様で、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備え、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える
ページ幅印字ヘッドアセンブリが提供される。
【０２８７】
さらなる態様で、前記印字ヘッドが、前記インクジェットプリンタの印刷エンジン内で使用されるように配置され、前記印刷エンジンが、
前記ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備え
前記クレードルが、媒体入力トレイから印刷媒体を受け取り、印刷された媒体を媒体出力トレイに送るために、前記インクジェットプリンタに固定されるように構成される
ページ幅印字ヘッドアセンブリが提供される。
【０２８８】
さらなる態様で、前記印字ヘッドが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるカートリッジユニットと共に使用されるように配置される
ページ幅印字ヘッドアセンブリが提供される。
【０２８９】
さらなる態様で、前記印字ヘッドが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるカートリッジユニットと共に使用されるように配置される
ページ幅印字ヘッドアセンブリが提供される。
【０２９０】
さらなる態様で、前記印字ヘッドが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備えるカートリッジユニットと共に使用されるように配置される
ページ幅印字ヘッドアセンブリが提供される。
【０２９１】
さらなる態様で、前記印字ヘッドが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるカートリッジユニットと共に使用されるように配置され、
前記インク貯蔵コンパートメントが、前記印字ヘッドアセンブリの前記ノズルへの供給のために毛細管現象の下でその中に前記インクを貯蔵する吸収材料を備える
ページ幅印字ヘッドアセンブリが提供される。
【０２９２】
さらなる態様で、前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される、ページ幅印字ヘッドアセンブリが提供される。
【０２９３】
さらなる態様で、前記１つまたは複数の集積回路のそれぞれと電気的に通じる電気コネクタが、前記インクジェットプリンタの対応する電気コネクタとの嵌合のために前記印字ヘッドアセンブリの長さに沿って延びる、ページ幅印字ヘッドアセンブリが提供される。
【０２９４】
さらなる態様で、前記本体部分が、前記インクを実質的に前記印字ヘッドアセンブリの長さに沿って分配する１つまたは複数のチャネルをその中に形成され、前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する、ページ幅印字ヘッドアセンブリが提供される。
【０２９５】
さらなる態様で、前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える、ページ幅印字ヘッドアセンブリが提供される。
【０２９６】
さらなる態様で、前記アセンブリの前記印字ヘッドが、前記印字ヘッドをキャップするキャッピングアセンブリと共に使用されるように配置され、前記キャッピングアセンブリが、
前記印字ヘッドの長さに延びるように構成された本体と、
前記本体の中に収納される、前記印字ヘッドの少なくとも一部をキャップするために前記本体に関して移動可能の、キャッピング要素と
を備え、
前記本体が、前記キャッピングアセンブリを前記印字ヘッドに取外し可能に取り付ける取付け要素を含む
ページ幅印字ヘッドアセンブリが提供される。
【０２９７】
さらなる態様で、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と
を備え、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
ページ幅印字ヘッドアセンブリが提供される。
【０２９８】
さらなる態様で、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備え、
前記キャッピング要素が、前記第１位置に偏らされる
ページ幅印字ヘッドアセンブリが提供される。
【０２９９】
さらなる態様で、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備え、
前記変位アセンブリが、前記位置を決定する電磁石によって制御される
ページ幅印字ヘッドアセンブリが提供される。
【０３００】
さらなる態様で、前記アセンブリの前記印字ヘッドが、
取外し可能インクジェットカートリッジに対して相補的な本体と、
印刷を容易にするために前記印字ヘッドの動作を制御するコントローラと
を備えるクレードルユニットと共に使用されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
ページ幅印字ヘッドアセンブリが提供される。
【０３０１】
さらなる態様で、前記アセンブリの前記印字ヘッドが、
取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように配置され、
前記複数の端子が、前記カートリッジが前記本体によって受けられる時に、前記カートリッジに設けられた前記対応する端子とピボット式に係合するように配置される
ページ幅印字ヘッドアセンブリが提供される。
【０３０２】
さらなる態様で、前記アセンブリの前記印字ヘッドが、
前記印字ヘッドおよび補充可能インク供給に関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
ページ幅印字ヘッドアセンブリが提供される。
【０３０３】
さらなる態様で、前記アセンブリの前記印字ヘッドが、
前記印字ヘッドおよび補充可能インク供給に関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、前記カートリッジに補充インクを供給する補充ユニットを受けるように構成され、前記本体が、前記補充ユニットから前記補充可能インク供給にインクを施与する補充アクチュエータを含む
ページ幅印字ヘッドアセンブリが提供される。
【０３０４】
さらなる態様で、前記アセンブリの前記印字ヘッドが、
前記印字ヘッド、インク供給、およびキャッパアセンブリに関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
ページ幅印字ヘッドアセンブリが提供される。
【０３０５】
さらなる態様で、前記アセンブリの前記印字ヘッドが、ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように配置され、
前記クレードルユニットが、
前記カートリッジの前記インク供給を補充するためにそれを介して補充ユニットが受けられる、その中に形成された少なくとも１つのポート
を備えるカバーアセンブリと係合するように配置される
ページ幅印字ヘッドアセンブリが提供される。
【０３０６】
さらなる態様で、前記アセンブリの前記印字ヘッドが、ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように配置され、
前記クレードルユニットが、インク補充ユニットから前記補充可能インク供給にインクを施与する補充アクチュエータを備えるカバーアセンブリと係合するように配置される
ページ幅印字ヘッドアセンブリが提供される。
【０３０７】
さらなる態様で、前記アセンブリが、カートリッジユニット内の１つまたは複数のインク貯蔵コンパートメントと流体的に通じるように配置され、前記カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムと共に使用されるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
ページ幅印字ヘッドアセンブリが提供される。
【０３０８】
さらなる態様で、前記アセンブリが、カートリッジユニット内の１つまたは複数のインク貯蔵コンパートメントと流体的に通じるように配置され、前記カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムと共に使用されるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
ページ幅印字ヘッドアセンブリが提供される。
【０３０９】
さらなる態様で、前記アセンブリが、
印刷液を貯蔵し、前記印刷液がそれを介して施与される出口を有する、本体と、
前記本体から施与される前記印刷液の量を選択するように配置されたセレクタと
を備える印刷液ディスペンサと共に使用されるように配置された印刷液補充カートリッジからの補充に適合されたカートリッジユニット内で使用されるように配置される、ページ幅印字ヘッドアセンブリが提供される。
【０３１０】
さらなる態様で、前記アセンブリが、印刷ユニット内で使用されるように配置され、前記印刷ユニットが、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液の供給によって補充されるように適合される、ページ幅印字ヘッドアセンブリが提供される。
【０３１１】
さらなる態様で、前記アセンブリが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する印刷液補充カートリッジからの補充に適合されたカートリッジユニット内で使用されるように配置される、ページ幅印字ヘッドアセンブリが提供される。
【０３１２】
さらなる態様で、前記アセンブリが、印刷液補充ユニットからの補充に適合された印刷エンジン内で使用されるように配置され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される
ページ幅印字ヘッドアセンブリが提供される。
【０３１３】
さらなる態様で、前記アセンブリが、印刷液補充ユニットに含まれる印刷液の量に関する情報を保管する情報記憶要素であって、前記補充ユニットが前記印刷エンジンに取り付けられた時に前記記憶要素によって保管された前記情報を読み取るために前記印刷エンジンに組み込まれた情報リーダと接続される、前記情報記憶要素を備える前記印刷液補充ユニットからの補充に適合された印刷エンジン内で使用されるように配置され、
前記記憶要素によって保管される前記情報は、前記リーダが、前記補充ユニットに含まれる前記印刷液による前記印刷エンジンの前記補充を制御することを可能にする
ページ幅印字ヘッドアセンブリが提供される。
【０３１４】
さらなる態様で、前記アセンブリが、印刷液補充カートリッジによる補充に適合された印刷ユニットと共に使用されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
ページ幅印字ヘッドアセンブリが提供される。
【０３１５】
さらなる態様で、前記アセンブリが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを有する印刷カートリッジ内で使用されるように配置され、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
ページ幅印字ヘッドアセンブリが提供される。
【０３１６】
第８の態様で、本発明は、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
インクジェットプリンタ用の前記ページ幅印字ヘッドアセンブリを提供する。
【０３１７】
任意選択で、前記コネクタが、前記本体部分の表面から延び、前記印字ヘッドアセンブリを前記１つまたは複数のインク供給源に取外し可能に固定するために前記１つまたは複数のインク供給源に設けられた保持手段と係合する。
【０３１８】
任意選択で、１つまたは複数のインク入口が、前記本体部分が前記１つまたは複数のインク供給源に固定された時に、それと前記インク供給源に設けられた対応するインク出口との間の制御されたインクの流れを許容するために前記インク出口と嵌合するために前記本体部分の表面に設けられる。
【０３１９】
任意選択で、前記１つまたは複数のインク供給源が、カートリッジユニット内に設けられ、前記印字ヘッドアセンブリが、前記カートリッジユニットに取外し可能に固定される。
【０３２０】
任意選択で、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備え、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える。
【０３２１】
任意選択で、前記印字ヘッドが、前記インクジェットプリンタの印刷エンジン内で使用されるように配置され、前記印刷エンジンが、
前記ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備え
前記クレードルが、媒体入力トレイから印刷媒体を受け取り、印刷された媒体を媒体出力トレイに送るために、前記インクジェットプリンタに固定されるように構成される。
【０３２２】
さらなる態様で、前記印字ヘッドが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるカートリッジユニットと共に使用されるように配置される
ページ幅印字ヘッドアセンブリが提供される。
【０３２３】
さらなる態様で、前記印字ヘッドが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるカートリッジユニットと共に使用されるように配置される
ページ幅印字ヘッドアセンブリが提供される。
【０３２４】
さらなる態様で、前記印字ヘッドが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備えるカートリッジユニットと共に使用されるように配置される
ページ幅印字ヘッドアセンブリが提供される。
【０３２５】
さらなる態様で、前記印字ヘッドが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるカートリッジユニットと共に使用されるように配置され、
前記インク貯蔵コンパートメントが、前記印字ヘッドアセンブリの前記ノズルへの供給のために毛細管現象の下でその中に前記インクを貯蔵する吸収材料を備える
ページ幅印字ヘッドアセンブリが提供される。
【０３２６】
さらなる態様で、前記集積回路が、前記インク分配部材の長さにまたがって接触する配置で位置合せされる、ページ幅印字ヘッドアセンブリが提供される。
【０３２７】
さらなる態様で、前記１つまたは複数の集積回路のそれぞれと電気的に通じる電気コネクタが、前記インクジェットプリンタの対応する電気コネクタとの嵌合のために前記印字ヘッドアセンブリの長さに沿って延びる、ページ幅印字ヘッドアセンブリが提供される。
【０３２８】
さらなる態様で、前記本体部分が、前記インクを実質的に前記印字ヘッドアセンブリの長さに沿って分配する１つまたは複数のチャネルをその中に形成され、前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する、ページ幅印字ヘッドアセンブリが提供される。
【０３２９】
さらなる態様で、前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える、ページ幅印字ヘッドアセンブリが提供される。
【０３３０】
さらなる態様で、前記アセンブリの前記印字ヘッドが、前記印字ヘッドをキャップするキャッピングアセンブリと共に使用されるように配置され、前記キャッピングアセンブリが、
前記印字ヘッドの長さに延びるように構成された本体と、
前記本体の中に収納される、前記印字ヘッドの少なくとも一部をキャップするために前記本体に関して移動可能の、キャッピング要素と
を備え、
前記本体が、前記キャッピングアセンブリを前記印字ヘッドに取外し可能に取り付ける取付け要素を含む
ページ幅印字ヘッドアセンブリが提供される。
【０３３１】
さらなる態様で、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と
を備え、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
ページ幅印字ヘッドアセンブリが提供される。
【０３３２】
さらなる態様で、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備え、
前記キャッピング要素が、前記第１位置に偏らされる
ページ幅印字ヘッドアセンブリが提供される。
【０３３３】
さらなる態様で、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備え、
前記変位アセンブリが、前記位置を決定する電磁石によって制御される
ページ幅印字ヘッドアセンブリが提供される。
【０３３４】
さらなる態様で、前記アセンブリの前記印字ヘッドが、
取外し可能インクジェットカートリッジに対して相補的な本体と、
印刷を容易にするために前記印字ヘッドの動作を制御するコントローラと
を備えるクレードルユニットと共に使用されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
ページ幅印字ヘッドアセンブリが提供される。
【０３３５】
さらなる態様で、前記アセンブリの前記印字ヘッドが、
取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように配置され、
前記複数の端子が、前記カートリッジが前記本体によって受けられる時に、前記カートリッジに設けられた前記対応する端子とピボット式に係合するように配置される
ページ幅印字ヘッドアセンブリが提供される。
【０３３６】
さらなる態様で、前記アセンブリの前記印字ヘッドが、
前記印字ヘッドおよび補充可能インク供給に関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
ページ幅印字ヘッドアセンブリが提供される。
【０３３７】
さらなる態様で、前記アセンブリの前記印字ヘッドが、
前記印字ヘッドおよび補充可能インク供給に関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、前記カートリッジに補充インクを供給する補充ユニットを受けるように構成され、前記本体が、前記補充ユニットから前記補充可能インク供給にインクを施与する補充アクチュエータを含む
ページ幅印字ヘッドアセンブリが提供される。
【０３３８】
さらなる態様で、前記アセンブリの前記印字ヘッドが、
前記印字ヘッド、インク供給、およびキャッパアセンブリに関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
ページ幅印字ヘッドアセンブリが提供される。
【０３３９】
さらなる態様で、前記アセンブリの前記印字ヘッドが、ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように配置され、
前記クレードルユニットが、
前記カートリッジの前記インク供給を補充するためにそれを介して補充ユニットが受けられる、その中に形成された少なくとも１つのポート
を備えるカバーアセンブリと係合するように配置される
ページ幅印字ヘッドアセンブリが提供される。
【０３４０】
さらなる態様で、前記アセンブリの前記印字ヘッドが、ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように配置され、
前記クレードルユニットが、インク補充ユニットから前記補充可能インク供給にインクを施与する補充アクチュエータを備えるカバーアセンブリと係合するように配置される
ページ幅印字ヘッドアセンブリが提供される。
【０３４１】
さらなる態様で、前記アセンブリが、カートリッジユニット内の１つまたは複数のインク貯蔵コンパートメントと流体的に通じるように配置され、前記カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムと共に使用されるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
ページ幅印字ヘッドアセンブリが提供される。
【０３４２】
さらなる態様で、前記アセンブリが、カートリッジユニット内の１つまたは複数のインク貯蔵コンパートメントと流体的に通じるように配置され、前記カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムと共に使用されるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
ページ幅印字ヘッドアセンブリが提供される。
【０３４３】
さらなる態様で、前記アセンブリが、
印刷液を貯蔵し、前記印刷液がそれを介して施与される出口を有する、本体と、
前記本体から施与される前記印刷液の量を選択するように配置されたセレクタと
を備える印刷液ディスペンサと共に使用されるように配置された印刷液補充カートリッジからの補充に適合されたカートリッジユニット内で使用されるように配置される、ページ幅印字ヘッドアセンブリが提供される。
【０３４４】
さらなる態様で、前記アセンブリが、印刷ユニット内で使用されるように配置され、前記印刷ユニットが、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液の供給によって補充されるように適合される、ページ幅印字ヘッドアセンブリが提供される。
【０３４５】
さらなる態様で、前記アセンブリが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する印刷液補充カートリッジからの補充に適合されたカートリッジユニット内で使用されるように配置される、ページ幅印字ヘッドアセンブリが提供される。
【０３４６】
さらなる態様で、前記アセンブリが、印刷液補充ユニットからの補充に適合された印刷エンジン内で使用されるように配置され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される
ページ幅印字ヘッドアセンブリが提供される。
【０３４７】
さらなる態様で、前記アセンブリが、印刷液補充ユニットに含まれる印刷液の量に関する情報を保管する情報記憶要素であって、前記補充ユニットが前記印刷エンジンに取り付けられた時に前記記憶要素によって保管された前記情報を読み取るために前記印刷エンジンに組み込まれた情報リーダと接続される、前記情報記憶要素を備える前記印刷液補充ユニットからの補充に適合された印刷エンジン内で使用されるように配置され、
前記記憶要素によって保管される前記情報は、前記リーダが、前記補充ユニットに含まれる前記印刷液による前記印刷エンジンの前記補充を制御することを可能にする
ページ幅印字ヘッドアセンブリが提供される。
【０３４８】
さらなる態様で、前記アセンブリが、印刷液補充カートリッジによる補充に適合された印刷ユニットと共に使用されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
ページ幅印字ヘッドアセンブリが提供される。
【０３４９】
さらなる態様で、前記アセンブリが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを有する印刷カートリッジ内で使用されるように配置され、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
ページ幅印字ヘッドアセンブリが提供される。
【０３５０】
第９の態様で、本発明は、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
インクジェットプリンタ用の前記ページ幅印字ヘッドアセンブリを提供する。
【０３５１】
任意選択で、各集積回路が、前記電気コネクタの一端と１つまたは複数の接触パッドとの間の電気通信を可能にするために、前記電気コネクタの前記一端がそれに取り付けられる前記１つまたは複数の接触パッドをその縁に沿って形成される。
【０３５２】
任意選択で、前記電気コネクタの自由端が、前記集積回路の対応する前記接触パッドに送るために前記プリンタユニットから電力および／またはデータを受ける複数の接点を設けられる。
【０３５３】
任意選択で、前記電気コネクタが、前記印字ヘッドアセンブリの回りに延びるのに十分な長さおよび柔軟性を有する。
【０３５４】
任意選択で、前記電気コネクタの前記自由端が、前記印字ヘッドアセンブリが前記カートリッジユニットに固定された前記カートリッジユニットの表面に沿って受けられるように構成される。
【０３５５】
任意選択で、前記電気コネクタの前記自由端が、それに沿って複数の穴を形成され、前記穴のそれぞれが、前記電気コネクタの前記自由端を前記カートリッジユニットの表面で定位置に保持するために前記カートリッジユニットに形成されたスタッドを受けるように構成される。
【０３５６】
任意選択で、前記電気コネクタの前記自由端が、前記カートリッジユニットの表面で定位置に保持され、前記複数の接点が、前記電気コネクタの前記表面で露出される。
【０３５７】
任意選択で、前記電気コネクタが、フレキシブルプリント回路基板である。
【０３５８】
さらなる態様で、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備え、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える
ページ幅印字ヘッドアセンブリが提供される。
【０３５９】
さらなる態様で、前記印字ヘッドが、前記インクジェットプリンタの印刷エンジン内で使用されるように配置され、前記印刷エンジンが、
前記ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備え
前記クレードルが、媒体入力トレイから印刷媒体を受け取り、印刷された媒体を媒体出力トレイに送るために、前記インクジェットプリンタに固定されるように構成される
ページ幅印字ヘッドアセンブリが提供される。
【０３６０】
さらなる態様で、前記印字ヘッドが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるカートリッジユニットと共に使用されるように配置される
ページ幅印字ヘッドアセンブリが提供される。
【０３６１】
さらなる態様で、前記印字ヘッドが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるカートリッジユニットと共に使用されるように配置される
ページ幅印字ヘッドアセンブリが提供される。
【０３６２】
さらなる態様で、前記印字ヘッドが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備えるカートリッジユニットと共に使用されるように配置される
ページ幅印字ヘッドアセンブリが提供される。
【０３６３】
さらなる態様で、前記印字ヘッドが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるカートリッジユニットと共に使用されるように配置され、
前記インク貯蔵コンパートメントが、前記印字ヘッドアセンブリの前記ノズルへの供給のために毛細管現象の下でその中に前記インクを貯蔵する吸収材料を備える
ページ幅印字ヘッドアセンブリが提供される。
【０３６４】
さらなる態様で、前記集積回路が、前記インク分配部材の長さにまたがって接触する配置で位置合せされる、ページ幅印字ヘッドアセンブリが提供される。
【０３６５】
さらなる態様で、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
ページ幅印字ヘッドアセンブリが提供される。
【０３６６】
さらなる態様で、前記本体部分が、前記インクを実質的に前記印字ヘッドアセンブリの長さに沿って分配する１つまたは複数のチャネルをその中に形成され、前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する、ページ幅印字ヘッドアセンブリが提供される。
【０３６７】
さらなる態様で、前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える、ページ幅印字ヘッドアセンブリが提供される。
【０３６８】
さらなる態様で、前記アセンブリの前記印字ヘッドが、前記印字ヘッドをキャップするキャッピングアセンブリと共に使用されるように配置され、前記キャッピングアセンブリが、
前記印字ヘッドの長さに延びるように構成された本体と、
前記本体の中に収納される、前記印字ヘッドの少なくとも一部をキャップするために前記本体に関して移動可能の、キャッピング要素と
を備え、
前記本体が、前記キャッピングアセンブリを前記印字ヘッドに取外し可能に取り付ける取付け要素を含む
ページ幅印字ヘッドアセンブリが提供される。
【０３６９】
さらなる態様で、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と
を備え、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
ページ幅印字ヘッドアセンブリが提供される。
【０３７０】
さらなる態様で、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備え、
前記キャッピング要素が、前記第１位置に偏らされる
ページ幅印字ヘッドアセンブリが提供される。
【０３７１】
さらなる態様で、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備え、
前記変位アセンブリが、前記位置を決定する電磁石によって制御される
ページ幅印字ヘッドアセンブリが提供される。
【０３７２】
さらなる態様で、前記アセンブリの前記印字ヘッドが、
取外し可能インクジェットカートリッジに対して相補的な本体と、
印刷を容易にするために前記印字ヘッドの動作を制御するコントローラと
を備えるクレードルユニットと共に使用されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
ページ幅印字ヘッドアセンブリが提供される。
【０３７３】
さらなる態様で、前記アセンブリの前記印字ヘッドが、
取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように配置され、
前記複数の端子が、前記カートリッジが前記本体によって受けられる時に、前記カートリッジに設けられた前記対応する端子とピボット式に係合するように配置される
ページ幅印字ヘッドアセンブリが提供される。
【０３７４】
さらなる態様で、前記アセンブリの前記印字ヘッドが、
前記印字ヘッドおよび補充可能インク供給に関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
ページ幅印字ヘッドアセンブリが提供される。
【０３７５】
さらなる態様で、前記アセンブリの前記印字ヘッドが、
前記印字ヘッドおよび補充可能インク供給に関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、前記カートリッジに補充インクを供給する補充ユニットを受けるように構成され、前記本体が、前記補充ユニットから前記補充可能インク供給にインクを施与する補充アクチュエータを含む
ページ幅印字ヘッドアセンブリが提供される。
【０３７６】
さらなる態様で、前記アセンブリの前記印字ヘッドが、
前記印字ヘッド、インク供給、およびキャッパアセンブリに関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
ページ幅印字ヘッドアセンブリが提供される。
【０３７７】
さらなる態様で、前記アセンブリの前記印字ヘッドが、ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように配置され、前記クレードルユニットが、
前記カートリッジの前記インク供給を補充するためにそれを介して補充ユニットが受けられる、その中に形成された少なくとも１つのポート
を備えるカバーアセンブリと係合するように配置される
ページ幅印字ヘッドアセンブリが提供される。
【０３７８】
さらなる態様で、前記アセンブリの前記印字ヘッドが、ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように配置され、
前記クレードルユニットが、インク補充ユニットから前記補充可能インク供給にインクを施与する補充アクチュエータを備えるカバーアセンブリと係合するように配置される
ページ幅印字ヘッドアセンブリが提供される。
【０３７９】
さらなる態様で、前記アセンブリが、カートリッジユニット内の１つまたは複数のインク貯蔵コンパートメントと流体的に通じるように配置され、前記カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムと共に使用されるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
ページ幅印字ヘッドアセンブリが提供される。
【０３８０】
さらなる態様で、前記アセンブリが、カートリッジユニット内の１つまたは複数のインク貯蔵コンパートメントと流体的に通じるように配置され、前記カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムと共に使用されるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
ページ幅印字ヘッドアセンブリが提供される。
【０３８１】
さらなる態様で、前記アセンブリが、
印刷液を貯蔵し、前記印刷液がそれを介して施与される出口を有する、本体と、
前記本体から施与される前記印刷液の量を選択するように配置されたセレクタと
を備える印刷液ディスペンサと共に使用されるように配置された印刷液補充カートリッジからの補充に適合されたカートリッジユニット内で使用されるように配置される、ページ幅印字ヘッドアセンブリが提供される。
【０３８２】
さらなる態様で、前記アセンブリが、印刷ユニット内で使用されるように配置され、前記印刷ユニットが、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液の供給によって補充されるように適合される、ページ幅印字ヘッドアセンブリが提供される。
【０３８３】
さらなる態様で、前記アセンブリが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する印刷液補充カートリッジからの補充に適合されたカートリッジユニット内で使用されるように配置される、ページ幅印字ヘッドアセンブリが提供される。
【０３８４】
さらなる態様で、前記アセンブリが、印刷液補充ユニットからの補充に適合された印刷エンジン内で使用されるように配置され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される
ページ幅印字ヘッドアセンブリが提供される。
【０３８５】
さらなる態様で、前記アセンブリが、印刷液補充ユニットに含まれる印刷液の量に関する情報を保管する情報記憶要素であって、前記補充ユニットが前記印刷エンジンに取り付けられた時に前記記憶要素によって保管された前記情報を読み取るために前記印刷エンジンに組み込まれた情報リーダと接続される、前記情報記憶要素を備える前記印刷液補充ユニットからの補充に適合された印刷エンジン内で使用されるように配置され、
前記記憶要素によって保管される前記情報は、前記リーダが、前記補充ユニットに含まれる前記印刷液による前記印刷エンジンの前記補充を制御することを可能にする
ページ幅印字ヘッドアセンブリが提供される。
【０３８６】
さらなる態様で、前記アセンブリが、印刷液補充カートリッジによる補充に適合された印刷ユニットと共に使用されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
ページ幅印字ヘッドアセンブリが提供される。
【０３８７】
さらなる態様で、前記アセンブリが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを有する印刷カートリッジ内で使用されるように配置され、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
ページ幅印字ヘッドアセンブリが提供される。
【０３８８】
第１０の態様で、本発明は、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備え、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
インクジェットプリンタ用の前記ページ幅印字ヘッドアセンブリを提供する。
【０３８９】
任意選択で、前記所定の個数のノズルが、前記本体部分の前記チャネル内で運ばれる前記インクの色に起因して選択される。
【０３９０】
任意選択で、前記導管が、前記インクが前記集積回路に進む複数の流路を提供するために前記本体部分の前記チャネルのそれぞれの長さに沿って設けられる。
【０３９１】
任意選択で、前記導管が、前記本体部分の前記チャネルのそれぞれの長さに沿って等間隔にされる。
【０３９２】
任意選択で、前記導管の前記入口が、前記本体部分に形成される前記チャネルの幅より小さいか実質的にこれと等しい幅を有する。
【０３９３】
任意選択で、前記入口が、１ｍｍ未満の最大幅を有する。
【０３９４】
任意選択で、前記導管のそれぞれの前記入口および出口が、前記インク分配部材の前記本体内に形成されるトンネルによって接続され、前記トンネルが、前記インクが前記入口から前記出口へ流れる経路を提供する。
【０３９５】
任意選択で、各集積回路が、前記インクをノズルに送るためにその表面に複数の配送チャネルを形成される。
【０３９６】
任意選択で、前記配送チャネルが、各集積回路の長さに沿って延びる。
【０３９７】
任意選択で、各集積回路の前記表面に形成される配送チャネルの個数が、前記本体部分に設けられるチャネルの個数と同等である。
【０３９８】
任意選択で、各配送チャネルが、ノズルの少なくとも１つの行と流体的に通じている。
【０３９９】
任意選択で、各導体の前記出口が、前記インクを前記所定の個数のノズルに供給するために前記配送チャネルのうちの１つに前記インクを送る。
【０４００】
任意選択で、前記導管の前記出口が、前記集積回路の前記表面に形成される前記配送チャネルの幅より小さいか実質的にこれと等しい幅を有する。
【０４０１】
任意選択で、前記出口が、８０μ未満の最大幅を有する。
【０４０２】
任意選択で、前記配送チャネルが、その長さに沿って複数の壁を設けられ、前記壁が、前記配送チャネルを複数のセクションに分割する。
【０４０３】
任意選択で、各出口が、前記配送チャネルの少なくとも１つのセクションにインクを供給する。
【０４０４】
任意選択で、各出口が、前記配送チャネルの２つのセクションにインクを供給する。
【０４０５】
任意選択で、前記インク配送部材が、ｐｈｏｔｏ−ｓｔｒｕｃｔｕｒａｂｌｅガラスセラミック材料から作られる。
【０４０６】
任意選択で、前記材料が、ｆｏｒｔｕｒａｎガラスである。
【０４０７】
任意選択で、各集積回路が、接着剤を介して前記インク分配部材に固定される。
【０４０８】
任意選択で、前記接着剤が、前記集積回路のそれぞれに供給される。
【０４０９】
任意選択で、前記接着剤が、前記インク分配部材の表面に供給される。
【０４１０】
さらなる態様で、本発明は、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備え、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える
ページ幅印字ヘッドアセンブリを提供する。
【０４１１】
さらなる態様で、本発明は、前記印字ヘッドが、前記インクジェットプリンタの印刷エンジン内で使用されるように配置され、前記印刷エンジンが、
前記ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備え
前記クレードルが、媒体入力トレイから印刷媒体を受け取り、印刷された媒体を媒体出力トレイに送るために、前記インクジェットプリンタに固定されるように構成される
ページ幅印字ヘッドアセンブリを提供する。
【０４１２】
さらなる態様で、本発明は、前記印字ヘッドが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるカートリッジユニットと共に使用されるように配置される
ページ幅印字ヘッドアセンブリを提供する。
【０４１３】
さらなる態様で、本発明は、前記印字ヘッドが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるカートリッジユニットと共に使用されるように配置される
ページ幅印字ヘッドアセンブリを提供する。
【０４１４】
さらなる態様で、本発明は、前記印字ヘッドが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備えるカートリッジユニットと共に使用されるように配置される
ページ幅印字ヘッドアセンブリを提供する。
【０４１５】
さらなる態様で、本発明は、前記印字ヘッドが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるカートリッジユニットと共に使用されるように配置され、
前記インク貯蔵コンパートメントが、前記印字ヘッドアセンブリの前記ノズルへの供給のために毛細管現象の下でその中に前記インクを貯蔵する吸収材料を備える
ページ幅印字ヘッドアセンブリを提供する。
【０４１６】
さらなる態様で、本発明は、前記集積回路が、前記インク分配部材の長さにまたがって接触する配置で位置合せされる、ページ幅印字ヘッドアセンブリを提供する。
【０４１７】
さらなる態様で、本発明は、前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される、ページ幅印字ヘッドアセンブリを提供する。
【０４１８】
さらなる態様で、本発明は、前記１つまたは複数の集積回路のそれぞれと電気的に通じる電気コネクタが、前記インクジェットプリンタの対応する電気コネクタとの嵌合のために前記印字ヘッドアセンブリの長さに沿って延びる、ページ幅印字ヘッドアセンブリを提供する。
【０４１９】
さらなる態様で、本発明は、前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える、ページ幅印字ヘッドアセンブリを提供する。
【０４２０】
さらなる態様で、本発明は、前記アセンブリの前記印字ヘッドが、前記印字ヘッドをキャップするキャッピングアセンブリと共に使用されるように配置され、前記キャッピングアセンブリが、
前記印字ヘッドの長さに延びるように構成された本体と、
前記本体の中に収納される、前記印字ヘッドの少なくとも一部をキャップするために前記本体に関して移動可能の、キャッピング要素と
を備え、
前記本体が、前記キャッピングアセンブリを前記印字ヘッドに取外し可能に取り付ける取付け要素を含む
ページ幅印字ヘッドアセンブリを提供する。
【０４２１】
さらなる態様で、本発明は、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と
を備え、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
ページ幅印字ヘッドアセンブリを提供する。
【０４２２】
さらなる態様で、本発明は、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備え、
前記キャッピング要素が、前記第１位置に偏らされる
ページ幅印字ヘッドアセンブリを提供する。
【０４２３】
さらなる態様で、本発明は、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備え、
前記変位アセンブリが、前記位置を決定する電磁石によって制御される
ページ幅印字ヘッドアセンブリを提供する。
【０４２４】
さらなる態様で、本発明は、前記アセンブリの前記印字ヘッドが、
取外し可能インクジェットカートリッジに対して相補的な本体と、
印刷を容易にするために前記印字ヘッドの動作を制御するコントローラと
を備えるクレードルユニットと共に使用されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
ページ幅印字ヘッドアセンブリを提供する。
【０４２５】
さらなる態様で、本発明は、前記アセンブリの前記印字ヘッドが、
取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように配置され、
前記複数の端子が、前記カートリッジが前記本体によって受けられる時に、前記カートリッジに設けられた前記対応する端子とピボット式に係合するように配置される
ページ幅印字ヘッドアセンブリを提供する。
【０４２６】
さらなる態様で、本発明は、前記アセンブリの前記印字ヘッドが、
前記印字ヘッドおよび補充可能インク供給に関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
ページ幅印字ヘッドアセンブリを提供する。
【０４２７】
さらなる態様で、本発明は、前記アセンブリの前記印字ヘッドが、
前記印字ヘッドおよび補充可能インク供給に関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、前記カートリッジに補充インクを供給する補充ユニットを受けるように構成され、前記本体が、前記補充ユニットから前記補充可能インク供給にインクを施与する補充アクチュエータを含む
ページ幅印字ヘッドアセンブリを提供する。
【０４２８】
さらなる態様で、本発明は、前記アセンブリの前記印字ヘッドが、
前記印字ヘッド、インク供給、およびキャッパアセンブリに関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
ページ幅印字ヘッドアセンブリを提供する。
【０４２９】
さらなる態様で、本発明は、前記アセンブリの前記印字ヘッドが、ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように配置され、前記クレードルユニットが、
前記カートリッジの前記インク供給を補充するためにそれを介して補充ユニットが受けられる、その中に形成された少なくとも１つのポート
を備えるカバーアセンブリと係合するように配置される
ページ幅印字ヘッドアセンブリを提供する。
【０４３０】
さらなる態様で、本発明は、前記アセンブリの前記印字ヘッドが、ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように配置され、
前記クレードルユニットが、インク補充ユニットから前記補充可能インク供給にインクを施与する補充アクチュエータを備えるカバーアセンブリと係合するように配置される
ページ幅印字ヘッドアセンブリを提供する。
【０４３１】
さらなる態様で、本発明は、前記アセンブリが、カートリッジユニット内の１つまたは複数のインク貯蔵コンパートメントと流体的に通じるように配置され、前記カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムと共に使用されるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
ページ幅印字ヘッドアセンブリを提供する。
【０４３２】
さらなる態様で、本発明は、前記アセンブリが、カートリッジユニット内の１つまたは複数のインク貯蔵コンパートメントと流体的に通じるように配置され、前記カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムと共に使用されるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
ページ幅印字ヘッドアセンブリを提供する。
【０４３３】
さらなる態様で、本発明は、前記アセンブリが、
印刷液を貯蔵し、前記印刷液がそれを介して施与される出口を有する、本体と、
前記本体から施与される前記印刷液の量を選択するように配置されたセレクタと
を備える印刷液ディスペンサと共に使用されるように配置された印刷液補充カートリッジからの補充に適合されたカートリッジユニット内で使用されるように配置される、ページ幅印字ヘッドアセンブリを提供する。
【０４３４】
さらなる態様で、本発明は、前記アセンブリが、印刷ユニット内で使用されるように配置され、前記印刷ユニットが、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液の供給によって補充されるように適合される、ページ幅印字ヘッドアセンブリを提供する。
【０４３５】
さらなる態様で、本発明は、前記アセンブリが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する印刷液補充カートリッジからの補充に適合されたカートリッジユニット内で使用されるように配置される、ページ幅印字ヘッドアセンブリを提供する。
【０４３６】
さらなる態様で、本発明は、前記アセンブリが、印刷液補充ユニットからの補充に適合された印刷エンジン内で使用されるように配置され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される
ページ幅印字ヘッドアセンブリを提供する。
【０４３７】
さらなる態様で、本発明は、前記アセンブリが、印刷液補充ユニットに含まれる印刷液の量に関する情報を保管する情報記憶要素であって、前記補充ユニットが前記印刷エンジンに取り付けられた時に前記記憶要素によって保管された前記情報を読み取るために前記印刷エンジンに組み込まれた情報リーダと接続される、前記情報記憶要素を備える前記印刷液補充ユニットからの補充に適合された印刷エンジン内で使用されるように配置され、
前記記憶要素によって保管される前記情報は、前記リーダが、前記補充ユニットに含まれる前記印刷液による前記印刷エンジンの前記補充を制御することを可能にする
ページ幅印字ヘッドアセンブリを提供する。
【０４３８】
さらなる態様で、本発明は、前記アセンブリが、印刷液補充カートリッジによる補充に適合された印刷ユニットと共に使用されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
ページ幅印字ヘッドアセンブリを提供する。
【０４３９】
さらなる態様で、本発明は、前記アセンブリが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを有する印刷カートリッジ内で使用されるように配置され、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
ページ幅印字ヘッドアセンブリを提供する。
【０４４０】
第１１の態様で、本発明は、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備え、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
インクジェットプリンタ用の前記ページ幅印字ヘッドアセンブリを提供する。
【０４４１】
任意選択で、前記第１層の第１表面が、前記本体部分に固定され、前記本体部分の前記１つまたは複数のチャネルと流体的に通じている。
【０４４２】
任意選択で、前記第１表面が、前記本体部分の前記１つまたは複数のチャネルからインクを受けるためにその長さに沿って複数のインク入口を形成される。
【０４４３】
任意選択で、前記インク入口が、第２表面に形成されたインク出口と流体的に通じるために前記第１表面から前記第１層を通って延びる。
【０４４４】
任意選択で、前記インク出口が、前記インク入口と直接に通じ、これと位置合せされている。
【０４４５】
任意選択で、前記インク出口が前記インク入口に関してオフセットするように、前記インク出口が、前記第２表面内に形成されたチャネルを介して前記インク入口と通じる。
【０４４６】
任意選択で、前記第２層が、前記第１層の前記第２表面に取り付けられる。
【０４４７】
任意選択で、前記第２層が、積層ポリマフィルムであり、前記第１層の前記第２表面に積層される。
【０４４８】
任意選択で、前記積層ポリマフィルムが、ＰＥＴまたはポリスルホンなどの熱可塑性フィルムである。
【０４４９】
任意選択で、前記積層ポリマフィルムが、熱硬化性フィルムである。
【０４５０】
任意選択で、各集積回路が、熱接合によって前記第２層に固定される。
【０４５１】
任意選択で、前記第２層が、それを通って複数の穴を形成され、前記穴が、インクが各集積回路に流れる経路を提供するために前記第１層の前記第２表面に形成された前記インク出口に対応する。
【０４５２】
任意選択で、前記第２層が、前記穴を通って流れるインクが印刷のために対応するノズルに送られるように、各集積回路を位置決めするための１つまたは複数の位置決めマークをその上に形成される。
【０４５３】
さらなる態様で、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備え、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える
ページ幅印字ヘッドアセンブリが提供される。
【０４５４】
さらなる態様で、前記印字ヘッドが、前記インクジェットプリンタの印刷エンジン内で使用されるように配置され、前記印刷エンジンが、
前記ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備え
前記クレードルが、媒体入力トレイから印刷媒体を受け取り、印刷された媒体を媒体出力トレイに送るために、前記インクジェットプリンタに固定されるように構成される
ページ幅印字ヘッドアセンブリが提供される。
【０４５５】
さらなる態様で、前記印字ヘッドが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるカートリッジユニットと共に使用されるように配置される
ページ幅印字ヘッドアセンブリが提供される。
【０４５６】
さらなる態様で、前記印字ヘッドが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるカートリッジユニットと共に使用されるように配置される
ページ幅印字ヘッドアセンブリが提供される。
【０４５７】
さらなる態様で、前記印字ヘッドが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備えるカートリッジユニットと共に使用されるように配置される
ページ幅印字ヘッドアセンブリが提供される。
【０４５８】
さらなる態様で、前記印字ヘッドが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるカートリッジユニットと共に使用されるように配置され、
前記インク貯蔵コンパートメントが、前記印字ヘッドアセンブリの前記ノズルへの供給のために毛細管現象の下でその中に前記インクを貯蔵する吸収材料を備える
ページ幅印字ヘッドアセンブリが提供される。
【０４５９】
さらなる態様で、前記集積回路が、前記インク分配部材の長さにまたがって接触する配置で位置合せされる、ページ幅印字ヘッドアセンブリが提供される。
【０４６０】
さらなる態様で、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
ページ幅印字ヘッドアセンブリが提供される。
【０４６１】
さらなる態様で、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
ページ幅印字ヘッドアセンブリが提供される。
【０４６２】
さらなる態様で、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
ページ幅印字ヘッドアセンブリが提供される。
【０４６３】
さらなる態様で、前記アセンブリの前記印字ヘッドが、前記印字ヘッドをキャップするキャッピングアセンブリと共に使用されるように配置され、前記キャッピングアセンブリが、
前記印字ヘッドの長さに延びるように構成された本体と、
前記本体の中に収納される、前記印字ヘッドの少なくとも一部をキャップするために前記本体に関して移動可能の、キャッピング要素と
を備え、
前記本体が、前記キャッピングアセンブリを前記印字ヘッドに取外し可能に取り付ける取付け要素を含む
ページ幅印字ヘッドアセンブリが提供される。
【０４６４】
さらなる態様で、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と
を備え、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
ページ幅印字ヘッドアセンブリが提供される。
【０４６５】
さらなる態様で、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備え、
前記キャッピング要素が、前記第１位置に偏らされる
ページ幅印字ヘッドアセンブリが提供される。
【０４６６】
さらなる態様で、前記印字ヘッドが、前記ページ幅印字ヘッドアセンブリの前記ページ幅印字ヘッドをキャップするキャッピングアセンブリと共に使用されるように配置され、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備え、
前記変位アセンブリが、前記位置を決定する電磁石によって制御される
ページ幅印字ヘッドアセンブリが提供される。
【０４６７】
さらなる態様で、前記アセンブリの前記印字ヘッドが、
取外し可能インクジェットカートリッジに対して相補的な本体と、
印刷を容易にするために前記印字ヘッドの動作を制御するコントローラと
を備えるクレードルユニットと共に使用されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
ページ幅印字ヘッドアセンブリが提供される。
【０４６８】
さらなる態様で、前記アセンブリの前記印字ヘッドが、
取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように配置され、
前記複数の端子が、前記カートリッジが前記本体によって受けられる時に、前記カートリッジに設けられた前記対応する端子とピボット式に係合するように配置される
ページ幅印字ヘッドアセンブリが提供される。
【０４６９】
さらなる態様で、前記アセンブリの前記印字ヘッドが、
前記印字ヘッドおよび補充可能インク供給に関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
ページ幅印字ヘッドアセンブリが提供される。
【０４７０】
さらなる態様で、前記アセンブリの前記印字ヘッドが、
前記印字ヘッドおよび補充可能インク供給に関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、前記カートリッジに補充インクを供給する補充ユニットを受けるように構成され、前記本体が、前記補充ユニットから前記補充可能インク供給にインクを施与する補充アクチュエータを含む
ページ幅印字ヘッドアセンブリが提供される。
【０４７１】
さらなる態様で、前記アセンブリの前記印字ヘッドが、
前記印字ヘッド、インク供給、およびキャッパアセンブリに関連する取外し可能インクジェットカートリッジに対して相補的な本体と、
印刷を容易にするために前記印字ヘッドの動作を制御するコントローラと
を備えるクレードルユニットと共に使用されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
ページ幅印字ヘッドアセンブリが提供される。
【０４７２】
さらなる態様で、前記アセンブリの前記印字ヘッドが、ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように配置され、前記クレードルユニットが、
前記カートリッジの前記インク供給を補充するためにそれを介して補充ユニットが受けられる、その中に形成された少なくとも１つのポート
を備えるカバーアセンブリと係合するように配置される
ページ幅印字ヘッドアセンブリが提供される。
【０４７３】
さらなる態様で、前記アセンブリの前記印字ヘッドが、ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように配置され、
前記クレードルユニットが、インク補充ユニットから前記補充可能インク供給にインクを施与する補充アクチュエータを備えるカバーアセンブリと係合するように配置される
ページ幅印字ヘッドアセンブリが提供される。
【０４７４】
さらなる態様で、前記アセンブリが、カートリッジユニット内の１つまたは複数のインク貯蔵コンパートメントと流体的に通じるように配置され、前記カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムと共に使用されるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
ページ幅印字ヘッドアセンブリが提供される。
【０４７５】
さらなる態様で、前記アセンブリが、カートリッジユニット内の１つまたは複数のインク貯蔵コンパートメントと流体的に通じるように配置され、前記カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムと共に使用されるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
ページ幅印字ヘッドアセンブリが提供される。
【０４７６】
さらなる態様で、前記アセンブリが、
印刷液を貯蔵し、前記印刷液がそれを介して施与される出口を有する、本体と、
前記本体から施与される前記印刷液の量を選択するように配置されたセレクタと
を備える印刷液ディスペンサと共に使用されるように配置された印刷液補充カートリッジからの補充に適合されたカートリッジユニット内で使用されるように配置される、ページ幅印字ヘッドアセンブリが提供される。
【０４７７】
さらなる態様で、前記アセンブリが、印刷ユニット内で使用されるように配置され、前記印刷ユニットが、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液の供給によって補充されるように適合される、ページ幅印字ヘッドアセンブリが提供される。
【０４７８】
さらなる態様で、前記アセンブリが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する印刷液補充カートリッジからの補充に適合されたカートリッジユニット内で使用されるように配置される、ページ幅印字ヘッドアセンブリが提供される。
【０４７９】
さらなる態様で、前記アセンブリが、印刷液補充ユニットからの補充に適合された印刷エンジン内で使用されるように配置され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される
ページ幅印字ヘッドアセンブリが提供される。
【０４８０】
さらなる態様で、前記アセンブリが、印刷液補充ユニットに含まれる印刷液の量に関する情報を保管する情報記憶要素であって、前記補充ユニットが前記印刷エンジンに取り付けられた時に前記記憶要素によって保管された前記情報を読み取るために前記印刷エンジンに組み込まれた情報リーダと接続される、前記情報記憶要素を備える前記印刷液補充ユニットからの補充に適合された印刷エンジン内で使用されるように配置され、
前記記憶要素によって保管される前記情報は、前記リーダが、前記補充ユニットに含まれる前記印刷液による前記印刷エンジンの前記補充を制御することを可能にする
ページ幅印字ヘッドアセンブリが提供される。
【０４８１】
さらなる態様で、前記アセンブリが、印刷液補充カートリッジによる補充に適合された印刷ユニットと共に使用されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
ページ幅印字ヘッドアセンブリが提供される。
【０４８２】
さらなる態様で、前記アセンブリが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを有する印刷カートリッジ内で使用されるように配置され、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
ページ幅印字ヘッドアセンブリが提供される。
【０４８３】
第１２の態様で、本発明は、インクジェットプリンタのページ幅印字ヘッドをキャップするキャッピングアセンブリであって、
前記印字ヘッドの長さに延びるように構成された本体と、
前記本体の中に収納される、前記印字ヘッドの少なくとも一部をキャップするために前記本体に関して移動可能の、キャッピング要素と
を備え、
前記本体が、前記キャッピングアセンブリを前記印字ヘッドに取外し可能に取り付ける取付け要素を含む
前記キャッピングアセンブリを提供する。
【０４８４】
任意選択で、前記印字ヘッドが、カートリッジユニットに設けられ、前記取付け要素が、前記キャッピングアセンブリを前記カートリッジユニットに取外し可能に取り付ける。
【０４８５】
任意選択で、前記取付け要素が、前記キャッピングアセンブリを前記カートリッジユニットに取外し可能に固定するために前記カートリッジユニットと係合する、前記本体から突き出した１つまたは複数のクリップを備える。
【０４８６】
任意選択で、前記キャッピングアセンブリが、前記印字ヘッドと前記本体の間にギャップがもたらされるように取り付けられ、前記ギャップが、前記印字ヘッドによる印刷のために印刷媒体がその間を通ることを可能にするのに十分である。
【０４８７】
任意選択で、前記本体の前記印字ヘッドと反対の表面が、媒体ガイドとして働き、前記印刷媒体が印刷のために前記印字ヘッドを通る時に前記印刷媒体を支持する。
【０４８８】
任意選択で、前記表面が、前記本体の長さに延びるスロットをその中に形成される。
【０４８９】
任意選択で、前記キャッピング要素が、前記印字ヘッドの印刷表面をキャップするために、前記スロットを通って前記ギャップにまたがって突き出すために移動可能である。
【０４９０】
任意選択で、前記印刷表面が、複数のノズルを備え、前記ノズルのそれぞれが、使用中に前記通る印刷媒体にインクを送るように配置される。
【０４９１】
任意選択で、前記キャッピング要素が、前記印字ヘッドの前記印刷表面に接触し、前記キャッピング要素の内部空間の中に前記ノズルを密閉する、開いたリム部分を有する。
【０４９２】
任意選択で、前記キャッピング要素の前記内部空間が、前記ノズルによって吐出されたインクを受ける吸収材料を備える。
【０４９３】
任意選択で、前記キャッピング要素が、印刷を行うことを可能にするために前記印字ヘッドのキャップを外すために前記本体に引っ込むために移動可能である。
【０４９４】
さらなる態様で、本発明は、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備え、
前記印刷エンジンが、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備える
キャッピングアセンブリを提供する。
【０４９５】
さらなる態様で、本発明は、前記印字ヘッドが、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルであって、媒体入力トレイから印刷媒体を受け取り、印刷された媒体を媒体出力トレイに送るために、前記インクジェットプリンタに固定されるように構成される前記クレードルと
を備える印刷エンジン内で使用されるように配置される
キャッピングアセンブリを提供する。
【０４９６】
さらなる態様で、本発明は、前記印字ヘッドが、
１つまたは複数のインク貯蔵コンパートメントを有する本体部分
を備えるインクジェットプリンタ用のカートリッジユニット内で使用されるように配置され、
前記ページ幅印字ヘッドが、前記本体に取り付け可能であり、前記１つまたは複数のコンパートメントからインクを受け取り、前記印字ヘッドアセンブリの長さに沿って前記インクを分配するように構成される
キャッピングアセンブリを提供する。
【０４９７】
さらなる態様で、本発明は、前記印字ヘッドが、
１つまたは複数のインク貯蔵コンパートメントを有する本体部分と、
前記印字ヘッドアセンブリの長さに沿って延びるように前記本体部分に取り付け可能なキャッパユニットであって、前記印字ヘッドの表面と接触するために前記キャッパユニットに関して移動可能なキャッピング要素を収納する、前記キャッパユニットと
を備えるカートリッジユニット内で使用されるように配置される
キャッピングアセンブリを提供する。
【０４９８】
さらなる態様で、本発明は、前記印字ヘッドが、カートリッジユニット内で使用されるように配置され、前記ページ幅印字ヘッドアセンブリが、前記１つまたは複数のインク貯蔵コンパートメントからインクを受け取るように構成され、前記ページ幅印字ヘッドアセンブリが、使用中に通る印刷媒体に前記インクを送るように配置された複数のノズルを有し、前記カートリッジユニットが、さらに、
１つまたは複数のインク貯蔵コンパートメントを収納する本体部分と、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備える
キャッピングアセンブリを提供する。
【０４９９】
さらなる態様で、本発明は、前記印字ヘッドが、カートリッジユニット内で使用されるように配置され、前記ページ幅印字ヘッドアセンブリが、インク貯蔵コンパートメントからインクを受け取るように構成され、使用中に通る印刷媒体に前記インクを送るように配置された複数のノズルに前記インクを分配するように構成され、前記カートリッジユニットが、さらに、
複数のインク貯蔵コンパートメントを有する本体部分
を備え、前記インク貯蔵コンパートメントが、前記印字ヘッドアセンブリの前記ノズルへの供給のために毛細管現象の下でその中に前記インクを貯蔵する吸収材料を備える
キャッピングアセンブリを提供する。
【０５００】
さらなる態様で、本発明は、前記ページ幅印字ヘッドが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材であって、前記集積回路が、前記インク分配部材の長さにまたがって接触する配置で位置合せされる、前記インク分配部材と
を備える前記ページ幅印字ヘッドアセンブリである
キャッピングアセンブリを提供する。
【０５０１】
さらなる態様で、本発明は、前記ページ幅印字ヘッドが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリであり、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
キャッピングアセンブリを提供する。
【０５０２】
さらなる態様で、本発明は、前記ページ幅印字ヘッドが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリであり、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
キャッピングアセンブリを提供する。
【０５０３】
さらなる態様で、本発明は、前記ページ幅印字ヘッドが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリであり、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
キャッピングアセンブリを提供する。
【０５０４】
さらなる態様で、本発明は、前記ページ幅印字ヘッドが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリであり、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
キャッピングアセンブリを提供する。
【０５０５】
さらなる態様で、本発明は、前記キャッピング要素が、前記印字ヘッドの少なくとも一部をキャップするように適合されたリム部分を有し、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
キャッピングアセンブリを提供する。
【０５０６】
さらなる態様で、本発明は、前記キャッピング要素が、前記本体の中に収納され、前記本体に関して第１位置と第２位置との間で移動可能であり、前記第１位置が、前記キャッピング要素の一部が前記本体から延びる位置であり、前記第２位置が、前記キャッピング要素が前記本体の中に含まれる位置であり、前記キャッピング要素が、前記第１位置に偏らされる、キャッピングアセンブリを提供する。
【０５０７】
さらなる態様で、本発明は、前記キャッピング要素が、前記本体の中に収納され、前記キャッピング要素が、前記印字ヘッドの少なくとも一部をキャップするように適合されたリム部分を有し、前記キャッピングアセンブリが、さらに、前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリを備え、
前記変位アセンブリが、前記位置を決定する電磁石によって制御される
キャッピングアセンブリを提供する。
【０５０８】
さらなる態様で、本発明は、前記ページ幅印字ヘッドが、
取外し可能インクジェットカートリッジに対して相補的な本体と、
印刷を容易にするために前記印字ヘッドの動作を制御するコントローラと
を備えるクレードルユニットによって制御されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
キャッピングアセンブリを提供する。
【０５０９】
さらなる態様で、本発明は、前記ページ幅印字ヘッドが、
取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットによって制御されるように配置され、
前記複数の端子が、前記カートリッジが前記本体によって受けられる時に、前記カートリッジに設けられた前記対応する端子とピボット式に係合するように配置される
キャッピングアセンブリを提供する。
【０５１０】
さらなる態様で、本発明は、前記ページ幅印字ヘッドが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットによって制御されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
キャッピングアセンブリを提供する。
【０５１１】
さらなる態様で、本発明は、前記ページ幅印字ヘッドが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットによって制御されるように配置され、
前記本体が、前記カートリッジに補充インクを供給する補充ユニットを受けるように構成され、前記本体が、前記補充ユニットから前記補充可能インク供給にインクを施与する補充アクチュエータを含む
キャッピングアセンブリを提供する。
【０５１２】
さらなる態様で、本発明は、前記ページ幅印字ヘッドが、
ページ幅印字ヘッド、インク供給、およびキャッパアセンブリを有するタイプの取外し可能インクジェットカートリッジに対して相補的な本体と、
印刷を容易にするために前記印字ヘッドの動作を制御するコントローラと
を備えるクレードルユニットによって制御されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
キャッピングアセンブリを提供する。
【０５１３】
さらなる態様で、本発明は、前記ページ幅印字ヘッドが、前記ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように適合され、前記クレードルが、前記カートリッジの前記インク供給を補充するためにそれを介して補充ユニットが受けられる、その中に形成された少なくとも１つのポートを備えるカバーアセンブリと係合可能である、キャッピングアセンブリを提供する。
【０５１４】
さらなる態様で、本発明は、前記ページ幅印字ヘッドが、前記ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように適合され、
前記クレードルが、インク補充ユニットから前記補充可能インク供給にインクを施与する補充アクチュエータを備えるカバーアセンブリと係合可能である
キャッピングアセンブリを提供する。
【０５１５】
さらなる態様で、本発明は、前記ページ幅印字ヘッドが、１つまたは複数のインク貯蔵コンパートメントと流体的に通じた前記ページ幅印字ヘッドを有するタイプのカートリッジユニット用のインクプライミングシステムと共に使用されるように適合され、前記プライミングシステムが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
キャッピングアセンブリを提供する。
【０５１６】
さらなる態様で、本発明は、前記ページ幅印字ヘッドが、１つまたは複数のインク貯蔵コンパートメントと流体的に通じたページ幅印字ヘッドアセンブリを有するタイプのカートリッジユニットと共に使用されるように適合され、前記カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように構成され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
キャッピングアセンブリを提供する。
【０５１７】
さらなる態様で、本発明は、前記ページ幅印字ヘッドが、
印刷液を貯蔵し、前記印刷液がそれを介して施与される出口を有する、本体と、
前記本体から施与される前記印刷液の量を選択するように配置されたセレクタと
を備える印刷液ディスペンサを使用する印刷液補充カートリッジによって補充されるように配置されたインクジェットカートリッジ内で使用されるように配置される、キャッピングアセンブリを提供する。
【０５１８】
さらなる態様で、本発明は、前記ページ幅印字ヘッドが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液の供給によって補充されるように適合された前記印刷ユニット内に配置される、キャッピングアセンブリを提供する。
【０５１９】
さらなる態様で、本発明は、前記ページ幅印字ヘッドが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリによる印刷液補充カートリッジからの印刷液の供給によって補充されるように適合された印刷ユニット内で使用されるように配置される、キャッピングアセンブリを提供する。
【０５２０】
さらなる態様で、本発明は、前記ページ幅印字ヘッドが、液補充カートリッジからの印刷液の供給によって補充されるように適合された印刷エンジン内で使用されるように配置され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備える制御システムによって制御される、キャッピングアセンブリを提供する。
【０５２１】
さらなる態様で、本発明は、前記ページ幅印字ヘッドが、印刷液補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える前記印刷液補充ユニットからの印刷液の供給によって補充されるように適合された前記印刷エンジン内で使用されるように配置され、
前記記憶要素によって保管される前記情報は、前記リーダが、前記補充ユニットに含まれる前記印刷液による前記印刷エンジンの前記補充を制御することを可能にする
キャッピングアセンブリを提供する。
【０５２２】
さらなる態様で、本発明は、前記ページ幅印字ヘッドが、液補充カートリッジからの印刷液の供給によって補充されるように適合された印刷ユニット内で使用されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
キャッピングアセンブリを提供する。
【０５２３】
さらなる態様で、本発明は、前記ページ幅印字ヘッドが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを有するインクジェットカートリッジと共に使用されるように配置され、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
キャッピングアセンブリを提供する。
【０５２４】
第１３の態様で、本発明は、
インクジェットプリンタのページ幅印字ヘッドの長さに延びるように構成された本体と、
前記本体の中に収納され、前記印字ヘッドの少なくとも一部をキャップするように適合されたリム部分を有する、キャッピング要素と
を備え、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
前記インクジェットプリンタの前記ページ幅印字ヘッドをキャップするキャッピングアセンブリを提供する。
【０５２５】
任意選択で、前記キャッピング要素が前記第１位置にある時に、前記リム部分が、前記印字ヘッドの印刷表面とキャッピング接触する。
【０５２６】
任意選択で、前記印刷表面が、複数のノズルを備え、前記ノズルのそれぞれが、使用中に通る印刷媒体にインクを送るように配置される。
【０５２７】
任意選択で、前記第１位置にある時に、前記リム部分が、前記印刷表面と接触し、前記ノズルを前記キャッピング要素の内部空間内に密閉し、これによって乾いた空気への前記ノズル内の前記インクの露出を最小にする。
【０５２８】
任意選択で、前記キャッピング要素の前記内部空間が、前記キャッピング要素が前記第１位置にある時に前記ノズルによって吐出されたインクを受ける吸収材料を備える。
【０５２９】
任意選択で、前記本体が、前記キャッピングアセンブリを前記印字ヘッドに取外し可能に取り付ける取付け要素を含む。
【０５３０】
任意選択で、前記キャッピングアセンブリが、前記印字ヘッドと前記本体の間にギャップがもたらされるように取り付けられ、前記ギャップが、前記印字ヘッドによる印刷のために印刷媒体がその間を通ることを可能にするのに十分である。
【０５３１】
任意選択で、前記本体の前記印字ヘッドと反対の表面が、スロットをその中に形成される。
【０５３２】
任意選択で、前記リム部分が、前記キャッピング要素が前記第１位置にある時に、前記印字ヘッドの少なくとも一部とキャッピング接触状態になるために、前記スロットを通って前記ギャップにまたがって突き出す。
【０５３３】
任意選択で、前記キャッピング要素が前記第２位置にある時に、前記リム部分が、前記ギャップに突き出さず、媒体が印刷のためにそこを通ることを可能にするように前記スロットに引っ込む。
【０５３４】
任意選択で、ばね要素が、前記本体内に設けられ、前記キャッピング要素が、前記ばね要素に支持される。
【０５３５】
任意選択で、前記ばね要素が、実質的に前記本体の長さに延びる柔軟な部材である。
【０５３６】
任意選択で、前記柔軟な部材が、前記本体と一体に形成される。
【０５３７】
任意選択で、前記本体が、金属から作られ、前記柔軟な部材が、前記本体からプレス加工される。
【０５３８】
任意選択で、前記柔軟な部材が、金属インサートである。
【０５３９】
任意選択で、前記ばね要素が、前記キャッピング要素を前記第１位置に偏らせる。
【０５４０】
任意選択で、前記第１位置から前記第２位置に移動する際に、前記キャッピング要素が、前記ばね要素に反して作用する。
【０５４１】
任意選択で、前記キャッピング要素の少なくとも一部が、磁気材料を含み、前記第１位置から前記第２位置への移動が、前記キャッピング要素と外部磁気供給源との間の磁力に起因する。
【０５４２】
任意選択で、前記外部磁気供給源が、前記インクジェットプリンタに取り付けられた電磁石である。
【０５４３】
任意選択で、前記電磁石のアクティブ化が、前記キャッピング要素に前記第１位置と前記第２位置との間で移動させる。
【０５４４】
任意選択で、前記電磁石のアクティブ化が、前記インクジェットプリンタの制御システムによって制御される。
【０５４５】
さらなる態様で、本発明は、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備え、
前記印刷エンジンが、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備える
キャッピングアセンブリを提供する。
【０５４６】
さらなる態様で、本発明は、前記印字ヘッドが、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルであって、媒体入力トレイから印刷媒体を受け取り、印刷された媒体を媒体出力トレイに送るために、前記インクジェットプリンタに固定されるように構成される前記クレードルと
を備える印刷エンジン内で使用されるように配置される
キャッピングアセンブリを提供する。
【０５４７】
さらなる態様で、本発明は、前記印字ヘッドが、
１つまたは複数のインク貯蔵コンパートメントを有する本体部分
を備えるインクジェットプリンタ用のカートリッジユニット内で使用されるように配置され、
前記ページ幅印字ヘッドが、前記本体に取り付け可能であり、前記１つまたは複数のコンパートメントからインクを受け取り、前記印字ヘッドアセンブリの長さに沿って前記インクを分配するように構成される
キャッピングアセンブリを提供する。
【０５４８】
さらなる態様で、本発明は、前記印字ヘッドが、
１つまたは複数のインク貯蔵コンパートメントを有する本体部分と、
前記印字ヘッドアセンブリの長さに沿って延びるように前記本体部分に取り付け可能なキャッパユニットであって、前記印字ヘッドの表面と接触するために前記キャッパユニットに関して移動可能なキャッピング要素を収納する、前記キャッパユニットと
を備えるカートリッジユニット内で使用されるように配置される
キャッピングアセンブリを提供する。
【０５４９】
さらなる態様で、本発明は、前記印字ヘッドが、カートリッジユニット内で使用されるように配置され、前記ページ幅印字ヘッドアセンブリが、前記１つまたは複数のインク貯蔵コンパートメントからインクを受け取るように構成され、前記ページ幅印字ヘッドアセンブリが、使用中に通る印刷媒体に前記インクを送るように配置された複数のノズルを有し、前記カートリッジユニットが、さらに、
１つまたは複数のインク貯蔵コンパートメントを収納する本体部分と、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備える
キャッピングアセンブリを提供する。
【０５５０】
さらなる態様で、本発明は、前記印字ヘッドが、カートリッジユニット内で使用されるように配置され、前記ページ幅印字ヘッドアセンブリが、インク貯蔵コンパートメントからインクを受け取るように構成され、使用中に通る印刷媒体に前記インクを送るように配置された複数のノズルに前記インクを分配するように構成され、前記カートリッジユニットが、さらに、
複数のインク貯蔵コンパートメントを有する本体部分
を備え、前記インク貯蔵コンパートメントが、前記印字ヘッドアセンブリの前記ノズルへの供給のために毛細管現象の下でその中に前記インクを貯蔵する吸収材料を備える
キャッピングアセンブリを提供する。
【０５５１】
さらなる態様で、本発明は、前記ページ幅印字ヘッドが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材であって、前記集積回路が、前記インク分配部材の長さにまたがって接触する配置で位置合せされる、前記インク分配部材と
を備える前記ページ幅印字ヘッドアセンブリである
キャッピングアセンブリを提供する。
【０５５２】
さらなる態様で、本発明は、前記ページ幅印字ヘッドが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリであり、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
キャッピングアセンブリを提供する。
【０５５３】
さらなる態様で、本発明は、前記ページ幅印字ヘッドが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリであり、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
キャッピングアセンブリを提供する。
【０５５４】
さらなる態様で、本発明は、前記ページ幅印字ヘッドが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリであり、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
キャッピングアセンブリを提供する。
【０５５５】
さらなる態様で、本発明は、前記ページ幅印字ヘッドが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリであり、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
キャッピングアセンブリを提供する。
【０５５６】
さらなる態様で、本発明は、前記キャッピング要素が、前記本体の中に収納され、前記印字ヘッドの少なくとも一部をキャップするために前記本体に関して移動可能であり、
前記本体が、前記キャッピングアセンブリを前記印字ヘッドに取外し可能に取り付ける取付け要素を含む
キャッピングアセンブリを提供する。
【０５５７】
さらなる態様で、本発明は、前記キャッピング要素が、前記本体の中に収納され、前記本体に関して第１位置と第２位置との間で移動可能であり、前記第１位置が、前記キャッピング要素の一部が前記本体から延びる位置であり、前記第２位置が、前記キャッピング要素が前記本体の中に含まれる位置であり、前記キャッピング要素が、前記第１位置に偏らされる、キャッピングアセンブリを提供する。
【０５５８】
さらなる態様で、本発明は、前記キャッピング要素が、前記本体の中に収納され、前記キャッピング要素が、前記印字ヘッドの少なくとも一部をキャップするように適合されたリム部分を有し、前記キャッピングアセンブリが、さらに、前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリを備え、
前記変位アセンブリが、前記位置を決定する電磁石によって制御される
キャッピングアセンブリを提供する。
【０５５９】
さらなる態様で、本発明は、前記ページ幅印字ヘッドが、
取外し可能インクジェットカートリッジに対して相補的な本体と、
印刷を容易にするために前記印字ヘッドの動作を制御するコントローラと
を備えるクレードルユニットによって制御されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
キャッピングアセンブリを提供する。
【０５６０】
さらなる態様で、本発明は、前記ページ幅印字ヘッドが、
取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットによって制御されるように配置され、
前記複数の端子が、前記カートリッジが前記本体によって受けられる時に、前記カートリッジに設けられた前記対応する端子とピボット式に係合するように配置される
キャッピングアセンブリを提供する。
【０５６１】
さらなる態様で、本発明は、前記ページ幅印字ヘッドが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットによって制御されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
キャッピングアセンブリを提供する。
【０５６２】
さらなる態様で、本発明は、前記ページ幅印字ヘッドが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットによって制御されるように配置され、
前記本体が、前記カートリッジに補充インクを供給する補充ユニットを受けるように構成され、前記本体が、前記補充ユニットから前記補充可能インク供給にインクを施与する補充アクチュエータを含む
キャッピングアセンブリを提供する。
【０５６３】
さらなる態様で、本発明は、前記ページ幅印字ヘッドが、
ページ幅印字ヘッド、インク供給、およびキャッパアセンブリを有するタイプの取外し可能インクジェットカートリッジに対して相補的な本体と、
印刷を容易にするために前記印字ヘッドの動作を制御するコントローラと
を備えるクレードルユニットによって制御されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
キャッピングアセンブリを提供する。
【０５６４】
さらなる態様で、本発明は、前記ページ幅印字ヘッドが、前記ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように適合され、前記クレードルが、前記カートリッジの前記インク供給を補充するためにそれを介して補充ユニットが受けられる、その中に形成された少なくとも１つのポートを備えるカバーアセンブリと係合可能である、キャッピングアセンブリを提供する。
【０５６５】
さらなる態様で、本発明は、前記ページ幅印字ヘッドが、前記ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように適合され、
前記クレードルが、インク補充ユニットから前記補充可能インク供給にインクを施与する補充アクチュエータを備えるカバーアセンブリと係合可能である
キャッピングアセンブリを提供する。
【０５６６】
さらなる態様で、本発明は、前記ページ幅印字ヘッドが、１つまたは複数のインク貯蔵コンパートメントと流体的に通じた前記ページ幅印字ヘッドを有するタイプのカートリッジユニット用のインクプライミングシステムと共に使用されるように適合され、前記プライミングシステムが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
キャッピングアセンブリを提供する。
【０５６７】
さらなる態様で、本発明は、前記ページ幅印字ヘッドが、１つまたは複数のインク貯蔵コンパートメントと流体的に通じたページ幅印字ヘッドアセンブリを有するタイプのカートリッジユニットと共に使用されるように適合され、前記カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように構成され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
キャッピングアセンブリを提供する。
【０５６８】
さらなる態様で、本発明は、前記ページ幅印字ヘッドが、
印刷液を貯蔵し、前記印刷液がそれを介して施与される出口を有する、本体と、
前記本体から施与される前記印刷液の量を選択するように配置されたセレクタと
を備える印刷液ディスペンサを使用する印刷液補充カートリッジによって補充されるように配置されたインクジェットカートリッジ内で使用されるように配置される、キャッピングアセンブリを提供する。
【０５６９】
さらなる態様で、本発明は、前記ページ幅印字ヘッドが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液の供給によって補充されるように適合された前記印刷ユニット内に配置される、キャッピングアセンブリを提供する。
【０５７０】
さらなる態様で、本発明は、前記ページ幅印字ヘッドが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリによる印刷液補充カートリッジからの印刷液の供給によって補充されるように適合された印刷ユニット内で使用されるように配置される、キャッピングアセンブリを提供する。
【０５７１】
さらなる態様で、本発明は、前記ページ幅印字ヘッドが、液補充カートリッジからの印刷液の供給によって補充されるように適合された印刷エンジン内で使用されるように配置され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備える制御システムによって制御される、キャッピングアセンブリを提供する。
【０５７２】
さらなる態様で、本発明は、前記ページ幅印字ヘッドが、印刷液補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える前記印刷液補充ユニットからの印刷液の供給によって補充されるように適合された前記印刷エンジン内で使用されるように配置され、
前記記憶要素によって保管される前記情報は、前記リーダが、前記補充ユニットに含まれる前記印刷液による前記印刷エンジンの前記補充を制御することを可能にする
キャッピングアセンブリを提供する。
【０５７３】
さらなる態様で、本発明は、前記ページ幅印字ヘッドが、液補充カートリッジからの印刷液の供給によって補充されるように適合された印刷ユニット内で使用されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
キャッピングアセンブリを提供する。
【０５７４】
さらなる態様で、本発明は、前記ページ幅印字ヘッドが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを有するインクジェットカートリッジと共に使用されるように配置され、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
キャッピングアセンブリを提供する。
【０５７５】
第１４の態様で、本発明は、
インクジェットプリンタのページ幅印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備え、
前記キャッピング要素が、前記第１位置に偏らされる
前記インクジェットプリンタの前記ページ幅印字ヘッドをキャップするキャッピングアセンブリを提供する。
【０５７６】
任意選択で、前記本体が、前記印字ヘッドと前記本体の間にギャップがもたらされるように前記印字ヘッドに取り付けられ、前記ギャップが、前記印字ヘッドによる印刷のために印刷媒体がその間を通ることを可能にするのに十分である。
【０５７７】
任意選択で、前記キャッピング要素が前記第１位置にある時に、前記キャッピング要素の前記本体から延びる部分が、前記印字ヘッドの少なくとも一部をキャップするために前記ギャップをまたぐ。
【０５７８】
任意選択で、前記キャッピング要素の前記本体から延びる前記部分が、前記印字ヘッドの印刷表面をキャップするリム部分である。
【０５７９】
任意選択で、前記本体の前記印字ヘッドと反対の表面が、スロットをその中に形成され、前記スロットを通って前記リム部分が延びる。
【０５８０】
任意選択で、前記本体が、ばね要素を含み、前記ばね要素が、前記キャッピング要素を前記第１位置に偏らせる。
【０５８１】
任意選択で、前記ばね要素が、実質的に前記本体の長さに延び、前記キャッピング要素が、前記ばね要素に支持される。
【０５８２】
任意選択で、前記ばね要素が、１つまたは複数の柔軟な金属板である。
【０５８３】
任意選択で、前記柔軟な板が、前記本体からプレス加工される。
【０５８４】
任意選択で、前記第１位置から前記第２位置に移動する際に、前記キャッピング要素が、前記ばね要素に反して移動する。
【０５８５】
任意選択で、前記キャッピング要素が前記第２位置にある時に、前記リム部分が、前記スロットを超えて前記ギャップに突き出さないように前記本体に引っ込む。
【０５８６】
任意選択で、前記キャッピング要素の少なくとも一部が、磁気材料を含み、前記第１位置から前記第２位置への移動が、前記キャッピング要素と外部磁気供給源との間の磁力に起因する。
【０５８７】
任意選択で、前記外部磁気供給源が、前記インクジェットプリンタに取り付けられた電磁石である。
【０５８８】
任意選択で、前記電磁石のアクティブ化が、前記キャッピング要素に前記第１位置と前記第２位置との間で移動させる。
【０５８９】
任意選択で、前記電磁石のアクティブ化が、前記インクジェットプリンタの制御システムによって制御される。
【０５９０】
さらなる態様で、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備え、
前記印刷エンジンが、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備える
キャッピングアセンブリが提供される。
【０５９１】
さらなる態様で、前記印字ヘッドが、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルであって、媒体入力トレイから印刷媒体を受け取り、印刷された媒体を媒体出力トレイに送るために、前記インクジェットプリンタに固定されるように構成される前記クレードルと
を備える印刷エンジン内で使用されるように配置される
キャッピングアセンブリが提供される。
【０５９２】
さらなる態様で、前記印字ヘッドが、
１つまたは複数のインク貯蔵コンパートメントを有する本体部分
を備えるインクジェットプリンタ用のカートリッジユニット内で使用されるように配置され、
前記ページ幅印字ヘッドが、前記本体に取り付け可能であり、前記１つまたは複数のコンパートメントからインクを受け取り、前記印字ヘッドアセンブリの長さに沿って前記インクを分配するように構成される
キャッピングアセンブリが提供される。
【０５９３】
さらなる態様で、前記印字ヘッドが、
１つまたは複数のインク貯蔵コンパートメントを有する本体部分と、
前記印字ヘッドアセンブリの長さに沿って延びるように前記本体部分に取り付け可能なキャッパユニットであって、前記印字ヘッドの表面と接触するために前記キャッパユニットに関して移動可能なキャッピング要素を収納する、前記キャッパユニットと
を備えるカートリッジユニット内で使用されるように配置される
キャッピングアセンブリが提供される。
【０５９４】
さらなる態様で、前記印字ヘッドが、カートリッジユニット内で使用されるように配置され、前記ページ幅印字ヘッドアセンブリが、前記１つまたは複数のインク貯蔵コンパートメントからインクを受け取るように構成され、前記ページ幅印字ヘッドアセンブリが、使用中に通る印刷媒体に前記インクを送るように配置された複数のノズルを有し、前記カートリッジユニットが、さらに、
１つまたは複数のインク貯蔵コンパートメントを収納する本体部分と、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備える
キャッピングアセンブリが提供される。
【０５９５】
さらなる態様で、前記印字ヘッドが、カートリッジユニット内で使用されるように配置され、前記ページ幅印字ヘッドアセンブリが、インク貯蔵コンパートメントからインクを受け取るように構成され、使用中に通る印刷媒体に前記インクを送るように配置された複数のノズルに前記インクを分配するように構成され、前記カートリッジユニットが、さらに、
複数のインク貯蔵コンパートメントを有する本体部分
を備え、前記インク貯蔵コンパートメントが、前記印字ヘッドアセンブリの前記ノズルへの供給のために毛細管現象の下でその中に前記インクを貯蔵する吸収材料を備える
キャッピングアセンブリが提供される。
【０５９６】
さらなる態様で、前記ページ幅印字ヘッドが、
１つまたは複数のインク供給源からインクを受け取り、前記インクを印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材であって、前記集積回路が、前記インク分配部材の長さにまたがって接触する配置で位置合せされる、前記インク分配部材と
を備える前記ページ幅印字ヘッドアセンブリである
キャッピングアセンブリが提供される。
【０５９７】
さらなる態様で、前記ページ幅印字ヘッドが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリであり、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
キャッピングアセンブリが提供される。
【０５９８】
さらなる態様で、前記ページ幅印字ヘッドが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリであり、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
キャッピングアセンブリが提供される。
【０５９９】
さらなる態様で、前記ページ幅印字ヘッドが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリであり、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
キャッピングアセンブリが提供される。
【０６００】
さらなる態様で、前記ページ幅印字ヘッドが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリであり、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
キャッピングアセンブリが提供される。
【０６０１】
さらなる態様で、前記キャッピング要素が、前記本体の中に収納され、前記印字ヘッドの少なくとも一部をキャップするために前記本体に関して移動可能であり、
前記本体が、前記キャッピングアセンブリを前記印字ヘッドに取外し可能に取り付ける取付け要素を含む
キャッピングアセンブリが提供される。
【０６０２】
さらなる態様で、前記キャッピング要素が、前記本体の中に収納され、前記キャッピング要素が、前記印字ヘッドの少なくとも一部をキャップするように適合されたリム部分を有し、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
キャッピングアセンブリが提供される。
【０６０３】
さらなる態様で、前記キャッピング要素が、前記本体の中に収納され、前記キャッピング要素が、前記印字ヘッドの少なくとも一部をキャップするように適合されたリム部分を有し、前記キャッピングアセンブリが、さらに、前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリを備え、
前記変位アセンブリが、前記位置を決定する電磁石によって制御される
キャッピングアセンブリが提供される。
【０６０４】
さらなる態様で、前記ページ幅印字ヘッドが、
取外し可能インクジェットカートリッジに対して相補的な本体と、
印刷を容易にするために前記印字ヘッドの動作を制御するコントローラと
を備えるクレードルユニットによって制御されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
キャッピングアセンブリが提供される。
【０６０５】
さらなる態様で、前記ページ幅印字ヘッドが、
取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットによって制御されるように配置され、
前記複数の端子が、前記カートリッジが前記本体によって受けられる時に、前記カートリッジに設けられた前記対応する端子とピボット式に係合するように配置される
キャッピングアセンブリが提供される。
【０６０６】
さらなる態様で、前記ページ幅印字ヘッドが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットによって制御されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
キャッピングアセンブリが提供される。
【０６０７】
さらなる態様で、前記ページ幅印字ヘッドが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットによって制御されるように配置され、
前記本体が、前記カートリッジに補充インクを供給する補充ユニットを受けるように構成され、前記本体が、前記補充ユニットから前記補充可能インク供給にインクを施与する補充アクチュエータを含む
キャッピングアセンブリが提供される。
【０６０８】
さらなる態様で、前記ページ幅印字ヘッドが、
ページ幅印字ヘッド、インク供給、およびキャッパアセンブリを有するタイプの取外し可能インクジェットカートリッジに対して相補的な本体と、
印刷を容易にするために前記印字ヘッドの動作を制御するコントローラと
を備えるクレードルユニットによって制御されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
キャッピングアセンブリが提供される。
【０６０９】
さらなる態様で、前記ページ幅印字ヘッドが、前記ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように適合され、
前記クレードルが、前記カートリッジの前記インク供給を補充するためにそれを介して補充ユニットが受けられる、その中に形成された少なくとも１つのポートを備えるカバーアセンブリと係合可能である
キャッピングアセンブリが提供される。
【０６１０】
さらなる態様で、前記ページ幅印字ヘッドが、前記ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように適合され、
前記クレードルが、インク補充ユニットから前記補充可能インク供給にインクを施与する補充アクチュエータを備えるカバーアセンブリと係合可能である
キャッピングアセンブリが提供される。
【０６１１】
さらなる態様で、前記ページ幅印字ヘッドが、１つまたは複数のインク貯蔵コンパートメントと流体的に通じた前記ページ幅印字ヘッドを有するタイプのカートリッジユニット用のインクプライミングシステムと共に使用されるように適合され、前記プライミングシステムが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
キャッピングアセンブリが提供される。
【０６１２】
さらなる態様で、前記ページ幅印字ヘッドが、１つまたは複数のインク貯蔵コンパートメントと流体的に通じたページ幅印字ヘッドアセンブリを有するタイプのカートリッジユニットと共に使用されるように適合され、前記カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように構成され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
キャッピングアセンブリが提供される。
【０６１３】
さらなる態様で、前記ページ幅印字ヘッドが、
印刷液を貯蔵し、前記印刷液がそれを介して施与される出口を有する、本体と、
前記本体から施与される前記印刷液の量を選択するように配置されたセレクタと
を備える印刷液ディスペンサを使用する印刷液補充カートリッジによって補充されるように配置されたインクジェットカートリッジ内で使用されるように配置される、キャッピングアセンブリが提供される。
【０６１４】
さらなる態様で、前記ページ幅印字ヘッドが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液の供給によって補充されるように適合された前記印刷ユニット内に配置される、キャッピングアセンブリが提供される。
【０６１５】
さらなる態様で、前記ページ幅印字ヘッドが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリによる印刷液補充カートリッジからの印刷液の供給によって補充されるように適合された印刷ユニット内で使用されるように配置される、キャッピングアセンブリが提供される。
【０６１６】
さらなる態様で、前記ページ幅印字ヘッドが、液補充カートリッジからの印刷液の供給によって補充されるように適合された印刷エンジン内で使用されるように配置され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備える制御システムによって制御される、キャッピングアセンブリが提供される。
【０６１７】
さらなる態様で、前記ページ幅印字ヘッドが、印刷液補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える前記印刷液補充ユニットからの印刷液の供給によって補充されるように適合された前記印刷エンジン内で使用されるように配置され、
前記記憶要素によって保管される前記情報は、前記リーダが、前記補充ユニットに含まれる前記印刷液による前記印刷エンジンの前記補充を制御することを可能にする
キャッピングアセンブリが提供される。
【０６１８】
さらなる態様で、前記ページ幅印字ヘッドが、液補充カートリッジからの印刷液の供給によって補充されるように適合された印刷ユニット内で使用されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
キャッピングアセンブリが提供される。
【０６１９】
さらなる態様で、前記ページ幅印字ヘッドが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを有するインクジェットカートリッジと共に使用されるように配置され、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
キャッピングアセンブリが提供される。
【０６２０】
第１５の態様で、本発明は、
インクジェットプリンタのページ幅印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備え、
前記変位アセンブリが、前記位置を決定する電磁石によって制御される
前記インクジェットプリンタの前記ページ幅印字ヘッドをキャップするキャッピングアセンブリを提供する。
【０６２１】
任意選択で、前記所定の個数のノズルが、前記本体部分の前記チャネル内で運ばれる前記インクの色に起因して選択される。
【０６２２】
任意選択で、前記導管が、前記インクが前記集積回路に進む複数の流路を提供するために前記本体部分の前記チャネルのそれぞれの長さに沿って設けられる。
【０６２３】
任意選択で、前記導管が、前記本体部分の前記チャネルのそれぞれの長さに沿って等間隔にされる。
【０６２４】
任意選択で、前記導管の前記入口が、前記本体部分に形成される前記チャネルの幅より小さいか実質的にこれと等しい幅を有する。
【０６２５】
任意選択で、前記入口が、１ｍｍ未満の最大幅を有する。
【０６２６】
任意選択で、前記導管のそれぞれの前記入口および出口が、前記インク分配部材の前記本体内に形成されるトンネルによって接続され、前記トンネルが、前記インクが前記入口から前記出口へ流れる経路を提供する。
【０６２７】
任意選択で、各集積回路が、前記インクをノズルに送るためにその表面に複数の配送チャネルを形成される。
【０６２８】
任意選択で、前記配送チャネルが、各集積回路の長さに沿って延びる。
【０６２９】
任意選択で、各集積回路の前記表面に形成される配送チャネルの個数が、前記本体部分に設けられるチャネルの個数と同等である。
【０６３０】
任意選択で、各配送チャネルが、ノズルの少なくとも１つの行と流体的に通じている。
【０６３１】
任意選択で、各導体の前記出口が、前記インクを前記所定の個数のノズルに供給するために前記配送チャネルのうちの１つに前記インクを送る。
【０６３２】
任意選択で、前記導管の前記出口が、前記集積回路の前記表面に形成される前記配送チャネルの幅より小さいか実質的にこれと等しい幅を有する。
【０６３３】
任意選択で、前記出口が、８０μ未満の最大幅を有する。
【０６３４】
任意選択で、前記配送チャネルが、その長さに沿って複数の壁を設けられ、前記壁が、前記配送チャネルを複数のセクションに分割する。
【０６３５】
任意選択で、各出口が、前記配送チャネルの少なくとも１つのセクションにインクを供給する。
【０６３６】
任意選択で、各出口が、前記配送チャネルの２つのセクションにインクを供給する。
【０６３７】
任意選択で、前記インク配送部材が、ｐｈｏｔｏ−ｓｔｒｕｃｔｕｒａｂｌｅガラスセラミック材料から作られる。
【０６３８】
任意選択で、前記材料が、ｆｏｒｔｕｒａｎガラスである。
【０６３９】
任意選択で、各集積回路が、接着剤を介して前記インク分配部材に固定される。
【０６４０】
任意選択で、前記接着剤が、前記集積回路のそれぞれに供給される。
【０６４１】
任意選択で、前記接着剤が、前記インク分配部材の表面に供給される。
【０６４２】
任意選択で、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備え、
前記印刷エンジンが、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備える。
【０６４３】
さらなる態様で、前記印字ヘッドが、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルであって、媒体入力トレイから印刷媒体を受け取り、印刷された媒体を媒体出力トレイに送るために、前記インクジェットプリンタに固定されるように構成される前記クレードルと
を備える印刷エンジン内で使用されるように配置される
ページ幅印字ヘッドをキャップするキャッピングアセンブリが提供される。
【０６４４】
さらなる態様で、前記印字ヘッドが、
１つまたは複数のインク貯蔵コンパートメントを有する本体部分
を備えるインクジェットプリンタ用のカートリッジユニット内で使用されるように配置され、
前記ページ幅印字ヘッドが、前記本体に取り付け可能であり、前記１つまたは複数のコンパートメントからインクを受け取り、前記印字ヘッドアセンブリの長さに沿って前記インクを分配するように構成される
ページ幅印字ヘッドをキャップするキャッピングアセンブリが提供される。
【０６４５】
さらなる態様で、前記印字ヘッドが、
１つまたは複数のインク貯蔵コンパートメントを有する本体部分と、
前記印字ヘッドアセンブリの長さに沿って延びるように前記本体部分に取り付け可能なキャッパユニットであって、前記印字ヘッドの表面と接触するために前記キャッパユニットに関して移動可能なキャッピング要素を収納する、前記キャッパユニットと
を備えるカートリッジユニット内で使用されるように配置される
ページ幅印字ヘッドをキャップするキャッピングアセンブリが提供される。
【０６４６】
さらなる態様で、前記印字ヘッドが、カートリッジユニット内で使用されるように配置され、前記ページ幅印字ヘッドアセンブリが、前記１つまたは複数のインク貯蔵コンパートメントからインクを受け取るように構成され、前記ページ幅印字ヘッドアセンブリが、使用中に通る印刷媒体に前記インクを送るように配置された複数のノズルを有し、前記カートリッジユニットが、さらに、
１つまたは複数のインク貯蔵コンパートメントを収納する本体部分と、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備える
ページ幅印字ヘッドをキャップするキャッピングアセンブリが提供される。
【０６４７】
さらなる態様で、前記印字ヘッドが、カートリッジユニット内で使用されるように配置され、前記ページ幅印字ヘッドアセンブリが、インク貯蔵コンパートメントからインクを受け取るように構成され、使用中に通る印刷媒体に前記インクを送るように配置された複数のノズルに前記インクを分配するように構成され、前記カートリッジユニットが、さらに、
複数のインク貯蔵コンパートメントを有する本体部分
を備え、前記インク貯蔵コンパートメントが、前記印字ヘッドアセンブリの前記ノズルへの供給のために毛細管現象の下でその中に前記インクを貯蔵する吸収材料を備える
ページ幅印字ヘッドをキャップするキャッピングアセンブリが提供される。
【０６４８】
さらなる態様で、前記ページ幅印字ヘッドが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材であって、前記集積回路が、前記インク分配部材の長さにまたがって接触する配置で位置合せされる、前記インク分配部材と
を備える前記ページ幅印字ヘッドアセンブリである
ページ幅印字ヘッドをキャップするキャッピングアセンブリが提供される。
【０６４９】
さらなる態様で、前記ページ幅印字ヘッドが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリであり、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
ページ幅印字ヘッドをキャップするキャッピングアセンブリが提供される。
【０６５０】
さらなる態様で、前記ページ幅印字ヘッドが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリであり、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
ページ幅印字ヘッドをキャップするキャッピングアセンブリが提供される。
【０６５１】
さらなる態様で、前記ページ幅印字ヘッドが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリであり、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
ページ幅印字ヘッドをキャップするキャッピングアセンブリが提供される。
【０６５２】
さらなる態様で、前記ページ幅印字ヘッドが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリであり、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
ページ幅印字ヘッドをキャップするキャッピングアセンブリが提供される。
【０６５３】
さらなる態様で、前記キャッピング要素が、前記本体の中に収納され、前記印字ヘッドの少なくとも一部をキャップするために前記本体に関して移動可能であり、
前記本体が、前記キャッピングアセンブリを前記印字ヘッドに取外し可能に取り付ける取付け要素を含む
ページ幅印字ヘッドをキャップするキャッピングアセンブリが提供される。
【０６５４】
さらなる態様で、前記キャッピング要素が、前記本体の中に収納され、前記キャッピング要素が、前記印字ヘッドの少なくとも一部をキャップするように適合されたリム部分を有し、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
ページ幅印字ヘッドをキャップするキャッピングアセンブリが提供される。
【０６５５】
さらなる態様で、前記キャッピング要素が、前記本体の中に収納され、前記本体に関して第１位置と第２位置との間で移動可能であり、前記第１位置が、前記キャッピング要素の一部が前記本体から延びる位置であり、前記第２位置が、前記キャッピング要素が前記本体の中に含まれる位置であり、
前記キャッピング要素が、前記第１位置に偏らされる
ページ幅印字ヘッドをキャップするキャッピングアセンブリが提供される。
【０６５６】
さらなる態様で、前記ページ幅印字ヘッドが、
取外し可能インクジェットカートリッジに対して相補的な本体と、
印刷を容易にするために前記印字ヘッドの動作を制御するコントローラと
を備えるクレードルユニットによって制御されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
ページ幅印字ヘッドをキャップするキャッピングアセンブリが提供される。
【０６５７】
さらなる態様で、前記ページ幅印字ヘッドが、
取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットによって制御されるように配置され、
前記複数の端子が、前記カートリッジが前記本体によって受けられる時に、前記カートリッジに設けられた前記対応する端子とピボット式に係合するように配置される
ページ幅印字ヘッドをキャップするキャッピングアセンブリが提供される。
【０６５８】
さらなる態様で、前記ページ幅印字ヘッドが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットによって制御されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
ページ幅印字ヘッドをキャップするキャッピングアセンブリが提供される。
【０６５９】
さらなる態様で、前記ページ幅印字ヘッドが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットによって制御されるように配置され、
前記本体が、前記カートリッジに補充インクを供給する補充ユニットを受けるように構成され、前記本体が、前記補充ユニットから前記補充可能インク供給にインクを施与する補充アクチュエータを含む
ページ幅印字ヘッドをキャップするキャッピングアセンブリが提供される。
【０６６０】
さらなる態様で、前記ページ幅印字ヘッドが、
ページ幅印字ヘッド、インク供給、およびキャッパアセンブリを有するタイプの取外し可能インクジェットカートリッジに対して相補的な本体と、
印刷を容易にするために前記印字ヘッドの動作を制御するコントローラと
を備えるクレードルユニットによって制御されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
ページ幅印字ヘッドをキャップするキャッピングアセンブリが提供される。
【０６６１】
さらなる態様で、前記ページ幅印字ヘッドが、前記ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように適合され、前記クレードルが、前記カートリッジの前記インク供給を補充するためにそれを介して補充ユニットが受けられる、その中に形成された少なくとも１つのポートを備えるカバーアセンブリと係合可能である、ページ幅印字ヘッドをキャップするキャッピングアセンブリが提供される。
【０６６２】
さらなる態様で、前記ページ幅印字ヘッドが、前記ページ幅印字ヘッドおよびインク供給を有するタイプの取外し可能インクジェットカートリッジに対して相補的である本体と、印刷を容易にするために前記印字ヘッドの動作を制御するコントローラとを有するクレードルユニットと共に使用されるように適合され、
前記クレードルが、インク補充ユニットから前記補充可能インク供給にインクを施与する補充アクチュエータを備えるカバーアセンブリと係合可能である
ページ幅印字ヘッドをキャップするキャッピングアセンブリが提供される。
【０６６３】
さらなる態様で、前記ページ幅印字ヘッドが、１つまたは複数のインク貯蔵コンパートメントと流体的に通じた前記ページ幅印字ヘッドを有するタイプのカートリッジユニット用のインクプライミングシステムと共に使用されるように適合され、前記プライミングシステムが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
ページ幅印字ヘッドをキャップするキャッピングアセンブリが提供される。
【０６６４】
さらなる態様で、前記ページ幅印字ヘッドが、１つまたは複数のインク貯蔵コンパートメントと流体的に通じたページ幅印字ヘッドアセンブリを有するタイプのカートリッジユニットと共に使用されるように適合され、前記カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように構成され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
ページ幅印字ヘッドをキャップするキャッピングアセンブリが提供される。
【０６６５】
さらなる態様で、前記ページ幅印字ヘッドが、
印刷液を貯蔵し、前記印刷液がそれを介して施与される出口を有する、本体と、
前記本体から施与される前記印刷液の量を選択するように配置されたセレクタと
を備える印刷液ディスペンサを使用する印刷液補充カートリッジによって補充されるように配置されたインクジェットカートリッジ内で使用されるように配置される、ページ幅印字ヘッドをキャップするキャッピングアセンブリが提供される。
【０６６６】
さらなる態様で、前記ページ幅印字ヘッドが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液の供給によって補充されるように適合された前記印刷ユニット内に配置される、ページ幅印字ヘッドをキャップするキャッピングアセンブリが提供される。
【０６６７】
さらなる態様で、前記ページ幅印字ヘッドが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリによる印刷液補充カートリッジからの印刷液の供給によって補充されるように適合された印刷ユニット内で使用されるように配置される、ページ幅印字ヘッドをキャップするキャッピングアセンブリが提供される。
【０６６８】
さらなる態様で、前記ページ幅印字ヘッドが、液補充カートリッジからの印刷液の供給によって補充されるように適合された印刷エンジン内で使用されるように配置され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備える制御システムによって制御される、ページ幅印字ヘッドをキャップするキャッピングアセンブリが提供される。
【０６６９】
さらなる態様で、前記ページ幅印字ヘッドが、印刷液補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える前記印刷液補充ユニットからの印刷液の供給によって補充されるように適合された前記印刷エンジン内で使用されるように配置され、
前記記憶要素によって保管される前記情報は、前記リーダが、前記補充ユニットに含まれる前記印刷液による前記印刷エンジンの前記補充を制御することを可能にする
ページ幅印字ヘッドをキャップするキャッピングアセンブリが提供される。
【０６７０】
さらなる態様で、前記ページ幅印字ヘッドが、液補充カートリッジからの印刷液の供給によって補充されるように適合された印刷ユニット内で使用されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
ページ幅印字ヘッドをキャップするキャッピングアセンブリが提供される。
【０６７１】
さらなる態様で、前記ページ幅印字ヘッドが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを有するインクジェットカートリッジと共に使用されるように配置され、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
ページ幅印字ヘッドをキャップするキャッピングアセンブリが提供される。
【０６７２】
第１６の態様で、本発明は、
ページ幅印字ヘッドおよびインク供給を有するタイプの取外し可能インクジェットカートリッジに対して相補的な本体と、
印刷を容易にするために前記印字ヘッドの動作を制御するコントローラと
を備え、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
インクジェットプリンタ用のクレードルユニットを提供する。
【０６７３】
任意選択で、前記本体が、前記取外し可能インクジェットカートリッジを受ける凹窩を画定する。
【０６７４】
任意選択で、前記複数の端子が、前記凹窩内に置かれる。
【０６７５】
任意選択で、前記コントローラが、プリント回路基板上に設けられる電気回路網の形であり、前記複数の端子が、前記プリント回路基板の表面に沿って形成される。
【０６７６】
任意選択で、前記コントローラが、前記印字ヘッドの動作を制御する１つまたは複数のＳｏＰＥＣデバイスを含む。
【０６７７】
任意選択で、前記電気回路網が、前記プリント回路基板の１つの表面の上に設けられ、前記複数の端子が、前記プリント回路基板の反対の表面の上に設けられる。
【０６７８】
任意選択で、前記電気回路網が、前記取外し可能インクジェットカートリッジ上の前記対応する端子への伝送のために前記複数の端子にデータ信号および電力信号の形の電気信号を送る。
【０６７９】
さらなる態様で、本発明は、前記クレードルユニットが、
印刷のために印刷媒体を供給する媒体入力トレイと、
前記印刷媒体にイメージを印刷する印刷エンジンと、
前記印刷された媒体を収集する媒体出力トレイと
を備えるインクジェットプリンタユニットと共に使用されるように配置され、
前記印刷エンジンが、ページ幅印字ヘッドおよびインク供給を有するタイプの取外し可能インクジェットカートリッジと、前記クレードルとを備え、
前記クレードルが、前記取外し可能インクジェットカートリッジを受け、印刷に関する前記印字ヘッドの動作を制御するように適合された本体を有する
クレードルユニットを提供する。
【０６８０】
さらなる態様で、本発明は、前記クレードルユニットが、
ページ幅印字ヘッドおよびインク供給を有するタイプの取外し可能インクジェットカートリッジ
を備えるインクジェットプリンタ用の印刷エンジン内で使用されるように配置され、
前記クレードルが、前記取外し可能インクジェットカートリッジを受け、印刷に関する前記印字ヘッドの動作を制御するように適合された本体を有し、
前記クレードルが、媒体入力トレイから印刷媒体を受け取り、印刷された媒体を媒体出力トレイに送るために、前記インクジェットプリンタに固定されるように構成される
クレードルユニットを提供する。
【０６８１】
さらなる態様で、本発明は、前記クレードルユニットが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるカートリッジユニットと共に使用されるように配置される、クレードルユニットを提供する。
【０６８２】
さらなる態様で、本発明は、前記クレードルユニットが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるカートリッジユニットと共に使用されるように配置される、クレードルユニットを提供する。
【０６８３】
さらなる態様で、本発明は、前記クレードルユニットが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備えるカートリッジユニットと共に使用されるように配置される、クレードルユニットを提供する。
【０６８４】
さらなる態様で、本発明は、前記クレードルユニットが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるカートリッジユニットと共に使用されるように配置され、
前記インク貯蔵コンパートメントが、前記印字ヘッドアセンブリの前記ノズルへの供給のために毛細管現象の下でその中に前記インクを貯蔵する吸収材料を備える
クレードルユニットを提供する。
【０６８５】
さらなる態様で、本発明は、前記クレードルユニットが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリと共に使用されるように配置され、
前記集積回路が、前記インク分配部材の長さにまたがって接触する配置で位置合せされる
クレードルユニットを提供する。
【０６８６】
さらなる態様で、本発明は、前記クレードルユニットが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリと共に使用されるように配置され、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
クレードルユニットを提供する。
【０６８７】
さらなる態様で、本発明は、前記クレードルユニットが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリと共に使用されるように配置され、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
クレードルユニットを提供する。
【０６８８】
さらなる態様で、本発明は、前記クレードルユニットが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリと共に使用されるように配置され、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
クレードルユニットを提供する。
【０６８９】
さらなる態様で、本発明は、前記クレードルユニットが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリと共に使用されるように配置され、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
クレードルユニットを提供する。
【０６９０】
さらなる態様で、本発明は、前記クレードルユニットが、
ページ幅印字ヘッドの長さに延びるように構成された本体と、
前記本体の中に収納される、前記印字ヘッドの少なくとも一部をキャップするために前記本体に関して移動可能の、キャッピング要素と
を備えるキャッピングアセンブリによってキャップされるように適合された前記ページ幅印字ヘッドと共に使用されるように配置され、
前記本体が、前記キャッピングアセンブリを前記印字ヘッドに取外し可能に取り付ける取付け要素を含む
クレードルユニットを提供する。
【０６９１】
さらなる態様で、本発明は、前記クレードルユニットが、
ページ幅印字ヘッドの長さに延びるように構成された本体と、
前記本体の中に収納され、前記印字ヘッドの少なくとも一部をキャップするように適合されたリム部分を有する、キャッピング要素と
を備えるキャッピングアセンブリによってキャップされるように適合された前記ページ幅印字ヘッドと共に使用されるように配置され、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
クレードルユニットを提供する。
【０６９２】
さらなる態様で、本発明は、前記クレードルユニットが、
ページ幅印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備えるキャッピングアセンブリによってキャップされるように適合された前記ページ幅印字ヘッドと共に使用されるように配置され、
前記キャッピング要素が、前記第１位置に偏らされる
クレードルユニットを提供する。
【０６９３】
さらなる態様で、本発明は、前記クレードルユニットが、
ページ幅印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備えるキャッピングアセンブリによってキャップされるように適合された前記ページ幅印字ヘッドと共に使用されるように配置され、
前記変位アセンブリが、前記位置を決定する電磁石によって制御される
クレードルユニットを提供する。
【０６９４】
さらなる態様で、本発明は、前記複数の端子が、前記コントローラから前記カートリッジに設けられた対応する端子に制御信号を送るために前記コントローラと電気的に通じ、
前記複数の端子が、前記カートリッジが前記本体によって受けられる時に、前記カートリッジに設けられた前記対応する端子とピボット式に係合するように配置される
クレードルユニットを提供する。
【０６９５】
さらなる態様で、本発明は、前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる、クレードルユニットを提供する。
【０６９６】
さらなる態様で、本発明は、前記本体が、前記カートリッジに補充インクを供給する補充ユニットを受けるように構成され、前記本体が、前記補充ユニットから前記補充可能インク供給にインクを施与する補充アクチュエータを含む、クレードルユニットを提供する。
【０６９７】
さらなる態様で、本発明は、前記本体が、それに取り付けられたキャッパアセンブリおよび電磁石アセンブリを含み、前記電磁石アセンブリが、前記取外し可能インクジェットカートリッジの前記キャッパアセンブリを動作させるために前記コントローラによって制御される、クレードルユニットを提供する。
【０６９８】
さらなる態様で、本発明は、前記カートリッジが、それを介して補充ユニットが前記カートリッジの前記インク供給を補充するために受けられる、その中に形成された少なくとも１つのポートを備えるカバーアセンブリと共に使用されるように配置される、クレードルユニットを提供する。
【０６９９】
さらなる態様で、本発明は、前記カートリッジが、インク補充ユニットから前記補充可能インク供給にインクを施与する補充アクチュエータを備えるカバーアセンブリと共に使用されるように配置される、クレードルユニットを提供する。
【０７００】
さらなる態様で、本発明は、前記カートリッジが、１つまたは複数のインク貯蔵コンパートメントと流体的に通じたページ幅印字ヘッドアセンブリを有し、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムによってプライミングされるように適合され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
クレードルユニットを提供する。
【０７０１】
さらなる態様で、本発明は、前記カートリッジが、１つまたは複数のインク貯蔵コンパートメントと流体的に通じたページ幅印字ヘッドアセンブリを有し、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように適合され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
クレードルユニットを提供する。
【０７０２】
さらなる態様で、本発明は、前記インクジェットカートリッジが、
印刷液を貯蔵し、前記印刷液がそれを介して施与される出口を有する、本体と、
前記本体から施与される前記印刷液の量を選択するように配置されたセレクタと
を備える印刷液ディスペンサに関連する液補充カートリッジによって補充されるように適合される、クレードルユニットを提供する。
【０７０３】
さらなる態様で、本発明は、前記クレードルユニットが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって液補充カートリッジによって補充されるように適合された前記印刷ユニット内で使用されるように配置される、クレードルユニットを提供する。
【０７０４】
さらなる態様で、本発明は、前記インクジェットカートリッジが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリに関連する液補充カートリッジによって補充されるように適合される、クレードルユニットを提供する。
【０７０５】
さらなる態様で、本発明は、前記クレードルユニットが、印刷液補充ユニットによって補充されるように適合された印刷エンジンと共に使用されるように配置され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される、クレードルユニットを提供する。
【０７０６】
さらなる態様で、本発明は、前記クレードルユニットが、印刷液補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える前記印刷液補充ユニットによって補充されるように適合された前記印刷エンジンと共に使用されるように配置され、
前記記憶要素によって保管される前記情報は、前記リーダが、前記補充ユニットに含まれる前記印刷液による前記印刷エンジンの前記補充を制御することを可能にする
クレードルユニットを提供する。
【０７０７】
さらなる態様で、本発明は、前記クレードルユニットが、印刷液補充カートリッジによって補充されるように適合された印刷ユニット内で使用されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
クレードルユニットを提供する。
【０７０８】
さらなる態様で、本発明は、前記カートリッジが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスに関連し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
クレードルユニットを提供する。
【０７０９】
第１７の態様で、本発明は、
ページ幅印字ヘッドおよびインク供給を有するタイプの取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備え、
前記複数の端子が、前記カートリッジが前記本体によって受けられる時に、前記カートリッジに設けられた前記対応する端子とピボット式に係合するように配置される
インクジェットプリンタ用のクレードルユニットを提供する。
【０７１０】
任意選択で、前記本体が、前記取外し可能インクジェットカートリッジを受ける凹窩を画定する。
【０７１１】
任意選択で、前記複数の端子が、前記凹窩内に置かれ、前記取外し可能インクジェットカートリッジの長さに沿って延びる。
【０７１２】
任意選択で、前記コントローラが、プリント回路基板上に設けられる電気回路網の形であり、前記複数の端子が、前記プリント回路基板の表面に沿って形成される。
【０７１３】
任意選択で、前記コントローラが、前記印字ヘッドの動作を制御する１つまたは複数のＳｏＰＥＣデバイスを含む。
【０７１４】
任意選択で、前記電気回路網が、前記プリント回路基板の１つの表面の上に設けられ、前記複数の端子が、前記プリント回路基板の反対の表面の上に設けられる。
【０７１５】
任意選択で、前記プリント回路基板が、１対のアームの間に取り付けられ、前記アームが、開位置と閉位置との間でピボット回転するために前記本体にピボット回転可能に取り付けられる。
【０７１６】
任意選択で、前記アームが前記開位置にピボット回転された時に、前記複数の端子が、前記カートリッジに設けられた前記対応する端子から離れて置かれ、前記コントローラと前記カートリッジとの間の電気通信が止まる。
【０７１７】
任意選択で、前記アームが前記開位置にある時に、前記カートリッジが、前記凹窩から容易に取外し可能である。
【０７１８】
任意選択で、前記アームが前記閉位置にピボット回転された時に、前記複数の端子が、前記カートリッジに設けられた前記対応する端子と接触し、前記コントローラと前記カートリッジとの間の電気通信が可能にされる。
【０７１９】
任意選択で、前記本体が、前記凹窩を囲い込むリッドアセンブリを含み、前記アームが、開位置と閉位置との間の前記リッドの移動が前記アームのピボット回転移動を引き起こすように前記リッドアセンブリに接続される。
【０７２０】
さらなる態様で、前記クレードルユニットが、
印刷のために印刷媒体を供給する媒体入力トレイと、
前記印刷媒体にイメージを印刷する印刷エンジンと、
前記印刷された媒体を収集する媒体出力トレイと
を備えるインクジェットプリンタユニットと共に使用されるように配置され、
前記印刷エンジンが、ページ幅印字ヘッドおよびインク供給を有するタイプの取外し可能インクジェットカートリッジと、前記クレードルとを備え、
前記クレードルが、前記取外し可能インクジェットカートリッジを受け、印刷に関する前記印字ヘッドの動作を制御するように適合された本体を有する
クレードルユニットが提供される。
【０７２１】
さらなる態様で、前記クレードルユニットが、
ページ幅印字ヘッドおよびインク供給を有するタイプの取外し可能インクジェットカートリッジ
を備えるインクジェットプリンタ用の印刷エンジン内で使用されるように配置され、
前記クレードルが、前記取外し可能インクジェットカートリッジを受け、印刷に関する前記印字ヘッドの動作を制御するように適合された本体を有し、
前記クレードルが、媒体入力トレイから印刷媒体を受け取り、印刷された媒体を媒体出力トレイに送るために、前記インクジェットプリンタに固定されるように構成される
クレードルユニットが提供される。
【０７２２】
さらなる態様で、前記クレードルユニットが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるカートリッジユニットと共に使用されるように配置される、クレードルユニットが提供される。
【０７２３】
さらなる態様で、前記クレードルユニットが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるカートリッジユニットと共に使用されるように配置される、クレードルユニットが提供される。
【０７２４】
さらなる態様で、前記クレードルユニットが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備えるカートリッジユニットと共に使用されるように配置される、クレードルユニットが提供される。
【０７２５】
さらなる態様で、前記クレードルユニットが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるカートリッジユニットと共に使用されるように配置され、
前記インク貯蔵コンパートメントが、前記印字ヘッドアセンブリの前記ノズルへの供給のために毛細管現象の下でその中に前記インクを貯蔵する吸収材料を備える
クレードルユニットが提供される。
【０７２６】
さらなる態様で、前記クレードルユニットが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリと共に使用されるように配置され、
前記集積回路が、前記インク分配部材の長さにまたがって接触する配置で位置合せされる
クレードルユニットが提供される。
【０７２７】
さらなる態様で、前記クレードルユニットが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリと共に使用されるように配置され、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
クレードルユニットが提供される。
【０７２８】
さらなる態様で、前記クレードルユニットが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリと共に使用されるように配置され、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
クレードルユニットが提供される。
【０７２９】
さらなる態様で、前記クレードルユニットが、
１つまたは複数のインク供給源からインクを受け取る本体部分であって、前記インクを実質的に印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリと共に使用されるように配置され、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
クレードルユニットが提供される。
【０７３０】
さらなる態様で、前記クレードルユニットが、
１つまたは複数のインク供給源からインクを受け取る本体部分であって、前記インクを実質的に印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリと共に使用されるように配置され、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
クレードルユニットが提供される。
【０７３１】
さらなる態様で、前記クレードルユニットが、
印字ヘッドの長さに延びるように構成された本体と、
前記本体の中に収納される、前記印字ヘッドの少なくとも一部をキャップするために前記本体に関して移動可能の、キャッピング要素と
を備えるキャッピングアセンブリによってキャップされるように適合された前記ページ幅印字ヘッドと共に使用されるように配置され、
前記本体が、前記キャッピングアセンブリを前記印字ヘッドに取外し可能に取り付ける取付け要素を含む
クレードルユニットが提供される。
【０７３２】
さらなる態様で、前記クレードルユニットが、
印字ヘッドの長さに延びるように構成された本体と、
前記本体の中に収納され、前記印字ヘッドの少なくとも一部をキャップするように適合されたリム部分を有する、キャッピング要素と
を備えるキャッピングアセンブリによってキャップされるように適合された前記ページ幅印字ヘッドと共に使用されるように配置され、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
クレードルユニットが提供される。
【０７３３】
さらなる態様で、前記クレードルユニットが、
印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備えるキャッピングアセンブリによってキャップされるように適合された前記ページ幅印字ヘッドと共に使用されるように配置され、
前記キャッピング要素が、前記第１位置に偏らされる
クレードルユニットが提供される。
【０７３４】
さらなる態様で、前記クレードルユニットが、
印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備えるキャッピングアセンブリによってキャップされるように適合された前記ページ幅印字ヘッドと共に使用されるように配置され、
前記変位アセンブリが、前記位置を決定する電磁石によって制御される
クレードルユニットが提供される。
【０７３５】
さらなる態様で、複数の端子が、前記コントローラと前記カートリッジとの間の電気通信を可能にするために、前記取外し可能インクジェットカートリッジの長さに沿って置かれた対応する端子と接触するために前記本体の長さに沿って置かれる、クレードルユニットが提供される。
【０７３６】
さらなる態様で、前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる、クレードルユニットが提供される。
【０７３７】
さらなる態様で、前記本体が、前記カートリッジに補充インクを供給する補充ユニットを受けるように構成され、前記本体が、前記補充ユニットから前記補充可能インク供給にインクを施与する補充アクチュエータを含む、クレードルユニットが提供される。
【０７３８】
さらなる態様で、前記本体が、それに取り付けられたキャッパアセンブリおよび電磁石アセンブリを含み、前記電磁石アセンブリが、前記取外し可能インクジェットカートリッジの前記キャッパアセンブリを動作させるために前記コントローラによって制御される、クレードルユニットが提供される。
【０７３９】
さらなる態様で、前記カートリッジが、それを介して補充ユニットが前記カートリッジの前記インク供給を補充するために受けられる、その中に形成された少なくとも１つのポートを備えるカバーアセンブリと共に使用されるように配置される、クレードルユニットが提供される。
【０７４０】
さらなる態様で、前記カートリッジが、インク補充ユニットから前記補充可能インク供給にインクを施与する補充アクチュエータを備えるカバーアセンブリと共に使用されるように配置される、クレードルユニットが提供される。
【０７４１】
さらなる態様で、前記カートリッジが、１つまたは複数のインク貯蔵コンパートメントと流体的に通じたページ幅印字ヘッドアセンブリを有し、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムによってプライミングされるように適合され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
クレードルユニットが提供される。
【０７４２】
さらなる態様で、前記カートリッジが、１つまたは複数のインク貯蔵コンパートメントと流体的に通じたページ幅印字ヘッドアセンブリを有し、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように適合され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
クレードルユニットが提供される。
【０７４３】
さらなる態様で、前記インクジェットカートリッジが、
印刷液を貯蔵し、前記印刷液がそれを介して施与される出口を有する、本体と、
前記本体から施与される前記印刷液の量を選択するように配置されたセレクタと
を備える印刷液ディスペンサに関連する液補充カートリッジによって補充されるように適合される、クレードルユニットが提供される。
【０７４４】
さらなる態様で、前記クレードルユニットが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって液補充カートリッジによって補充されるように適合された前記印刷ユニット内で使用されるように配置される、クレードルユニットが提供される。
【０７４５】
さらなる態様で、前記インクジェットカートリッジが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリに関連する液補充カートリッジによって補充されるように適合される、クレードルユニットが提供される。
【０７４６】
さらなる態様で、前記クレードルユニットが、印刷液補充ユニットによって補充されるように適合された印刷エンジンと共に使用されるように配置され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される、クレードルユニットが提供される。
【０７４７】
さらなる態様で、前記クレードルユニットが、印刷液補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える前記印刷液補充ユニットによって補充されるように適合された前記印刷エンジンと共に使用されるように配置され、
前記記憶要素によって保管される前記情報は、前記リーダが、前記補充ユニットに含まれる前記印刷液による前記印刷エンジンの前記補充を制御することを可能にする
クレードルユニットが提供される。
【０７４８】
さらなる態様で、前記クレードルユニットが、印刷液補充カートリッジによって補充されるように適合された印刷ユニット内で使用されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
クレードルユニットが提供される。
【０７４９】
さらなる態様で、前記カートリッジが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスに関連し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
クレードルユニットが提供される。
【０７５０】
第１８の態様で、本発明は、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備え、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
インクジェットプリンタ用のクレードルユニットを提供する。
【０７５１】
任意選択で、前記本体が、前記取外し可能インクジェットカートリッジを受ける凹窩を画定し、前記カバーアセンブリが、前記取外し可能インクジェットカートリッジを前記凹窩内に固定する。
【０７５２】
任意選択で、前記ポートが、前記補充ユニットの少なくとも一部を受ける形状にされる。
【０７５３】
任意選択で、前記ポートが、前記補充ユニットを前記カートリッジの前記インク供給を補充するための定位置に固定するために前記補充ユニットと係合する保持手段を含む。
【０７５４】
任意選択で、前記保持手段が、前記補充ユニットを定位置に固定するために補充ユニットに設けられる凹窩と係合するクリップ部材を含む。
【０７５５】
任意選択で、前記ポートが、前記補充ユニットが前記ポートによって受けられる時に前記補充ユニットに設けられた集積回路と係合する、その中に配置されたレシーバユニットを含む。
【０７５６】
任意選択で、前記集積回路が、前記補充ユニットに含まれる印刷液のタイプおよび／または量に関する情報を保管する品質保証チップである。
【０７５７】
任意選択で、前記リーダユニットが、補充プロセスを制御するために前記情報を前記コントローラに送る。
【０７５８】
任意選択で、前記カバーアセンブリが、前記カートリッジの前記インク供給の補充を容易にするために前記補充ユニットを動作させる、その中に配置されたアクチュエータ部材を含む。
【０７５９】
任意選択で、前記アクチュエータ部材が、前記補充ユニットから前記カートリッジの前記インク供給にインクを解放するために前記補充ユニットと係合するために前記ポート内に延びるプッシュロッドである。
【０７６０】
任意選択で、前記プッシュロッドが、前記本体に取り付けられたソレノイドアクチュエータによってアクティブ化される。
【０７６１】
任意選択で、前記アクチュエータ部材が、前記補充ユニットから前記カートリッジの前記インク供給へのインクの解放を容易にするために前記補充ユニットに設けられる対応する歯車機構と噛み合う歯車機構である。
【０７６２】
任意選択で、前記歯車機構が、前記本体に取り付けられたモータによってアクティブ化される。
【０７６３】
さらなる態様で、前記クレードルユニットが、
印刷のために印刷媒体を供給する媒体入力トレイと、
前記印刷媒体にイメージを印刷する印刷エンジンと、
前記印刷された媒体を収集する媒体出力トレイと
を備えるインクジェットプリンタユニットと共に使用されるように配置され、
前記印刷エンジンが、ページ幅印字ヘッドおよびインク供給を有するタイプの取外し可能インクジェットカートリッジと、前記クレードルとを備え、
前記クレードルが、前記取外し可能インクジェットカートリッジを受け、印刷に関する前記印字ヘッドの動作を制御するように適合された本体を有する
クレードルユニットが提供される。
【０７６４】
さらなる態様で、前記クレードルユニットが、
ページ幅印字ヘッドおよびインク供給を有するタイプの取外し可能インクジェットカートリッジ
を備えるインクジェットプリンタ用の印刷エンジン内で使用されるように配置され、
前記クレードルが、前記取外し可能インクジェットカートリッジを受け、印刷に関する前記印字ヘッドの動作を制御するように適合された本体を有し、
前記クレードルが、媒体入力トレイから印刷媒体を受け取り、印刷された媒体を媒体出力トレイに送るために、前記インクジェットプリンタに固定されるように構成される
クレードルユニットが提供される。
【０７６５】
さらなる態様で、前記クレードルユニットが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるカートリッジユニットと共に使用されるように配置される、クレードルユニットが提供される。
【０７６６】
さらなる態様で、前記クレードルユニットが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるカートリッジユニットと共に使用されるように配置される、クレードルユニットが提供される。
【０７６７】
さらなる態様で、前記クレードルユニットが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備えるカートリッジユニットと共に使用されるように配置される、クレードルユニットが提供される。
【０７６８】
さらなる態様で、前記クレードルユニットが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるカートリッジユニットと共に使用されるように配置され、
前記インク貯蔵コンパートメントが、前記印字ヘッドアセンブリの前記ノズルへの供給のために毛細管現象の下でその中に前記インクを貯蔵する吸収材料を備える
クレードルユニットが提供される。
【０７６９】
さらなる態様で、前記クレードルユニットが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリと共に使用されるように配置され、
前記集積回路が、前記インク分配部材の長さにまたがって接触する配置で位置合せされる
クレードルユニットが提供される。
【０７７０】
さらなる態様で、前記クレードルユニットが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリと共に使用されるように配置され、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
クレードルユニットが提供される。
【０７７１】
さらなる態様で、前記クレードルユニットが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリと共に使用されるように配置され、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
クレードルユニットが提供される。
【０７７２】
さらなる態様で、前記クレードルユニットが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリと共に使用されるように配置され、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
クレードルユニットが提供される。
【０７７３】
さらなる態様で、前記クレードルユニットが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリと共に使用されるように配置され、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
クレードルユニットが提供される。
【０７７４】
さらなる態様で、前記クレードルユニットが、
ページ幅印字ヘッドの長さに延びるように構成された本体と、
前記本体の中に収納される、前記印字ヘッドの少なくとも一部をキャップするために前記本体に関して移動可能の、キャッピング要素と
を備えるキャッピングアセンブリによってキャップされるように適合された前記ページ幅印字ヘッドと共に使用されるように配置され、
前記本体が、前記キャッピングアセンブリを前記印字ヘッドに取外し可能に取り付ける取付け要素を含む
クレードルユニットが提供される。
【０７７５】
さらなる態様で、前記クレードルユニットが、
ページ幅印字ヘッドの長さに延びるように構成された本体と、
前記本体の中に収納され、前記印字ヘッドの少なくとも一部をキャップするように適合されたリム部分を有する、キャッピング要素と
を備えるキャッピングアセンブリによってキャップされるように適合された前記ページ幅印字ヘッドと共に使用されるように配置され、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
クレードルユニットが提供される。
【０７７６】
さらなる態様で、前記クレードルユニットが、
ページ幅印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備えるキャッピングアセンブリによってキャップされるように適合された前記ページ幅印字ヘッドと共に使用されるように配置され、
前記キャッピング要素が、前記第１位置に偏らされる
クレードルユニットが提供される。
【０７７７】
さらなる態様で、前記クレードルユニットが、
ページ幅印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備えるキャッピングアセンブリによってキャップされるように適合された前記ページ幅印字ヘッドと共に使用されるように配置され、
前記変位アセンブリが、前記位置を決定する電磁石によって制御される
クレードルユニットが提供される。
【０７７８】
さらなる態様で、複数の端子が、前記コントローラと前記カートリッジとの間の電気通信を可能にするために、前記取外し可能インクジェットカートリッジの長さに沿って置かれた対応する端子と接触するために前記本体の長さに沿って置かれる、クレードルユニットが提供される。
【０７７９】
さらなる態様で、前記複数の端子が、前記カートリッジが前記本体によって受けられる時に、前記カートリッジに設けられた前記対応する端子とピボット式に係合するように配置される、クレードルユニットが提供される。
【０７８０】
さらなる態様で、前記本体が、前記カートリッジに補充インクを供給する補充ユニットを受けるように構成され、前記本体が、前記補充ユニットから前記補充可能インク供給にインクを施与する補充アクチュエータを含む、クレードルユニットが提供される。
【０７８１】
さらなる態様で、前記本体が、それに取り付けられたキャッパアセンブリおよび電磁石アセンブリを含み、前記電磁石アセンブリが、前記取外し可能インクジェットカートリッジの前記キャッパアセンブリを動作させるために前記コントローラによって制御される、クレードルユニットが提供される。
【０７８２】
さらなる態様で、前記カートリッジが、それを介して補充ユニットが前記カートリッジの前記インク供給を補充するために受けられる、その中に形成された少なくとも１つのポートを備えるカバーアセンブリと共に使用されるように配置される、クレードルユニットが提供される。
【０７８３】
さらなる態様で、前記カートリッジが、インク補充ユニットから前記補充可能インク供給にインクを施与する補充アクチュエータを備えるカバーアセンブリと共に使用されるように配置される、クレードルユニットが提供される。
【０７８４】
さらなる態様で、前記カートリッジが、１つまたは複数のインク貯蔵コンパートメントと流体的に通じたページ幅印字ヘッドアセンブリを有し、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムによってプライミングされるように適合され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
クレードルユニットが提供される。
【０７８５】
さらなる態様で、前記カートリッジが、１つまたは複数のインク貯蔵コンパートメントと流体的に通じたページ幅印字ヘッドアセンブリを有し、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように適合され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
クレードルユニットが提供される。
【０７８６】
さらなる態様で、前記インクジェットカートリッジが、
印刷液を貯蔵し、前記印刷液がそれを介して施与される出口を有する、本体と、
前記本体から施与される前記印刷液の量を選択するように配置されたセレクタと
を備える印刷液ディスペンサに関連する液補充カートリッジによって補充されるように適合される、クレードルユニットが提供される。
【０７８７】
さらなる態様で、前記クレードルユニットが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって液補充カートリッジによって補充されるように適合された前記印刷ユニット内で使用されるように配置される、クレードルユニットが提供される。
【０７８８】
さらなる態様で、前記インクジェットカートリッジが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリに関連する液補充カートリッジによって補充されるように適合される、クレードルユニットが提供される。
【０７８９】
さらなる態様で、前記クレードルユニットが、印刷液補充ユニットによって補充されるように適合された印刷エンジンと共に使用されるように配置され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される、クレードルユニットが提供される。
【０７９０】
さらなる態様で、前記クレードルユニットが、印刷液補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える前記印刷液補充ユニットによって補充されるように適合された前記印刷エンジンと共に使用されるように配置され、
前記記憶要素によって保管される前記情報は、前記リーダが、前記補充ユニットに含まれる前記印刷液による前記印刷エンジンの前記補充を制御することを可能にする
クレードルユニットが提供される。
【０７９１】
さらなる態様で、前記クレードルユニットが、印刷液補充カートリッジによって補充されるように適合された印刷ユニット内で使用されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
クレードルユニットが提供される。
【０７９２】
さらなる態様で、前記カートリッジが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスに関連し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
クレードルユニットが提供される。
【０７９３】
第１９の態様で、本発明は、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備え、
前記本体が、前記カートリッジに補充インクを供給する補充ユニットを受けるように構成され、前記本体が、前記補充ユニットから前記補充可能インク供給にインクを施与する補充アクチュエータを含む
インクジェットプリンタ用のクレードルユニットを提供する。
【０７９４】
任意選択で、前記本体が、前記取外し可能インクジェットカートリッジを受ける凹窩を画定する。
【０７９５】
任意選択で、前記本体が、前記取外し可能インクジェットカートリッジを前記凹窩内に固定するカバーアセンブリを含む。
【０７９６】
任意選択で、前記カバーアセンブリが、補充インクを前記取外し可能インクジェットカートリッジに供給するために前記補充ユニットがそれを介して受けられるポートをその中に形成される。
【０７９７】
任意選択で、前記ポートが、前記補充ユニットを前記カートリッジの前記インク供給を補充するための定位置に固定するために前記補充ユニットと係合する保持手段を含む。
【０７９８】
任意選択で、前記保持手段が、前記補充ユニットを定位置に固定するために補充ユニットに設けられる凹窩と係合するクリップ部材を含む。
【０７９９】
任意選択で、前記ポートが、前記補充ユニットが前記ポートによって受けられる時に前記補充ユニットに設けられた集積回路と係合する、その中に配置されたレシーバユニットを含む。
【０８００】
任意選択で、前記集積回路が、前記補充ユニットに含まれる印刷液のタイプおよび／または量に関する情報を保管する品質保証チップである。
【０８０１】
任意選択で、前記リーダユニットが、補充プロセスを制御するために前記情報を前記コントローラに送る。
【０８０２】
任意選択で、前記補充アクチュエータが、前記カバーアセンブリ内に設けられ、前記補充アクチュエータが、前記カートリッジの前記インク供給の補充を容易にするために前記補充ユニットを動作させる、その中に配置されたアクチュエータ部材を含む。
【０８０３】
任意選択で、前記アクチュエータ部材が、前記補充ユニットから前記カートリッジの前記インク供給にインクを解放するために前記補充ユニットと係合するために前記ポート内に延びるプッシュロッドである。
【０８０４】
任意選択で、前記プッシュロッドが、前記本体に取り付けられたソレノイドアクチュエータによってアクティブ化される。
【０８０５】
任意選択で、前記アクチュエータ部材が、前記補充ユニットから前記カートリッジの前記インク供給へのインクの解放を容易にするために前記補充ユニットに設けられる対応する歯車機構と噛み合う歯車機構である。
【０８０６】
任意選択で、前記歯車機構が、前記本体に取り付けられたモータによってアクティブ化される。
【０８０７】
さらなる態様で、前記クレードルユニットが、
印刷のために印刷媒体を供給する媒体入力トレイと、
前記印刷媒体にイメージを印刷する印刷エンジンと、
前記印刷された媒体を収集する媒体出力トレイと
を備えるインクジェットプリンタユニットと共に使用されるように配置され、
前記印刷エンジンが、ページ幅印字ヘッドおよびインク供給を有するタイプの取外し可能インクジェットカートリッジと、前記クレードルとを備え、
前記クレードルが、前記取外し可能インクジェットカートリッジを受け、印刷に関する前記印字ヘッドの動作を制御するように適合された本体を有する
クレードルユニットが提供される。
【０８０８】
さらなる態様で、前記クレードルユニットが、
ページ幅印字ヘッドおよびインク供給を有するタイプの取外し可能インクジェットカートリッジ
を備えるインクジェットプリンタ用の印刷エンジン内で使用されるように配置され、
前記クレードルが、前記取外し可能インクジェットカートリッジを受け、印刷に関する前記印字ヘッドの動作を制御するように適合された本体を有し、
前記クレードルが、媒体入力トレイから印刷媒体を受け取り、印刷された媒体を媒体出力トレイに送るために、前記インクジェットプリンタに固定されるように構成される
クレードルユニットが提供される。
【０８０９】
さらなる態様で、前記クレードルユニットが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるカートリッジユニットと共に使用されるように配置される、クレードルユニットが提供される。
【０８１０】
さらなる態様で、前記クレードルユニットが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるカートリッジユニットと共に使用されるように配置される、クレードルユニットが提供される。
【０８１１】
さらなる態様で、前記クレードルユニットが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備えるカートリッジユニットと共に使用されるように配置される、クレードルユニットが提供される。
【０８１２】
さらなる態様で、前記クレードルユニットが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるカートリッジユニットと共に使用されるように配置され、
前記インク貯蔵コンパートメントが、前記印字ヘッドアセンブリの前記ノズルへの供給のために毛細管現象の下でその中に前記インクを貯蔵する吸収材料を備える
クレードルユニットが提供される。
【０８１３】
さらなる態様で、前記クレードルユニットが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリと共に使用されるように配置され、
前記集積回路が、前記インク分配部材の長さにまたがって接触する配置で位置合せされる
クレードルユニットが提供される。
【０８１４】
さらなる態様で、前記クレードルユニットが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリと共に使用されるように配置され、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
クレードルユニットが提供される。
【０８１５】
さらなる態様で、前記クレードルユニットが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリと共に使用されるように配置され、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
クレードルユニットが提供される。
【０８１６】
さらなる態様で、前記クレードルユニットが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリと共に使用されるように配置され、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
クレードルユニットが提供される。
【０８１７】
さらなる態様で、前記クレードルユニットが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリと共に使用されるように配置され、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
クレードルユニットが提供される。
【０８１８】
さらなる態様で、前記クレードルユニットが、
ページ幅印字ヘッドの長さに延びるように構成された本体と、
前記本体の中に収納される、前記印字ヘッドの少なくとも一部をキャップするために前記本体に関して移動可能の、キャッピング要素と
を備えるキャッピングアセンブリによってキャップされるように適合された前記ページ幅印字ヘッドと共に使用されるように配置され、
前記本体が、前記キャッピングアセンブリを前記印字ヘッドに取外し可能に取り付ける取付け要素を含む
クレードルユニットが提供される。
【０８１９】
さらなる態様で、前記クレードルユニットが、
ページ幅印字ヘッドの長さに延びるように構成された本体と、
前記本体の中に収納され、前記印字ヘッドの少なくとも一部をキャップするように適合されたリム部分を有する、キャッピング要素と
を備えるキャッピングアセンブリによってキャップされるように適合された前記ページ幅印字ヘッドと共に使用されるように配置され、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
クレードルユニットが提供される。
【０８２０】
さらなる態様で、前記クレードルユニットが、
ページ幅印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備えるキャッピングアセンブリによってキャップされるように適合された前記ページ幅印字ヘッドと共に使用されるように配置され、
前記キャッピング要素が、前記第１位置に偏らされる
クレードルユニットが提供される。
【０８２１】
さらなる態様で、前記クレードルユニットが、
ページ幅印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備えるキャッピングアセンブリによってキャップされるように適合された前記ページ幅印字ヘッドと共に使用されるように配置され、
前記変位アセンブリが、前記位置を決定する電磁石によって制御される
クレードルユニットが提供される。
【０８２２】
さらなる態様で、複数の端子が、前記コントローラと前記カートリッジとの間の電気通信を可能にするために、前記取外し可能インクジェットカートリッジの長さに沿って置かれた対応する端子と接触するために前記本体の長さに沿って置かれる、クレードルユニットが提供される。
【０８２３】
さらなる態様で、前記複数の端子が、前記カートリッジが前記本体によって受けられる時に、前記カートリッジに設けられた前記対応する端子とピボット式に係合するように配置される、クレードルユニットが提供される。
【０８２４】
さらなる態様で、前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる、クレードルユニットが提供される。
【０８２５】
さらなる態様で、前記本体が、それに取り付けられたキャッパアセンブリおよび電磁石アセンブリを含み、前記電磁石アセンブリが、前記取外し可能インクジェットカートリッジの前記キャッパアセンブリを動作させるために前記コントローラによって制御される、クレードルユニットが提供される。
【０８２６】
さらなる態様で、前記カートリッジが、それを介して補充ユニットが前記カートリッジの前記インク供給を補充するために受けられる、その中に形成された少なくとも１つのポートを備えるカバーアセンブリと共に使用されるように配置される、クレードルユニットが提供される。
【０８２７】
さらなる態様で、前記カートリッジが、インク補充ユニットから前記補充可能インク供給にインクを施与する補充アクチュエータを備えるカバーアセンブリと共に使用されるように配置される、クレードルユニットが提供される。
【０８２８】
さらなる態様で、前記カートリッジが、１つまたは複数のインク貯蔵コンパートメントと流体的に通じたページ幅印字ヘッドアセンブリを有し、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムによってプライミングされるように適合され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
クレードルユニットが提供される。
【０８２９】
さらなる態様で、前記カートリッジが、１つまたは複数のインク貯蔵コンパートメントと流体的に通じたページ幅印字ヘッドアセンブリを有し、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように適合され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
クレードルユニットが提供される。
【０８３０】
さらなる態様で、前記インクジェットカートリッジが、
印刷液を貯蔵し、前記印刷液がそれを介して施与される出口を有する、本体と、
前記本体から施与される前記印刷液の量を選択するように配置されたセレクタと
を備える印刷液ディスペンサに関連する液補充カートリッジによって補充されるように適合される、クレードルユニットが提供される。
【０８３１】
さらなる態様で、前記クレードルユニットが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって液補充カートリッジによって補充されるように適合された前記印刷ユニット内で使用されるように配置される、クレードルユニットが提供される。
【０８３２】
さらなる態様で、前記インクジェットカートリッジが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリに関連する液補充カートリッジによって補充されるように適合される、クレードルユニットが提供される。
【０８３３】
さらなる態様で、前記クレードルユニットが、印刷液補充ユニットによって補充されるように適合された印刷エンジンと共に使用されるように配置され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される、クレードルユニットが提供される。
【０８３４】
さらなる態様で、前記クレードルユニットが、印刷液補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える前記印刷液補充ユニットによって補充されるように適合された前記印刷エンジンと共に使用されるように配置され、
前記記憶要素によって保管される前記情報は、前記リーダが、前記補充ユニットに含まれる前記印刷液による前記印刷エンジンの前記補充を制御することを可能にする
クレードルユニットが提供される。
【０８３５】
さらなる態様で、前記クレードルユニットが、印刷液補充カートリッジによって補充されるように適合された印刷ユニット内で使用されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
クレードルユニットが提供される。
【０８３６】
さらなる態様で、前記カートリッジが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスに関連し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
クレードルユニットが提供される。
【０８３７】
第２０の態様で、本発明は、
ページ幅印字ヘッド、インク供給、およびキャッパアセンブリを有するタイプの取外し可能インクジェットカートリッジに対して相補的な本体と、
印刷を容易にするために前記印字ヘッドの動作を制御するコントローラと
を備え、
前記本体が、それに取り付けられた電磁石アセンブリを含み、前記電磁石アセンブリが、前記取外し可能インクジェットカートリッジの前記キャッパアセンブリを動作させるために前記コントローラによって制御される
インクジェットプリンタ用のクレードルユニットを提供する。
【０８３８】
任意選択で、前記本体が、前記取外し可能インクジェットカートリッジを受ける凹窩を画定し、前記電磁石アセンブリが、前記凹窩内に位置決めされる。
【０８３９】
任意選択で、前記電磁石アセンブリが、前記カートリッジが前記凹窩内に受けられる時に前記カートリッジの前記キャッパアセンブリの近くに置かれるように前記凹窩内に位置決めされる。
【０８４０】
任意選択で、前記コントローラによる前記電磁石アセンブリのアクティブ化が、前記キャッパアセンブリに、前記印字ヘッドから離れたキャップを外す位置に移動させる。
【０８４１】
任意選択で、前記キャッパアセンブリの少なくとも１部分が、磁気特性を有する材料から作られ、前記電磁石アセンブリのアクティブ化が、前記キャッパアセンブリの前記部分に前記電磁石アセンブリに向かって移動させる。
【０８４２】
任意選択で、前記コントローラによる前記電磁石アセンブリの非アクティブ化が、前記キャッパアセンブリに、前記印字ヘッドの表面をキャップするキャップされた位置に戻らせる。
【０８４３】
任意選択で、前記キャッパアセンブリによってキャップされる前記印字ヘッドの前記表面が、印刷媒体表面にインクを吐出する複数のインク吐出ノズルを備える。
【０８４４】
さらなる態様で、前記クレードルユニットが、
印刷のために印刷媒体を供給する媒体入力トレイと、
前記印刷媒体にイメージを印刷する印刷エンジンと、
前記印刷された媒体を収集する媒体出力トレイと
を備えるインクジェットプリンタユニットと共に使用されるように配置され、
前記印刷エンジンが、ページ幅印字ヘッドおよびインク供給を有するタイプの取外し可能インクジェットカートリッジと、前記クレードルとを備え、
前記クレードルが、前記取外し可能インクジェットカートリッジを受け、印刷に関する前記印字ヘッドの動作を制御するように適合された本体を有する
クレードルユニットが提供される。
【０８４５】
さらなる態様で、前記クレードルユニットが、
ページ幅印字ヘッドおよびインク供給を有するタイプの取外し可能インクジェットカートリッジ
を備えるインクジェットプリンタ用の印刷エンジン内で使用されるように配置され、
前記クレードルが、前記取外し可能インクジェットカートリッジを受け、印刷に関する前記印字ヘッドの動作を制御するように適合された本体を有し、
前記クレードルが、媒体入力トレイから印刷媒体を受け取り、印刷された媒体を媒体出力トレイに送るために、前記インクジェットプリンタに固定されるように構成される
クレードルユニットが提供される。
【０８４６】
さらなる態様で、前記クレードルユニットが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるカートリッジユニットと共に使用されるように配置される、クレードルユニットが提供される。
【０８４７】
さらなる態様で、前記クレードルユニットが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるカートリッジユニットと共に使用されるように配置される、クレードルユニットが提供される。
【０８４８】
さらなる態様で、前記クレードルユニットが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備えるカートリッジユニットと共に使用されるように配置される、クレードルユニットが提供される。
【０８４９】
さらなる態様で、前記クレードルユニットが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるカートリッジユニットと共に使用されるように配置され、
前記インク貯蔵コンパートメントが、前記印字ヘッドアセンブリの前記ノズルへの供給のために毛細管現象の下でその中に前記インクを貯蔵する吸収材料を備える
クレードルユニットが提供される。
【０８５０】
さらなる態様で、前記クレードルユニットが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリと共に使用されるように配置され、
前記集積回路が、前記インク分配部材の長さにまたがって接触する配置で位置合せされる
クレードルユニットが提供される。
【０８５１】
さらなる態様で、前記クレードルユニットが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリと共に使用されるように配置され、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
クレードルユニットが提供される。
【０８５２】
さらなる態様で、前記クレードルユニットが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリと共に使用されるように配置され、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
クレードルユニットが提供される。
【０８５３】
さらなる態様で、前記クレードルユニットが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリと共に使用されるように配置され、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
クレードルユニットが提供される。
【０８５４】
さらなる態様で、前記クレードルユニットが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリと共に使用されるように配置され、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
クレードルユニットが提供される。
【０８５５】
さらなる態様で、前記クレードルユニットが、
ページ幅印字ヘッドの長さに延びるように構成された本体と、
前記本体の中に収納される、前記印字ヘッドの少なくとも一部をキャップするために前記本体に関して移動可能の、キャッピング要素と
を備えるキャッピングアセンブリによってキャップされるように適合された前記ページ幅印字ヘッドと共に使用されるように配置され、
前記本体が、前記キャッピングアセンブリを前記印字ヘッドに取外し可能に取り付ける取付け要素を含む
クレードルユニットが提供される。
【０８５６】
さらなる態様で、前記クレードルユニットが、
ページ幅印字ヘッドの長さに延びるように構成された本体と、
前記本体の中に収納され、前記印字ヘッドの少なくとも一部をキャップするように適合されたリム部分を有する、キャッピング要素と
を備えるキャッピングアセンブリによってキャップされるように適合された前記ページ幅印字ヘッドと共に使用されるように配置され、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
クレードルユニットが提供される。
【０８５７】
さらなる態様で、前記クレードルユニットが、
ページ幅印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備えるキャッピングアセンブリによってキャップされるように適合された前記ページ幅印字ヘッドと共に使用されるように配置され、
前記キャッピング要素が、前記第１位置に偏らされる
クレードルユニットが提供される。
【０８５８】
さらなる態様で、前記クレードルユニットが、
ページ幅印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備えるキャッピングアセンブリによってキャップされるように適合された前記ページ幅印字ヘッドと共に使用されるように配置され、
前記変位アセンブリが、前記位置を決定する電磁石によって制御される
クレードルユニットが提供される。
【０８５９】
さらなる態様で、複数の端子が、前記コントローラと前記カートリッジとの間の電気通信を可能にするために、前記取外し可能インクジェットカートリッジの長さに沿って置かれた対応する端子と接触するために前記本体の長さに沿って置かれる、クレードルユニットが提供される。
【０８６０】
さらなる態様で、前記複数の端子が、前記カートリッジが前記本体によって受けられる時に、前記カートリッジに設けられた前記対応する端子とピボット式に係合するように配置される、クレードルユニットが提供される。
【０８６１】
さらなる態様で、前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる、クレードルユニットが提供される。
【０８６２】
さらなる態様で、前記本体が、前記カートリッジに補充インクを供給する補充ユニットを受けるように構成され、前記本体が、前記補充ユニットから前記補充可能インク供給にインクを施与する補充アクチュエータを含む、クレードルユニットが提供される。
【０８６３】
さらなる態様で、前記カートリッジが、それを介して補充ユニットが前記カートリッジの前記インク供給を補充するために受けられる、その中に形成された少なくとも１つのポートを備えるカバーアセンブリと共に使用されるように配置される、クレードルユニットが提供される。
【０８６４】
さらなる態様で、前記カートリッジが、インク補充ユニットから前記補充可能インク供給にインクを施与する補充アクチュエータを備えるカバーアセンブリと共に使用されるように配置される、クレードルユニットが提供される。
【０８６５】
さらなる態様で、前記カートリッジが、１つまたは複数のインク貯蔵コンパートメントと流体的に通じたページ幅印字ヘッドアセンブリを有し、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムによってプライミングされるように適合され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
クレードルユニットが提供される。
【０８６６】
さらなる態様で、前記カートリッジが、１つまたは複数のインク貯蔵コンパートメントと流体的に通じたページ幅印字ヘッドアセンブリを有し、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように適合され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
クレードルユニットが提供される。
【０８６７】
さらなる態様で、前記インクジェットカートリッジが、
印刷液を貯蔵し、前記印刷液がそれを介して施与される出口を有する、本体と、
前記本体から施与される前記印刷液の量を選択するように配置されたセレクタと
を備える印刷液ディスペンサに関連する液補充カートリッジによって補充されるように適合される
クレードルユニットが提供される。
【０８６８】
さらなる態様で、前記クレードルユニットが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって液補充カートリッジによって補充されるように適合された前記印刷ユニット内で使用されるように配置される、クレードルユニットが提供される。
【０８６９】
さらなる態様で、前記インクジェットカートリッジが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリに関連する液補充カートリッジによって補充されるように適合される、クレードルユニットが提供される。
【０８７０】
さらなる態様で、前記クレードルユニットが、印刷液補充ユニットによって補充されるように適合された印刷エンジンと共に使用されるように配置され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される、クレードルユニットが提供される。
【０８７１】
さらなる態様で、前記クレードルユニットが、印刷液補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える前記印刷液補充ユニットによって補充されるように適合された前記印刷エンジンと共に使用されるように配置され、
前記記憶要素によって保管される前記情報は、前記リーダが、前記補充ユニットに含まれる前記印刷液による前記印刷エンジンの前記補充を制御することを可能にする
クレードルユニットが提供される。
【０８７２】
さらなる態様で、前記クレードルユニットが、印刷液補充カートリッジによって補充されるように適合された印刷ユニット内で使用されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
クレードルユニットが提供される。
【０８７３】
さらなる態様で、前記カートリッジが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスに関連し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
クレードルユニットが提供される。
【０８７４】
第２１の態様で、本発明は、
ページ幅印字ヘッドおよびインク供給を有するタイプの取外し可能インクジェットカートリッジに対して相補的な本体と、印刷を容易にするために前記印字ヘッドの動作を制御するコントローラとを有するインクジェットプリンタのクレードルユニット用のカバーアセンブリであって、
補充ユニットが前記カートリッジの前記インク供給を補充するためにそれを介して受けられる、その中に形成された少なくとも１つのポート
を備えるカバーアセンブリを提供する。
【０８７５】
任意選択で、前記ポートが、前記補充ユニットの少なくとも一部を受ける形状にされる。
【０８７６】
任意選択で、前記ポートが、前記補充ユニットを前記カートリッジの前記インク供給を補充するための定位置に固定するために前記補充ユニットと係合する保持手段を含む。
【０８７７】
任意選択で、前記保持手段が、前記補充ユニットを定位置に固定するために前記補充ユニットに設けられる凹窩と係合するクリップ部材を含む。
【０８７８】
任意選択で、前記ポートが、前記補充ユニットが前記ポートによって受けられる時に前記補充ユニットに設けられた集積回路と係合する、その中に配置されたレシーバユニットを含む。
【０８７９】
任意選択で、前記集積回路が、前記補充ユニットに含まれる印刷液のタイプおよび／または量に関する情報を保管する品質保証チップである。
【０８８０】
任意選択で、前記リーダユニットが、補充プロセスを制御するために前記情報を前記コントローラに送る。
【０８８１】
任意選択で、前記カバーアセンブリが、前記カートリッジの前記インク供給の補充を容易にするために前記補充ユニットを動作させる、その中に配置されたアクチュエータ部材をさらに備える。
【０８８２】
任意選択で、前記アクチュエータ部材が、前記補充ユニットから前記カートリッジの前記インク供給にインクを解放するために前記補充ユニットと係合するために前記ポート内に延びるプッシュロッドである。
【０８８３】
任意選択で、前記プッシュロッドが、前記クレードルユニットの前記本体に取り付けられたソレノイドアクチュエータによってアクティブ化される。
【０８８４】
任意選択で、前記アクチュエータ部材が、前記補充ユニットから前記カートリッジの前記インク供給へのインクの解放を容易にするために前記補充ユニットに設けられる対応する歯車機構と噛み合う歯車機構である。
【０８８５】
任意選択で、前記歯車機構が、前記クレードルユニットの前記本体に取り付けられたモータによってアクティブ化される。
【０８８６】
さらなる態様で、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備え、
前記印刷エンジンが、ページ幅印字ヘッドおよびインク供給を有するタイプの前記取外し可能インクジェットカートリッジと、前記取外し可能インクジェットカートリッジを受け、印刷に関する前記印字ヘッドの動作を制御するように適合された本体を有する前記クレードルユニットとを備える
カバーアセンブリが提供される。
【０８８７】
さらなる態様で、前記クレードルユニットが、
前記取外し可能インクジェットカートリッジ
を備える印刷エンジンと共に使用されるように配置され、
前記クレードルユニットが、前記取外し可能インクジェットカートリッジを受け、印刷に関する前記印字ヘッドの動作を制御するように適合された本体を有し、
前記クレードルが、媒体入力トレイから印刷媒体を受け取り、印刷された媒体を媒体出力トレイに送るために、前記インクジェットプリンタに固定されるように構成される
カバーアセンブリが提供される。
【０８８８】
さらなる態様で、前記カートリッジユニットが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備える、カバーアセンブリが提供される。
【０８８９】
さらなる態様で、前記カートリッジユニットが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備える、カバーアセンブリが提供される。
【０８９０】
さらなる態様で、前記カートリッジユニットが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備える、カバーアセンブリが提供される。
【０８９１】
さらなる態様で、前記カートリッジユニットが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備え、
前記インク貯蔵コンパートメントが、前記印字ヘッドアセンブリの前記ノズルへの供給のために毛細管現象の下でその中に前記インクを貯蔵する吸収材料を備える
カバーアセンブリが提供される。
【０８９２】
さらなる態様で、前記ページ幅印字ヘッドが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリであり、
前記集積回路が、前記インク分配部材の長さにまたがって接触する配置で位置合せされる
カバーアセンブリが提供される。
【０８９３】
さらなる態様で、前記ページ幅印字ヘッドが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリであり、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
カバーアセンブリが提供される。
【０８９４】
さらなる態様で、前記ページ幅印字ヘッドが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリであり、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
カバーアセンブリが提供される。
【０８９５】
さらなる態様で、前記ページ幅印字ヘッドが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリであり、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
カバーアセンブリが提供される。
【０８９６】
さらなる態様で、前記ページ幅印字ヘッドが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリであり、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
カバーアセンブリが提供される。
【０８９７】
さらなる態様で、前記ページ幅印字ヘッドが、
前記印字ヘッドの長さに延びるように構成された本体と、
前記本体の中に収納される、前記印字ヘッドの少なくとも一部をキャップするために前記本体に関して移動可能の、キャッピング要素と
を備えるキャッピングアセンブリによってキャップされるように配置され、
前記本体が、前記キャッピングアセンブリを前記印字ヘッドに取外し可能に取り付ける取付け要素を含む
カバーアセンブリが提供される。
【０８９８】
さらなる態様で、前記ページ幅印字ヘッドが、
前記印字ヘッドの長さに延びるように構成された本体と、
前記本体の中に収納され、前記印字ヘッドの少なくとも一部をキャップするように適合されたリム部分を有する、キャッピング要素と
を備えるキャッピングアセンブリによってキャップされるように配置され、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
カバーアセンブリが提供される。
【０８９９】
さらなる態様で、前記ページ幅印字ヘッドが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備えるキャッピングアセンブリによってキャップされるように配置され、
前記キャッピング要素が、前記第１位置に偏らされる
カバーアセンブリが提供される。
【０９００】
さらなる態様で、前記ページ幅印字ヘッドが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備えるキャッピングアセンブリによってキャップされるように配置され、
前記変位アセンブリが、前記位置を決定する電磁石によって制御される
カバーアセンブリが提供される。
【０９０１】
さらなる態様で、複数の端子が、前記コントローラと前記カートリッジとの間の電気通信を可能にするために、前記取外し可能インクジェットカートリッジの長さに沿って置かれた対応する端子と接触するために前記本体の長さに沿って置かれる、カバーアセンブリが提供される。
【０９０２】
さらなる態様で、前記クレードルユニットが、前記コントローラから前記カートリッジに設けられた対応する端子に制御信号を送るために前記コントローラと電気的に通じる複数の端子をさらに備え、
前記複数の端子が、前記カートリッジが前記本体によって受けられる時に、前記カートリッジに設けられた前記対応する端子とピボット式に係合するように配置される
カバーアセンブリが提供される。
【０９０３】
さらなる態様で、前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる、カバーアセンブリが提供される。
【０９０４】
さらなる態様で、前記本体が、前記カートリッジに補充インクを供給する補充ユニットを受けるように構成され、前記本体が、前記補充ユニットから前記補充可能インク供給にインクを施与する補充アクチュエータを含む、カバーアセンブリが提供される。
【０９０５】
さらなる態様で、前記クレードルユニットが、キャッパアセンブリをさらに備え、前記本体が、それに取り付けられた電磁石アセンブリを含み、前記電磁石アセンブリが、前記取外し可能インクジェットカートリッジの前記キャッパアセンブリを動作させるために前記コントローラによって制御される、カバーアセンブリが提供される。
【０９０６】
さらなる態様で、前記カーバアセンブリが、前記補充ユニットから前記補充可能インク供給にインクを施与する補充アクチュエータをさらに備える、カバーアセンブリが提供される。
【０９０７】
さらなる態様で、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムによってプライミングされるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
カバーアセンブリが提供される。
【０９０８】
さらなる態様で、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように適合され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
カバーアセンブリが提供される。
【０９０９】
さらなる態様で、前記インクジェットカートリッジが、
印刷液を貯蔵し、前記印刷液がそれを介して施与される出口を有する、本体と、
前記本体から施与される前記印刷液の量を選択するように配置されたセレクタと
を備える印刷液ディスペンサを有する印刷液補充カートリッジによって補充されるように配置される、カバーアセンブリが提供される。
【０９１０】
さらなる態様で、前記カートリッジが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法を使用して、印刷液の供給によって補充されるように適合された前記印刷ユニット内で使用されるように配置される、カバーアセンブリが提供される。
【０９１１】
さらなる態様で、前記インクジェットカートリッジが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する印刷液補充カートリッジによって補充されるように配置される、カバーアセンブリが提供される。
【０９１２】
さらなる態様で、前記インクジェットカートリッジが、印刷液補充ユニットによって補充されるように配置された印刷エンジンの一部であり、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される、カバーアセンブリが提供される。
【０９１３】
さらなる態様で、前記インクジェットカートリッジが、印刷液補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える前記印刷液補充ユニットによって補充されるように配置された印刷エンジンの一部であり、
前記記憶要素によって保管される前記情報は、前記リーダが、前記補充ユニットに含まれる前記印刷液による前記印刷エンジンの前記補充を制御することを可能にする
カバーアセンブリが提供される。
【０９１４】
さらなる態様で、前記インクジェットカートリッジが、印刷液補充カートリッジによって補充されるように配置された印刷ユニットの一部であり、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
カバーアセンブリが提供される。
【０９１５】
さらなる態様で、前記インクジェットカートリッジが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスに関連し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
カバーアセンブリが提供される。
【０９１６】
第２２の態様で、本発明は、
ページ幅印字ヘッドおよびインク供給を有するタイプの取外し可能インクジェットカートリッジに対して相補的な本体と、印刷を容易にするために前記印字ヘッドの動作を制御するコントローラとを有するインクジェットプリンタのクレードルユニット用のカバーアセンブリであって、
インク補充ユニットから前記補充可能インク供給にインクを施与する補充アクチュエータ
を備えるカバーアセンブリを提供する。
【０９１７】
任意選択で、前記カバーアセンブリが、補充インクを前記取外し可能インクジェットカートリッジに供給するために前記補充ユニットがそれを介して受けられるポートをその中に形成される。
【０９１８】
任意選択で、前記ポートが、前記補充ユニットを前記カートリッジの前記インク供給を補充するための定位置に固定するために前記補充ユニットと係合する保持手段を含む。
【０９１９】
任意選択で、前記保持手段が、前記補充ユニットを定位置に固定するために補充ユニットに設けられる凹窩と係合するクリップ部材を含む。
【０９２０】
任意選択で、前記ポートが、前記補充ユニットが前記ポートによって受けられる時に前記補充ユニットに設けられた集積回路と係合する、その中に配置されたレシーバユニットを含む。
【０９２１】
任意選択で、前記集積回路が、前記補充ユニットに含まれる印刷液のタイプおよび／または量に関する情報を保管する品質保証チップである。
【０９２２】
任意選択で、前記リーダユニットが、補充プロセスを制御するために前記情報を前記コントローラに送る。
【０９２３】
任意選択で、前記補充アクチュエータが、前記カバーアセンブリ内に設けられ、前記補充アクチュエータが、前記カートリッジの前記インク供給の補充を容易にするために前記補充ユニットを動作させるアクチュエータ部材を含む。
【０９２４】
任意選択で、前記アクチュエータ部材が、前記補充ユニットから前記カートリッジの前記インク供給にインクを解放するために前記補充ユニットと係合するために前記ポート内に延びるプッシュロッドである。
【０９２５】
任意選択で、前記プッシュロッドが、前記クレードルユニットの前記本体に取り付けられたソレノイドアクチュエータによってアクティブ化される。
【０９２６】
任意選択で、前記アクチュエータ部材が、前記補充ユニットから前記カートリッジの前記インク供給へのインクの解放を容易にするために前記補充ユニットに設けられる対応する歯車機構と噛み合う歯車機構である。
【０９２７】
任意選択で、前記歯車機構が、前記クレードルユニットの前記本体に取り付けられたモータによってアクティブ化される。
【０９２８】
さらなる態様で、前記インクジェットプリンタが、
印刷のために印刷媒体を供給する媒体入力トレイと、
前記印刷媒体にイメージを印刷する印刷エンジンと、
前記印刷された媒体を収集する媒体出力トレイと
を備え、
前記印刷エンジンが、ページ幅印字ヘッドおよびインク供給を有するタイプの前記取外し可能インクジェットカートリッジと、前記取外し可能インクジェットカートリッジを受け、印刷に関する前記印字ヘッドの動作を制御するように適合された本体を有する前記クレードルユニットとを備える
カバーアセンブリが提供される。
【０９２９】
さらなる態様で、前記クレードルユニットが、
取外し可能インクジェットカートリッジ
を備える印刷エンジンと共に使用されるように配置され、
前記クレードルユニットが、前記取外し可能インクジェットカートリッジを受け、印刷に関する前記印字ヘッドの動作を制御するように適合された本体を有し、
前記クレードルが、媒体入力トレイから印刷媒体を受け取り、印刷された媒体を媒体出力トレイに送るために、前記インクジェットプリンタに固定されるように構成される
カバーアセンブリが提供される。
【０９３０】
さらなる態様で、前記カートリッジユニットが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備える、カバーアセンブリが提供される。
【０９３１】
さらなる態様で、前記カートリッジユニットが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備える、カバーアセンブリが提供される。
【０９３２】
さらなる態様で、前記カートリッジユニットが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備える、カバーアセンブリが提供される。
【０９３３】
さらなる態様で、前記カートリッジユニットが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備え、
前記インク貯蔵コンパートメントが、前記印字ヘッドアセンブリの前記ノズルへの供給のために毛細管現象の下でその中に前記インクを貯蔵する吸収材料を備える
カバーアセンブリが提供される。
【０９３４】
さらなる態様で、前記ページ幅印字ヘッドが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリであり、
前記集積回路が、前記インク分配部材の長さにまたがって接触する配置で位置合せされる
カバーアセンブリが提供される。
【０９３５】
さらなる態様で、前記ページ幅印字ヘッドが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリであり、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
カバーアセンブリが提供される。
【０９３６】
さらなる態様で、前記ページ幅印字ヘッドが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリであり、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
カバーアセンブリが提供される。
【０９３７】
さらなる態様で、前記ページ幅印字ヘッドが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリであり、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
カバーアセンブリが提供される。
【０９３８】
さらなる態様で、前記ページ幅印字ヘッドが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリであり、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
カバーアセンブリが提供される。
【０９３９】
さらなる態様で、前記ページ幅印字ヘッドが、
前記印字ヘッドの長さに延びるように構成された本体と、
前記本体の中に収納される、前記印字ヘッドの少なくとも一部をキャップするために前記本体に関して移動可能の、キャッピング要素と
を備えるキャッピングアセンブリによってキャップされるように配置され、
前記本体が、前記キャッピングアセンブリを前記印字ヘッドに取外し可能に取り付ける取付け要素を含む
カバーアセンブリが提供される。
【０９４０】
さらなる態様で、前記ページ幅印字ヘッドが、
前記印字ヘッドの長さに延びるように構成された本体と、
前記本体の中に収納され、前記印字ヘッドの少なくとも一部をキャップするように適合されたリム部分を有する、キャッピング要素と
を備えるキャッピングアセンブリによってキャップされるように配置され、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
カバーアセンブリが提供される。
【０９４１】
さらなる態様で、前記ページ幅印字ヘッドが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備えるキャッピングアセンブリによってキャップされるように配置され、
前記キャッピング要素が、前記第１位置に偏らされる
カバーアセンブリが提供される。
【０９４２】
さらなる態様で、前記ページ幅印字ヘッドが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備えるキャッピングアセンブリによってキャップされるように配置され、
前記変位アセンブリが、前記位置を決定する電磁石によって制御される
カバーアセンブリが提供される。
【０９４３】
さらなる態様で、複数の端子が、前記コントローラと前記カートリッジとの間の電気通信を可能にするために、前記取外し可能インクジェットカートリッジの長さに沿って置かれた対応する端子と接触するために前記本体の長さに沿って置かれる、カバーアセンブリが提供される。
【０９４４】
さらなる態様で、前記クレードルユニットが、前記コントローラから前記カートリッジに設けられた対応する端子に制御信号を送るために前記コントローラと電気的に通じる複数の端子をさらに備え、
前記複数の端子が、前記カートリッジが前記本体によって受けられる時に、前記カートリッジに設けられた前記対応する端子とピボット式に係合するように配置される
カバーアセンブリが提供される。
【０９４５】
さらなる態様で、前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる、カバーアセンブリが提供される。
【０９４６】
さらなる態様で、前記本体が、前記カートリッジに補充インクを供給する補充ユニットを受けるように構成され、前記本体が、前記補充ユニットから前記補充可能インク供給にインクを施与する補充アクチュエータを含む、カバーアセンブリが提供される。
【０９４７】
さらなる態様で、前記クレードルユニットが、キャッパアセンブリをさらに備え、前記本体が、それに取り付けられた電磁石アセンブリを含み、前記電磁石アセンブリが、前記取外し可能インクジェットカートリッジの前記キャッパアセンブリを動作させるために前記コントローラによって制御される、カバーアセンブリが提供される。
【０９４８】
さらなる態様で、前記カバーアセンブリが、補充ユニットが前記カートリッジの前記インク供給を補充するためにそれを介して受けられる、その中に形成された少なくとも１つのポートを備える、カバーアセンブリが提供される。
【０９４９】
さらなる態様で、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムによってプライミングされるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
カバーアセンブリが提供される。
【０９５０】
さらなる態様で、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
カバーアセンブリが提供される。
【０９５１】
さらなる態様で、前記インクジェットカートリッジが、
印刷液を貯蔵し、前記印刷液がそれを介して施与される出口を有する、本体と、
前記本体から施与される前記印刷液の量を選択するように配置されたセレクタと
を備える印刷液ディスペンサを有する印刷液補充カートリッジによって補充されるように配置される、カバーアセンブリが提供される。
【０９５２】
さらなる態様で、前記カートリッジが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法を使用して、印刷液の供給によって補充されるように適合された前記印刷ユニット内で使用されるように配置される、カバーアセンブリが提供される。
【０９５３】
さらなる態様で、前記インクジェットカートリッジが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する印刷液補充カートリッジによって補充されるように配置される、カバーアセンブリが提供される。
【０９５４】
さらなる態様で、前記インクジェットカートリッジが、印刷液補充ユニットによって補充されるように配置された印刷エンジンの一部であり、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される、カバーアセンブリが提供される。
【０９５５】
さらなる態様で、前記インクジェットカートリッジが、印刷液補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える前記印刷液補充ユニットによって補充されるように配置された印刷エンジンの一部であり、
前記記憶要素によって保管される前記情報は、前記リーダが、前記補充ユニットに含まれる前記印刷液による前記印刷エンジンの前記補充を制御することを可能にする
カバーアセンブリが提供される。
【０９５６】
さらなる態様で、前記インクジェットカートリッジが、印刷液補充カートリッジによって補充されるように配置された印刷ユニットの一部であり、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
カバーアセンブリが提供される。
【０９５７】
さらなる態様で、前記インクジェットカートリッジが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスに関連し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
カバーアセンブリが提供される。
【０９５８】
第２３の態様で、本発明は、１つまたは複数のインク貯蔵コンパートメントと流体的に通じたページ幅印字ヘッドアセンブリを有するタイプのカートリッジユニット用のインクプライミングシステムであって、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
インクプライミングシステムを提供する。
【０９５９】
任意選択で、前記インク貯蔵コンパートメントが、前記インクを受け取り、貯蔵する、その中に配置されたインク保持部材を含む。
【０９６０】
任意選択で、前記インク保持部材が、毛細管現象を介して前記インク貯蔵コンパートメントに供給されるインクを吸収するように配置された多孔性本体である。
【０９６１】
任意選択で、前記インク保持部材が、発泡体材料である。
【０９６２】
任意選択で、前記印字ヘッドアセンブリが、その長さに沿って配置された１つまたは複数のインク供給チャネルを備え、前記プライミング入口に供給されたインクが、前記チャネルのうちの１つに通る。
【０９６３】
任意選択で、前記印字ヘッドアセンブリが、その上にノズルの複数のグループを設けられ、ノズルの各グループが、前記ノズルをプライミングするためにそこからインクを受け取るために前記インク供給チャネルのうちの１つと流体的に通じる。
【０９６４】
さらなる態様で、前記カートリッジユニットが、
印刷のために印刷媒体を供給する媒体入力トレイと、
前記印刷媒体にイメージを印刷する印刷エンジンと、
前記印刷された媒体を収集する媒体出力トレイと
を備えるインクジェットプリンタ内で使用されるように配置され、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える
インクプライミングシステムが提供される。
【０９６５】
さらなる態様で、前記カートリッジユニットが、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備える印刷エンジン内で使用されるように配置され、
前記クレードルが、媒体入力トレイから印刷媒体を受け取り、印刷された媒体を媒体出力トレイに送るために、前記インクジェットプリンタに固定されるように構成される
インクプライミングシステムが提供される。
【０９６６】
さらなる態様で、前記カートリッジユニットが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備える、インクプライミングシステムが提供される。
【０９６７】
さらなる態様で、前記カートリッジユニットが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備える、インクプライミングシステムが提供される。
【０９６８】
さらなる態様で、前記カートリッジユニットが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備える、インクプライミングシステムが提供される。
【０９６９】
さらなる態様で、前記カートリッジユニットが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備え、
前記インク貯蔵コンパートメントが、前記印字ヘッドアセンブリの前記ノズルへの供給のために毛細管現象の下でその中に前記インクを貯蔵する吸収材料を備える
インクプライミングシステムが提供される。
【０９７０】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備え、
前記集積回路が、前記インク分配部材の長さにまたがって接触する配置で位置合せされる
インクプライミングシステムが提供される。
【０９７１】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
インクプライミングシステムが提供される。
【０９７２】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
インクプライミングシステムが提供される。
【０９７３】
さらなる態様で、前記ページ幅印字ヘッドアセンブリが、
１つまたは複数のインク供給源からインクを受け取る本体部分であって、前記インクを実質的に前記印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備え、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
インクプライミングシステムが提供される。
【０９７４】
さらなる態様で、前記ページ幅印字ヘッドアセンブリが、
１つまたは複数のインク供給源からインクを受け取る本体部分であって、前記インクを実質的に前記印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備え、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
インクプライミングシステムが提供される。
【０９７５】
さらなる態様で、前記ページ幅印字ヘッドアセンブリのページ幅印字ヘッドが、
前記印字ヘッドの長さに延びるように構成された本体と、
前記本体の中に収納される、前記印字ヘッドの少なくとも一部をキャップするために前記本体に関して移動可能の、キャッピング要素と
を備えるキャッピングアセンブリによってキャップされるように配置され、
前記本体が、前記キャッピングアセンブリを前記印字ヘッドに取外し可能に取り付ける取付け要素を含む
インクプライミングシステムが提供される。
【０９７６】
さらなる態様で、前記ページ幅印字ヘッドアセンブリのページ幅印字ヘッドが、
前記印字ヘッドの長さに延びるように構成された本体と、
前記本体の中に収納され、前記印字ヘッドの少なくとも一部をキャップするように適合されたリム部分を有する、キャッピング要素と
を備えるキャッピングアセンブリによってキャップされるように配置され、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
インクプライミングシステムが提供される。
【０９７７】
さらなる態様で、前記ページ幅印字ヘッドアセンブリのページ幅印字ヘッドが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備えるキャッピングアセンブリによってキャップされるように配置され、
前記キャッピング要素が、前記第１位置に偏らされる
インクプライミングシステムが提供される。
【０９７８】
さらなる態様で、前記ページ幅印字ヘッドアセンブリのページ幅印字ヘッドが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備えるキャッピングアセンブリによってキャップされるように配置され、
前記変位アセンブリが、前記位置を決定する電磁石によって制御される
インクプライミングシステムが提供される。
【０９７９】
さらなる態様で、前記カートリッジユニットが、取外し可能であり、
前記インクジェットカートリッジユニットに対して相補的な本体と、
印刷を容易にするために前記印字ヘッドの動作を制御するコントローラと
を備えるクレードルユニットと共に使用されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
インクプライミングシステムが提供される。
【０９８０】
さらなる態様で、前記カートリッジユニットが、取外し可能であり、
前記インクジェットカートリッジユニットに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように配置され、
前記複数の端子が、前記カートリッジが前記本体によって受けられる時に、前記カートリッジに設けられた前記対応する端子とピボット式に係合するように配置される
インクプライミングシステムが提供される。
【０９８１】
さらなる態様で前記カートリッジユニットが、取外し可能であり、
前記インクジェットカートリッジに対して相補的な本体と、
印刷を容易にするために前記印字ヘッドの動作を制御するコントローラと
を備えるクレードルユニットと共に使用されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
インクプライミングシステムが提供される。
【０９８２】
さらなる態様で、前記カートリッジユニットが、取外し可能であり、
前記インクジェットカートリッジに対して相補的である本体と、
印刷を容易にするために前記印字ヘッドの動作を制御するコントローラと
を備えるクレードルユニットと共に使用されるように配置され、
前記本体が、前記カートリッジに補充インクを供給する補充ユニットを受けるように構成され、前記本体が、前記補充ユニットから前記補充可能インク供給にインクを施与する補充アクチュエータを含む
インクプライミングシステムが提供される。
【０９８３】
さらなる態様で、前記カートリッジユニットが、取外し可能であり、キャッパアセンブリを有し、
前記インクジェットカートリッジに対して相補的である本体と、
印刷を容易にするために前記印字ヘッドの動作を制御するコントローラと
を備えるクレードルユニットと共に使用されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
インクプライミングシステムが提供される。
【０９８４】
さらなる態様で、前記カートリッジユニットが、前記カートリッジに対して相補的である本体と、印刷を容易にするために前記印字ヘッドの動作を制御するコントローラとを有するクレードルユニットと共に使用されるように配置され、前記クレードルユニットが、
前記カートリッジの前記インク供給を補充するためにそれを介して補充ユニットが受けられる、その中に形成された少なくとも１つのポート
を備えるカバーアセンブリによってカバーされるように適合される
インクプライミングシステムが提供される。
【０９８５】
さらなる態様で、前記カートリッジユニットが、取外し可能であり、前記カートリッジに対して相補的である本体と、印刷を容易にするために前記印字ヘッドの動作を制御するコントローラとを有するクレードルユニットと共に使用されるように配置され、前記クレードルユニットが、
インク補充ユニットから前記補充可能インク供給にインクを施与する補充アクチュエータ
を備えるカバーアセンブリによってカバーされるように適合される
インクプライミングシステムが提供される。
【０９８６】
さらなる態様で、
前記インク流れ通路と前記インク貯蔵コンパートメントとの間の追加の流体接続をもたらすバイパス流れ通路
をさらに備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
インクプライミングシステムが提供される。
【０９８７】
さらなる態様で、前記カートリッジユニットが、
印刷液を貯蔵し、前記印刷液がそれを介して施与される出口を有する、本体と、
前記本体から施与される前記印刷液の量を選択するように配置されたセレクタと
を備える印刷液ディスペンサを有する印刷液補充カートリッジによって補充されるように配置される、インクプライミングシステムが提供される。
【０９８８】
さらなる態様で、前記カートリッジユニットが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法を使用して、印刷液の供給によって補充されるように適合された前記印刷ユニット内で使用されるように配置される、インクプライミングシステムが提供される。
【０９８９】
さらなる態様で、前記カートリッジユニットが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する印刷液補充カートリッジによって補充されるように配置される、インクプライミングシステムが提供される。
【０９９０】
さらなる態様で、前記カートリッジユニットが、印刷液補充ユニットによって補充されるように配置された印刷エンジンの一部であり、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される、インクプライミングシステムが提供される。
【０９９１】
さらなる態様で、前記カートリッジユニットが、印刷液補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える前記印刷液補充ユニットによって補充されるように配置された印刷エンジンの一部であり、
前記記憶要素によって保管される前記情報は、前記リーダが、前記補充ユニットに含まれる前記印刷液による前記印刷エンジンの前記補充を制御することを可能にする
インクプライミングシステムが提供される。
【０９９２】
さらなる態様で、前記カートリッジユニットが、印刷液補充カートリッジによって補充されるように配置された印刷ユニットの一部であり、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
インクプライミングシステムが提供される。
【０９９３】
さらなる態様で、前記カートリッジユニットが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスに関連し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
インクプライミングシステムが提供される。
【０９９４】
第２４の態様で、本発明は、１つまたは複数のインク貯蔵コンパートメントと流体的に通じたページ幅印字ヘッドアセンブリを有するタイプのカートリッジユニット用のインクプライミングシステムであって、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
インクプライミングシステムを提供する。
【０９９５】
任意選択で、前記インク貯蔵コンパートメントが、前記インクを受け取り、貯蔵する、その中に配置されたインク保持部材を含む。
【０９９６】
任意選択で、前記インク保持部材が、毛細管現象を介して前記インク貯蔵コンパートメントに供給されるインクを吸収するように配置された多孔性本体である。
【０９９７】
任意選択で、前記インク保持部材が、発泡体材料である。
【０９９８】
任意選択で、前記インク流れ通路および前記バイパス流れ通路が、前記インク保持部材のより速いプライミングを容易にするために前記インク保持部材の異なる領域にインクを送る。
【０９９９】
任意選択で、前記印字ヘッドアセンブリが、その長さに沿って配置された１つまたは複数のインク供給チャネルを備え、前記プライミング入口に供給されたインクが、前記チャネルのうちの１つに通る。
【１０００】
任意選択で、前記印字ヘッドアセンブリが、その上にノズルの複数のグループを設けられ、ノズルの各グループが、前記ノズルをプライミングするためにそこからインクを受け取るために前記インク供給チャネルのうちの１つと流体的に通じる。
【１００１】
任意選択で、前記バイパス流れ通路が、前記バイパス流れ通路を開くか閉じるためにアクティブ化されるバイパス弁を組み込む。
【１００２】
任意選択で、前記インク貯蔵コンパートメントのプライミングの後に、前記バイパス弁が閉じられ、これによって、前記バイパス流れ通路を通るさらなるインクの流れが防がれる。
【１００３】
任意選択で、前記バイパス弁が、前記バイパス流れ通路の壁の押下げ可能領域の形で前記壁に設けられ、前記バイパス弁が、前記バイパス流れ通路を塞ぐために前記押下げ可能領域を押すことによって閉じられる。
【１００４】
さらなる態様で、前記カートリッジユニットが、
印刷のために印刷媒体を供給する媒体入力トレイと、
前記印刷媒体にイメージを印刷する印刷エンジンと、
前記印刷された媒体を収集する媒体出力トレイと
を備えるインクジェットプリンタ内で使用されるように配置され、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える
インクプライミングシステムが提供される。
【１００５】
さらなる態様で、前記カートリッジユニットが、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備える印刷エンジン内で使用されるように配置され、
前記クレードルが、媒体入力トレイから印刷媒体を受け取り、印刷された媒体を媒体出力トレイに送るために、前記インクジェットプリンタに固定されるように構成される
インクプライミングシステムが提供される。
【１００６】
さらなる態様で、前記カートリッジユニットが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備える、インクプライミングシステムが提供される。
【１００７】
さらなる態様で、前記カートリッジユニットが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備える、インクプライミングシステムが提供される。
【１００８】
さらなる態様で、前記カートリッジユニットが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備える、インクプライミングシステムが提供される。
【１００９】
さらなる態様で、前記カートリッジユニットが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備え、
前記インク貯蔵コンパートメントが、前記印字ヘッドアセンブリの前記ノズルへの供給のために毛細管現象の下でその中に前記インクを貯蔵する吸収材料を備える
インクプライミングシステムが提供される。
【１０１０】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備え、
前記集積回路が、前記インク分配部材の長さにまたがって接触する配置で位置合せされる
インクプライミングシステムが提供される。
【１０１１】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
インクプライミングシステムが提供される。
【１０１２】
さらなる態様で、前記ページ幅印字ヘッドアセンブリが、
１つまたは複数のインク供給源からインクを受け取り、前記インクを前記印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備え、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
インクプライミングシステムが提供される。
【１０１３】
さらなる態様で、前記ページ幅印字ヘッドアセンブリが、
１つまたは複数のインク供給源からインクを受け取る本体部分であって、前記インクを実質的に前記印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備え、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
インクプライミングシステムが提供される。
【１０１４】
さらなる態様で、前記ページ幅印字ヘッドアセンブリが、
１つまたは複数のインク供給源からインクを受け取る本体部分であって、前記インクを実質的に前記印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備え、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
インクプライミングシステムが提供される。
【１０１５】
さらなる態様で、前記ページ幅印字ヘッドアセンブリのページ幅印字ヘッドが、
前記印字ヘッドの長さに延びるように構成された本体と、
前記本体の中に収納される、前記印字ヘッドの少なくとも一部をキャップするために前記本体に関して移動可能の、キャッピング要素と
を備えるキャッピングアセンブリによってキャップされるように配置され、
前記本体が、前記キャッピングアセンブリを前記印字ヘッドに取外し可能に取り付ける取付け要素を含む
インクプライミングシステムが提供される。
【１０１６】
さらなる態様で、前記ページ幅印字ヘッドアセンブリのページ幅印字ヘッドが、
前記印字ヘッドの長さに延びるように構成された本体と、
前記本体の中に収納され、前記印字ヘッドの少なくとも一部をキャップするように適合されたリム部分を有する、キャッピング要素と
を備えるキャッピングアセンブリによってキャップされるように配置され、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
インクプライミングシステムが提供される。
【１０１７】
さらなる態様で、前記ページ幅印字ヘッドアセンブリのページ幅印字ヘッドが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備えるキャッピングアセンブリによってキャップされるように配置され、
前記キャッピング要素が、前記第１位置に偏らされる
インクプライミングシステムが提供される。
【１０１８】
さらなる態様で、前記ページ幅印字ヘッドアセンブリのページ幅印字ヘッドが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備えるキャッピングアセンブリによってキャップされるように配置され、
前記変位アセンブリが、前記位置を決定する電磁石によって制御される
インクプライミングシステムが提供される。
【１０１９】
さらなる態様で、前記カートリッジユニットが、取外し可能であり、
前記インクジェットカートリッジユニットに対して相補的な本体と、
印刷を容易にするために前記印字ヘッドの動作を制御するコントローラと
を備えるクレードルユニットと共に使用されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
インクプライミングシステムが提供される。
【１０２０】
さらなる態様で、前記カートリッジユニットが、取外し可能であり、
前記インクジェットカートリッジユニットに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように配置され、
前記複数の端子が、前記カートリッジが前記本体によって受けられる時に、前記カートリッジに設けられた前記対応する端子とピボット式に係合するように配置される
インクプライミングシステムが提供される。
【１０２１】
さらなる態様で、前記カートリッジユニットが、取外し可能であり、
前記インクジェットカートリッジに対して相補的な本体と、
印刷を容易にするために前記印字ヘッドの動作を制御するコントローラと
を備えるクレードルユニットと共に使用されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
インクプライミングシステムが提供される。
【１０２２】
さらなる態様で、前記カートリッジユニットが、取外し可能であり、
前記インクジェットカートリッジに対して相補的である本体と、
印刷を容易にするために前記印字ヘッドの動作を制御するコントローラと
を備えるクレードルユニットと共に使用されるように配置され、
前記本体が、前記カートリッジに補充インクを供給する補充ユニットを受けるように構成され、前記本体が、前記補充ユニットから前記補充可能インク供給にインクを施与する補充アクチュエータを含む
インクプライミングシステムが提供される。
【１０２３】
さらなる態様で、前記カートリッジユニットが、取外し可能であり、キャッパアセンブリを有し、
前記インクジェットカートリッジに対して相補的である本体と、
印刷を容易にするために前記印字ヘッドの動作を制御するコントローラと
を備えるクレードルユニットと共に使用されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
インクプライミングシステムが提供される。
【１０２４】
さらなる態様で、前記カートリッジユニットが、前記カートリッジに対して相補的である本体と、印刷を容易にするために前記印字ヘッドの動作を制御するコントローラとを有するクレードルユニットと共に使用されるように配置され、前記クレードルユニットが、
前記カートリッジの前記インク供給を補充するためにそれを介して補充ユニットが受けられる、その中に形成された少なくとも１つのポート
を備えるカバーアセンブリによってカバーされるように適合される
インクプライミングシステムが提供される。
【１０２５】
さらなる態様で、前記カートリッジユニットが、取外し可能であり、前記カートリッジに対して相補的である本体と、印刷を容易にするために前記印字ヘッドの動作を制御するコントローラとを有するクレードルユニットと共に使用されるように配置され、前記クレードルユニットが、
インク補充ユニットから前記補充可能インク供給にインクを施与する補充アクチュエータ
を備えるカバーアセンブリによってカバーされるように適合される
インクプライミングシステムが提供される。
【１０２６】
さらなる態様で、前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる、インクプライミングシステムが提供される。
【１０２７】
さらなる態様で、前記カートリッジユニットが、
印刷液を貯蔵し、前記印刷液がそれを介して施与される出口を有する、本体と、
前記本体から施与される前記印刷液の量を選択するように配置されたセレクタと
を備える印刷液ディスペンサを有する印刷液補充カートリッジによって補充されるように配置される、インクプライミングシステムが提供される。
【１０２８】
さらなる態様で、前記カートリッジユニットが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法を使用して、印刷液の供給によって補充されるように適合された前記印刷ユニット内で使用されるように配置される、インクプライミングシステムが提供される。
【１０２９】
さらなる態様で、前記カートリッジユニットが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する印刷液補充カートリッジによって補充されるように配置される、インクプライミングシステムが提供される。
【１０３０】
さらなる態様で、前記カートリッジユニットが、印刷液補充ユニットによって補充されるように配置された印刷エンジンの一部であり、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される、インクプライミングシステムが提供される。
【１０３１】
さらなる態様で、前記カートリッジユニットが、印刷液補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える前記印刷液補充ユニットによって補充されるように配置された印刷エンジンの一部であり、
前記記憶要素によって保管される前記情報は、前記リーダが、前記補充ユニットに含まれる前記印刷液による前記印刷エンジンの前記補充を制御することを可能にする
インクプライミングシステムが提供される。
【１０３２】
さらなる態様で、前記カートリッジユニットが、印刷液補充カートリッジによって補充されるように配置された印刷ユニットの一部であり、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
インクプライミングシステムが提供される。
【１０３３】
さらなる態様で、前記カートリッジユニットが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスに関連し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
インクプライミングシステムが提供される。
【１０３４】
第２５の態様で、本発明は、
印刷液を貯蔵し、前記印刷液がそれを介して施与される出口を有する、本体と、
前記本体から施与される前記印刷液の量を選択するように配置されたセレクタと
を備える、印刷液補充カートリッジ用の印刷液ディスペンサを提供する。
【１０３５】
任意選択で、前記セレクタによって選択される前記印刷液の前記量が、前記印刷液の離散的量の組から選択された量である。
【１０３６】
任意選択で、離散的量の前記組が、６ｍｌから５０ｍｌの範囲の約６ｍｌ間隔の量を含む。
【１０３７】
任意選択で、前記セレクタが、前記選択された量の前記貯蔵された印刷液を施与するために前記本体の貯蔵容量を選択的に変更するように配置される。
【１０３８】
任意選択で、
前記セレクタが、一連の溝と、前記溝のそれぞれと選択的に係合可能である保持部材とを備え、
前記溝との前記保持部材の各選択的に係合可能な位置が、前記本体の前記貯蔵容量の変更の異なる量をもたらす
ディスペンサが提供される。
【１０３９】
任意選択で、前記一連の溝が、前記セレクタの表面に沿った行に配置され、前記保持部材が、前記溝に関してピボット回転可能であり、前記めいめいのピボット回転が、前記溝との前記保持部材の前記選択的係合をもたらす。
【１０４０】
任意選択で、前記一連の溝が、実質的に円形のループに配置され、前記保持部材および前記本体に関して回転可能であり、前記めいめいの回転が、前記溝との前記保持部材の前記選択的係合をもたらす。
【１０４１】
任意選択で、前記保持部材が、前記溝と係合し、係合解除するために前記溝に関してピボット回転可能であり、前記溝は、前記保持部材が係合解除された時に回転でき、前記保持部材が係合された時に回転を防止される。
【１０４２】
任意選択で、前記セレクタが、
前記出口と反対の前記本体の開放端を密閉し、前記本体の内側に突っ込むように配置されたプランジャと、
前記プランジャを前記本体に駆り立てるために前記プランジャの周囲に配置された駆り立て部材と、
一端の回りの溝の実質的に円形のループと、他端の回りの溝付きねじ山とを有する回転可能シャフトと、
前記溝付きねじ山の中および前記シャフトの回りで巻取可能になるように、一端で前記溝付きねじ山に、多端で前記プランジャに取り付けられたリンク部材であって、前記保持部材が前記溝と係合解除された時に、前記駆り立て部材が、前記シャフトの回転を引き起こし、これによって前記リンク部材を介する前記溝の回転を引き起こす、リンク部材と
を備える。
【１０４３】
さらなる態様で、前記本体の内壁に設けられたねじ山と係合する歯付き斜歯ねじ山を有するプランジャをさらに備え、
前記セレクタが、駆動デバイスに関連する駆動歯車を備え、
前記駆動歯車の回転が、前記本体の前記ねじ山内で前記プランジャを回転し、これによって前記本体の前記貯蔵容量を変更するために、前記歯付きねじ山に与えられる
ディスペンサが提供される。
【１０４４】
任意選択で、前記本体が、前記印刷液を貯蔵し、その一端に出口を有する折り畳み可能リザーバを組み込む。
【１０４５】
さらなる態様で、印刷ユニットの印刷液貯蔵室の入口と取外し可能に係合可能なアパーチャをさらに備える、ディスペンサが提供される。
【１０４６】
さらなる態様で、前記印刷液貯蔵室を実質的に補充するのに必要な印刷液の量を判定する手段をさらに備え、施与される印刷液の量が、前記判定された量に対応するように前記セレクタによって選択される、ディスペンサが提供される。
【１０４７】
任意選択で、前記アパーチャが、前記貯蔵された印刷液をそれを介して施与するために前記室入口の弁シールを貫通するように配置された注射針を備える。
【１０４８】
さらなる態様で、前記アパーチャを前記室入口に取外し可能に固定する固定配置をさらに備える、ディスペンサが提供される。
【１０４９】
任意選択で、前記固定配置が、前記印刷ユニットの少なくとも１つの第２係合部材と取外し可能に係合可能に配置される少なくとも１つの第１係合部材を組み込む。
【１０５０】
任意選択で、前記第２係合部材が、スロットであり、前記第１係合部材が、前記スロットと係合可能な移動可能な突起である。
【１０５１】
任意選択で、前記固定配置が、前記第１係合部材と共に配置された、前記本体の壁の移動可能領域をさらに組み込み、これによって前記移動可能領域の移動が、前記第１係合部材および前記第２係合部材の係合および係合解除をもたらす。
【１０５２】
任意選択で、前記移動可能領域が、前記本体壁の押下げ可能領域を組み込む。
【１０５３】
任意選択で、前記印刷ユニットが、プリンタに取り付け可能なプリンタカートリッジであり、印字ヘッドを組み込む。
【１０５４】
任意選択で、前記プリンタカートリッジのコントローラが、施与される前記印刷液の前記量を選択するように前記セレクタを制御するように配置され、前記選択される量が、前記印刷液貯蔵室を補充するのに十分である。
【１０５５】
任意選択で、前記印刷液が、インクまたはインク定着剤である。
【１０５６】
任意選択で、前記印字ヘッドが、印刷媒体のシートの幅にまたがって印刷液を印刷するように配置されたページ幅印字ヘッドを組み込む。
【１０５７】
任意選択で、前記印字ヘッドが、印刷媒体のシートの幅にまたがって印刷する少なくとも５００００個の印刷ノズルの２次元アレイとして配置されたページ幅印字ヘッドを組み込む。
【１０５８】
任意選択で、前記印字ヘッドが、印刷媒体のシートの幅にまたがって１インチあたり少なくとも１２００滴の印刷液を吐出することによって前記シートに印刷するように配置されたページ幅印字ヘッドとして構成された印刷液吐出ノズルのアレイを組み込む。
【１０５９】
任意選択で、前記印字ヘッドが、１滴あたり約２５０ナノジュール未満の滴吐出エネルギで印刷媒体のシートの幅にまたがって印刷液の滴を吐出することによって前記シートに印刷するように配置されたページ幅印字ヘッドとして構成された印刷液吐出ノズルのアレイを組み込む。
【１０６０】
任意選択で、前記印字ヘッドが、少なくとも毎分６０枚の速度で印刷媒体のシートの幅にまたがって印刷液を印刷するように配置されたページ幅印字ヘッドを組み込む。
【１０６１】
任意選択で、前記印字ヘッドが、少なくとも毎秒５億滴の速度で印刷媒体のシートの幅にまたがって印刷液の滴を吐出することによって前記シートに印刷するように配置されたページ幅印字ヘッドとして構成された印刷液吐出ノズルのアレイを組み込む。
【１０６２】
さらなる態様で、前記印刷液補充カートリッジが、
印刷のために印刷媒体を供給する媒体入力トレイと、
前記印刷媒体にイメージを印刷する印刷エンジンと、
前記印刷された媒体を収集する媒体出力トレイと
を備えるインクジェットプリンタ内で使用されるように配置され、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える
印刷液ディスペンサが提供される。
【１０６３】
さらなる態様で、前記印刷液補充カートリッジが、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備える印刷エンジンと共に使用されるように配置され、
前記クレードルが、媒体入力トレイから印刷媒体を受け取り、印刷された媒体を媒体出力トレイに送るために、前記インクジェットプリンタに固定されるように構成される
印刷液ディスペンサが提供される。
【１０６４】
さらなる態様で、前記印刷液補充カートリッジが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるインクジェットカートリッジユニットと共に使用されるように配置される、印刷液ディスペンサが提供される。
【１０６５】
さらなる態様で、前記印刷液補充カートリッジが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるインクジェットカートリッジユニットと共に使用されるように配置される、印刷液ディスペンサが提供される。
【１０６６】
さらなる態様で、前記印刷液補充カートリッジが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するために前記インクジェットプリンタの対応するコネクタと嵌合するために前記印字ヘッドアセンブリの長さに沿って配置された、電気コネクタと
を備えるインクジェットカートリッジユニットと共に使用されるように配置される、印刷液ディスペンサが提供される。
【１０６７】
さらなる態様で、前記印刷液補充カートリッジが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるインクジェットカートリッジユニットと共に使用されるように配置され、
前記インク貯蔵コンパートメントが、前記印字ヘッドアセンブリの前記ノズルへの供給のために毛細管現象の下でその中に前記インクを貯蔵する吸収材料を備える
印刷液ディスペンサが提供される。
【１０６８】
さらなる態様で、前記印刷液補充カートリッジが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリを有するインクジェットカートリッジと共に使用されるように配置され、
前記集積回路が、前記インク分配部材の長さにまたがって接触する配置で位置合せされる
印刷液ディスペンサが提供される。
【１０６９】
さらなる態様で、前記印刷液補充カートリッジが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリを有するインクジェットカートリッジと共に使用されるように配置され、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
印刷液ディスペンサが提供される。
【１０７０】
さらなる態様で、前記印刷液補充カートリッジが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリを有するインクジェットカートリッジと共に使用されるように配置され、
前記１つまたは複数の集積回路のそれぞれと電気的に通じる電気コネクタが、前記インクジェットプリンタの対応する電気コネクタとの嵌合のために前記印字ヘッドアセンブリの長さに沿って延びる
印刷液ディスペンサが提供される。
【１０７１】
さらなる態様で、前記印刷液補充カートリッジが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリを有するインクジェットカートリッジと共に使用されるように配置され、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
印刷液ディスペンサが提供される。
【１０７２】
さらなる態様で、前記印刷液補充カートリッジが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリを有するインクジェットカートリッジと共に使用されるように配置され、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
印刷液ディスペンサが提供される。
【１０７３】
さらなる態様で、前記印刷液補充カートリッジが、
ページ幅印字ヘッドの長さに延びるように構成された本体と、
前記本体の中に収納される、前記印字ヘッドの少なくとも一部をキャップするために前記本体に関して移動可能の、キャッピング要素と
を備えるキャッピングアセンブリによってキャップされるように適合された前記ページ幅印字ヘッドを有するインクジェットカートリッジと共に使用されるように配置され、
前記本体が、前記キャッピングアセンブリを前記印字ヘッドに取外し可能に取り付ける取付け要素を含む
印刷液ディスペンサが提供される。
【１０７４】
さらなる態様で、前記印刷液補充カートリッジが、
ページ幅印字ヘッドの長さに延びるように構成された本体と、
前記本体の中に収納され、前記印字ヘッドの少なくとも一部をキャップするように適合されたリム部分を有する、キャッピング要素と
を備えるキャッピングアセンブリによってキャップされるように適合された前記ページ幅印字ヘッドを有するインクジェットカートリッジと共に使用されるように配置され、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
印刷液ディスペンサが提供される。
【１０７５】
さらなる態様で、前記印刷液補充カートリッジが、
ページ幅印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備えるキャッピングアセンブリによってキャップされるように適合された前記ページ幅印字ヘッドを有するインクジェットカートリッジと共に使用されるように配置され、
前記キャッピング要素が、前記第１位置に偏らされる
印刷液ディスペンサが提供される。
【１０７６】
さらなる態様で、前記印刷液補充カートリッジが、
ページ幅印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備えるキャッピングアセンブリによってキャップされるように適合された前記ページ幅印字ヘッドを有するインクジェットカートリッジと共に使用されるように配置され、
前記変位アセンブリが、前記位置を決定する電磁石によって制御される
印刷液ディスペンサが提供される。
【１０７７】
さらなる態様で、前記印刷液補充カートリッジが、
ページ幅印字ヘッドおよびインク供給を有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジと共に使用されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
印刷液ディスペンサが提供される。
【１０７８】
さらなる態様で、前記印刷液補充カートリッジが、
ページ幅印字ヘッドおよびインク供給を有するタイプの取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように適合されたインクジェットカートリッジと共に使用されるように配置され、
前記複数の端子が、前記カートリッジが前記本体によって受けられる時に、前記カートリッジに設けられた前記対応する端子とピボット式に係合するように配置される
印刷液ディスペンサが提供される。
【１０７９】
さらなる態様で、前記印刷液補充カートリッジが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジと共に使用されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
印刷液ディスペンサが提供される。
【１０８０】
さらなる態様で、前記印刷液補充カートリッジが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジと共に使用されるように配置され、
前記本体が、前記カートリッジに補充インクを供給する補充ユニットを受けるように構成され、前記本体が、前記補充ユニットから前記補充可能インク供給にインクを施与する補充アクチュエータを含む
印刷液ディスペンサが提供される。
【１０８１】
さらなる態様で、前記印刷液補充カートリッジが、
ページ幅印字ヘッド、インク供給、およびキャッパアセンブリを有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジと共に使用されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
印刷液ディスペンサが提供される。
【１０８２】
さらなる態様で、前記印刷液補充カートリッジが、ページ幅印字ヘッドおよびインク供給を有するタイプの取外し可能インクジェットカートリッジと共に使用されるように配置され、前記取外し可能カートリッジが、前記取外し可能カートリッジに対して相補的である本体と、印刷を容易にするために前記印字ヘッドの動作を制御するコントローラとを有するクレードルユニットと共に使用されるように配置され、前記クレードルユニットが、前記カートリッジの前記インク供給を補充するためにそれを介して補充ユニットが受けられる、その中に形成された少なくとも１つのポートを備えるカバーアセンブリによってカバーされるように適合される、印刷液ディスペンサが提供される。
【１０８３】
さらなる態様で、前記印刷液補充カートリッジが、ページ幅印字ヘッドおよびインク供給を有するタイプの取外し可能インクジェットカートリッジと共に使用されるように配置され、前記取外し可能カートリッジが、前記取外し可能カートリッジに対して相補的である本体と、印刷を容易にするために前記印字ヘッドの動作を制御するコントローラとを有するクレードルユニットと共に使用されるように配置され、前記クレードルユニットが、インク補充ユニットから前記補充可能インク供給にインクを施与する補充アクチュエータを備えるカバーアセンブリによってカバーされるように適合される、印刷液ディスペンサが提供される。
【１０８４】
さらなる態様で、前記印刷液補充カートリッジが、１つまたは複数のインク貯蔵コンパートメントと流体的に通じたページ幅印字ヘッドアセンブリを有するタイプの取外し可能インクジェットカートリッジユニットと共に使用されるように配置され、前記取外し可能カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムによってプライミングされるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
印刷液ディスペンサが提供される。
【１０８５】
さらなる態様で、前記印刷液補充カートリッジが、１つまたは複数のインク貯蔵コンパートメントと流体的に通じたページ幅印字ヘッドアセンブリを有するタイプの取外し可能インクジェットカートリッジユニットと共に使用されるように配置され、前記取外し可能カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
印刷液ディスペンサが提供される。
【１０８６】
さらなる態様で、前記印刷液補充カートリッジが、印刷液の供給によって印刷ユニットを補充するように配置され、補充の方法が、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む、印刷液ディスペンサが提供される。
【１０８７】
さらなる態様で、前記印刷液補充カートリッジが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する、印刷液ディスペンサが提供される。
【１０８８】
さらなる態様で、前記印刷液補充カートリッジが、印刷エンジンと共に使用されるように配置された補充ユニットであり、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される、印刷液ディスペンサが提供される。
【１０８９】
さらなる態様で、前記印刷液補充カートリッジが、補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える印刷液補充ユニットであり、
前記記憶要素によって保管される前記情報は、前記リーダが、前記補充ユニットに含まれる前記印刷液による前記印刷エンジンの前記補充を制御することを可能にする
印刷液ディスペンサが提供される。
【１０９０】
さらなる態様で、前記印刷液補充カートリッジが、印刷ユニットを補充するように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される、印刷液ディスペンサが提供される。
【１０９１】
さらなる態様で、前記印刷液補充カートリッジが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスに関連するインクジェットカートリッジを補充するように配置され、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
印刷液ディスペンサが提供される。
【１０９２】
第２６の態様で、本発明は、印刷ユニット内の印刷液の供給を補充する方法であって、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法を提供する。
【１０９３】
任意選択で、施与する前記ステップが、所定の量以下である、前記印刷液の離散的量の組から前記印刷液の量を選択するステップを含む。
【１０９４】
任意選択で、離散的量の前記組が、６ｍｌから５０ｍｌの範囲の約６ｍｌ間隔の量を含む。
【１０９５】
任意選択で、施与する前記ステップが、前記選択された量の前記貯蔵された印刷液を施与するために前記ディスペンサの貯蔵容量を選択的に変更するステップを含む。
【１０９６】
任意選択で、前記印刷ユニットが、プリンタに取り付け可能であり、印字ヘッドを組み込んだプリンタカートリッジである。
【１０９７】
任意選択で、判定する前記ステップで、前記プリンタカートリッジのコントローラが、補充に必要な印刷液の前記量を判定するのに使用される。
【１０９８】
任意選択で、施与する前記ステップが、前記プリンタカートリッジのコントローラを用いて、施与される前記印刷液の前記量の選択を制御するステップを含む。
【１０９９】
任意選択で、判定する前記ステップが、前記印刷液貯蔵室に含まれる印刷液の前記量を継続的に判定するステップを含み、施与する前記ステップが、判定する前記ステップで前記印刷液貯蔵室が満杯と判定されるまで前記印刷液を継続的に施与するステップを含む。
【１１００】
任意選択で、前記印刷液が、インクまたはインク定着剤である。
【１１０１】
任意選択で、前記印刷ユニットが、
印刷のために印刷媒体を供給する媒体入力トレイと、
前記印刷媒体にイメージを印刷する印刷エンジンと、
前記印刷された媒体を収集する媒体出力トレイと
を備えるインクジェットプリンタであり、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える。
【１１０２】
さらなる態様で、前記印刷ユニットが、
ページ幅印字ヘッドおよびインク供給を有するタイプの前記取外し可能インクジェットカートリッジと、
前記取外し可能インクジェットカートリッジを受け、印刷に関する前記印字ヘッドの動作を制御するように適合された本体を有するクレードルと
を備える印刷エンジンを備え、
前記クレードルが、媒体入力トレイから印刷媒体を受け取り、印刷された媒体を媒体出力トレイに送るために、インクジェットプリンタに固定されるように構成される
方法が提供される。
【１１０３】
さらなる態様で、前記印刷ユニットが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるインクジェットカートリッジユニットを具備する、方法が提供される。
【１１０４】
さらなる態様で、前記印刷ユニットが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるインクジェットカートリッジユニットを具備する、方法が提供される。
【１１０５】
さらなる態様で、前記印刷ユニットが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するためにインクジェットプリンタの対応するコネクタと嵌合するために前記印字ヘッドアセンブリの長さに沿って配置された、電気コネクタと
を備えるインクジェットカートリッジユニットを具備する、方法が提供される。
【１１０６】
さらなる態様で、前記印刷ユニットが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるインクジェットカートリッジユニットを具備し、
前記インク貯蔵コンパートメントが、前記印字ヘッドアセンブリの前記ノズルへの供給のために毛細管現象の下でその中に前記インクを貯蔵する吸収材料を備える
方法が提供される。
【１１０７】
さらなる態様で、前記印刷ユニットが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリを具備し、
前記集積回路が、前記インク分配部材の長さにまたがって接触する配置で位置合せされる
方法が提供される。
【１１０８】
さらなる態様で、前記印刷ユニットが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリを具備し、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
方法が提供される。
【１１０９】
さらなる態様で、前記印刷ユニットが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリを具備し、
前記１つまたは複数の集積回路のそれぞれと電気的に通じる電気コネクタが、インクジェットプリンタの対応する電気コネクタとの嵌合のために前記印字ヘッドアセンブリの長さに沿って延びる
方法が提供される。
【１１１０】
さらなる態様で、前記印刷ユニットが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリを具備し、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
方法が提供される。
【１１１１】
さらなる態様で、前記印刷ユニットが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリを具備し、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
方法が提供される。
【１１１２】
さらなる態様で、前記印刷ユニットが、ページ幅印字ヘッドおよび前記ページ幅印字ヘッドをキャップするキャッピングアセンブリを具備し、前記キャッピングアセンブリが、
前記印字ヘッドの長さに延びるように構成された本体と、
前記本体の中に収納される、前記印字ヘッドの少なくとも一部をキャップするために前記本体に関して移動可能の、キャッピング要素と
を備え、
前記本体が、前記キャッピングアセンブリを前記印字ヘッドに取外し可能に取り付ける取付け要素を含む
方法が提供される。
【１１１３】
さらなる態様で、前記印刷ユニットが、ページ幅印字ヘッドおよび前記ページ幅印字ヘッドをキャップするキャッピングアセンブリを具備し、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と
を備え、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
方法が提供される。
【１１１４】
さらなる態様で、前記印刷ユニットが、ページ幅印字ヘッドおよび前記ページ幅印字ヘッドをキャップするキャッピングアセンブリを具備し、前記キャッピングアセンブリが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備え、
前記キャッピング要素が、前記第１位置に偏らされる
方法が提供される。
【１１１５】
さらなる態様で、前記印刷ユニットが、ページ幅印字ヘッドおよび前記ページ幅印字ヘッドをキャップするキャッピングアセンブリを具備し、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備え、
前記変位アセンブリが、前記位置を決定する電磁石によって制御される
方法が提供される。
【１１１６】
さらなる態様で、前記印刷ユニットが、
ページ幅印字ヘッドおよびインク供給を有するタイプの取外し可能インクジェットカートリッジに対して相補的な本体と、
印刷を容易にするために前記印字ヘッドの動作を制御するコントローラと
を備えるクレードルユニットを具備し、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
方法が提供される。
【１１１７】
さらなる態様で、前記印刷ユニットが、
ページ幅印字ヘッドおよびインク供給を有するタイプの取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットを具備し、
前記複数の端子が、前記カートリッジが前記本体によって受けられる時に、前記カートリッジに設けられた前記対応する端子とピボット式に係合するように配置される
方法が提供される。
【１１１８】
さらなる態様で、前記印刷ユニットが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットを具備し、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
方法が提供される。
【１１１９】
さらなる態様で、前記印刷ユニットが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットを具備し、
前記本体が、前記カートリッジに補充インクを供給する補充ユニットを受けるように構成され、前記本体が、前記補充ユニットから前記補充可能インク供給にインクを施与する補充アクチュエータを含む
方法が提供される。
【１１２０】
さらなる態様で、前記印刷ユニットが、
ページ幅印字ヘッド、インク供給、およびキャッパアセンブリを有するタイプの取外し可能インクジェットカートリッジに対して相補的な本体と、
印刷を容易にするために前記印字ヘッドの動作を制御するコントローラと
を備えるクレードルユニットを具備し、
前記本体が、それに取り付けられた電磁石アセンブリを含み、前記電磁石アセンブリが、前記取外し可能インクジェットカートリッジの前記キャッパアセンブリを動作させるために前記コントローラによって制御される
方法が提供される。
【１１２１】
さらなる態様で、前記印刷ユニットが、ページ幅印字ヘッドおよびインク供給を有するタイプの取外し可能インクジェットカートリッジに対して相補的な本体と、印刷を容易にするために前記印字ヘッドの動作を制御するコントローラとを有するクレードルユニットを具備し、前記印刷ユニットが、前記クレードルユニット用のカバーアセンブリも具備し、
前記カバーアセンブリが、補充ユニットが前記カートリッジの前記インク供給を補充するためにそれを介して受けられる、その中に形成された少なくとも１つのポートを備える
方法が提供される。
【１１２２】
さらなる態様で、前記印刷ユニットが、ページ幅印字ヘッドおよびインク供給を有するタイプの取外し可能インクジェットカートリッジに対して相補的な本体と、印刷を容易にするために前記印字ヘッドの動作を制御するコントローラとを有するクレードルユニットを具備し、前記印刷ユニットが、前記クレードルユニット用のカバーアセンブリも具備し、
前記カバーアセンブリが、インク補充ユニットから前記補充可能インク供給にインクを施与する補充アクチュエータを備える
方法が提供される。
【１１２３】
さらなる態様で、前記印刷ユニットが、１つまたは複数のインク貯蔵コンパートメントと流体的に通じたページ幅印字ヘッドアセンブリを有するタイプのカートリッジユニットと前記カートリッジユニット用のインクプライミングシステムとを具備し、前記プライミングシステムが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
方法が提供される。
【１１２４】
さらなる態様で、前記印刷ユニットが、１つまたは複数のインク貯蔵コンパートメントと流体的に通じたページ幅印字ヘッドアセンブリを有するタイプのカートリッジユニットと前記カートリッジユニット用のインクプライミングシステムとを具備し、前記プライミングシステムが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
方法が提供される。
【１１２５】
さらなる態様で、前記ディスペンサが、
印刷液を貯蔵し、前記印刷液がそれを介して施与される出口を有する、本体と、
前記本体から施与される前記印刷液の量を選択するように配置されたセレクタと
を備える、方法が提供される。
【１１２６】
さらなる態様で、選択的に施与する前記ステップが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリの使用を含む、方法が提供される。
【１１２７】
さらなる態様で、前記方法が、印刷液補充ユニットからの前記印刷ユニットの印刷エンジンの補充に関係し、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される、方法が提供される。
【１１２８】
さらなる態様で、前記方法が、補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を含む前記印刷液補充ユニットからの前記印刷ユニットの前記印刷エンジンの補充に関連し、
前記記憶要素によって保管される前記情報は、前記リーダが、前記補充ユニットに含まれる前記印刷液による前記印刷エンジンの前記補充を制御することを可能にする
方法が提供される。
【１１２９】
さらなる態様で、前記印刷ユニットの前記補充が、印刷液補充カートリッジを用い、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される、方法が提供される。
【１１３０】
さらなる態様で、前記印刷ユニットが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを具備し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
方法が提供される。
【１１３１】
第２７の態様で、本発明は、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える、印刷液補充カートリッジ用の施与アセンブリを提供する。
【１１３２】
任意選択で、前記プランジャが、前記出口と反対の前記本体の開放端を密閉するように配置され、前記アセンブリが、前記プランジャを前記本体の内側に常に駆り立てる駆り立て部材をさらに備える。
【１１３３】
任意選択で、前記保持部材が、前記駆り立て部材によって提供される駆り立て力に反して、前記溝とのその係合を介して前記本体に関して前記プランジャの位置を保持するのに十分な保持力を提供するように構成される。
【１１３４】
任意選択で、前記本体、前記プランジャ、および前記駆り立て部材が、前記補充カートリッジのハウジング内に配置され、前記駆り立て部材が、前記ハウジングの内面と前記プランジャとの間に配置される。
【１１３５】
任意選択で、前記駆り立て部材が、圧縮ばねを組み込む。
【１１３６】
任意選択で、前記保持部材が、回転可能になるように、また、前記保持部材の回転を引き起こし、これによって前記溝との前記保持部材の係合および係合解除を引き起こすために、一端を前記溝と係合可能にし、他端をアクチュエータと係合可能にするように、前記ハウジング内に取り付けられる。
【１１３７】
任意選択で、前記アクチュエータが、前記補充カートリッジが補充のために取り付けられる印刷ユニットに組み込まれる。
【１１３８】
任意選択で、印刷液の前記選択された量が、前記印刷液の離散的量の組から選択された量である。
【１１３９】
任意選択で、離散的量の前記組が、６ｍｌから５０ｍｌの範囲の約６ｍｌ間隔の量を含む。
【１１４０】
任意選択で、前記印刷ユニットが、印刷媒体のシートの幅にまたがって印刷液を印刷するように配置されたページ幅印字ヘッドを組み込む。
【１１４１】
任意選択で、前記印刷ユニットが、印刷媒体のシートの幅にまたがって印刷する少なくとも５００００個の印刷ノズルの２次元アレイとして配置されたページ幅印字ヘッドを組み込む。
【１１４２】
任意選択で、前記印刷ユニットが、印刷媒体のシートの幅にまたがって１インチあたり少なくとも１２００滴の印刷液を吐出することによって前記シートに印刷するように配置されたページ幅印字ヘッドとして構成された印刷液吐出ノズルのアレイを組み込む。
【１１４３】
任意選択で、前記印刷ユニットが、１滴あたり約２５０ナノジュール未満の滴吐出エネルギで印刷媒体のシートの幅にまたがって印刷液の滴を吐出することによって前記シートに印刷するように配置されたページ幅印字ヘッドとして構成された印刷液吐出ノズルのアレイを組み込む。
【１１４４】
任意選択で、前記印刷ユニットが、少なくとも毎分６０枚の速度で印刷媒体のシートの幅にまたがって印刷液を印刷するように配置されたページ幅印字ヘッドを組み込む。
【１１４５】
任意選択で、前記印刷ユニットが、少なくとも毎秒５億滴の速度で印刷媒体のシートの幅にまたがって印刷液の滴を吐出することによって前記シートに印刷するように配置されたページ幅印字ヘッドとして構成された印刷液吐出ノズルのアレイを組み込む。
【１１４６】
さらなる態様で、前記印刷液補充カートリッジが、
印刷のために印刷媒体を供給する媒体入力トレイと、
前記印刷媒体にイメージを印刷する印刷エンジンと、
前記印刷された媒体を収集する媒体出力トレイと
を備えるインクジェットプリンタ内で使用されるように配置され、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える
施与アセンブリが提供される。
【１１４７】
さらなる態様で、前記印刷液補充カートリッジが、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備える印刷エンジンと共に使用されるように配置され、
前記クレードルが、媒体入力トレイから印刷媒体を受け取り、印刷された媒体を媒体出力トレイに送るために、インクジェットプリンタに固定されるように構成される
施与アセンブリが提供される。
【１１４８】
さらなる態様で、前記印刷液補充カートリッジが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるインクジェットカートリッジユニットと共に使用されるように配置される、施与アセンブリが提供される。
【１１４９】
さらなる態様で、前記印刷液補充カートリッジが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるインクジェットカートリッジユニットと共に使用されるように配置される、施与アセンブリが提供される。
【１１５０】
さらなる態様で、前記印刷液補充カートリッジが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するためにインクジェットプリンタの対応するコネクタと嵌合するために前記印字ヘッドアセンブリの長さに沿って配置された、電気コネクタと
を備えるインクジェットカートリッジユニットと共に使用されるように配置される、施与アセンブリが提供される。
【１１５１】
さらなる態様で、前記印刷液補充カートリッジが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるインクジェットカートリッジユニットと共に使用されるように配置され、
前記インク貯蔵コンパートメントが、前記印字ヘッドアセンブリの前記ノズルへの供給のために毛細管現象の下でその中に前記インクを貯蔵する吸収材料を備える
施与アセンブリが提供される。
【１１５２】
さらなる態様で、前記印刷液補充カートリッジが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリを有するインクジェットカートリッジと共に使用されるように配置され、
前記集積回路が、前記インク分配部材の長さにまたがって接触する配置で位置合せされる
施与アセンブリが提供される。
【１１５３】
さらなる態様で、前記印刷液補充カートリッジが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリを有するインクジェットカートリッジと共に使用されるように配置され、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
施与アセンブリが提供される。
【１１５４】
さらなる態様で、前記印刷液補充カートリッジが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリを有するインクジェットカートリッジと共に使用されるように配置され、
前記１つまたは複数の集積回路のそれぞれと電気的に通じる電気コネクタが、インクジェットプリンタの対応する電気コネクタとの嵌合のために前記印字ヘッドアセンブリの長さに沿って延びる
施与アセンブリが提供される。
【１１５５】
さらなる態様で、前記印刷液補充カートリッジが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリを有するインクジェットカートリッジと共に使用されるように配置され、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
施与アセンブリが提供される。
【１１５６】
さらなる態様で、前記印刷液補充カートリッジが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリを有するインクジェットカートリッジと共に使用されるように配置され、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
施与アセンブリが提供される。
【１１５７】
さらなる態様で、前記印刷液補充カートリッジが、
ページ幅印字ヘッドの長さに延びるように構成された本体と、
前記本体の中に収納される、前記印字ヘッドの少なくとも一部をキャップするために前記本体に関して移動可能の、キャッピング要素と
を備えるキャッピングアセンブリによってキャップされるように適合された前記ページ幅印字ヘッドを有するインクジェットカートリッジと共に使用されるように配置され、
前記本体が、前記キャッピングアセンブリを前記印字ヘッドに取外し可能に取り付ける取付け要素を含む
施与アセンブリが提供される。
【１１５８】
さらなる態様で、前記印刷液補充カートリッジが、
ページ幅印字ヘッドの長さに延びるように構成された本体と、
前記本体の中に収納され、前記印字ヘッドの少なくとも一部をキャップするように適合されたリム部分を有する、キャッピング要素と
を備えるキャッピングアセンブリによってキャップされるように適合された前記ページ幅印字ヘッドを有するインクジェットカートリッジと共に使用されるように配置され、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
施与アセンブリが提供される。
【１１５９】
さらなる態様で、前記印刷液補充カートリッジが、
ページ幅印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備えるキャッピングアセンブリによってキャップされるように適合された前記ページ幅印字ヘッドを有するインクジェットカートリッジと共に使用されるように配置され、
前記キャッピング要素が、前記第１位置に偏らされる
施与アセンブリが提供される。
【１１６０】
さらなる態様で、前記印刷液補充カートリッジが、
ページ幅印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備えるキャッピングアセンブリによってキャップされるように適合された前記ページ幅印字ヘッドを有するインクジェットカートリッジと共に使用されるように配置され、
前記変位アセンブリが、前記位置を決定する電磁石によって制御される
施与アセンブリが提供される。
【１１６１】
さらなる態様で、前記印刷液補充カートリッジが、
ページ幅印字ヘッドおよびインク供給を有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジと共に使用されるように配置され、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
施与アセンブリが提供される。
【１１６２】
さらなる態様で、前記印刷液補充カートリッジが、
ページ幅印字ヘッドおよびインク供給を有するタイプの取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように適合されたインクジェットカートリッジと共に使用されるように配置され、
前記複数の端子が、前記カートリッジが前記本体によって受けられる時に、前記カートリッジに設けられた前記対応する端子とピボット式に係合するように配置される
施与アセンブリが提供される。
【１１６３】
さらなる態様で、前記印刷液補充カートリッジが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジと共に使用されるように配置され、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
施与アセンブリが提供される。
【１１６４】
さらなる態様で、前記印刷液補充カートリッジが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジと共に使用されるように配置され、
前記本体が、前記カートリッジに補充インクを供給する補充ユニットを受けるように構成され、前記本体が、前記補充ユニットから前記補充可能インク供給にインクを施与する補充アクチュエータを含む
施与アセンブリが提供される。
【１１６５】
さらなる態様で、前記印刷液補充カートリッジが、
ページ幅印字ヘッド、インク供給、およびキャッパアセンブリを有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジと共に使用されるように配置され、
前記本体が、それに取り付けられた電磁石アセンブリを含み、前記電磁石アセンブリが、前記取外し可能インクジェットカートリッジの前記キャッパアセンブリを動作させるために前記コントローラによって制御される
施与アセンブリが提供される。
【１１６６】
さらなる態様で、前記印刷液補充カートリッジが、ページ幅印字ヘッドおよびインク供給を有するタイプの取外し可能インクジェットカートリッジと共に使用されるように配置され、前記取外し可能カートリッジが、前記取外し可能カートリッジに対して相補的である本体と、印刷を容易にするために前記印字ヘッドの動作を制御するコントローラとを有するクレードルユニットと共に使用されるように配置され、前記クレードルユニットが、前記カートリッジの前記インク供給を補充するためにそれを介して補充ユニットが受けられる、その中に形成された少なくとも１つのポートを備えるカバーアセンブリによってカバーされるように適合される、施与アセンブリが提供される。
【１１６７】
さらなる態様で、前記印刷液補充カートリッジが、ページ幅印字ヘッドおよびインク供給を有するタイプの取外し可能インクジェットカートリッジと共に使用されるように配置され、前記取外し可能カートリッジが、前記取外し可能カートリッジに対して相補的である本体と、印刷を容易にするために前記印字ヘッドの動作を制御するコントローラとを有するクレードルユニットと共に使用されるように配置され、
前記クレードルユニットが、インク補充ユニットから前記補充可能インク供給にインクを施与する補充アクチュエータを備えるカバーアセンブリによってカバーされるように適合される
施与アセンブリが提供される。
【１１６８】
さらなる態様で、前記印刷液補充カートリッジが、ページ幅印字ヘッドとインク供給とを有するタイプの取外し可能インクジェットカートリッジユニットと共に使用されるように配置され、前記取外し可能カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムによってプライミングされるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
施与アセンブリが提供される。
【１１６９】
さらなる態様で、前記印刷液補充カートリッジが、ページ幅印字ヘッドとインク供給とを有するタイプの取外し可能インクジェットカートリッジユニットと共に使用されるように配置され、前記取外し可能カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
施与アセンブリが提供される。
【１１７０】
さらなる態様で、前記アセンブリが、前記印刷液補充カートリッジ用の印刷液ディスペンサを具備し、前記ディスペンサが、
印刷液を貯蔵し、前記印刷液がそれを介して施与される出口を有する、本体と、
前記本体から施与される前記印刷液の量を選択するように配置されたセレクタと
を備える、施与アセンブリが提供される。
【１１７１】
さらなる態様で、前記補充カートリッジが、印刷ユニット内の印刷液の供給を補充する方法で使用されるように配置され、前記方法が、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む、施与アセンブリが提供される。
【１１７２】
さらなる態様で、前記印刷液補充カートリッジが、印刷エンジンを補充するように配置された補充ユニットであり、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される、施与アセンブリが提供される。
【１１７３】
さらなる態様で、前記印刷液補充カートリッジが、補充ユニットに含まれる印刷液の量に関する情報を保管する情報記憶要素であって、前記補充ユニットが前記印刷エンジンに取り付けられた時に前記記憶要素によって保管された前記情報を読み取るために前記印刷エンジンに組み込まれた情報リーダと接続される、前記情報記憶要素を備える印刷液補充ユニットであり、
前記記憶要素によって保管される前記情報は、前記リーダが、前記補充ユニットに含まれる前記印刷液による前記印刷エンジンの前記補充を制御することを可能にする
施与アセンブリが提供される。
【１１７４】
さらなる態様で、前記印刷液補充カートリッジが、印刷ユニットを補充するように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される、施与アセンブリが提供される。
【１１７５】
さらなる態様で、前記印刷液補充カートリッジが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスに関連するインクジェットカートリッジと共に使用されるように配置され、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
施与アセンブリが提供される。
【１１７６】
第２８の態様で、本発明は、印刷液補充ユニットによる印刷エンジンの補充を制御するシステムであって、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムを提供する。
【１１７７】
任意選択で、前記情報リーダが、前記補充ユニットによって施与される前記印刷液の量を制御することによって前記補充を制御するように配置される。
【１１７８】
任意選択で、前記印刷エンジンが、クレードルユニットに取り付け可能である印字ヘッドカートリッジユニットを備える。
【１１７９】
任意選択で、前記情報リーダが、前記印字ヘッドによって実行される印刷を制御するように配置された前記印字ヘッドカートリッジユニットの印刷エンジンコントローラを組み込み、前記印刷エンジンコントローラのコネクタが、前記補充ユニットが前記カートリッジユニットに取り付けられた時に前記補充ユニットの前記情報記憶要素のコネクタと接触するように配置される。
【１１８０】
さらなる態様で、前記印刷エンジンが、印字ヘッドに分配される異なるタイプの印刷液をそれぞれが貯蔵する複数の室を有し、
前記情報リーダが、前記室のそれぞれに貯蔵された印刷液の前記タイプに関する情報を保管するように配置される
システムが提供される。
【１１８１】
さらなる態様で、前記記憶要素が、前記補充ユニットに含まれる印刷液の前記タイプに関する情報を保管し、
前記補充ユニットが、前記補充ユニットに含まれる前記印刷液がそれを介して施与される、前記室のうちの１つの補充ポートに係合される出口を有し、
前記情報リーダが、前記出口が係合された前記室が前記補充ユニットに含まれる前記タイプの印刷液を貯蔵することを検査し、その検査に基づいて前記補充を制御するように配置される
システムが提供される。
【１１８２】
任意選択で、印刷液の前記タイプが、黒インク、シアンインク、マゼンタインク、黄インク、赤外線インク、およびインク定着剤を含む。
【１１８３】
さらなる態様で、前記補充ポートとの前記出口の前記係合を感知するセンサをさらに備え、前記情報リーダが、前記センサが前記係合を感知することに応答して前記補充を制御するように配置される、システムが提供される。
【１１８４】
さらなる態様で、前記補充ユニットが、前記補充ユニットを前記印刷エンジンに取外し可能に固定する固定配置を有し、
前記情報リーダが、前記固定に応答して前記補充を制御するように配置される
システムが提供される。
【１１８５】
任意選択で、前記印字ヘッドが、印刷媒体のシートの幅にまたがって印刷液を印刷するように配置されたページ幅印字ヘッドを組み込む。
【１１８６】
任意選択で、前記印字ヘッドが、印刷媒体のシートの幅にまたがって印刷する少なくとも５００００個の印刷ノズルの２次元アレイとして配置されたページ幅印字ヘッドを組み込む。
【１１８７】
任意選択で、前記印字ヘッドが、印刷媒体のシートの幅にまたがって１インチあたり少なくとも１２００滴の印刷液を吐出することによって前記シートに印刷するように配置されたページ幅印字ヘッドとして構成された印刷液吐出ノズルのアレイを組み込む。
【１１８８】
任意選択で、前記印字ヘッドが、１滴あたり約２５０ナノジュール未満の滴吐出エネルギで印刷媒体のシートの幅にまたがって印刷液の滴を吐出することによって前記シートに印刷するように配置されたページ幅印字ヘッドとして構成された印刷液吐出ノズルのアレイを組み込む。
【１１８９】
任意選択で、前記印字ヘッドが、少なくとも毎分６０枚の速度で印刷媒体のシートの幅にまたがって印刷液を印刷するように配置されたページ幅印字ヘッドを組み込む。
【１１９０】
任意選択で、前記印字ヘッドが、少なくとも毎秒５億滴の速度で印刷媒体のシートの幅にまたがって印刷液の滴を吐出することによって前記シートに印刷するように配置されたページ幅印字ヘッドとして構成された印刷液吐出ノズルのアレイを組み込む。
【１１９１】
任意選択で、前記印刷エンジンが、
印刷のために印刷媒体を供給する媒体入力トレイと、
前記印刷エンジンと、
前記印刷された媒体を収集する媒体出力トレイと
を備える印刷ユニット内で使用されるように配置され、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える。
【１１９２】
さらなる態様で、前記印刷エンジンが、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備え、
前記クレードルが、媒体入力トレイから印刷媒体を受け取り、印刷された媒体を媒体出力トレイに送るために、インクジェットプリンタに固定されるように構成される
システムが提供される。
【１１９３】
さらなる態様で、前記印刷エンジンが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるカートリッジユニットを具備する、システムが提供される。
【１１９４】
さらなる態様で、前記印刷エンジンが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるインクジェットカートリッジユニットを具備する、システムが提供される。
【１１９５】
さらなる態様で、前記印刷エンジンが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するためにインクジェットプリンタの対応するコネクタと嵌合するために前記印字ヘッドアセンブリの長さに沿って配置された、電気コネクタと
を備えるインクジェットカートリッジユニットを具備する、システムが提供される。
【１１９６】
さらなる態様で、前記印刷エンジンが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるカートリッジユニットを具備し、
前記インク貯蔵コンパートメントが、前記印字ヘッドアセンブリの前記ノズルへの供給のために毛細管現象の下でその中に前記インクを貯蔵する吸収材料を備える
システムが提供される。
【１１９７】
さらなる態様で、前記印刷エンジンが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリを有するインクジェットカートリッジを具備し、
前記集積回路が、前記インク分配部材の長さにまたがって接触する配置で位置合せされる
システムが提供される。
【１１９８】
さらなる態様で、前記印刷エンジンが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリを有するインクジェットカートリッジを具備し、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
システムが提供される。
【１１９９】
さらなる態様で、前記印刷エンジンが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリを有するインクジェットカートリッジを具備し、
前記１つまたは複数の集積回路のそれぞれと電気的に通じる電気コネクタが、インクジェットプリンタの対応する電気コネクタとの嵌合のために前記印字ヘッドアセンブリの長さに沿って延びる
システムが提供される。
【１２００】
さらなる態様で、前記印刷エンジンが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリを有するインクジェットカートリッジを具備し、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
システムが提供される。
【１２０１】
さらなる態様で、前記印刷エンジンが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリを有するインクジェットカートリッジを具備し、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
システムが提供される。
【１２０２】
さらなる態様で、前記印刷エンジンが、
ページ幅印字ヘッドの長さに延びるように構成された本体と、
前記本体の中に収納される、前記印字ヘッドの少なくとも一部をキャップするために前記本体に関して移動可能の、キャッピング要素と
を備えるキャッピングアセンブリによってキャップされるように適合された前記ページ幅印字ヘッドを有するインクジェットカートリッジを具備し、
前記本体が、前記キャッピングアセンブリを前記印字ヘッドに取外し可能に取り付ける取付け要素を含む
システムが提供される。
【１２０３】
さらなる態様で、前記印刷エンジンが、
ページ幅印字ヘッドの長さに延びるように構成された本体と、
前記本体の中に収納され、前記印字ヘッドの少なくとも一部をキャップするように適合されたリム部分を有する、キャッピング要素と
を備えるキャッピングアセンブリによってキャップされるように適合された前記ページ幅印字ヘッドを有するインクジェットカートリッジを具備し、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
システムが提供される。
【１２０４】
さらなる態様で、前記印刷エンジンが、
ページ幅印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備えるキャッピングアセンブリによってキャップされるように適合された前記ページ幅印字ヘッドを有するインクジェットカートリッジを具備し、
前記キャッピング要素が、前記第１位置に偏らされる
システムが提供される。
【１２０５】
さらなる態様で、前記印刷エンジンが、
ページ幅印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備えるキャッピングアセンブリによってキャップされるように適合された前記ページ幅印字ヘッドを有するインクジェットカートリッジを具備し、
前記変位アセンブリが、前記位置を決定する電磁石によって制御される
システムが提供される。
【１２０６】
さらなる態様で、前記印刷エンジンが、
ページ幅印字ヘッドおよびインク供給を有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジを具備し、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
システムが提供される。
【１２０７】
さらなる態様で、前記印刷エンジンが、
ページ幅印字ヘッドおよびインク供給を有するタイプの取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように適合されたインクジェットカートリッジを具備し、
前記複数の端子が、前記カートリッジが前記本体によって受けられる時に、前記カートリッジに設けられた前記対応する端子とピボット式に係合するように配置される
システムが提供される。
【１２０８】
さらなる態様で、前記印刷エンジンが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジを具備し、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
システムが提供される。
【１２０９】
さらなる態様で、前記印刷エンジンが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジを具備し、
前記本体が、前記カートリッジに補充インクを供給する補充ユニットを受けるように構成され、前記本体が、前記補充ユニットから前記補充可能インク供給にインクを施与する補充アクチュエータを含む
システムが提供される。
【１２１０】
さらなる態様で、前記印刷エンジンが、
ページ幅印字ヘッド、インク供給、およびキャッパアセンブリを有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジを具備し、
前記本体が、それに取り付けられた電磁石アセンブリを含み、前記電磁石アセンブリが、前記取外し可能インクジェットカートリッジの前記キャッパアセンブリを動作させるために前記コントローラによって制御される
システムが提供される。
【１２１１】
さらなる態様で、前記印刷エンジンが、ページ幅印字ヘッドおよびインク供給を有するタイプの取外し可能インクジェットカートリッジを備え、前記取外し可能カートリッジが、前記取外し可能カートリッジに対して相補的である本体と、印刷を容易にするために前記印字ヘッドの動作を制御するコントローラとを有するクレードルユニットと共に使用されるように配置され、前記クレードルユニットが、前記カートリッジの前記インク供給を補充するためにそれを介して補充ユニットが受けられる、その中に形成された少なくとも１つのポートを備えるカバーアセンブリによってカバーされるように適合される、システムが提供される。
【１２１２】
さらなる態様で、前記印刷エンジンが、ページ幅印字ヘッドおよびインク供給を有するタイプの取外し可能インクジェットカートリッジを備え、前記取外し可能カートリッジが、前記取外し可能カートリッジに対して相補的である本体と、印刷を容易にするために前記印字ヘッドの動作を制御するコントローラとを有するクレードルユニットと共に使用されるように配置され、
前記クレードルユニットが、インク補充ユニットから前記補充可能インク供給にインクを施与する補充アクチュエータを備えるカバーアセンブリによってカバーされるように適合される
システムが提供される。
【１２１３】
さらなる態様で、前記印刷エンジンが、ページ幅印字ヘッドとインク供給とを有するタイプの取外し可能インクジェットカートリッジユニットを備え、前記取外し可能カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムによってプライミングされるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
システムが提供される。
【１２１４】
さらなる態様で、前記印刷エンジンが、ページ幅印字ヘッドとインク供給とを有するタイプの取外し可能インクジェットカートリッジユニットを備え、前記取外し可能カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
システムが提供される。
【１２１５】
さらなる態様で、前記印刷エンジンが、前記液補充ユニットによって補充されるように適合された取外し可能インクジェットカートリッジを備え、前記ユニットが、
印刷液を貯蔵し、前記印刷液がそれを介して施与される出口を有する、本体と、
前記本体から施与される前記印刷液の量を選択するように配置されたセレクタと
を備える印刷液ディスペンサと共に使用されるように配置される
システムが提供される。
【１２１６】
さらなる態様で、前記印刷ユニットが、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法による印刷液の供給によって補充されるように配置される、システムが提供される。
【１２１７】
さらなる態様で、前記印刷液補充ユニットが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリと共に使用されるように配置された印刷液補充カートリッジである、システムが提供される。
【１２１８】
さらなる態様で、前記印刷液補充ユニットが、前記補充ユニットに含まれる印刷液の量に関する情報を保管する情報記憶要素であって、前記補充ユニットが前記印刷エンジンに取り付けられた時に前記記憶要素によって保管された前記情報を読み取るために前記印刷エンジンに組み込まれた情報リーダと接続される、前記情報記憶要素を備え、
前記記憶要素によって保管される前記情報は、前記リーダが、前記補充ユニットに含まれる前記印刷液による前記印刷エンジンの前記補充を制御することを可能にする
システムが提供される。
【１２１９】
さらなる態様で、前記補充ユニットが、前記印刷ユニットを補充するように配置され、前記補充が、
補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される、システムが提供される。
【１２２０】
さらなる態様で、前記印刷エンジンが、前記液補充ユニットによって補充されるように適合された取外し可能インクジェットカートリッジを備え、前記インクジェットカートリッジが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスに関連し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
システムが提供される。
【１２２１】
第２９の態様で、本発明は、印刷エンジン用の印刷液補充ユニットであって、前記補充ユニットに含まれる印刷液の量に関する情報を保管し、前記補充ユニットが前記印刷エンジンに取り付けられた時に前記記憶要素によって保管された前記情報を読み取るために前記印刷エンジンに組み込まれた情報リーダと接続される、情報記憶要素を備え、
前記記憶要素によって保管される前記情報は、前記リーダが、前記補充ユニットに含まれる前記印刷液による前記印刷エンジンの前記補充を制御することを可能にする
印刷液補充ユニットを提供する。
【１２２２】
さらなる態様で、前記補充ユニットによよって施与される前記印刷液の量を選択するセレクタをさらに備え、前記記憶要素によって保管された前記情報は、選択された量の前記印刷液を施与するために前記リーダが前記セレクタを制御することを可能にする、補充ユニットが提供される。
【１２２３】
任意選択として、前記情報記憶要素が、更新可能であり、前記補充ユニットに含まれる印刷液の前記量に関する前記情報が、補充が実行されている間および補充が実行された後に更新される。
【１２２４】
任意選択として、前記印刷エンジンが、クレードルユニットに取り付け可能な印字ヘッドカートリッジを備える。
【１２２５】
任意選択として、前記情報リーダが、前記印字ヘッドによって実行される印刷を制御するように配置された前記印刷エンジンの印刷エンジンコントローラを組み込み、前記情報記憶要素のコネクタが、前記補充ユニットがプリンタカートリッジに取り付けられた時に前記印刷エンジンのコネクタと接触するように配置される。
【１２２６】
さらなる態様で、
前記補充ユニットに含まれる前記印刷液がそれを介して施与される、前記印刷エンジンの補充ポートに係合される出口と、
前記補充ポートとの前記出口の前記係合を感知するセンサと
をさらに備える、補充ユニットが提供される。
【１２２７】
任意選択として、前記印字ヘッドが、印刷媒体のシートの幅にまたがって印刷液を印刷するように配置されたページ幅印字ヘッドを組み込む。
【１２２８】
任意選択として、前記印字ヘッドが、印刷媒体のシートの幅にまたがって印刷する少なくとも５００００個の印刷ノズルの２次元アレイとして配置されたページ幅印字ヘッドを組み込む。
【１２２９】
任意選択として、前記印字ヘッドが、印刷媒体のシートの幅にまたがって１インチあたり少なくとも１２００滴の印刷液を吐出することによって前記シートに印刷するように配置されたページ幅印字ヘッドとして構成された印刷液吐出ノズルのアレイを組み込む。
【１２３０】
任意選択として、前記印字ヘッドが、１滴あたり約２５０ナノジュール未満の滴吐出エネルギで印刷媒体のシートの幅にまたがって印刷液の滴を吐出することによって前記シートに印刷するように配置されたページ幅印字ヘッドとして構成された印刷液吐出ノズルのアレイを組み込む。
【１２３１】
任意選択として、前記印字ヘッドが、少なくとも毎分６０枚の速度で印刷媒体のシートの幅にまたがって印刷液を印刷するように配置されたページ幅印字ヘッドを組み込む。
【１２３２】
任意選択として、前記印字ヘッドが、少なくとも毎秒５億滴の速度で印刷媒体のシートの幅にまたがって印刷液の滴を吐出することによって前記シートに印刷するように配置されたページ幅印字ヘッドとして構成された印刷液吐出ノズルのアレイを組み込む。
【１２３３】
任意選択として、前記印刷エンジンが、
印刷のために印刷媒体を供給する媒体入力トレイと、
前記印刷エンジンと、
前記印刷された媒体を収集する媒体出力トレイと
を備えるインクジェットプリンタユニット内で使用されるように配置され、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える。
【１２３４】
任意選択として、前記印刷エンジンが、
ページ幅印字ヘッドおよびインク供給を有するタイプの取外し可能インクジェットカートリッジと、
前記取外し可能インクジェットカートリッジを受け、印刷に関する前記印字ヘッドの動作を制御するように適合された本体を有するクレードルと
を備え、
前記クレードルが、媒体入力トレイから印刷媒体を受け取り、印刷された媒体を媒体出力トレイに送るために、インクジェットプリンタに固定されるように構成される。
【１２３５】
さらなる態様で、前記印刷エンジンが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるカートリッジユニットを具備する、補充ユニットが提供される。
【１２３６】
さらなる態様で、前記印刷エンジンが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるインクジェットカートリッジユニットを具備する、補充ユニットが提供される。
【１２３７】
さらなる態様で、前記印刷エンジンが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するためにインクジェットプリンタの対応するコネクタと嵌合するために前記印字ヘッドアセンブリの長さに沿って配置された、電気コネクタと
を備えるインクジェットカートリッジユニットを具備する、補充ユニットが提供される。
【１２３８】
さらなる態様で、前記印刷エンジンが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるカートリッジユニットを具備し、
前記インク貯蔵コンパートメントが、前記印字ヘッドアセンブリの前記ノズルへの供給のために毛細管現象の下でその中に前記インクを貯蔵する吸収材料を備える
補充ユニットが提供される。
【１２３９】
さらなる態様で、前記印刷エンジンが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリを有するインクジェットカートリッジを具備し、
前記集積回路が、前記インク分配部材の長さにまたがって接触する配置で位置合せされる
補充ユニットが提供される。
【１２４０】
さらなる態様で、前記印刷エンジンが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリを有するインクジェットカートリッジを具備し、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
補充ユニットが提供される。
【１２４１】
さらなる態様で、前記印刷エンジンが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリを有するインクジェットカートリッジを具備し、
前記１つまたは複数の集積回路のそれぞれと電気的に通じる電気コネクタが、インクジェットプリンタの対応する電気コネクタとの嵌合のために前記印字ヘッドアセンブリの長さに沿って延びる
補充ユニットが提供される。
【１２４２】
さらなる態様で、前記印刷エンジンが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリを有するインクジェットカートリッジを具備し、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
補充ユニットが提供される。
【１２４３】
さらなる態様で、前記印刷エンジンが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリを有するインクジェットカートリッジを具備し、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
補充ユニットが提供される。
【１２４４】
さらなる態様で、前記印刷エンジンが、
ページ幅印字ヘッドの長さに延びるように構成された本体と、
前記本体の中に収納される、前記印字ヘッドの少なくとも一部をキャップするために前記本体に関して移動可能の、キャッピング要素と
を備えるキャッピングアセンブリによってキャップされるように適合された前記ページ幅印字ヘッドを有するインクジェットカートリッジを具備し、
前記本体が、前記キャッピングアセンブリを前記印字ヘッドに取外し可能に取り付ける取付け要素を含む
補充ユニットが提供される。
【１２４５】
さらなる態様で、前記印刷エンジンが、
ページ幅印字ヘッドの長さに延びるように構成された本体と、
前記本体の中に収納され、前記印字ヘッドの少なくとも一部をキャップするように適合されたリム部分を有する、キャッピング要素と
を備えるキャッピングアセンブリによってキャップされるように適合された前記ページ幅印字ヘッドを有するインクジェットカートリッジを具備し、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
補充ユニットが提供される。
【１２４６】
さらなる態様で、前記印刷エンジンが、
ページ幅印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備えるキャッピングアセンブリによってキャップされるように適合された前記ページ幅印字ヘッドを有するインクジェットカートリッジを具備し、
前記キャッピング要素が、前記第１位置に偏らされる
補充ユニットが提供される。
【１２４７】
さらなる態様で、前記印刷エンジンが、
ページ幅印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備えるキャッピングアセンブリによってキャップされるように適合された前記ページ幅印字ヘッドを有するインクジェットカートリッジを具備し、
前記変位アセンブリが、前記位置を決定する電磁石によって制御される
補充ユニットが提供される。
【１２４８】
さらなる態様で、前記印刷エンジンが、
ページ幅印字ヘッドおよびインク供給を有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジを具備し、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
補充ユニットが提供される。
【１２４９】
さらなる態様で、前記印刷エンジンが、
ページ幅印字ヘッドおよびインク供給を有するタイプの取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットと共に使用されるように適合されたインクジェットカートリッジを具備し、
前記複数の端子が、前記カートリッジが前記本体によって受けられる時に、前記カートリッジに設けられた前記対応する端子とピボット式に係合するように配置される
補充ユニットが提供される。
【１２５０】
さらなる態様で、前記印刷エンジンが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジを具備し、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
補充ユニットが提供される。
【１２５１】
さらなる態様で、前記印刷エンジンが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジを具備し、
前記本体が、前記カートリッジに補充インクを供給する補充ユニットを受けるように構成され、前記本体が、前記補充ユニットから前記補充可能インク供給にインクを施与する補充アクチュエータを含む
補充ユニットが提供される。
【１２５２】
さらなる態様で、前記印刷エンジンが、
ページ幅印字ヘッド、インク供給、およびキャッパアセンブリを有するタイプの取外し可能インクジェットカートリッジに対して相補的な本体と、
印刷を容易にするために前記印字ヘッドの動作を制御するコントローラと
を備えるクレードルユニットと共に使用されるように適合されたインクジェットカートリッジを具備し、
前記本体が、それに取り付けられた電磁石アセンブリを含み、前記電磁石アセンブリが、前記取外し可能インクジェットカートリッジの前記キャッパアセンブリを動作させるために前記コントローラによって制御される
補充ユニットが提供される。
【１２５３】
さらなる態様で、前記印刷エンジンが、ページ幅印字ヘッドおよびインク供給を有するタイプの取外し可能インクジェットカートリッジを備え、前記取外し可能カートリッジが、前記取外し可能カートリッジに対して相補的である本体と、印刷を容易にするために前記印字ヘッドの動作を制御するコントローラとを有するクレードルユニットと共に使用されるように配置され、前記クレードルユニットが、前記カートリッジの前記インク供給を補充するためにそれを介して補充ユニットが受けられる、その中に形成された少なくとも１つのポートを備えるカバーアセンブリによってカバーされるように適合される、補充ユニットが提供される。
【１２５４】
さらなる態様で、前記印刷エンジンが、ページ幅印字ヘッドおよびインク供給を有するタイプの取外し可能インクジェットカートリッジを備え、前記取外し可能カートリッジが、前記取外し可能カートリッジに対して相補的である本体と、印刷を容易にするために前記印字ヘッドの動作を制御するコントローラとを有するクレードルユニットと共に使用されるように配置され、
前記クレードルユニットが、インク補充ユニットから前記補充可能インク供給にインクを施与する補充アクチュエータを備えるカバーアセンブリによってカバーされるように適合される
補充ユニットが提供される。
【１２５５】
さらなる態様で、前記印刷エンジンが、ページ幅印字ヘッドとインク供給とを有するタイプの取外し可能インクジェットカートリッジユニットを備え、前記取外し可能カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムによってプライミングされるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
補充ユニットが提供される。
【１２５６】
さらなる態様で、前記印刷エンジンが、ページ幅印字ヘッドとインク供給とを有するタイプの取外し可能インクジェットカートリッジユニットを備え、前記取外し可能カートリッジユニットが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
補充ユニットが提供される。
【１２５７】
さらなる態様で、前記印刷エンジンが、前記液補充ユニットによって補充されるように適合された取外し可能インクジェットカートリッジを備え、前記ユニットが、
印刷液を貯蔵し、前記印刷液がそれを介して施与される出口を有する、本体と、
前記本体から施与される前記印刷液の量を選択するように配置されたセレクタと
を備える印刷液ディスペンサと共に使用されるように配置される
補充ユニットが提供される。
【１２５８】
さらなる態様で、前記印刷エンジンが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法を介して前記補充ユニットによって補充されるように配置される、補充ユニットが提供される。
【１２５９】
さらなる態様で、前記印刷液補充ユニットが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリと共に使用されるように配置された印刷液補充カートリッジである、補充ユニットが提供される。
【１２６０】
さらなる態様で、前記印刷エンジンが、前記補充ユニットによって補充され、前記補充が、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備えるシステムによって制御される、補充ユニットが提供される。
【１２６１】
さらなる態様で、前記補充ユニットが、前記印刷エンジンを補充するように配置され、前記補充が、
補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される、補充ユニットが提供される。
【１２６２】
さらなる態様で、前記印刷エンジンが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスを有するインクジェットカートリッジを具備し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
補充ユニットが提供される。
【１２６３】
第３０の態様で、本発明は、印刷液補充カートリッジによる印刷ユニットの補充を制御する方法であって、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法を提供する。
【１２６４】
任意選択で、
取り付ける前記ステップが、前記印刷ユニットの印刷液貯蔵室の補充ポートを、前記補充カートリッジに含まれる前記印刷液がそれを介して施与される前記補充カートリッジの出口に係合するステップを含み、
読み取る前記ステップが、前記室に含まれる印刷液のレベルに関する情報を読み取るステップを含み、
制御する前記ステップが、前記読み取るステップで前記室が実質的に満杯であると判定されるまで、または前記補充カートリッジが空になるまで、前記補充カートリッジの前記出口を介して離散量の前記印刷液を施与するステップを含む
方法が提供される。
【１２６５】
任意選択で、
取り付ける前記ステップが、前記印刷ユニットの印刷液貯蔵室の補充ポートを、前記補充カートリッジに含まれる前記印刷液がそれを介して施与される前記補充カートリッジの出口に係合するステップを含み、
制御する前記ステップが、前記室に含まれる印刷液のレベルを継続的に監視するステップと、前記室が実質的に満杯になるまでまたは前記補充カートリッジが空になるまで前記補充カートリッジの前記出口を介して前記印刷液を施与するステップとを含む
方法が提供される。
【１２６６】
任意選択で、
取り付ける前記ステップが、固定配置を用いて前記補充カートリッジを前記印刷ユニットに固定するステップを含み、
制御する前記ステップが、補充が実行される前に、固定する前記ステップが実行されたかどうかを検査するステップを含む
方法が提供される。
【１２６７】
任意選択で、制御する前記ステップが、補充が実行されている間および補充が実行された後に、前記情報記憶要素に保管される前記補充カートリッジに含まれる印刷液の前記量に関する前記情報を更新するステップを含む、方法が提供される。
【１２６８】
さらなる態様で、前記印刷ユニットが、
印刷のために印刷媒体を供給する媒体入力トレイと、
前記印刷媒体にイメージを印刷する印刷エンジンと、
前記印刷された媒体を収集する媒体出力トレイと
を備えるインクジェットプリンタであり、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える
方法が提供される。
【１２６９】
さらなる態様で、前記印刷ユニットが、
ページ幅印字ヘッドおよびインク供給を有するタイプの前記取外し可能インクジェットカートリッジと、
前記取外し可能インクジェットカートリッジを受け、印刷に関する前記印字ヘッドの動作を制御するように適合された本体を有するクレードルと
を備える印刷エンジンを具備し、
前記クレードルが、媒体入力トレイから印刷媒体を受け取り、印刷された媒体を媒体出力トレイに送るために、インクジェットプリンタに固定されるように構成される
方法が提供される。
【１２７０】
さらなる態様で、前記印刷ユニットが、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるインクジェットカートリッジユニットを具備する、方法が提供される。
【１２７１】
さらなる態様で、前記印刷ユニットが、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるインクジェットカートリッジユニットを具備する、方法が提供される。
【１２７２】
さらなる態様で、前記印刷ユニットが、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するためにインクジェットプリンタの対応するコネクタと嵌合するために前記印字ヘッドアセンブリの長さに沿って配置された、電気コネクタと
を備えるインクジェットカートリッジユニットを具備する、方法が提供される。
【１２７３】
さらなる態様で、前記印刷ユニットが、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるインクジェットカートリッジユニットを具備し、
前記インク貯蔵コンパートメントが、前記印字ヘッドアセンブリの前記ノズルへの供給のために毛細管現象の下でその中に前記インクを貯蔵する吸収材料を備える
方法が提供される。
【１２７４】
さらなる態様で、前記印刷ユニットが、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリを具備し、
前記集積回路が、前記インク分配部材の長さにまたがって接触する配置で位置合せされる
方法が提供される。
【１２７５】
さらなる態様で、前記印刷ユニットが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリを具備し、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
方法が提供される。
【１２７６】
さらなる態様で、前記印刷ユニットが、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリを具備し、
前記１つまたは複数の集積回路のそれぞれと電気的に通じる電気コネクタが、インクジェットプリンタの対応する電気コネクタとの嵌合のために前記印字ヘッドアセンブリの長さに沿って延びる
方法が提供される。
【１２７７】
さらなる態様で、前記印刷ユニットが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリを具備し、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
方法が提供される。
【１２７８】
さらなる態様で、前記印刷ユニットが、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリを具備し、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
方法が提供される。
【１２７９】
さらなる態様で、前記印刷ユニットが、ページ幅印字ヘッドおよび前記ページ幅印字ヘッドをキャップするキャッピングアセンブリを具備し、前記キャッピングアセンブリが、
前記印字ヘッドの長さに延びるように構成された本体と、
前記本体の中に収納される、前記印字ヘッドの少なくとも一部をキャップするために前記本体に関して移動可能の、キャッピング要素と
を備え、
前記本体が、前記キャッピングアセンブリを前記印字ヘッドに取外し可能に取り付ける取付け要素を含む
方法が提供される。
【１２８０】
さらなる態様で、前記印刷ユニットが、ページ幅印字ヘッドおよび前記ページ幅印字ヘッドをキャップするキャッピングアセンブリを具備し、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と
を備え、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
方法が提供される。
【１２８１】
さらなる態様で、前記印刷ユニットが、ページ幅印字ヘッドおよび前記ページ幅印字ヘッドをキャップするキャッピングアセンブリを具備し、前記キャッピングアセンブリが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備え、
前記キャッピング要素が、前記第１位置に偏らされる
方法が提供される。
【１２８２】
さらなる態様で、前記印刷ユニットが、ページ幅印字ヘッドおよび前記ページ幅印字ヘッドをキャップするキャッピングアセンブリを具備し、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備え、
前記変位アセンブリが、前記位置を決定する電磁石によって制御される
方法が提供される。
【１２８３】
さらなる態様で、前記印刷ユニットが、
ページ幅印字ヘッドおよびインク供給を有するタイプの取外し可能インクジェットカートリッジに対して相補的な本体と、
印刷を容易にするために前記印字ヘッドの動作を制御するコントローラと
を備えるクレードルユニットを具備し、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
方法が提供される。
【１２８４】
さらなる態様で、前記印刷ユニットが、
ページ幅印字ヘッドおよびインク供給を有するタイプの取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットを具備し、
前記複数の端子が、前記カートリッジが前記本体によって受けられる時に、前記カートリッジに設けられた前記対応する端子とピボット式に係合するように配置される
方法が提供される。
【１２８５】
さらなる態様で、前記印刷ユニットが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットを具備し、
前記本体が、前記取外し可能インクジェットカートリッジを前記本体内に囲い込むカバーアセンブリを備え、前記カバーアセンブリが、その中に少なくとも１つのポートを形成され、前記少なくとも１つのポートを介して、補充ユニットが前記カートリッジの前記インク供給を補充するために受けられる
方法が提供される。
【１２８６】
さらなる態様で、前記印刷ユニットが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットを具備し、
前記本体が、前記カートリッジに補充インクを供給する補充ユニットを受けるように構成され、前記本体が、前記補充ユニットから前記補充可能インク供給にインクを施与する補充アクチュエータを備える
方法が提供される。
【１２８７】
さらなる態様で、前記印刷ユニットが、
ページ幅印字ヘッド、インク供給、およびキャッパアセンブリを有するタイプの取外し可能インクジェットカートリッジに対して相補的な本体と、
印刷を容易にするために前記印字ヘッドの動作を制御するコントローラと
を備えるクレードルユニットを具備し、
前記本体が、それに取り付けられた電磁石アセンブリを備え、前記電磁石アセンブリが、前記取外し可能インクジェットカートリッジの前記キャッパアセンブリを動作させるために前記コントローラによって制御される
方法が提供される。
【１２８８】
さらなる態様で、前記印刷ユニットが、ページ幅印字ヘッドおよびインク供給を有するタイプの取外し可能インクジェットカートリッジに対して相補的な本体と、印刷を容易にするために前記印字ヘッドの動作を制御するコントローラとを有するクレードルユニットを備え、前記印刷ユニットが、前記クレードルユニット用のカバーアセンブリも備え、
前記カバーアセンブリが、補充ユニットが前記カートリッジの前記インク供給を補充するためにそれを介して受けられる、その中に形成された少なくとも１つのポートを備える
方法が提供される。
【１２８９】
さらなる態様で、前記印刷ユニットが、ページ幅印字ヘッドおよびインク供給を有するタイプの取外し可能インクジェットカートリッジに対して相補的な本体と、印刷を容易にするために前記印字ヘッドの動作を制御するコントローラとを有するクレードルユニットを備え、前記印刷ユニットが、前記クレードルユニット用のカバーアセンブリも備え、
前記カバーアセンブリが、インク補充ユニットから前記補充可能インク供給にインクを施与する補充アクチュエータを備える
方法が提供される。
【１２９０】
さらなる態様で、前記印刷ユニットが、１つまたは複数のインク貯蔵コンパートメントと流体的に通じたページ幅印字ヘッドアセンブリを有するタイプのカートリッジユニットと前記カートリッジユニット用のインクプライミングシステムとを具備し、前記プライミングシステムが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
方法が提供される。
【１２９１】
さらなる態様で、前記印刷ユニットが、１つまたは複数のインク貯蔵コンパートメントと流体的に通じたページ幅印字ヘッドアセンブリを有するタイプのカートリッジユニットと前記カートリッジユニット用のインクプライミングシステムとを具備し、前記プライミングシステムが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備え、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
方法が提供される。
【１２９２】
さらなる態様で、前記補充カートリッジが、
印刷液を貯蔵し、前記印刷液がそれを介して施与される出口を有する、本体と、
前記本体から施与される前記印刷液の量を選択するように配置されたセレクタと
を備える印刷液ディスペンサと共に使用されるように配置される
方法が提供される。
【１２９３】
さらなる態様で、前記印刷ユニットの印刷液の前記供給の前記補充が、
印刷液のディスペンサの出口を前記印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって実行される、方法が提供される。
【１２９４】
さらなる態様で、前記補充カートリッジが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリと共に使用されるように配置される、方法が提供される。
【１２９５】
さらなる態様で、前記方法が、前記補充ユニットからの前記印刷ユニットの印刷エンジンの補充に関係し、前記補充を制御するシステムに関連し、前記システムが、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備える、方法が提供される。
【１２９６】
さらなる態様で、前記補充カートリッジが、補充ユニットに含まれる印刷液の量に関する情報を保管する情報記憶要素であって、前記補充ユニットが前記印刷エンジンに取り付けられた時に前記記憶要素によって保管された前記情報を読み取るために前記印刷エンジンに組み込まれた情報リーダと接続される、前記情報記憶要素を備えた印刷液補充ユニットであり、
前記記憶要素によって保管される前記情報は、前記リーダが、前記補充ユニットに含まれる前記印刷液による前記印刷エンジンの前記補充を制御することを可能にする
方法が提供される。
【１２９７】
さらなる態様で、前記印刷ユニットが、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスに関連する取外し可能インクジェットカートリッジを具備し、
前記チャネルのそれぞれの第１端が、毛細管現象の下でそこに貯蔵するために印刷液供給から印刷液を抽出するために前記印刷液供給と流体的に通じており、前記貯蔵された印刷液が、毛細管現象の下で前記少なくとも１つのノズルに供給される
方法が提供される。
【１２９８】
第３１の態様で、本発明は、印刷液を貯蔵し、プリンタユニットの印字ヘッドの少なくとも１つの印刷液吐出ノズルに前記貯蔵された印刷液を供給するためにアレイに配置された複数の個々のチャネルを有する多孔性本体を備える印刷液貯蔵デバイスであって、
前記チャネルのそれぞれの第１端が、毛細管現象の下でそこに貯蔵するために印刷液供給から印刷液を抽出するために前記液供給と流体的に通じており、前記貯蔵された印刷液が、毛細管現象の下で前記少なくとも１つのノズルに供給される
印刷液貯蔵デバイスを提供する。
【１２９９】
任意選択で、前記複数のチャネルの少なくとも一部が、前記多孔性本体内の秩序だったアレイに配置される。
【１３００】
任意選択で、前記印刷液供給が、プリンタユニットに組み込まれる。
【１３０１】
任意選択で、前記印刷液供給が、プリンタユニットから取外し可能である。
【１３０２】
さらなる態様で、前記チャネルへの抽出のために前記印刷液供給から印刷液をトラップするために、前記チャネルのそれぞれの前記第１端と前記印刷液供給との間に配置された印刷液トラップ層をさらに備える、印刷液貯蔵デバイスが提供される。
【１３０３】
任意選択で、前記トラップ層が、前記チャネルのそれぞれの前記第１端と前記少なくとも１つのノズルとの間にも配置される。
【１３０４】
任意選択で、前記トラップ層が、多孔性発泡体材料またはスポンジ材料を組み込む。
【１３０５】
任意選択で、各チャネルが、その第１端と第２端とを連続的に接続する実質的に剛体の壁を有する。
【１３０６】
任意選択で、各チャネルが、約１０μｍ以下の直径を有する。
【１３０７】
任意選択で、前記多孔性本体が、ポリカーボネート、アクリル樹脂、ポリスルホン、ポリスチレン、フルオロポリマ、環状オレフィンポリマ、および環状オレフィンコポリマからなる群から選択されたポリマから形成される。
【１３０８】
任意選択で、前記チャネルのそれぞれの前記第２端がそれに対して開かれている周囲が、実質的に空気で充たされる。
【１３０９】
任意選択で、前記印刷液が、インクである。
【１３１０】
任意選択で、前記印字ヘッドが、印刷媒体のシートの幅にまたがって印刷液を印刷するように配置されたページ幅印字ヘッドを組み込む。
【１３１１】
任意選択で、前記印字ヘッドが、印刷媒体のシートの幅にまたがって印刷する少なくとも５００００個のノズルの２次元アレイとして配置されたページ幅印字ヘッドを組み込む。
【１３１２】
任意選択で、前記印字ヘッドが、印刷媒体のシートの幅にまたがって１インチあたり少なくとも１２００滴の印刷液を吐出することによって前記シートに印刷するように配置されたページ幅印字ヘッドとして構成された前記ノズルのアレイを組み込む。
【１３１３】
任意選択で、前記印字ヘッドが、１滴あたり約２５０ナノジュール未満の滴吐出エネルギで印刷媒体のシートの幅にまたがって印刷液の滴を吐出することによって前記シートに印刷するように配置されたページ幅印字ヘッドとして構成された前記ノズルのアレイを組み込む。
【１３１４】
任意選択で、前記印字ヘッドが、少なくとも毎分６０枚の速度で印刷媒体のシートの幅にまたがって印刷液を印刷するように配置されたページ幅印字ヘッドを組み込む。
【１３１５】
任意選択で、前記印字ヘッドが、少なくとも毎秒５億滴の速度で印刷媒体のシートの幅にまたがって印刷液の滴を吐出することによって前記シートに印刷するように配置されたページ幅印字ヘッドとして構成された前記ノズルのアレイを組み込む。
【１３１６】
さらなる態様で、プリンタユニットが、
印刷のために印刷媒体を供給する媒体入力トレイと、
前記印刷媒体にイメージを印刷する印刷エンジンと、
前記印刷された媒体を収集する媒体出力トレイと
を備えるインクジェットプリンタユニットであり、
前記印刷エンジンが、ページ幅印字ヘッドおよびインク供給を有するタイプの取外し可能インクジェットカートリッジと、前記取外し可能インクジェットカートリッジを受け、印刷に関する前記印字ヘッドの動作を制御するように適合された本体を有するクレードルとを備える
貯蔵デバイスが提供される。
【１３１７】
さらなる態様で、
ページ幅印字ヘッドおよびインク供給を有するタイプの前記取外し可能インクジェットカートリッジと、
前記取外し可能インクジェットカートリッジを受け、印刷に関する前記印字ヘッドの動作を制御するように適合された本体を有するクレードルと
を備えるインクジェットプリンタ用の印刷エンジン内で使用されるように配置され、
前記クレードルが、媒体入力トレイから印刷媒体を受け取り、印刷された媒体を媒体出力トレイに送るために、前記インクジェットプリンタに固定されるように構成される
貯蔵デバイスが提供される。
【１３１８】
さらなる態様で、
１つまたは複数のインク貯蔵コンパートメントを有する本体部分と、
前記本体に取り付け可能であり、前記１つまたは複数のコンパートメントからインクを受け取り、ページ幅印字ヘッドアセンブリの長さに沿って前記インクを分配するように構成された、前記ページ幅印字ヘッドアセンブリと
を備えるインクジェットプリンタ用のカートリッジユニット内で使用されるように配置される、貯蔵デバイスが提供される。
【１３１９】
さらなる態様で、
１つまたは複数のインク貯蔵コンパートメントを有する本体部分と、
前記本体部分に取り付け可能であり、印刷のために前記１つまたは複数のコンパートメントからインクを受け取るように構成された、ページ幅印字ヘッドアセンブリと、
前記印字ヘッドアセンブリの長さに沿って延びるように前記本体部分に取り付け可能なキャッパユニットであって、前記印字ヘッドアセンブリの表面と接触するために前記キャッパユニットに関して移動可能なキャッピング要素を収納する、前記キャッパユニットと
を備えるカートリッジユニット内で使用されるように配置される、貯蔵デバイスが提供される。
【１３２０】
さらなる態様で、
１つまたは複数のインク貯蔵コンパートメントを収納する本体部分と、
前記１つまたは複数のインク貯蔵コンパートメントからインクを受け取るように構成され、使用中に通る印刷媒体に前記インクを送るように配置された複数のノズルを有する、ページ幅印字ヘッドアセンブリと、
前記印字ヘッドアセンブリの前記ノズルと電気的に通じ、前記ノズルの動作を制御するためにインクジェットプリンタの対応するコネクタと嵌合するために前記印字ヘッドアセンブリの長さに沿って配置された、電気コネクタと
を備えるカートリッジユニット内で使用されるように配置される、貯蔵デバイスが提供される。
【１３２１】
さらなる態様で、
複数のインク貯蔵コンパートメントを有する本体部分と、
インク貯蔵コンパートメントからインクを受け取り、使用中に通る印刷媒体に前記インクを送るように配置された複数のノズルに前記インクを分配するように構成された、ページ幅印字ヘッドアセンブリと
を備えるカートリッジユニット内で使用されるように配置され、
前記インク貯蔵コンパートメントが、前記印字ヘッドアセンブリの前記ノズルへの供給のために毛細管現象の下でその中に前記インクを貯蔵する吸収材料を備える
貯蔵デバイスが提供される。
【１３２２】
さらなる態様で、
１つまたは複数のインク供給源からインクを受け取り、前記インクをページ幅印字ヘッドアセンブリの長さに沿って分配する本体部分と、
前記印字ヘッドアセンブリの長さに延びる複数の集積回路であって、各集積回路が、複数のノズルをその上に複数の行をなして形成され、前記ノズルのそれぞれが、使用中に通る印刷媒体に前記インクを送るように配置される、前記複数の集積回路と、
前記集積回路がその上に固定される、前記インクを前記本体部分から前記集積回路の前記ノズルに分配するインク分配部材と
を備える前記ページ幅印字ヘッドアセンブリを有するカートリッジ内で使用されるように配置され、
前記集積回路が、前記インク分配部材の長さにまたがって接触する配置で位置合せされる
貯蔵デバイスが提供される。
【１３２３】
さらなる態様で、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリを有する取外し可能インクジェットカートリッジ内で使用されるように配置され、
前記本体部分が、前記印字ヘッドアセンブリと前記１つまたは複数のインク供給源との間のインクの流れを容易にするために、前記印字ヘッドアセンブリを前記１つまたは複数のインク供給源に固定する１つまたは複数のコネクタをその上に形成される
貯蔵デバイスが提供される。
【１３２４】
さらなる態様で、
１つまたは複数のインク供給源からインクを受け取り、前記インクをページ幅印字ヘッドアセンブリの長さに沿って分配する本体部分と、
実質的に前記印字ヘッドアセンブリの長さに延びる１つまたは複数の集積回路であって、前記１つまたは複数の集積回路のそれぞれが、その上に複数のノズルを形成され、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記１つまたは複数の集積回路のそれぞれの前記ノズルに分配するインク分配部材と
を備える前記ページ幅印字ヘッドアセンブリを有する取外し可能インクジェットカートリッジ内で使用されるように配置され、
前記１つまたは複数の集積回路のそれぞれと電気的に通じる電気コネクタが、インクジェットプリンタの対応する電気コネクタとの嵌合のために前記印字ヘッドアセンブリの長さに沿って延びる
貯蔵デバイスが提供される。
【１３２５】
さらなる態様で、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、前記１つまたは複数の集積回路のそれぞれが、複数のノズルを有し、前記ノズルのそれぞれが、使用中に通る印刷媒体に前記インクを送るように配置される、前記１つまたは複数の集積回路と、
前記１つまたは複数の集積回路のそれぞれがその上に固定される、前記インクを前記本体部分から前記集積回路のそれぞれに分配するインク分配部材と
を備える前記ページ幅印字ヘッドアセンブリを有する取外し可能インクジェットカートリッジ内で使用されるように配置され、
前記インク分配部材が、それを通って複数の導管を形成された単一要素であり、前記導管のそれぞれが、前記本体部分の前記チャネルのうちの１つからインクを受け取る入口と、前記１つまたは複数の集積回路の所定の個数のノズルに前記インクを送る出口とを有する
貯蔵デバイスが提供される。
【１３２６】
さらなる態様で、
１つまたは複数のインク供給源からインクを受け取る本体部分であって、前記インクを実質的にページ幅印字ヘッドアセンブリの長さに沿って分配する１つまたは複数のチャネルをその中に形成された前記本体部分と、
実質的に前記印字ヘッドアセンブリの長さに延びる１つまたは複数の集積回路であって、各集積回路が、複数のノズルを有し、前記ノズルのそれぞれが、使用中に通る印刷媒体に前記インクを送るように配置される、前記１つまたは複数の集積回路と、
その上に各集積回路が固定される、前記インクを前記本体部分から前記集積回路のそれぞれに分配するインク分配部材と
を備える前記ページ幅印字ヘッドアセンブリを有する取外し可能インクジェットカートリッジ内で使用されるように配置され、
前記インク分配部材が、各集積回路に送るために前記インクを前記本体部分の前記１つまたは複数のチャネルから向ける第１層と、前記インクを前記第１層から受け取るために、各集積回路を受け、定位置に固定する、前記第１層に取り付けられた第２層とを備える
貯蔵デバイスが提供される。
【１３２７】
さらなる態様で、前記デバイスが、ページ幅印字ヘッドと前記印字ヘッドをキャップするキャッピングアセンブリとを有するカートリッジ内で使用されるように配置され、前記キャッピングアセンブリが、
前記印字ヘッドの長さに延びるように構成された本体と、
前記本体の中に収納される、前記印字ヘッドの少なくとも一部をキャップするために前記本体に関して移動可能の、キャッピング要素と
を備え、
前記本体が、前記キャッピングアセンブリを前記印字ヘッドに取外し可能に取り付ける取付け要素を含む
貯蔵デバイスが提供される。
【１３２８】
さらなる態様で、前記デバイスが、ページ幅印字ヘッドと前記印字ヘッドをキャップするキャッピングアセンブリとを有するカートリッジ内で使用されるように配置され、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と
を備え、
前記キャッピング要素が、前記本体に関して第１位置と第２位置との間で移動可能であり、前記第１位置が、前記リム部分が前記本体から延びる位置であり、前記第２位置が、前記リム部分が前記本体の中に含まれる位置である
貯蔵デバイスが提供される。
【１３２９】
さらなる態様で、前記デバイスが、ページ幅印字ヘッドと前記印字ヘッドをキャップするキャッピングアセンブリとを有するカートリッジ内で使用されるように配置され、前記キャッピングアセンブリが、
前記印字ヘッドの長さに延びるように構成された本体と、
前記本体の中に収納され、前記本体に関して第１位置と第２位置との間で移動可能であるキャッピング要素であって、前記第１位置が、前記キャッピング要素の一部が前記本体から延びる位置であり、前記第２位置が、前記キャッピング要素が前記本体の中に含まれる位置である、前記キャッピング要素と
を備え、
前記キャッピング要素が、前記第１位置に偏らされる
貯蔵デバイスが提供される。
【１３３０】
さらなる態様で、前記デバイスが、ページ幅印字ヘッドと前記印字ヘッドをキャップするキャッピングアセンブリとを有するカートリッジ内で使用されるように配置され、前記キャッピングアセンブリが、
前記印字ヘッドの長さに延びるように構成された本体と、
前記本体の中に収納され、前記印字ヘッドの少なくとも一部をキャップするように適合されたリム部分を有する、キャッピング要素と、
前記キャッピング要素の前記リム部分が前記本体から延びる第１位置と前記キャッピング要素の前記リム部分が前記本体の中に含まれる第２位置との間で前記キャッピング要素を移動する、前記本体内に収納される、変位アセンブリと
を備え、
前記変位アセンブリが、前記位置を決定する電磁石によって制御される
貯蔵デバイスが提供される。
【１３３１】
さらなる態様で、前記プリンタユニットが、
ページ幅印字ヘッドおよびインク供給を有するタイプの取外し可能インクジェットカートリッジに対して相補的な本体と、
印刷を容易にするために前記印字ヘッドの動作を制御するコントローラと
を備えるクレードルユニットを具備し、
複数の端子が、前記コントローラと前記カートリッジとの間の電気通信を可能にするために、前記取外し可能インクジェットカートリッジの長さに沿って置かれた対応する端子と接触するために前記本体の長さに沿って置かれる
貯蔵デバイスが提供される。
【１３３２】
さらなる態様で、前記プリンタユニットが、
ページ幅印字ヘッドおよびインク供給を有するタイプの取外し可能インクジェットカートリッジに対して相補的な本体と、
印刷を容易にするために前記印字ヘッドの動作を制御するコントローラと、
前記コントローラから前記カートリッジに設けられた対応する端子に制御信号を送るために前記コントローラと電気的に通じる複数の端子と
を備えるクレードルユニットを具備し、
前記複数の端子が、前記カートリッジが前記本体によって受けられる時に、前記カートリッジに設けられた前記対応する端子とピボット式に係合するように配置される
貯蔵デバイスが提供される。
【１３３３】
さらなる態様で、前記プリンタユニットが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットを具備し、
前記本体が、前記取外し可能インクジェットカートリッジを前記本体内に囲い込むカバーアセンブリを含み、前記カバーアセンブリが、その中に少なくとも１つのポートを形成され、前記少なくとも１つのポートを介して、補充ユニットが前記カートリッジの前記インク供給を補充するために受けられる
貯蔵デバイスが提供される。
【１３３４】
さらなる態様で、前記プリンタユニットが、
ページ幅印字ヘッドおよび補充可能インク供給を有するタイプの取外し可能インクジェットカートリッジに対して相補的な本体と、
印刷を容易にするために前記印字ヘッドの動作を制御するコントローラと
を備えるクレードルユニットを具備し、
前記本体が、前記カートリッジに補充インクを供給する補充ユニットを受けるように構成され、前記本体が、前記補充ユニットから前記補充可能インク供給にインクを施与する補充アクチュエータを含む
貯蔵デバイスが提供される。
【１３３５】
さらなる態様で、前記プリンタユニットが、
ページ幅印字ヘッド、インク供給、およびキャッパアセンブリを有するタイプの取外し可能インクジェットカートリッジに対して相補的な本体と、
印刷を容易にするために前記印字ヘッドの動作を制御するコントローラと
を備えるクレードルユニットを具備し、
前記本体が、それに取り付けられた電磁石アセンブリを含み、前記電磁石アセンブリが、前記取外し可能インクジェットカートリッジの前記キャッパアセンブリを動作させるために前記コントローラによって制御される
貯蔵デバイスが提供される。
【１３３６】
さらなる態様で、前記プリンタユニットが、ページ幅印字ヘッドおよびインク供給を有するタイプの取外し可能インクジェットカートリッジに対して相補的な本体と、印刷を容易にするために前記印字ヘッドの動作を制御するコントローラとを有するクレードルユニットを備え、前記クレードルユニットが、
補充ユニットが前記カートリッジの前記インク供給を補充するためにそれを介して受けられる、その中に形成された少なくとも１つのポート
を備えるカバーアセンブリによってカバーされるように配置される
貯蔵デバイスが提供される。
【１３３７】
さらなる態様で、前記プリンタユニットが、ページ幅印字ヘッドおよびインク供給を有するタイプの取外し可能インクジェットカートリッジに対して相補的な本体と、印刷を容易にするために前記印字ヘッドの動作を制御するコントローラとを有するクレードルユニットを備え、前記クレードルユニットが、
インク補充ユニットから前記補充可能インク供給にインクを施与する補充アクチュエータ
を備えるカバーアセンブリによってカバーされるように配置される
貯蔵デバイスが提供される。
【１３３８】
さらなる態様で、前記デバイスが、１つまたは複数のインク貯蔵コンパートメントと流体的に通じたページ幅印字ヘッドアセンブリを有するタイプのカートリッジユニット内で使用されるように配置され、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と
を備えるインクプライミングシステムによってプライミングされるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路を介して流れる
貯蔵デバイスが提供される。
【１３３９】
さらなる態様で、前記デバイスが、１つまたは複数のインク貯蔵コンパートメントと流体的に通じたページ幅印字ヘッドアセンブリを有するタイプのカートリッジユニット内で使用されるように配置され、前記カートリッジが、
前記カートリッジユニットをプライミングするインクの供給を受ける、前記印字ヘッドアセンブリに設けられたプライミング入口と、
前記印字ヘッドアセンブリと前記インク貯蔵コンパートメントのうちの１つとの間の流体接続をもたらすインク流れ通路と、
前記インク流れ通路と前記インク貯蔵コンパートメントとの間の追加の流体接続をもたらすバイパス流れ通路と
を備えるインクプライミングシステムによってプライミングされるように配置され、
前記印字ヘッドアセンブリの前記プライミング入口に供給される前記インクが、前記印字ヘッドアセンブリと前記インク貯蔵コンパートメントとの両方にインクを同時にプライミングするために、前記印字ヘッドアセンブリから前記インク貯蔵コンパートメントへ前記インク流れ通路および前記バイパス流れ通路を介して流れる
貯蔵デバイスが提供される。
【１３４０】
さらなる態様で、前記デバイスが、１つまたは複数のインク貯蔵コンパートメントと流体的に通じたページ幅印字ヘッドアセンブリを有するタイプのカートリッジユニット内で使用されるように配置され、前記カートリッジが、印刷液補充カートリッジから補充されるように配置され、前記補充カートリッジが、
印刷液を貯蔵し、前記印刷液がそれを介して施与される出口を有する、本体と、
前記本体から施与される前記印刷液の量を選択するように配置されたセレクタと
を備える液ディスペンサを有する
貯蔵デバイスが提供される。
【１３４１】
さらなる態様で、前記デバイスが、１つまたは複数のインク貯蔵コンパートメントと流体的に通じたページ幅印字ヘッドアセンブリを有するタイプのインクジェットカートリッジユニット内で使用されるように配置され、前記インクジェットカートリッジが、
印刷液のディスペンサの出口を印刷ユニットの印刷液貯蔵室の入口と位置合せするために前記ディスペンサを前記印刷ユニットに取外し可能に取り付けるステップと、
前記印刷液貯蔵室を実質的に補充するのに必要な印刷液の量を判定するステップと、
前記ディスペンサから前記判定された量に対応する量の印刷液を選択的に施与するステップと
を含む方法によって印刷液補充カートリッジによる印刷液の供給によって補充されるように配置される、貯蔵デバイスが提供される。
【１３４２】
さらなる態様で、前記デバイスが、１つまたは複数のインク貯蔵コンパートメントと流体的に通じたページ幅印字ヘッドアセンブリを有するタイプのカートリッジユニット内で使用されるように配置され、前記カートリッジが、
印刷液を貯蔵し、前記印刷液がそれを介して施与される出口を有する、本体と、
前記本体の貯蔵容量を選択的に変更し、プランジャの表面に沿って配置された一連の溝との移動可能保持部材の選択的係合によって前記出口を介して前記印刷液を放出し、これによって選択された量の印刷液を前記出口から施与するように配置された前記プランジャと
を備える施与アセンブリを有する印刷液補充カートリッジによる印刷液の供給によって補充されるように配置される、貯蔵デバイスが提供される。
【１３４３】
さらなる態様で、前記デバイスが、印刷液補充ユニットによる印刷液の供給によって補充されるように配置された印刷エンジン内で使用されるように配置され、前記印刷液補充ユニットによる前記印刷エンジンの補充を制御するシステムが、
前記補充ユニットに含まれる印刷液の量に関する情報を保管する、前記補充ユニットに組み込まれた情報記憶要素と、
前記補充ユニットが前記印刷エンジンに取り付けられた時に前記記憶要素によって保管された前記情報を読み取り、読み取られた前記情報に基づいて前記補充ユニットに含まれる前記印刷液による前記印刷エンジンの前記補充を制御する、前記印刷エンジンに組み込まれた情報リーダと
を備える
貯蔵デバイスが提供される。
【１３４４】
さらなる態様で、前記デバイスが、印刷液補充ユニットに含まれる印刷液の量に関する情報を保管する情報記憶要素であって、前記補充ユニットが印刷エンジンに取り付けられた時に前記記憶要素によって保管された前記情報を読み取るために前記印刷エンジンに組み込まれた情報リーダと接続される、前記情報記憶要素を備える前記印刷液補充ユニットからの印刷液の供給によって補充されるように配置された印刷エンジン内で使用されるように配置され、
前記記憶要素によって保管される前記情報は、前記リーダが、前記補充ユニットに含まれる前記印刷液による前記印刷エンジンの前記補充を制御することを可能にする
貯蔵デバイスが提供される。
また、さらなる態様で、印刷ユニットが、印刷液補充カートリッジからの印刷液の供給によって補充されるように配置され、前記補充が、
前記補充カートリッジに含まれる印刷液の量に関する情報を、それに組み込まれた情報記憶要素に保管するステップと、
前記補充カートリッジを前記印刷ユニットに取り付けるステップと、
前記印刷ユニットに組み込まれた情報リーダを用いて印刷液の前記量に関する前記情報を読み取るステップと、
読み取られた前記情報に基づいて前記補充カートリッジに含まれる印刷液による前記印刷ユニットの前記補充を制御するステップと
を含む方法によって制御される
貯蔵デバイスが提供される。
【図面の簡単な説明】
【１３４５】
【図１】本発明の実施形態による印刷エンジンを使用するプリンタユニットを示す正面透視図である。
【図２】リッドが開かれ、印刷エンジンがあらわになった、図１のプリンタユニットを示す図である。
【図３】本発明の一実施形態による印刷システムでの文書データフローの概略を示す図である。
【図４】図３の印刷システムで使用されるアーキテクチャを示すより詳細な概略図である。
【図５】図３の印刷システムで使用される制御エレクトロニクスの実施形態を示すブロック図である。
【図６】本発明の実施形態による印刷エンジンを示す分解透視図である。
【図７】カートリッジユニットがクレードルユニットに挿入された、図６の印刷エンジンを示す図である。
【図８】カバーアセンブリが閉位置にある、図７のクレードルユニットを示す図である。
【図９】図７のカートリッジユニットを示す正面透視図である。
【図１０】図９のカートリッジユニットの下側を示す正面透視図である。
【図１１】図７のカートリッジユニットを示す分解透視図である。
【図１２】図７のカートリッジユニットを示す代替の分解図である。
【図１３】リッドアセンブリを取り外された、図７のカートリッジユニットの主本体を示す正面透視図である。
【図１４】図１３の主本体を示す分解正面透視図である。
【図１５】図１３の主本体を示す側面断面図である。
【図１６】一実施形態による、図９のカートリッジユニットで使用されるインク貯蔵配置の例を示す図である。
【図１７】図１６のインク貯蔵配置を使用するインク貯蔵コンパートメントを示す断面図である。
【図１８】図９のカートリッジユニットと共に使用するのに適する印字ヘッドアセンブリを示す正面透視図である。
【図１９】図１８の印字ヘッドアセンブリの下側を示す正面透視図である。
【図２０】図１８の印字ヘッドアセンブリを示す分解図である。
【図２１】図１８の印字ヘッドアセンブリを示す断面端面図である。
【図２２】本発明の一実施形態による、リンクされた集積回路を示す単純化された概略図である。
【図２３】直角継手を使用する２つのリンクされた集積回路を示す単純化された概略図である。
【図２４】角度付き継手を使用する２つのリンクされた集積回路を示す単純化された概略図である。
【図２５】垂直オフセット継手を使用する２つのリンクされた集積回路を示す単純化された概略図である。
【図２６】傾いた配置の継手を使用する２つのリンクされた集積回路を示す単純化された概略図である。
【図２７】下げられた三角ノズル継手を使用する２つのリンクされた集積回路を示す単純化された概略図である。
【図２８】下げられた三角ノズル配置を使用する、図２７に示された集積回路を示す拡大透視図である。
【図２９】本発明のもう１つの実施形態による代替印字ヘッドアセンブリを示す分解透視図である。
【図３０】図２９の印字ヘッドアセンブリを示す部分的に組み立てられた透視図である。
【図３１】図２９の印字ヘッドアセンブリの接着剤層にレーザドリル加工された複数の穴を示す図である。
【図３２】図３１の接着剤層の表面に沿って配置された複数の集積回路を示す図である
【図３３】本発明のさらなる実施形態によるインク分配部材の一部を示すさまざまな図である。
【図３４】特に集積回路にインクを供給するインク通路を示す、図３３、図１０９、図１１０のインク分配部材を使用する印字ヘッドアセンブリを示す透過平面図である。
【図３５】本発明のインク貯蔵コンパートメントをプライミングするプライミング配置を示す概略図である。
【図３６】本発明のインク貯蔵コンパートメントをプライミングする代替プライミング配置を示す概略図である。
【図３７】バイパス弁が閉位置にある図３６のプライミング配置を示す概略図である。
【図３８】本発明のインク貯蔵コンパートメントをプライミングするもう１つの代替プライミング配置を示す概略図である。
【図３９】バイパス弁が閉位置にある図３８の代替プライミング配置を示す概略図である。
【図４０】コンパートメントの側壁を通過する針を使用する、本発明のインク貯蔵コンパートメントをプライミングするもう１つの代替配置を示す図である。
【図４１】静止状態の、本発明と共に使用される、インクを吐出する単一のノズルを示す垂直断面図である。
【図４２】初期作動フェーズ中の図４１のノズルを示す垂直断面図である。
【図４３】作動フェーズ中の図４２のノズルを示す垂直断面図である。
【図４４】図４３に示された作動状態での図４１のノズルを示す透視部分垂直断面図である。
【図４５】インクを省略した、図４１のノズルを示す透視垂直断面図である。
【図４６】図４５のノズルを示す垂直断面図である。
【図４７】図４２に示された作動状態の、図４１のノズルを示す透視部分垂直断面図である。
【図４８】図４１のノズルを示す平面図である。
【図４９】図を明瞭にするためにレバーアームおよび移動可能ノズルを取り除いた、図４１のノズルを示す平面図である。
【図５０】図４１に示されたタイプの複数のノズル配置を組み込まれた印字ヘッドチップの一部を示す透視垂直断面図である。
【図５１】泡形成ヒータ要素アクチュエータタイプのインクを吐出する単一のノズルのインク室を通る概略断面を示す図である。
【図５２】サーマルベンドアクチュエータの基本動作原理を示す図である。
【図５３】図５２に従って構成された単一のインクジェットノズル配置を示す３次元図である。
【図５４】図５３に示されたノズル配置のアレイを示す図である。
【図５５】本発明のプリンタと共に使用されるＣＭＯＳ駆動ブロックおよびＣＭＯＳ制御ブロックを概略的に示す図である。
【図５６】ノズル列と、図５５のＣＭＯＳブロック内のドットシフトレジスタとの間の関係を概略的に示す図である。
【図５７】ユニットセルと、図５６のノズル列とドットシフトレジスタに対するユニットセルの関係とを示すより詳細な概略図である。
【図５８】本発明のプリンタの単一のプリンタノズルの論理を示す回路図である。
【図５９】本発明の実施形態によるカートリッジユニットのリッドアセンブリを示す正面透視図である。
【図６０】図５９のリッドアセンブリの下側を示す正面透視図である。
【図６１】図５９のリッドアセンブリを示す分解正面透視図である。
【図６２】本発明の実施形態によるカートリッジユニットのキャッパアセンブリを示す分解正面透視図である。
【図６３】図６２のキャッパアセンブリを示す分解正面透視図である。
【図６４】図６２のキャッパアセンブリの下側を示す分解正面透視図である。
【図６５】図６２のキャッパアセンブリを示す断面端面図である。
【図６６】キャップされた状態で本発明のカートリッジユニットに機能的に取り付けられたキャッパアセンブリを示す断面透視図である。
【図６７】キャップを外された状態で本発明のカートリッジユニットに機能的に取り付けられたキャッパアセンブリを示す断面透視図である。
【図６８】本発明の実施形態によるクレードルユニットのフレーム構造を示すさまざまな透視図である。
【図６９】本発明の実施形態によるクレードルユニットのカートリッジユニット支持部材を示す透視正面図である。
【図７０】図６９のカートリッジユニット支持部材を取り付けられたフレーム構造を示す透視側面図である。
【図７１】本発明の一実施形態によるクレードルユニットのアイドルローラアセンブリを示すさまざまな図である。
【図７２】図６９のカートリッジ支持部材に取り付けられたアイドルローラアセンブリを示す断面側面図である。
【図７３】本発明の印刷エンジンを制御するために制御回路網を取り付けられた、本発明のＰＣＢアセンブリの正面透視図および背面透視図である。
【図７４】アームサポートの間に取り付けられた、図７３および図１１６のＰＣＢアセンブリを示すさまざまな図である。
【図７５】本発明の一実施形態による、図７３および図１１６のＰＣＢアセンブリの支持棒アセンブリを示す図である。
【図７６】ＰＣＢアセンブリに組み立てられた図７５および図１１７の支持棒アセンブリを示す透視図である。
【図７７】本発明のクレードルユニットに取り付けられた図７６のアセンブリを示す透視図である。
【図７８】本発明の実施形態によるクレードルユニットのカバーアセンブリを示すさまざまな図である。
【図７９】クレードルユニットに取り付けられたカバーアセンブリを示す透視図である。
【図８０】カバーアセンブリが開位置にある、本発明の印刷エンジンを示す図である。
【図８１】カバーアセンブリが閉位置にある、本発明の印刷エンジンを示す図である。
【図８２】カバーアセンブリから分離されたプッシュロッドアセンブリを示す正面透視図である。
【図８３】図８２のプッシュロッドアセンブリのフット部分を示す透視図である。
【図８４】本発明の一実施形態によるインク補充ユニットを示す図である。
【図８５】本発明の印刷エンジンに関して図８４のインク補充ユニットを示す図である。
【図８６】図８５に示された、インク補充のために印刷エンジン内に位置決めされたインク補充ユニットを示す図である。
【図８７】図８５および８５のクレードルユニットから取り外されたカートリッジユニットを示す図である。
【図８８】図８４のインク補充ユニットの下側を示す図である。
【図８９】リッドアセンブリを取り外された図８４のインク補充ユニットを示す図である。
【図９０】図８４のインク補充ユニットのさまざまな構成要素を示す分解図である。
【図９１】図８９および９０に示されたインク補充ユニットから分離された注射器アセンブリを示す図である。
【図９２】図９１に示された注射器アセンブリの端面透視図である。
【図９３】図８９および９０に示されたインク補充ユニットの他の構成要素から分離された基部アセンブリを示す図である。
【図９４】図８５に示された印刷エンジンに位置決めされた補充ユニットによって供給されるインク分配システムを示す図である。
【図９５】注射器アセンブリの代替実施形態による、リッドアセンブリを取り外されたインク補充ユニットを示す図である。
【図９６】図９５に示されたインク補充ユニットのさまざまな構成要素を示す分解図である。
【図９７】図９５に示されたインク補充ユニットから分離された注射器アセンブリを示す図である。
【図９８】図９５に示された注射器アセンブリの端面断面図である。
【図９９】図９５および９６に示されたインク補充ユニットの他の構成要素から分離された基部アセンブリを示す図である。
【図１００】本発明と共に使用するのに適するインク補充ユニットのもう１つの実施形態を示す図である。
【図１０１】図１００のインク補充ユニットを示す反対側の透視図である。
【図１０２】図１００のインク補充ユニットの下側を示す図である。
【図１０３】端キャップを取り外された、図１００のインク補充ユニットを示す図である。
【図１０４】図１００のインク補充ユニットのさまざまな構成要素を示す分解図である。
【図１０５】図１００および１０４に示されたインク補充ユニットの内部構成要素の間の動作関係を示す図である。
【図１０６】図１００のインク補充ユニットを示す側面断面図である。
【図１０７】図２８のノズル配置を使用する２つの集積回路の間の継手を示す拡大透視図である。
【図１０８】図２８の集積回路の下側を示す図である。
【図１０９】本発明のさらなる実施形態によるインク分配部材の一部を示すさまざまな図である。
【図１１０】本発明のさらなる実施形態によるインク分配部材の一部を示すさまざまな図である。
【図１１１】図３４の拡大図を示す図である。
【図１１２】本発明の実施形態によるクレードルユニットのフレーム構造を示すさまざまな透視図である。
【図１１３】本発明の実施形態によるクレードルユニットのフレーム構造を示すさまざまな透視図である。
【図１１４】本発明の実施形態によるクレードルユニットのフレーム構造を示すさまざまな透視図である。
【図１１５】本発明の一実施形態によるクレードルユニットのアイドルローラアセンブリを示すさまざまな図である。
【図１１６】本発明の印刷エンジンを制御するために制御回路網を取り付けられた、本発明のＰＣＢアセンブリの正面透視図および背面透視図である。
【図１１７】アームサポートの間に取り付けられた、図７３および図１１６のＰＣＢアセンブリを示すさまざまな図である。
【図１１８】アームサポートの間に取り付けられた、図７３および図１１６のＰＣＢアセンブリを示すさまざまな図である。
【図１１９】本発明の一実施形態による、図７３および図１１６のＰＣＢアセンブリの支持棒アセンブリを示す図である。
【図１２０】本発明のクレードルユニットに取り付けられた図７６のアセンブリを示す透視図である。
【図１２１】本発明の実施形態によるクレードルユニットのカバーアセンブリを示すさまざまな図である。
【図１２２】本発明の実施形態によるクレードルユニットのカバーアセンブリを示すさまざまな図である。
【図１２３】図８５に示された印刷エンジンに位置決めされた補充ユニットによって供給されるインク分配システムを示す図である。
【図１２４】図８５に示された印刷エンジンに位置決めされた補充ユニットによって供給されるインク分配システムを示す図である。
【発明を実施するための形態】
【１３４６】
前に述べたように、本発明は、プリンタユニットの印刷機能を実行するためにプリンタユニット２の本体にたやすく組み込むことができる印刷エンジン１にある。
【１３４７】
図１および２に示されているように、印刷エンジン１を組み込まれるプリンタユニット２は、任意の形とすることができるが、通常は、印刷エンジンによって印刷される媒体８を支持し、供給する媒体供給領域３と、媒体の印刷されたシートを収集する媒体出力領域または媒体収集領域４とを有する。プリンタユニット２は、ユーザがプリンタユニットの動作を制御することを可能にするユーザインターフェース５も有することができ、このユーザインターフェース５は、図示のようにＬＣＤタッチスクリーンの形とすることができる。
【１３４８】
プリンタユニット２は、通常、印刷エンジン１を受ける内部空洞６を有し、この内部空洞へのアクセスは、プリンタユニット２の本体にヒンジで連結されて取り付けられるリッド７によって提供することができる。
【１３４９】
印刷エンジン１は、媒体供給領域３に置かれた媒体８を、印刷のために印刷エンジン１に供給でき、印刷後の収集のために収集領域４に送ることができるように、プリンタユニット２内で位置決めされ、固定されるように構成される。これに関して、印刷エンジン１に、媒体供給領域３から媒体８のシートをとり、印字ヘッドアセンブリ（ここで媒体が印刷される）を通って媒体出力トレイ４に媒体を送る、媒体転送手段が含まれる。ピッカ機構９が、プリンタユニット２に設けられて、媒体８の個々のシートを媒体供給３から印刷エンジン１に供給するのを助ける。
【１３５０】
図３に概略的に示されているように、使用時に、プリンタユニット２は、コンピュータシステム７０２などの外部供給源から受け取った文書を、１枚の紙などの印刷媒体に印刷するように配置される。これに関して、プリンタユニット２に、プリンタユニット２とコンピュータシステム７０２の間の電気接続が、コンピュータシステム７０２によって前処理されたデータを受け取ることを可能にする手段が含まれる。１つの形で、外部コンピュータシステム７０２が、文書を受信し（ステップ７０３）、その文書をバッファリングし（ステップ７０４）、ラスタ化し（ステップ７０６）、プリンタユニット２への伝送のために圧縮する（ステップ７０８）ことを含む、文書の印刷に含まれるさまざまなステップを実行するようにプログラムされる。
【１３５１】
本発明の一実施形態によるプリンタユニット２は、圧縮された多層ページ画像の形で外部コンピュータシステム７０２から文書を受信し、ここで、印刷エンジン１内に設けられる制御エレクトロニクスが、ページ画像をバッファリングし（ステップ７１０）、次に、将来の処理のためにページ画像を拡大する（ステップ７１２）。拡大された連続階調層が、ディザリングされ（ステップ７１４）、次に、拡大ステップからの黒の層が、ディザリングされた連続階調層上に合成される（ステップ７１６）。コード化されたデータをレンダリングして（ステップ７１８）、人間の目に実質的に不可視の赤外線インクを使用して印刷される（望まれる場合に）追加レイヤを形成することができる。黒の層、ディザリングされた連続階調層、および赤外線レイヤを組み合わせて（ステップ７２０）、印刷のために印字ヘッドに供給される（ステップ７２２）ページを形成する。
【１３５２】
この特定の配置では、印刷される文書に関連するデータが、テキストおよびラインアート用の高解像度バイレベルマスクレイヤと、イメージまたは背景色用の中間解像度連続階調カラーイメージレイヤとに分割される。任意選択で、イメージからまたは平坦な色からとられたカラーデータを用いてテキストおよびラインアートをテキスチャリングするために中間解像度から高解像度の連続階調テキスチャレイヤを追加することによって、カラー付きのテキストをサポートすることができる。本印刷アーキテクチャは、イメージデータまたは平坦な色データのいずれかを参照することができる抽象「イメージ」レイヤまたは抽象「テキスチャ」レイヤで連続階調層を表すことによって、これらの連続階調層を一般化する。当業者が理解するように、この、内容に基づくレイヤへのデータの分割は、ベースモードＭｉｘｅｄ  Ｒａｓｔｅｒ  Ｃｏｎｔｅｎｔ（ＭＲＣ）モードに従う。ＭＲＣベースモードに似て、本印刷アーキテクチャは、印刷されるデータがオーバーラップする場合のいくつかで、妥協を行う。具体的には、１つの形で、すべてのオーバーラップが、妥協を明示的に実施するプロセス（衝突解決）で３レイヤ表現に変えられる。
【１３５３】
前に述べたように、データは、圧縮された多層ページ画像の形で印刷ユニット２に送られ、イメージの前処理は、主にソフトウェアベースのコンピュータシステム７０２によって実行される。印刷エンジン１は、図４に詳細に示された主にハードウェアベースのシステムを使用して、このデータを処理する。
【１３５４】
データを受け取った時に、ディストリビュータ７３０が、データを独自表現からハードウェア固有表現に変換し、データが正しいハードウェアデバイスに送られるのを保証すると同時に、これらのデバイスへのデータ伝送に関するすべての制約または要件を観察する。ディストリビュータ７３０は、変換されたデータを、複数のパイプライン７３２のうちの適当な１つに分配する。パイプラインは、互いに同一であり、本質的に、印刷可能ドット出力の組を生成するために圧縮解除機能、スケーリング機能、およびドット合成機能を実行する。各パイプライン７３２に、データを受け取るバッファ７３４が含まれる。連続階調復元装置７３６が、カラー連続階調プレーンを圧縮解除し、マスク復元装置が、モノトーン（テキスト）レイヤを圧縮解除する。連続階調スケーラ７４０およびマスクスケーラ７４２が、ページが印刷される媒体のサイズを考慮に入れるために、それぞれ圧縮解除された連続階調プレーンおよび圧縮解除されたマスクプレーンをスケーリングする。
【１３５５】
次に、スケーリングされた連続階調プレーンが、ディザラ７４４によってディザリングされる。１つの形で、ｓｔｏｃｈａｓｔｉｃ  ｄｉｓｐｅｒｓｅｄ−ｄｏｔディザリングが使用される。ｃｌｕｓｔｅｒｅｄ−ｄｏｔ（または振幅変調）ディザリングと異なって、ｄｉｓｐｅｒｓｅｄ−ｄｏｔ（または周波数変調）ディザリングは、目によって空間的に統合された時に、高い空間周波数（すなわちイメージ詳細）をほとんどドット分解能の限度まで再現すると同時に、より低い空間周波数をフルカラーデプスまで再現する。ｓｔｏｃｈａｓｔｉｃディザ行列は、イメージにまたがってタイリングされた時に、あるまじき低周波数パターンが比較的なくなるように注意深く設計される。したがって、そのサイズは、通常、特定の個数の輝度レベルをサポートするのに必要な最小サイズを超える（たとえば、２５７輝度レベルで１６×１６×８ビット）。
【１３５６】
次に、ディザリングされたプレーンが、ドット合成装置７４６でドットごとの基礎で合成されて、印刷に適するドットデータがもたらされる。このデータが、データ分散およびドライブ回路７４８に転送され、データ分散およびドライブ回路７４８は、データを正しいノズルアクチュエータ７５０に分配し、ノズルアクチュエータ７５０は、この説明で後に詳細に説明する形で、正しい時に正しいノズル７５２からインクを吐出させる。
【１３５７】
諒解されるように、印刷のためにイメージを処理するのに印刷エンジン１内で使用される構成要素は、データが提示される形に大きく依存する。これに関して、印刷エンジン１が、プリンタユニット２内でより多くの処理を実行し、したがってコンピュータシステム７０２への依存を減らすために、追加のソフトウェア構成要素および／またはハードウェア構成要素を使用することが可能である場合がある。その代わりに、印刷エンジン１が、より少ない処理を実行し、したがって、プリンタユニット２にデータを送る前に、より高い度合までイメージを処理するためにコンピュータシステム７０２に頼るために、より少ないソフトウェア構成要素および／またはハードウェア構成要素を使用することができる。
【１３５８】
すべての状況で、上で述べたタスクを実行するのに必要な構成要素は、印刷エンジン１の制御エレクトロニクス内に設けられ、図５に、そのエレクトロニクスの実施形態のブロック表現を示す。
【１３５９】
この配置では、ハードウェアパイプライン７３２が、Ｓｍａｌｌ  Ｏｆｆｉｃｅ  Ｈｏｍｅ  Ｏｆｆｉｃｅ  Ｐｒｉｎｔｅｒ  Ｅｎｇｉｎｅ  Ｃｈｉｐ（ＳｏＰＥＣ）内で実施される。図からわかるように、ＳｏＰＥＣデバイスは、３つの別個のサブシステムすなわち、中央処理装置（ＣＰＵ）サブシステム７７１、ダイナミックランダムアクセスメモリ（ＤＲＡＭ）サブシステム７７２、および印刷エンジンパイプライン（ＰＥＰ）サブシステム７７３からなる。
【１３６０】
ＣＰＵサブシステム７７１に、他のサブシステムのすべての態様を制御し、構成するＣＰＵ  ７７５が含まれる。ＣＰＵ  ７７５は、印刷エンジン１のすべての要素をインターフェースし、同期化する一般サポートを提供する。ＣＰＵ  ７７５は、ＱＡチップ（下で説明する）への低速通信も制御する。ＣＰＵサブシステム７７１に、汎用入出力（ＧＰＩＯ、モータ制御を含む）、割込みコントローラユニット（ＩＣＵ）、ＬＳＳマスタ、および一般的なタイマなど、ＣＰＵを助けるためのさまざまな周辺機器も含まれる。ＣＰＵサブシステムのシリアル通信ブロック（ＳＣＢ）は、ホストへのフルスピードＵＳＢ  １．１インターフェースならびに他のＳｏＰＥＣデバイス（図示せず）へのＳｏＰＥＣ間インターフェース（ＩＳＩ）を提供する。
【１３６１】
ＤＲＡＭサブシステム７７２は、ＣＰＵと、シリアル通信ブロック（ＳＣＢ）と、ＰＥＰサブシステム内のブロックとから要求を受け入れる。ＤＲＡＭサブシステム７７２、特にＤＲＡＭインターフェースユニット（ＤＩＵ）は、さまざまな要求を調停し、どの要求がＤＲＡＭへのアクセスを勝ち取るかを決定する。ＤＩＵは、構成されたパラメータに基づいて調停して、すべてのリクエスタに関するＤＲＡＭへの十分なアクセスを可能にする。ＤＩＵは、ページサイズ、バンク数、およびリフレッシュレートなど、ＤＲＡＭの実装詳細も隠蔽する。
【１３６２】
印刷エンジンパイプライン（ＰＥＰ）サブシステム７７３は、ＤＲＡＭから圧縮されたページを受け入れ、これらを、印字ヘッドと直接に通信する印字ヘッドインターフェース（ＰＨＩ）宛の所与の印刷ラインのバイレベルドットにレンダリングする。ページ拡大パイプラインの第１ステージは、連続階調デコーダユニット（ＣＤＵ）、ロスレスバイレベルデコーダ（ＬＢＤ）、および必要な場合にタグエンコーダ（ＴＥ）である。ＣＤＵは、ＪＰＥＧ圧縮された連続階調（通常はＣＭＹＫ）レイヤを拡大し、ＬＢＤは、圧縮されたバイレベルレイヤ（通常はＫ）を拡大し、ＴＥは、プリンタユニット２がＮｅｔｐａｇｅ機能を有する場合に、後のレンダリング（通常はＩＲインクまたはＫインクでの）のためにすべてのＮｅｔｐａｇｅタグを符号化する。第１ステージからの出力は、バッファの組すなわち、連続階調ＦＩＦＯユニット（ＣＦＵ）、スポットＦＩＦＯユニット（ＳＦＵ）、およびタグＦＩＦＯユニット（ＴＦＵ）である。ＣＦＵバッファおよびＳＦＵバッファは、ＤＲＡＭ内で実装される。
【１３６３】
第２ステージは、ハーフトーンコンポジタユニット（ＨＣＵ）であり、これは、連続階調層をディザリングし、位置タグおよびバイレベルスポットレイヤを結果のバイレベルディザリングされたレイヤに合成する。
【１３６４】
ＳｏＰＥＣデバイスがそれと共に使用される印字ヘッドに応じて、複数の合成オプションを実装することができる。６チャネルまでのバイレベルデータが、このステージから作られるが、いくつかのチャネルが印字ヘッドに提示されない場合がある。たとえば、印字ヘッドがＣＭＹだけである場合があり、Ｋは、ＣＭＹチャネルに押し込められ、ＩＲは無視される。その代わりに、ＩＲインクが使用可能でない場合に（またはテスト目的で）すべての符号化されたタグをＫで印刷することができる。
【１３６５】
第３ステージでは、デッドノズルコンペンセータ（ＤＮＣ）が、壊れたノズルのデータの周囲のドットへの色冗長性および誤差拡散によって、印字ヘッド内の壊れたノズルについて補償する。
【１３６６】
結果のバイレベル５チャネルドットデータ（通常は、ＣＭＹＫ、赤外線）が、バッファリングされ、ドットラインライタユニット（ＤＷＵ）を介して、ＤＲＡＭに保管されるラインバッファの組に書き込まれる。
【１３６７】
最後に、ドットデータが、ＤＲＡＭからロードバックされ、ドットＦＩＦＯを介して印字ヘッドインターフェースに渡される。ドットＦＩＦＯは、ラインローダユニット（ＬＬＵ）からシステムクロックレート（ｐｃｌｋ）でデータを受け入れ、印字ヘッドインターフェース（ＰＨＩ）は、データをＦＩＦＯから除去し、システムクロックレートの２／３倍の速度で印字ヘッドに送る。
【１３６８】
好ましい形では、ＤＲＡＭが、サイズにおいて２．５Ｍバイトであり、そのうちの約２Ｍバイトが、圧縮されたページ保管データに使用可能である。圧縮されたページは、複数のバンドで受け取られ、複数のバンドがメモリに保管される。ページのバンドが印刷のためにＰＥＰサブシステム７７３によって消費される時に、新しいバンドをダウンロードすることができる。新しいバンドは、現在のページまたは次のページに関するものとすることができる。
【１３６９】
バンディングを使用することによって、完全な圧縮されたページがダウンロードされる前にページの印刷を開始することが可能であるが、データが必ず印刷のために使用可能であることを保証するために注意を払わなければならず、さもなければ、バッファアンダーランが発生する可能性がある。
【１３７０】
組み込まれたＵＳＢ  １．１デバイスは、圧縮されたページデータおよび制御コマンドをホストＰＣから受け入れ、ＤＲＡＭ（または、下で説明するマルチＳｏＰＥＣシステム内の別のＳｏＰＥＣデバイス）のいずれかへのデータ転送を容易にする。
【１３７１】
複数のＳｏＰＥＣデバイスが、代替実施形態で使用可能であり、特定の実装に応じて異なる機能を実行することができる。たとえば、いくつかの場合に、あるＳｏＰＥＣデバイスを、単にそのオンボードＤＲＡＭについて使用すると同時に、別のＳｏＰＥＣデバイスが、上で説明したさまざまな圧縮解除機能およびフォーマッティング機能を担うことができる。これは、バッファアンダーランの機会を減らすことができ、バッファアンダーランは、プリンタが、あるページのすべてのデータを受け取る前にそのページの印刷を開始し、残りのデータが間に合って受け取られない場合に発生する可能性がある。メモリバッファリング機能のために余分なＳｏＰＥＣデバイスを追加することによって、追加チップの他の機能のどれもが利用されない場合であっても、バッファリングできるデータの量が倍になる。
【１３７２】
各ＳｏＰＥＣシステムは、複数の品質保証（ＱＡ）デバイスを有することができ、このＱＡデバイスは、プリンタの機械的部分の品質、インク供給の品質（印字ヘッドノズルが印刷中に損傷を受けないように）、およびソフトウェアの品質（印字ヘッドおよび機械的部分が損傷を受けないことを保証するために）を保証するために互いに協力するように設計される。
【１３７３】
通常、各印刷ＳｏＰＥＣは、関連するプリンタユニットＱＡを有し、このＱＡは、最大印刷速度など、プリンタユニットに関する情報を保管する。カートリッジユニットにも、ＱＡチップを含めることができ、このＱＡチップは、インク残量などのカートリッジ情報を保管し、壊れたノズルのマッピングおよび印字ヘッド特性などの印字ヘッド固有情報を保管するＲＯＭとして（効果的にはＥＥＰＲＯＭとして）働くように構成することもできる。補充ユニットにも、ＱＡチップを含めることができ、このＱＡチップは、インクのタイプ／色および補充用に存在するインクの量などの補充インク情報を保管する。ＳｏＰＥＣデバイスのＣＰＵは、任意選択で、ＱＡチップからプログラムコードをロードし、実行することができ、このＱＡチップは、効果的にシリアルＥＥＰＲＯＭとして働く。最後に、ＳｏＰＥＣデバイスのＣＰＵは、論理ＱＡチップ（すなわち、ソフトウェアＱＡチップ）を実行する。
【１３７４】
通常、システム内のすべてのＱＡチップが、物理的に同一であり、フラッシュメモリの内容だけが互いを区別する。
【１３７５】
各ＳｏＰＥＣデバイスは、システム認証およびインク使用量計算のためにＱＡデバイスと通信できる２つのＬＳＳシステムバスを有する。多数のＱＡデバイスをバスごとに使用することができ、システム内のこれらのＱＡデバイスの位置は、プリンタＱＡデバイスおよびインクＱＡデバイスを別々のＬＳＳバスに置かなければならないことを除いて、制限されない。
【１３７６】
使用時に、論理ＱＡは、インクＱＡと通信して、残りのインクを判定する。インクＱＡからの応答は、プリンタＱＡへの参照を用いて認証される。プリンタＱＡからの検証自体は、論理ＱＡによって認証され、これによって、インクＱＡからの応答に対する追加の認証レベルが間接的に追加される。
【１３７７】
ＱＡチップの間で渡されるデータは、ディジタル署名によって認証される。好ましい実施形態では、ＨＭＡＣ−ＳＨＡ１認証がデータに使用され、ＲＳＡがプログラムコードに使用されるが、他の方式をその代わりに使用することができる。
【１３７８】
したがって、諒解されるように、ＳｏＰＥＣデバイスは、印刷エンジン１の全体的な動作を制御し、本質的なデータ処理タスクならびに印刷エンジン１の個々の構成要素の動作の同期化および制御を実行して、印刷媒体処理を容易にするが、これを下で述べる。
【１３７９】
［印刷エンジン］
印刷エンジン１は、図６〜８に詳細に示されているが、２つの部分すなわちカートリッジユニット１０およびクレードルユニット１２からなる。
【１３８０】
図からわかるように、カートリッジユニット１０は、クレードルユニット１２内に受けられ、クレードルユニットに取り付けられるカバーアセンブリ１１によって定位置に固定される形状およびサイズにされている。
【１３８１】
クレードルユニット１２は、アンカ部分１４を有する外部本体１３を設けられ、アンカ部分１４は、上で述べたように、印刷を容易にするために、所望の位置および方位でクレードルユニット１２をプリンタユニット２に固定することを可能にする。
【１３８２】
図８に示された、カートリッジユニット１０がクレードルユニット１２内に固定され、カバーアセンブリ１１が閉じられた、組み立てられた形で、印刷エンジン１は、制御された形での印字ヘッドを通る媒体の転送、ならびに通る媒体の表面へのインクの制御された吐出を含む、印刷に関連するさまざまな態様を制御することができる。これに関して、印刷エンジン２に、印刷エンジン１の制御を可能にするためにプリンタユニット２のユーザインターフェース５との電気接続を容易にする接点を含めることもできる。
【１３８３】
［カートリッジユニット］
カートリッジユニット１０を図９〜１２に詳細に示す。図１１および１２の分解図を参照すると、カートリッジユニット１０は、全体的に、主本体２０、リッドアセンブリ２１、印字ヘッドアセンブリ２２、およびキャッパアセンブリ２３からなる。
【１３８４】
これらの部品のそれぞれが、一緒に組み立てられて、完全な形でインクストレージをインク吐出手段と組み合わせる一体のユニットが形成される。そのような配置は、インクが必要に応じて印刷のために印字ヘッドアセンブリ２２に直接に供給されることを保証し、インクストレージまたは印字ヘッドアセンブリの一方あるいは両方を交換する必要がある場合に、カートリッジユニット１０全体を交換することによってこれをたやすく行えることを保証する。
【１３８５】
図９および１０から明白であるように、カートリッジユニット１０は、必要な時にインクストレージを再び満すためにインクの補充供給を受ける機構を有し、カートリッジユニット自体は、使用中でない時に印字ヘッドにキャップをかぶせるために一体のキャッピングアセンブリ２３を担持する。
【１３８６】
［主本体］
カートリッジユニット１０の主本体２０は、図１３〜１５に詳細に示されているが、成形プラスチック本体を備え、この成形プラスチック本体が、さまざまな色および／またはタイプのインクがその中に貯蔵される複数のインク貯蔵コンパートメント２４を画定する。インク貯蔵コンパートメント２４のそれぞれは、図１４により明瞭に示されているように、異なるインクの混合を防ぐために互いに分離され、主本体２０の長さに沿って延びる。
【１３８７】
正方形または長方形の形状を有し、端のコンパートメントが他のコンパートメントより大きい、５つのインク貯蔵コンパートメント２４が図示されている。より大きい端のコンパートメントは、黒インクまたは（Ｎｅｔｐａｇｅアプリケーションでの赤外線インク）など、印刷プロセス中によりたやすく消費されるインクを貯蔵することを意図され、より小さいコンパートメントは、伝統的にカラー印刷に使用されるシアン、マゼンタ、および黄色のインクを貯蔵することが意図されている。インク貯蔵コンパートメント２４のそれぞれの基部２５は、インク出口２７を囲む持ち上げられた部分２６を設けられ、このインク出口２７を介して、インクが、印字ヘッドアセンブリ２２への供給のために流れる。持ち上げられた部分２６は、通常、主本体２０に成形され、インク貯蔵コンパートメント２４からのインクの十分な流量を保証するために、インク貯蔵コンパートメント２４の基部２５からインク出口２７を分離するように働く。
【１３８８】
これに関して、細かいメッシュの材料から作られたエアバリア／インクフィルタ２８が、インク出口２７の上で持ち上げられた部分２６の頂上に置かれ、これによって、フィルタと出口の間にインクを受ける空間が残される。エアバリア／インクフィルタ２８は、インクがメッシュを通って印字ヘッドアセンブリ２２にたやすく通過することができるが、インクの中に存在するすべての気泡が通過しなくなるように形成される。
【１３８９】
図１３に示されているように、インク貯蔵コンパートメント２４は、インクを貯蔵するために、発泡体などの吸収材料２９を設けられる。吸収材料２９は、インク貯蔵コンパートメント２４の形状に従う形状にされ、対応するコンパートメントにはめられて、エアバリア／インクフィルタ２８の上で支持される。この配置では、吸収材料２９の下面が、持ち上げられた部分２６を介してインク貯蔵コンパートメントの基部２５から分離される。吸収材料２９は、インクがその中で内部的に保留されるように、コンパートメント２４に供給されるインクを吸収するように働く。インクがコンパートメント２４に供給される形は、後で詳細に述べるが、吸収材料の構造が、毛細管現象の下でインクを受け、吸い込む複数の開いた細孔を含むようになっていることを諒解されたい。
【１３９０】
インクは、インクフィルタ／エアバリア２８と出口２７の間の空間を充たし、これによってインクダムを形成し、このインクダムは、印字ヘッドアセンブリ２２内のインクおよび吸収材料２９内に保留されたインクと流体的に通じている。吸収材料２９の性質およびインクがその中に毛細管現象の下で保持されるという事実に起因して、背圧が作られ、これによって、インクがコンパートメント２４から印字ヘッドアセンブリ２２のノズルに自由に流れなくなる。
【１３９１】
毛細管引力の下でその中にインクを貯蔵する吸収材料２９として発泡体材料またはスポンジ材料を使用することは、当技術分野で十分に確立されているが、そのような材料の性質に起因して、その使用が、貯蔵されたインクへの汚染の導入を引き起こす場合がある。これらの汚染は、印字ヘッドアセンブリ２２のインク供給ノズルに進み、ブロックを、したがって（おそらくは修理不能な）インク供給ノズルの誤動作を、引き起こす可能性がある。従来の配置は、通常、ノズルを保護することを試みてフィルタおよび類似物を使用してきたが、そのようなフィルタ自体が、発泡体材料またはスポンジ材料に存在する粒子物質の存在に起因してブロックされる場合がある。
【１３９２】
これに関して、代替実施形態では、吸収材料２９を、図１６に示されているように、毛細管アレイの形でチャネル１６をその中に形成され、各チャネルが約１０μ以下の平均直径を有する、ポリカーボネート、アクリル樹脂、ポリスルホン、ポリスチレン、フルオロポリマ、環状オレフィンポリマ、環状オレフィンコポリマなどのポリマ材料から作られた層のブロックまたはスタックとして提供することができる。
【１３９３】
この配置では、チャネル１６の微細毛細管アレイがその中に形成される吸収材料２９の本体が、形成され、常に安定し、剛体のままである。すなわち、チャネルの剛体の壁が、インクへの露出中に損なわれないままになり、これによって、汚染作成に寄与する普通の発泡体材料およびスポンジ材料内の圧縮可能な細孔のセル状配置またはインターレース配置と異なって、粒子物体がインクに導入されなくなる。
【１３９４】
チャネル１６を微細毛細管アレイとしてその中に形成された吸収材料２９を、図１７に示されているように、個々のインク貯蔵コンパートメント２４内に配置することができる。インクトラップ層１７が、インクフィルタ／エアバリア２８と吸収材料２９の間に設けられる。トラップ層１７は、供給されるインクを複数の方向で吸収し、したがって、縦向きのチャネル１６へのインクの進入を可能にし、これに関して、単に、チャネル１６にインクを渡す手段として働く。トラップ層１７は、実質的に吸収材料２９の厚さ未満の厚さを有する発泡体材料またはスポンジ材料として提供することができる。というのは、トラップ層の機能が、単に、吸収材料２９のチャネル１６にインクを供給することであって、インクを貯蔵することではないからである。
【１３９５】
チャネル１６に引き込まれ、貯蔵されたインクは、インクトラップ層１７を介して印字ヘッドアセンブリ２２のノズルに移ることができる。インクトラップ層１７での発泡体材料またはスポンジ材料の使用は、インク内で発生する、ある粒子汚染をもたらす場合がある。しかし、これは、チャネル１６への効果的な吸収に必要な量のインクを吸収するのにちょうど十分な厚さおよび密度を有する層を設けることによって最小にすることができる。どの場合でも、インクは、効果的に吸収材料２９内だけに貯蔵されるので、インクトラップ層によって作られる可能性があるインク汚染レベルは、従来の構造によって作られるレベルから大きく下げられる。
【１３９６】
プレス加工された金属シャーシ３０が、シャーシ３０内に形成されたクリップ３１を介して主本体の下側にはめられ、クリップ３１は、主本体２０内に形成された対応するクリップに嵌合する。プレス加工された金属シャーシ３０は、主本体２０の下側に従う形状にされ、複数の穴３２を含み、これらの穴３２は、シャーシ３０を通って延び、インクがシャーシ３０を通過する経路ができるように、インク貯蔵コンパートメント２４のインク出口２７に対応して位置決めされる。シャーシ３０は、カートリッジユニット１０に追加の安定性をもたらし、縁３３を含み、縁３３は、主本体２０から下に延び、本明細書で後で詳細に説明する形で、印字ヘッドアセンブリ２２のフレキシブルプリント回路基板５２がクレードルユニット１２内の対応する電気接点１２８と接触する接触領域を画定する。シャーシ３０は、その長さに沿って形成された複数の細長い凹窩３４も有し、下で詳細に説明するように、印字ヘッドアセンブリ２２に設けられた接続するクリップが、主本体２０への接続のために、この凹窩３４を通る。
【１３９７】
シールモールディング３５が、シャーシ３０に取り付けられて、インク貯蔵コンパートメント２４からのシャーシ３０を通るインク流路を完成させ、密閉する。シールモールディング３５は、エラストマ材料から作られ、その表面に沿って形成された複数の中空円筒インサート３６を有し、中空円筒インサート３６は、図１５に示されているように、シャーシ３０に形成された穴３２を通って、インク貯蔵コンパートメント２４のそれぞれのインク出口２７の中に延びる。中空円筒インサート３６の遠位末端は、主本体２０に接触して、インク出口２７を密閉し、シールモールディング３５を通るインクの流れを保証する。シールモールディング３５は、ロックはめまたは適当な接着剤によって金属シャーシ３０の表面に固定され、印字ヘッドアセンブリ２２が取り付けられる実質的に平坦な表面をもたらすように働く。それを通ってインクが印字ヘッドアセンブリに流れることのできる複数の出口穴３９をその中に設けられた平坦な表面がある。
【１３９８】
図１４および１５に示されているように、フレキシブルプリント回路基板（ＰＣＢ）バッカー３７が、位置決めスタッド３８を介して主本体２０の側面に取り付けられ、シャーシ３０の下向きに突き出した縁３３を超えて延びる。フレキシブルＰＣＢバッカー３７は、適当なエラストマ材料から作られ、主本体２０への印字ヘッドアセンブリ２２の取り付けの後に印字ヘッドアセンブリ２２のフレキシブルＰＣＢ  ５２がその上で支持されるバッキングを提供する。本明細書で後で詳細に述べるように、印字ヘッドアセンブリ２２からのフレキシブルＰＣＢ  ５２は、適当な凹窩を設けられ、この凹窩は、位置決めスタッド３８にはまり、フレキシブルＰＣＢ  ５２に形成されるくぼんだ電気接点５３がフレキシブルＰＣＢバッカー３７の上で位置決めされ、そこから外に延びてクレードルユニット１２内に設けられた適当な電気接点１２８と接触するようになっている。この配置は、クレードルユニット１２とカートリッジユニット１０の間で印字ヘッドアセンブリ２２のインク吐出ノズルを制御するためにデータおよび電力を伝送するのを可能にするために、その間で適当な電気的接触を確立できるように、この接触領域でのある度合の柔軟性をもたらす。この配置は、この領域でのカートリッジユニット１０とクレードルユニット１２の間の接触に関連する力が、シャーシ３０によって担持され、印字ヘッドアセンブリ２２に伝えられない（伝えられた場合に、複製印字ヘッド集積回路が損傷を受ける可能性がある）ことをも保証する。
【１３９９】
図１３および１４に示されているように、主本体２０に、主本体２０からカートリッジユニット１０に関して下向きに延びる端支持部４０の対も含まれる。端支持部４０は、シールモールディング３５およびフレキシブルＰＣＢバッカー３７が２つの端支持部４０の間で主本体２０に沿って延びるように配置される。端支持部４０の目的は、この説明で後程説明する。
【１４００】
［印字ヘッドアセンブリ］
印字ヘッドアセンブリ２２は、図１８から２１に詳細に示されているが、シールモールディング３５の平坦な表面に形成された出口穴３９からインクを受け取るために主本体２０の下側に取り付けられるように適合される。
【１４０１】
図２０により明瞭に示されているように、印字ヘッドアセンブリ２２は、カートリッジユニット１０の主本体２０への印字ヘッドアセンブリの接続を容易にする特徴を有する上モールディング４２を備える。これらの特徴は、上モールディング４２の表面から突き出すＵ字形クリップ４３の形である。クリップ４３は、シャーシ３０に設けられた細長い凹窩３４を通り、主本体２０に形成された耳（図示せず）によって捕まえられ、これによって、印字ヘッドアセンブリ２２を主本体２０に固定する。
【１４０２】
インクをインク貯蔵コンパートメント２４から受け取るために、上モールディング４２の表面は、そこから突き出す複数のインク入口４４を有する。インク入口４４は、印字ヘッドアセンブリ２２が主本体２０に固定される時にシールモールディング３５の出口穴３９の中に受けられ、インクが印刷のために印字ヘッド集積回路に流れるための経路をもたらす。密閉された接続を保証するために、インク入口４４は、シールモールディング３５の出口穴３９の中にぴたりとはまる形状にされ、密閉を容易にするために外側コーティングを設けることもできる。
【１４０３】
上モールディング４２は、液晶ポリマ（ＬＣＰ）から作られ、接着フィルム４６を介して下モールディング４５に接着される。下モールディング４５も、ＬＣＰから作られ、その長さに沿って形成された複数のチャネル４７を有する。チャネル４７のそれぞれは、インク入口４４を介してインク貯蔵コンパートメント２４のうちの１つからインクを受け取るように設けられ、印字ヘッドアセンブリ２２のインク供給ノズル５１に供給するために印字ヘッドアセンブリ２２の長さに沿ってインクを分配する。チャネルは、１ｍｍの幅を有し、０．７５ｍｍの幅を有する壁によって分離されることが好ましい。図示の実施形態では、下モールディング４５が、その長さに沿って延びる５つのチャネル４７を有し、インクチャネル４７のそれぞれが、対応するインク入口４４の１つからインクを受け取る。そのような配置は、異なるインクが、個々のインク貯蔵コンパートメント２４から印字ヘッド集積回路の対応するインク供給ノズルまでの移動全体を通じて分離されたままになることを保証する。これに関して、接着フィルム４６は、個々のインクチャネル４７を密閉し、下モールディング４５が上モールディング４２と組み立てられた時のインクのチャネル間混合を防ぐようにも働く。
【１４０４】
インクを下モールディング４５のインクチャネル４７から印字ヘッド集積回路（ＩＣ）５０にさらに分配するために、インク分配部材４８が、下モールディング４５に取り付けられ、印字ヘッドＩＣ  ５０と下モールディング４５のインクチャネル４７の間のインターフェースとして働く。インク分配部材４８の目的は、インクが比較的広いチャネル４７から、個々のインク供給ノズル５１にインクを供給するために印字ヘッドＩＣ  ５０の下側に形成される比較的小さく狭いチャネル９８に流れるための流路を設けることである。
【１４０５】
インク分配部材４８が、印字ヘッドＩＣ  ５０のノズルへのミリメートルからマイクロメートルへの液体分配を実行するために機能する形を諒解するために、まず、印字ヘッドＩＣ  ５０が印字ヘッドアセンブリ２２の印刷ゾーンを形成するように配置される形に言及する。
【１４０６】
上でそれとなく言ったように、本発明は、ページ幅印刷に関し、したがって、印字ヘッドＩＣ  ５０は、イメージを作成するためにインク小滴を通過する媒体の上に置くためにその媒体の幅にまたがって水平に延びるように配置される。これを達成するために、個々の印字ヘッドＩＣ  ５０は、図２２に単純に示されているように、印字ヘッドアセンブリ２２のインク分配部材４８の表面に沿って、接触する配置で一緒にリンクされる。個々の印字ヘッドＩＣ  ５０の長さは、約２０ｍｍ〜２２ｍｍであり、したがって、Ａ４／ＵＳレターサイズのページを印刷するために、１１個〜１２個の個々の印字ヘッドＩＣ  ５０を、接触する形で一緒にリンクすることができる。他の印刷サイズも可能であり、したがって、必要な個々の印字ヘッドＩＣ  ５０の個数は、応用例に応じて変更することができる。
【１４０７】
各印字ヘッドＩＣ  ５０は、その中に複数の個々のインク供給ノズル５１を形成され、このインク供給ノズル５１の構造および制御は、後で詳細に説明する。個々の印字ヘッドＩＣ  ５０内のノズル５１は、インク供給の複雑さおよび配線の複雑さを減らすために物理的にグループ化され、電力消費を減らし、さまざまな印刷速度を可能にするために論理的にもグループ化される。
【１４０８】
前に述べたように、各印字ヘッドＩＣ  ５０は、５つの異なる色（Ｃ、Ｍ、Ｙ、Ｋ、およびＩＲ）を印刷することができ、１色あたり１２８０個のインク供給ノズル５１を含み、これらのノズルは、偶数ノズルおよび奇数ノズル（それぞれ６４０個）に分割される。各色の偶数ノズルおよび奇数ノズルは、印字ヘッドＩＣ  ５０の異なる行に設けられ、真の１６００ｄｐｉ印刷を実行するために垂直に位置合せされ、これは、ノズル５１が１０行に配置されることを意味する。単一の行の２つの隣接するノズル５１の間の水平距離は、３１．７５μであり、ノズルの行の間の垂直距離は、ノズルの発射（ｆｉｒｉｎｇ）順序に基づくが、行は、通常、ドットラインの正確な個数と、行発射時間の間に紙が移動する距離に対応するドットラインの分数の合計だけ分離される。また、所与の色のノズルの偶数行と奇数行の間隔は、下で説明するように、これらが１つのインクチャネルを共有できるものでなければならない。
【１４０９】
個々の印字ヘッドＩＣ  ５０が接触する形で一緒にリンクされる形は、さまざまな形で実行することができる。図２３に示されているように、この印字ヘッドＩＣ  ５０のリンクを達成する最も単純な形は、隣接するＩＣ  ５０の間に長方形の継手を形成することである。しかし、この長方形の継手の性質に起因して、継手界面で隣接するノズルの間にギャップがもたらされる場合があり、このギャップは、媒体の印刷されるページに、インクが置かれない垂直の縞を作る可能性があり、これは、いくつかの印刷応用例で許容不能である場合がある。
【１４１０】
これは、継手界面でノズルオーバーラップを提供する、図２４（ａ）に示された傾斜した継手を提供することによって克服することができる。図２４（ｂ）の界面での単一の色のノズル行の拡大図によって示されるように、そのような配置は、上で述べたような印刷ページに沿った可視の継手を作らない。この配置では、この形でリンクするためにＩＣ  ５０を垂直に完全に位置合せしなければならず、したがって、これは必ずしも可能でない可能性がある。
【１４１１】
この問題を克服するために、図２５に示されているように、垂直オフセットを有するＩＣ  ５０を提供することができる。このオフセットは、隣接するＩＣ  ５０の縦の縁の間の垂直オフセットによって見ることができ、このオフセットは、印字ヘッドアセンブリ２２の長さに沿って、各継手と共に増加する。たとえば、オフセットが、継手ごとにノズルの７ラインと同等である場合に、この形でつながれた１１個のＩＣについて、合計１０個の継手と７０個の追加のノズルラインがある。これが、印字ヘッドアセンブリに必要なデータストレージのラインの増加をもたらす。これを克服するために、各ＩＣ  ５０を、図２６に示されているように、ゆるやかな傾斜に置いて、継手の個数に関わりなく一定の個数の印刷ラインを達成することができる。この配置で、ＩＣ  ５０のノズルの行が位置合せされるが、ＩＣが、傾いた方位に置かれ、すべてのノズルが同時に発射される場合に、その効果が、媒体のページに提供される多数の傾いたラインになるが、ノズルが紙移動に対して正しい順序で発射されるならば、ｎドットのまっすぐのラインが印刷され、その後、１ラインだけ離れたもう１つのｎドットの別のまっすぐのラインが続くことを諒解されたい。
【１４１２】
接触する形でＩＣ  ５０をリンクするもう１つのシステムを、図２７に示す。この配置では、ＩＣ  ５０が、その端で、一緒にリンクされる形状にされて、ＩＣの水平ラインを形成し、隣接するＩＣの間の垂直オフセットがない。上下のチップの縁に対して４５°の角度を有する傾斜した継手が、ＩＣの間に設けられる。通常、つなぐ縁は、直線ではなく、位置決めを容易にするために鋸歯プロファイルを有し、ＩＣ  ５０は、つなぐ縁に垂直に測定して約１１μ離隔されることが意図されている。この配置では、図２７、図２８および図１０７に示されているように、各行の左端のインク供給ノズルが、１０ラインピッチだけ下げられ、三角形構成に配置される。この配置は、継手でノズルのある度合のオーバーラップをもたらし、インクの滴が印刷ゾーンに沿って一定して送られることを保証するためにノズルのピッチを維持する。この配置は、十分なリンクを保証するために、ＩＣ  ５０の縁により多くのシリコンが提供されることも保証する。ノズルの動作の制御は、ＳｏＰＥＣデバイスによって実行されるが、ノズルに関する補償は、貯蔵要件に応じて、印字ヘッドで実行され、あるいは、ＳｏＰＥＣデバイスによって実行することもできる。これに関して、ＩＣ  ５０の一端に配置されたノズルの下げられた三角形配置が、最小の印字ヘッドでの貯蔵要件をもたらすことを諒解されたい。しかし、貯蔵要件がよりクリティカルでない場合には、三角形以外の形状を使用することができ、たとえば、下げられる行が、台形の形をとることができる。
【１４１３】
図２８に、個々のＩＣの一部の上面をより明瞭に示す。図からわかるように、ボンディングパッド９６が、その縁に沿って設けられ、クレードルユニット１２のＳｏＰＥＣからノズルの動作を制御するデータおよび／または電力を受け取る手段を提供する。基準９７も、互いに関してＩＣ  ５０を位置決めし、位置合せするのを助けるためにＩＣの表面に設けられる。基準９７は、隣接するＩＣ  ５０に関するＩＣ  ５０の真の位置を示すために適当な位置決め機器によってたやすく識別可能なマーカーの形であり、ＩＣの縁で継手の近くに戦略的に位置決めされる。図１０７に示されているように、基準９７は、隣接するＩＣ  ５０の表面に設けられた対応する基準９７と位置合せされて、上で述べた、適当な限度までのＩＣの位置合わせを保証する。
【１４１４】
印字ヘッドＩＣ  ５０の下側を、図１０８に関連して示す。図からわかるように、印字ヘッドＩＣ  ５０の下側に沿って、複数のエッチングされたチャネル９８が設けられ、各チャネル９８は、ノズル５１の行の対に通じている。チャネル９８は、約８０μ幅であり、印字ヘッドＩＣ  ５０の長さに延び、チャネル９８を諸部分に分割するために、その中に形成されたシリコン壁９９を含む。チャネルは、下モールディング４５のインクチャネル４７からインクを受け取り、特定の色またはタイプのインクを吐出するためにノズル５１の行の対にインクを分配するように適合される。シリコン壁９９によるチャネル９８の区分は、ノズルへの流路が大きくなりすぎないことを保証し、これによって、ＩＣの長さに沿った個々のノズルへのインク枯渇の可能性が減る。これに関して、各部分は、約１２８個のノズルに供給し、インクの供給を個別に供給される。
【１４１５】
ＩＣ  ５０のそれぞれは、インク分配部材４８の表面に位置決めされ、固定される。前に述べたように、インク分配部材は、下モールディング４５に形成された１ｍｍ幅のチャネル４７から印字ヘッドＩＣ  ５０の下側に形成された８０μ幅のチャネル９８にインクを送る。
【１４１６】
インク分配部材４８は、複数の形で構成することができる。一実施形態で、インク分配部材４８を、特許文献１および保留中の米国特許出願第２００４／０１１３９９７号に記載のように、互いに接着された複数の層からなる積層構造の形とすることができる。
【１４１７】
代替実施形態で、図２９に示されているように、インク分配部材４８を、中間層１７２および接着剤層１７３を備える２部分の形にすることができる。この配置では、中間層１７２が、下モールディング４５の露出されたチャネル４７の上にはまって、チャネル４７を密閉し、下モールディング４５と共に密閉されたユニットを形成するように配置される。中間層１７２は、その長さに沿ってそれを通って形成された複数の穴１７４を有し、この穴１７４のそれぞれは、チャネル４７と位置合せされ、その長さに沿って規則正しい間隔で離隔される。
【１４１８】
図３０により明瞭に示されているように、中間層１７２を通って形成され、下モールディング４５の最も中央のチャネル４７に関連する穴１７４は、中間層１７２の長さに沿った間隔で等間隔の小さい直径の穴の形である。下モールディング４５の他のチャネル４７に対応する、より大きい直径の穴１７４が設けられ、これらは、最も中央のチャネルから横に変位されている。これらの穴１７４は、同様に、中間層の長さに沿って等間隔にされ、より大きい直径の穴から延びて中間層１７２の中央領域で、より小さい直径の穴の近くで終わるマイクロ導管１７６が、設けられる。これらの導管１７６は、穴１７４のそれぞれから中間層の中央領域にインクを分配して、集積回路５０の下側に形成されたチャネル９８に異なるタイプ／色のインクを送る。
【１４１９】
中間層１７２も、適当な形状および構成に射出成形される液晶ポリマ（ＬＣＰ）から作られる。中間層１７２は、３Ｍ  ８１６またはＡｂｅｌｆｌｅｘ  ５２０６もしくは５２０５などの熱伝導性接着剤（ｔｈｅｒｍａｌ  ａｄｈｅｓｉｖｅ）を介して下モールディング４５に接着され、この接着剤は、中間層１７２と下モールディング４５の間に塗布され、ラミネータ内に置かれる。
【１４２０】
中間層１７２の表面での集積回路５０の配置を容易にし、これを固定するために、接着フィルム１７５が、中間層１７２の表面に貼り付けられる。接着フィルム１７５は、ＰＥＴフィルムまたはポリスルホンフィルムなどの熱可塑性フィルムとすることのできる積層ポリマフィルムの形であり、あるいは、ＡＬ  ｔｅｃｈｎｏｌｏｇｉｅｓ社およびＲｏｇｅｒｓ  Ｃｏｒｐｏｒａｔｉｏｎ社が製造するものなどの熱硬化性フィルムの形とすることができる。接着フィルム１７５は、好ましくはその両面に同時押出し接着剤層を形成され、中間層１７２の上面に積層される。
【１４２１】
中間層１７２への接着層１７５の積層の後に、穴が、中央に配置された小径の穴１７４および導管１７６の端と一致するように接着層１７５を通ってドリル加工される。これを、図３１に示す。これらの穴は、異なるタイプのインクのそれぞれの、接着層１７５を通る別々の流れ通路をもたらし、これらのインクは、上で述べたように、各チャネル部分９８に関連するインク供給ノズル５１への供給のために集積回路５０の下側に形成された適当なチャネル部分９８に直接に供給される。基準位置決めマーク１７７も、その上へのＩＣ  ５０の取付けおよび位置決めを助けるために、接着層の表面にドリル加工される。
【１４２２】
ＩＣ  ５０を接着層１７５の表面に取り付けるために、ＩＣ  ５０が、ダイの中に置かれ、１７０℃まで加熱され、その後、４０ｐｓｉで約３秒間、接着層１７５に押し付けられる。これによって、図３２に示されているように、ＩＣ  ５０の中間層１７２への熱的な接着がもたらされる。図からわかるように、接着層１７５の表面に形成された基準位置決めマーク１７７が、ＩＣの位置決めを助け、ＩＣ  ５０の下側に形成されたチャネル９８が、接着層１７５を介してドリル加工された穴と正しく位置決めされて、印刷のためにインクをノズルに供給する流路がもたらされる。
【１４２３】
この実施形態では、インク分配部材４８が、下モールディング４５内に形成されたチャネル４７の上にはまる中間層１７２と、流体がそれを通って流れることを可能にし、中間層１７２の表面にＩＣを取り付けるように働く接着層１７５とを含む２部分要素の形である。
【１４２４】
もう１つの実施形態で、インク分配部材４８を、ワンピース要素の形とすることができ、ＩＣは、その上面に直接に取り付けられる。これに関して、インクの流れを中間層１７２の中央領域に向けるためにそれを通って延びる穴１７４およびその上面に形成された導管１７６を有する中間層１７２を設けるのではなく、導管が、インク分配部材４８の本体の中に形成され、インク分配部材の上面だけが、ＩＣの下面にインクを送るために小径の穴をその中央に形成されるようになる。
【１４２５】
これを達成する形を、図３３、図１０９、図１１０に示す。これらの図は、単に、インクを下モールディング４５のチャネル４７のうちの１つから向けることのできる形を示し、同一の手法を、チャネル４７の残りからインクを送るために同様に適用できることを諒解されたい。
【１４２６】
図からわかるように、インク分配部材４８の下側は、その中に複数の穴または入口１８０が設けられ、入口１８０のそれぞれは、約１ｍｍの直径を有し、この直径は、下モールディング４５に設けられるチャネル４７の幅に対応する。入口１８０は、インク分配部材４８の本体を通って延びるのではなく、図１１０の断面図に示されているように、分配部材４８の厚さの約３／４の深さまで部材４８の中に延びる。
【１４２７】
下モールディングの中央のチャネル４７に関連する入口１８０について、８０μ幅の穴の形の出口１８２が、インク分配部材４８の最も上の面に設けられ、インクがインク分配部材から出て流れる経路を設けるために入口１８０の端壁の中に延びる。下モールディング４５の他のチャネル４７に関連する入口１８０について、トンネル１８１が、インク分配部材４８内の入口１８０の側壁から設けられ、インク分配部材４８の本体を介して入口内に受けられたインクの流れをインク分配部材４８の中の中央位置に向けるように働く。出口１８２は、上で説明したように、その後、インク分配部材の最も上の側に形成されて、トンネル１８１内に存在するインクがインク分配部材の表面に沿って所望の位置でインク分配部材を出るための経路をもたらす。出口１８２は、基本的に幅において８０μであって、集積回路５０の下側に設けられるチャネル９８の幅に対応する。
【１４２８】
この実施形態のインク分配部材４８は、Ｆｏｒｔｕｒａｎガラスなどのｐｈｏｔｏ−ｓｔｒｕｃｔｕｒａｂｌｅガラスセラミック材料から作られる。これらの材料は、特定のレベルのパルスＵＶレーザエネルギ密度（フルーエンス）に露光された時に、光化学反応を有し、この光化学反応によって、その体積内にある密度のナノ結晶が作成され、その密度は、露光されたレーザビームのフルーエンスに正比例する。これに関して、所望の入口１８０と、出口１８２と、入口および出口を接続するトンネル１８１とを形成するために、インク分配部材４８が、集光されたレーザビームへの露光のために精密ＸＹＺステージに取り付けられる。さまざまなツールを使用して、ガラス構造のクリティカルに露光される体積のサイズおよび形状を制御して、所望のパターンおよび形状がインク分配部材内に作成されることを保証する。通常の露光時間は、１５分から１時間まで変化するものとすることができる。
【１４２９】
露光の次に、インク分配部材は、ガラスの露光された領域の結晶化を引き起こすのを助ける熱処理のために炉に入れられる。露光され熱処理されたガラスが、次に、マイルドエッチ液（ｍｉｌｄ  ｅｔｃｈａｎｔ）に約７分間入れられて、露光領域がエッチングされるが、エッチング時間は、ガラスの厚さおよびカットの深さに応じて変化する場合がある。図面に示された完全なインク分配部材を形成するために、熱処理ステップおよびエッチングステップを繰り返すことができる。
【１４３０】
この配置を用いると、下モールディング４５のチャネル４７に存在するインクが、入口１８０を介してインク分配部材４８に引き込まれ、入口１８０は、チャネル４７の上でそれに沿った規則的な間隔で位置決めされている。入口１８０に入る時に、必要な場合に、インクが、上で述べたトンネル１８１を介してインク分配部材４８の中央領域に向けられ、ここで、インクが、ＩＣ  ５０の下側に形成された対応するチャネル９８と位置合せされた所定の位置の出口１８２を介してインク分配部材４８から出ることができる。
【１４３１】
ＩＣ  ５０は、インク分配部材４８からインクを受け取るために、ＩＣ  ５０の下側に塗布されるスピンコーティングされた接着剤を使用して、またはインク分配部材４８の上面にエポキシをスクリーン印刷することによって、インク分配部材４８の上面に固定される。これに関して、ＩＣ  ５０とインク分配部材４８の上面とに設けられる基準が、ＩＣ  ５０の位置決めを助け、ＩＣ  ５０の上側に形成されたチャネル９８が、正しいタイプ／色のインクを受け取るために分配部材４８の上面に形成された適当な出口１８２と位置合せされるようになる。
【１４３２】
図３４および図１１１に、下モールディング４５の５つのチャネル４７からのインクの配送を制御するためにこれが配置される形を示す。これらの図は、配置の平面図を提供し、図を明瞭にするために、さまざまな要素が、インクが要素の間を流れる形を示すために輪郭で図示されている。図３４は、インク分配部材４８上の中央に配置されたＩＣ  ５０を示す、配置の平面図である。インク分配部材４８は、下モールディング４５に固定され、入口１８０が、ＩＣ  ５０への分配のためにチャネル４７からインクを受け取るために、めいめいのチャネル４７の長さに沿って規則的な間隔でめいめいのチャネル４７に位置合せされている。中央のチャネル４７に関連する入口１８０は、出口１８２と流体的に直接に通じており、この出口１８２は、ＩＣ  ５０の下側にインクを送る。他のチャネル４７に関連する入口１８０には、インク分配部材４８内に形成されたトンネル１８１が含まれ、このトンネル１８１は、ＩＣ  ５０の下側にインクを送るために入口１８０から離れて配置された関連する出口１８２と流体的に通じている。図からわかるように、この配置では、出口１８２が、インク分配部材の上面の中央に所定のパターンで配置され、各出口の位置は、特定の色のインクがＩＣ  ５０に送られる点を定義する。
【１４３３】
図１１１は、インクがＩＣ  ５０の下側に供給される形を詳細に示す、図３４の拡大図である。ＩＣ  ５０の下側に形成されたチャネル９８が、明瞭に図示されており、チャネル９８を諸部分に分割する、チャネル９８の長さに沿って設けられたシリコン壁９９も明瞭に図示されている。図からわかるように、ＩＣ  ５０は、インク分配部材の表面で位置決めされ、出口１８２が、チャネル部分の接合点すなわちシリコン壁９９が位置する領域でチャネル９８と位置合せされるようになっている。これによって、１つの出口１８２が２つのチャネル部分にインクを供給し、インク分配部材４８の表面に沿って出口の規則的な離隔を達成できることが保証される。
【１４３４】
上で説明した実施形態では、インク分配部材４８が、１つのピースの要素の形であり、これによって、別々の層を設ける必要が克服され、層の間の密閉がもはや不要なのでシステムの複雑さが減る。
【１４３５】
インク分配部材４８の表面への印字ヘッドＩＣ  ５０のそれぞれの取付けおよび位置合わせの次に、フレキシブルＰＣＢ  ５２が、ＩＣ  ５０の縁に沿って取り付けられ、その結果、印刷をもたらすために制御信号および電力をＩＣ  ５０のボンドパッド９６に供給できるようになる。図２０により明瞭に示されているように、フレキシブルＰＣＢ  ５２は、印字ヘッドアセンブリ２２の回りでカートリッジユニット１０に関して上向きに折れ曲がり、クレードルユニット１２の制御回路網から電力および／またはデータ信号を受け取るためにその長さに沿って複数のくぼんだ接点５３を設けられている。複数の穴５４が、フレキシブルＰＣＢ  ５２の遠位縁に沿って形成され、これらの穴は、フレキシブルＰＣＢ  ５２のくぼんだ接点５３がフレキシブルＰＣＢバッカー３７を超えて延びるように、フレキシブルＰＣＢ  ５２を主本体２０に形成された位置決めスタッド３８に取り付ける手段を提供する。フレキシブルＰＣＢ  ５２のくぼんだ接点５３がクレードルユニット１２の電力接点およびデータ接点１２８と接触する形は、後で説明する。
【１４３６】
媒体シールド５５が、印字ヘッドアセンブリ２２に、その縁に沿って取り付けられ、通過する媒体との接触に起因して発生し得る損傷から印字ヘッドＩＣ  ５０を保護するように働く。媒体シールド５５は、図２１により明瞭に示されているように、適当なクリップロック配置を介してまたは接着剤を介して、印字ヘッドＩＣ  ５０の上流で上モールディング４２に取り付けられる。この形で取り付けられる時に、印字ヘッドＩＣ  ５０は、媒体シールド５５の表面の下で、通過する媒体の経路の外にある。
【１４３７】
図２０および２１に示されているように、空間５６が、媒体シールド５５と上モールディング４２と下モールディング４５の間に設けられ、エアコンプレッサまたは類似物から圧縮空気を受け取ることができる。この空間５６は、印字ヘッドアセンブリ２２の長さに沿って延びるので、圧縮空気を、印字ヘッドアセンブリ２２の両端から空間５６に供給し、アセンブリに沿って均等に分配することができる。媒体シールド５５の内面５７は、一連のフィン５８を設けられ、これらのフィン５８は、それを通って圧縮空気が移動する、媒体シールド５５の長さに沿って均等に分散された複数の空気出口を画定する。したがって、この配置は、媒体配送の方向での印字ヘッドＩＣ  ５０にまたがる空気の流れをもたらし、この空気の流れは、媒体と共に運ばれるほこりおよび他の粒子物体が印字ヘッドＩＣの表面に付く（ノズルのブロックおよび損傷を引き起こす可能性がある）のを防ぐ。
【１４３８】
完全な印字ヘッドアセンブリ２２の断面を、図２１に示す。図からわかるように、インクは、インク貯蔵コンパートメント２４から上モールディング４２のインク入口４４を介して受け取られ、インク入口４４は、インクを下モールディング４５のインクチャネル４７のうちの１つに直接に供給する。インクは、インクチャネル４７から、インク分配部材４８によって印字ヘッドＩＣ  ５０のインク供給ノズル５１に供給される。
【１４３９】
図２０および２１に示されているように、下モールディング４５は、その一端に複数のプライミング入口５９を設けられる。プライミング入口５９のそれぞれは、チャネル４７のうちの１つに直接に通じており、出荷前および使用の前に印字ヘッドアセンブリ２２およびインク貯蔵コンパートメント２４にインクをプライミングする手段を提供する。プライミングを達成するさまざまな形を、これから図３５〜４０を参照して説明する。
【１４４０】
図３５は、前に説明したインク貯蔵コンパートメント２４の単純化された断面表現である。インクは、インク出口２７を介して吸収材料２９にプライミングされ、インク出口２７は、コンパートメント２４を印字ヘッドアセンブリ２２のチャネル４７にリンクする。これに関して、インクは、プライミング入口５９を介して下モールディング４５のチャネル４７に沿って供給され、各チャネル４７は、特定のタイプ／色のインクをインク貯蔵コンパートメント２４に送るために、そのインク貯蔵コンパートメント２４の１つのインク出口２７と流体的に通じている。
【１４４１】
インク貯蔵コンパートメント２４のプライミングは、通常はカートリッジユニット１０の出荷の前に実行され、したがって、インク供給源を、プライミング入口５９に一時的に取り付けることができ、ここで、プライミングの完了時に、プライミング入口にキャップをする／密閉することができる。
【１４４２】
上で述べたように、プライミングインクは、圧力の下でインク出口２７を介してインク貯蔵コンパートメント２４に供給される。プライミングインクは、インクフィルタ／エアバリア２８と出口２７の間の空間に流れ、インクフィルタ／エアバリア２８を介して吸収材料２９に吸収される。上で述べたように、吸収材料２９の多孔性の性質に起因して、インクは、毛細管引力に起因して吸収材料内に保留される。吸収材料２９の上面を、乾燥し、通気口６３を介して大気圧にさらされた状態に保つことによってインクを、毛細管現象を介して吸収材料２９の細孔に継続的に引き出すことができる（矢印Ｂによって示されるように）。
【１４４３】
上で述べたように、下モールディング４５のチャネル４７に存在するインクは、インク分配部材４８を介して集積回路５０のインク供給ノズル５１にも供給される。上で説明したプライミング処理の間に、インクは、ノズル５１に流れて、個々のノズルにインクをプライミングし、インク貯蔵コンパートメント２４内の吸収材料２９の毛細管現象に起因して、十分な背圧が、インク供給で確立されて、ノズル５１からのインクの漏れが防がれる。
【１４４４】
これに関して、プライミング動作は、吸収材料が完全に飽和し、その上面がインクで濡れる前に停止され、その結果、必要な背圧を維持できるようにする。これは、インクの供給を制限することによって、または本体内のインクのレベルを感知するなど、より洗練された方法によって制御することができる。漏れ防止を助けるために、疎水性材料を、ＩＣ  ５０の表面のノズル５１の付近で使用することもできる。
【１４４５】
上で説明した配置では、供給されるインクの圧力を、インクがプライミング中にノズル出口５１を介して吐出されないことを保証するレベル未満に維持する必要がある場合がある。実用的には、この状況は、カートリッジユニット１０をプライミングするのに必要な時間を増やす可能性がある。
【１４４６】
プライミング中にインク圧力を制限する必要を実質的になくす手段を提供する、インク貯蔵コンパートメント２４を構成する代替実施形態を、図３６から３９に示す。この実施形態では、インク出口２７と流体的に通じているバイパス流体経路１８５が設けられる。
【１４４７】
バイパス流体経路１８５は、プライミングインクに、インク貯蔵コンパートメント２４への追加経路を与え、このインク貯蔵コンパートメント２４で、プライミングインクを吸収材料２９によって吸収することができる。これに関して、プライミングインクは、インクフィルタ／エアバリア２８を介して吸収材料２９に直接に流れるだけではなく、図３６で矢印Ｃによって示されているように、コンパートメント２４のウェル領域２４ａの少なくとも一部にも流れることができる。ウェル領域２４ａは、コンパートメントの基部２５の持ち上げられた部分２６を囲む、コンパートメント２４の基部２５と吸収材料２９の間にギャップがある、環状の領域である。このウェル領域２４ａは、プライミングインクをバイパス流体経路１８５を介してすばやく送ることのできる空間を画定する。
【１４４８】
この配置を用いると、インクがインク貯蔵コンパートメント２４に入る複数の経路を設けることによって、吸収材料２９のより大きい表面積が、プライミングインクにさらされ、したがって、インクが、吸収材料によりすばやく引き込まれ、プライミングインクの供給圧力を下げることができる。
【１４４９】
経路１８５は、バイパス弁１８６を設けられ、このバイパス弁１８６は、カートリッジユニット１０の最初のプライミング中に開かれ、図３７に示されているように、プライミング動作の完了時に閉じられる。バイパス弁１８６は、さまざまな配置によって設けることができ、手動制御または自動制御のいずれかとすることができる。たとえば、バイパス弁１８６を、図３８および３９に示されているように、手動押下げボタンとして設けることができる。
【１４５０】
この配置では、バイパス弁１８６が、経路１８５の底壁の柔軟な部分として設けられたボタン１８７の形である。ボタン１８７は、ゴム材料から作ることができ、環状の弱められた部分１８７ａを介して経路１８５の壁に接続することができる。当初、およびプライミング中に、ボタン１８７は、図３８に示されているように位置決めされて、プライミングインクが経路１８５を通って流れることを可能にする。プライミングが完了したならば、ボタン１８７を経路１８５の内壁の円形のくぼんだ領域１８８に押し下げることによって、経路１８５が閉ざされる。これに関して、ボタン１８７が、リップ１８９によって捕まえられ、そこに保持され、これによって、図３９に示されているように、バイパス弁１８６がブロックされる。
【１４５１】
他のバイパス弁構造が可能であり、本発明によって企図されていることを当業者が理解するであろうことを諒解されたい。たとえば、上記に対する単純な代替案は、圧縮可能なシリコンチューブまたは類似物として追加の流体経路１８５を設けることとすることができる。
【１４５２】
バイパス弁１８６は、プライミングが完了したならば、不可逆的に閉じられるように構成することができる。その一方で、印字ヘッドアセンブリ２２のプライミング入口を介する貯蔵コンパートメントの補充が望まれる場合に、制限なしに開閉できるバイパス弁を設けることができる。
【１４５３】
コンパートメント２４にインクをプライミングする代替のまたは追加の配置を提供する、インク貯蔵コンパートメント２４のもう１つの実施形態を、図４０に示す。
【１４５４】
この配置では、ポート１９０が、各コンパートメント２４の側壁のうちの少なくとも１つの、吸収材料２９の上面より下の位置に設けられる。ポート１９０は、外部インク供給源注射器または類似物（図示せず）からの針１９１の挿入のために設けられ、この針１９１は、吸収材料２９に貫通し、これを介して、プライミングインクが本体に供給される。ポート１９０は、上で述べた理由から、吸収材料２９の一番上の部分を濡らさないようにするために、図４０で矢印Ｄによって示されるように、針１９１が吸収材料２９のより下側の部分に向かってプライミングインクを供給するように構成される。
【１４５５】
各ポート１９０は、針１９１の貫通を可能にし、針が引き抜かれた時および他の時に密閉される弁１９２を設けられる。たとえば、弁１９２に、エラストマシールを組み込むことができる。
【１４５６】
この形で、プライミングインクが、吸収材料２９に直接に送られ、毛細管力を介して、図４０の矢印Ｅによって示されるように、印字ヘッドアセンブリ２２のノズルへ送るためにそこに保留される。
【１４５７】
この実施形態の配置は、上で述べた実施形態の配置と独立に設けることができ、あるいは、これらの配置と共に使用して、インク貯蔵コンパートメント２４の追加の補充機構を提供することができる。
【１４５８】
［インク供給ノズル］
ノズルおよび対応するアクチュエータを備えた、本発明に適するタイプのインク供給ノズル配置の例を、これから図４１から５０を参照して説明する。図５０に、シリコン基板８０１５上に形成されたインク供給ノズル配置８０１のアレイを示す。ノズル配置８０１のそれぞれは、同一であるが、ノズル配置８０１のグループが、異なる色のインクまたは定着剤を供給されるように配置される。これに関して、ノズル配置は、行に配置され、互いに関して千鳥に配置され、ノズルの単一の行を用いて可能なものより狭い、印刷中のインクドットの間隔が可能にされる。そのような配置は、高密度のノズル、たとえば、各行のノズルの間の約３２μの間隔および隣接する行の間の約８０μの間隔をそれぞれが有する複数の千鳥になった行に配列された５０００個を超えるノズルを提供することを可能にする。複数の行は、冗長性（望まれる場合に）も可能にし、これによって、ノズルごとの所定の故障率が可能になる。
【１４５９】
各ノズル配置８０１は、集積回路製造技法の産物である。具体的には、ノズル配置８０１は、微細電気機械システム（ＭＥＭＳ）を定義する。
【１４６０】
説明を明瞭簡単にするために、単一のノズル配置８０１の構成および動作を、図４１から４９を参照して説明する。
【１４６１】
インクジェット印字ヘッド集積回路５０に、０．３５μ  Ｍｉｃｒｏｎ  １  Ｐ４Ｍを有するシリコンウェハ基板８０１５が含まれる。１２Ｖ  ＣＭＯＳマイクロプロセッシングエレクトロニクスが、その上に置かれる。
【１４６２】
二酸化珪素（またはその代わりにガラス）層８０１７が、基板８０１５上に置かれる。二酸化珪素層８０１７は、ＣＭＯＳ誘電層を画定する。ＣＭＯＳトップレベルメタルは、二酸化珪素層８０１７の上に置かれる位置合せされたアルミニウム電極接点層８０３０の対を画定する。シリコンウェハ基板８０１５と二酸化珪素層８０１７の両方が、エッチングされて、全体的に円形の断面（平面で）を有するインク入口チャネル８０１４が画定される。ＣＭＯＳメタル１、ＣＭＯＳメタル２／３、およびＣＭＯＳトップレベルメタルのアルミニウムの拡散バリヤ８０２８が、二酸化珪素層８０１７内でインク入口チャネル８０１４の上に置かれる。拡散バリヤ８０２８は、駆動エレクトロニクス層８０１７のＣＭＯＳ酸化物層を介する水酸イオンの拡散を防ぐように働く。
【１４６３】
窒化珪素の層８０３１の形の不活性化層が、アルミニウム接点層８０３０および二酸化珪素層８０１７の上に置かれる。不活性化層８０３１の、接点層８０３０の上に置かれた各部分は、接点８０３０へのアクセスを提供するためにその中に開口８０３２を画定されている。
【１４６４】
ノズル配置８０１に、環状のノズル壁８０３３によって画定されるノズル室８０２９が含まれ、ノズル室８０２９は、上端で、ノズルルーフ８０３４と、平面では円形の半径方向に内側のノズルリム８０４とで終わる。インク入口チャネル８０１４は、ノズル室８０２９と流体的に通じている。ノズル壁の下端に、移動リム８０１０が配置され、これには、移動シールリップ８０４０が含まれる。包囲壁８０３８が、移動可能ノズルを囲み、ノズルが図４４に示されたように休んでいる時に移動リム８０１０に隣接する静止シールリップ８０３９を含む。流体シール８０１１が、静止シールリップ８０３９と移動シールリップ８０４０の間にトラップされたインクの表面張力に起因して形成される。これによって、室からのインクの漏れが防がれると同時に、包囲壁８０３８とノズル壁８０３３の間の低抵抗の結合がもたらされる。
【１４６５】
図４８に最もよく示されているように、複数の半径方向に延びる凹窩８０３５が、ルーフ８０３４内でノズルリム８０４の回りに画定される。凹窩８０３５は、インクがノズルリム８０４を通って逃げることの結果としての半径方向のインクの流れを含むように働く。
【１４６６】
ノズル壁８０３３は、基部８０３７が窒化珪素の層８０３１に取り付けられた、全体的にＵ字形のプロファイルを有するキャリア８０３６に取り付けられるレバー配置の一部を形成する。
【１４６７】
このレバー配置には、ノズル壁から延び、横補強ビーム８０２２を組み込まれたレバーアーム８０１８も含まれる。レバーアーム８０１８は、受動ビーム８０６の対に取り付けられ、受動ビーム８０６は、窒化チタン（ＴｉＮ）から形成され、図４４および４９に最もよく示されているように、ノズル配置の両側に置かれる。受動ビーム８０６の他端は、キャリア８０３６に取り付けられる。
【１４６８】
レバーアーム８０１８は、ＴｉＮから形成されるアクチュエータビーム８０７にも取り付けられる。アクチュエータビームへのこの取付けが、ある点で、受動ビーム８０６への取付けより長い、短いがクリティカルな距離で行われることに留意されたい。
【１４６９】
図４１および４７に最もよく示されているように、アクチュエータビーム８０７は、平面において実質的にＵ字形であり、電極８０９と反対の電極８０４１との間の電流経路を画定する。電極８０９および８０４１のそれぞれは、接点層８０３０内のめいめいの点に電気的に接触する。接点８０９を介して電気的に結合されるのと同様に、アクチュエータビームは、アンカ８０８に機械的にもアンカリングされる。アンカ８０８は、ノズル配置が動作中である時に、アクチュエータビーム８０７の動きを図４１から４３の左側で制限するように構成される。
【１４７０】
アクチュエータビーム８０７のＴｉＮは、導電性であるが、電流が電極８０９と８０４１の間に流される時に自己加熱を受けるのに十分に高い電気抵抗を有する。受動ビーム８０６を通る電流はなく、したがって、これらは膨張しない。
【１４７１】
使用中に、休んでいるデバイスは、インク８０１３で充たされ、このインク８０１３が、表面張力の影響の下でメニスカス８０３を画定する。インクは、メニスカスによって室８０２９内に保持され、一般に、他の物理的影響がない時には漏れない。
【１４７２】
図４２に示されているように、ノズルからインクを発射するために、電流が、電極８０９と８０４１の間に流され、アクチュエータビーム８０７を通る。その抵抗に起因するビーム８０７の自己加熱が、このビームを膨張させる。アクチュエータビーム８０７の寸法および設計は、膨張の大部分が図４１から４３に関して水平方向であることを意味する。この膨張は、アンカ８０８によって左側で制限され、したがって、アクチュエータビーム８０７の、レバーアーム８０１８に隣接する端が、右に駆り立てられる。
【１４７３】
受動ビーム８０６の相対的な水平方向の非柔軟性が、レバーアーム８０１８の大きい水平方向の移動を可能にさせない。しかし、それぞれレバーアームに対する受動ビームおよびアクチュエータビームの取付け点の相対変位が、ねじる動きを作り、これが、レバーアーム８０１８を全体的に下向きに移動させる。この移動は、効果的にピボット回転運動またはヒンジ回転である。しかし、真のピボット点の不在は、この回転が、受動ビーム８０６の曲げによって画定されるピボット領域の回りの回転であることを意味する。
【１４７４】
レバーアーム８０１８の下向きの移動（およびわずかな回転）は、受動ビーム８０６からのノズル壁８０３３の距離によって増幅される。ノズル壁およびルーフの下向きの移動は、室８０２９内の圧力増加を引き起こし、図４２に示されているように、メニスカスをふくれさせる。インクの表面張力は、流体シール８０１１が、インクを漏らさずにこの動きによって引き延ばされることを意味することに留意されたい。
【１４７５】
図４３に示されているように、適当な時に、駆動電流が停止され、アクチュエータビーム８０７が、すばやく冷え、収縮する。この収縮は、レバーアームにその静止位置に戻ることを開始させ、これが、室８０２９内の圧力減少を引き起こす。ふくらむインクの運動量とそのインクの固有の表面張力の相互作用、ならびにノズル室８０２９の上向きの動きによって引き起こされる負圧が、ふくらむメニスカスを薄くし、最終的にちぎれさせて、隣接する印刷媒体に接触するまで上向きに継続するインク滴８０２が画定される。
【１４７６】
滴８０２が離れた直後に、メニスカス８０３は、図４３に示された凹形状を形成する。表面張力が、インクが入口８０１４を介して上向きに吸い上げられるまで室８０２９内の圧力を比較的低く保ち、この吸上が、ノズル配置およびインクを図６１に示された静止状況に戻す。
【１４７７】
本発明に適するもう１つのタイプの印字ヘッドノズル配置を、これから図５１を参照して説明する。やはり、説明を明瞭簡単にするために、単一のノズル配置１００１の構成および動作を説明する。
【１４７８】
ノズル配置１００１は、その中にノズル１００３（ノズルリム１００４を有する）を有するノズル板１００２と、ノズル板を通って延びるアパーチャ１００５とを備えた、泡形成ヒータ要素アクチュエータタイプである。ノズル板１００２は、化学蒸着法（ＣＶＤ）によって、後にエッチングされる犠牲材料の上に堆積された窒化珪素構造からプラズマエッチングされる。
【１４７９】
このノズル配置に、各ノズル１００３に関して、ノズル板がその上で支持される側壁１００６と、壁およびノズル板１００２によって画定される室１００７と、多層基板１００８と、多層基板を通ってこの基板の離れた側（図示せず）まで延びる入口通路１００９とが含まれる。ループにされた細長いヒータ要素１０１０が、室１００７内に吊るされ、その結果、この要素が、吊るされたビームの形になる。図示のノズル配置は、リソグラフィプロセスによって形成される微細電気機械システム（ＭＥＭＳ）構造である。
【１４８０】
このノズル配置が使用されている時に、リザーバ（図示せず）からのインク１０１１が、入口通路１００９を介して室１００７に入り、その結果、室が充たされる。その後、ヒータ要素１０１０が、１μ秒より多少短い間加熱され、その結果、熱が、熱パルスの形になる。ヒータ要素１０１０が、室１００７内のインク１０１１に熱的に接触しており、その結果、この要素が加熱された時に、これが、インク内の蒸気泡の生成を引き起こすことを諒解されたい。したがって、インク１０１１は、泡を形成する液体を構成する。
【１４８１】
泡１０１２は、生成されたならば、室１００７内の圧力の増加を引き起こし、これが、ノズル１００３を介するインク１０１１の滴１０１６の吐出を引き起こす。リム１００４は、滴方向誤りの可能性を最小にするために、吐出される時に滴１０１６を向けるのを助ける。
【１４８２】
入口通路１００９あたり１つのノズル１００３および１つの室１００７だけがある理由は、要素１０１０の加熱および泡１０１２の形成の際に室内で生成される圧力波が、隣接する室およびそれに対応するノズルに影響しないようにするためである。
【１４８３】
室１００７内の圧力の増加は、インク１０１１をノズル１００３から押し出すだけではなく、多少のインクを入口通路１００９を介して押し戻しもする。しかし、入口通路１００９は、長さにおいて約２００μから約３００μであり、直径において約１６μに過ぎない。したがって、かなりの粘性抵抗がある。その結果、室１００７での圧力上昇の支配的な影響は、入口通路１００９を介して戻すことではなく、吐出された滴１０１６としてノズル１００３を介してインクを押し出すことである。
【１４８４】
図５１に示されているように、滴が分離する前の「ネッキングフェーズ（ｎｅｃｋｉｎｇ  ｐｈａｓｅ）」中の吐出されるインク滴１０１６が示されている。この段階では、泡１０１２が、既にその最大サイズに達しており、崩壊の点１０１７に向かって崩壊し始めている。
【１４８５】
崩壊の点１０１７に向かう泡１０１２の崩壊は、崩壊の点に向かって、いくらかのインク１０１１をノズル１００３内から（滴の側面１０１８から）引き込ませ、いくらかのインクを入口通路１００９から引き込ませる。この形で引き込まれるインク１０１１のほとんどは、ノズル１００３から引き込まれ、分離の前に滴１０１６の基部に環状のネック１０１９を形成する。
【１４８６】
滴１０１６は、分離するために、表面張力に打ち勝つためにある量の運動量を必要とする。インク１０１１が、泡１０１２の崩壊によってノズル１００３から引き込まれる時に、ネック１０１９の直径が減り、これによって、滴を保持する表面張力全体の量が減り、その結果、ノズルから吐出される時の滴の運動量が、滴が分離することを可能にするのに十分になる。
【１４８７】
滴１０１６が分離した時に、泡１０１２が崩壊の点１０１７に崩壊するので、矢印１０２０によって反映されているように、キャビテーション力が生じる。キャビテーションが影響を有することのできる、崩壊の点１０１７の付近の固い表面がないことに留意されたい。
【１４８８】
本発明に適するもう１つのタイプの印字ヘッドノズル配置を、これから図５２〜５４を参照して説明する。このタイプは、通常、インクを含むノズル室と、室内に置かれたパドルに接続されたサーマルベンド（ｔｈｅｒｍａｌ  ｂｅｎｄ）アクチュエータとを有するインク供給ノズル配置を提供する。サーマルアクチュエータデバイスは、ノズル室からインクを吐出するために作動される。好ましい実施形態に、導体トレースの導電加熱をもたらすための一連の先細り部分を含む特定のサーマルベンドアクチュエータが含まれる。このアクチュエータは、ノズル室のスロット付きの壁を介して受けられるアームを介してパドルに接続される。アクチュエータアームは、ノズル室壁のスロットの表面と実質的に嵌合するために、嵌合する形状を有する。
【１４８９】
まず図５２（ａ）〜（ｃ）に移ると、この実施形態のノズル配置の基本動作の概略図が示されている。ノズル室５０１が設けられ、インク入口チャネル５０３によってインク５０２を充たされ、インク入口チャネル５０３は、ノズル室５０１が乗るウェハ基板を通ってエッチングすることができる。ノズル室５０１に、さらに、その回りにインクメニスカスが形成されるインク吐出ポート５０４が含まれる。
【１４９０】
ノズル室５０１の内側に、パドルタイプデバイス５０７があり、このパドルタイプデバイス５０７は、ノズル室５０１の壁のスロットを介してアクチュエータ５０８に相互接続される。アクチュエータ５０８には、ポスト５１０の端部に隣接して置かれた、ヒータ手段、たとえば５０９が含まれる。ポスト５１０は、基板に固定される。
【１４９１】
滴をノズル室５０１から吐出することが望まれる時に、図５２（ｂ）に示されているように、ヒータ手段５０９が、熱膨張を受けるために加熱される。ヒータ手段５０９自体またはアクチュエータ５０８の他の部分が、高い曲げ効率を有する材料から作られることが好ましく、ここで、曲げ効率は、次のように定義される。
【数１】
2010012795.tif 000006
ヒータ要素に適当な材料は、ガラス材料を曲げるために形成することのできる銅ニッケル合金である。
【１４９２】
ヒータ手段５０９は、理想的にはポスト５１０の端部に隣接して配置され、作動の効果がパドル端５０７で拡大され、ポスト５１０の近くでの小さい熱膨張がパドル端の大きい動きをもたらすようになっている。
【１４９３】
ヒータ手段５０９および結果のパドルの動きは、インクメニスカス５０５の周囲の圧力の全般的な増加を引き起こし、インクメニスカス５０５は、図５２（ｂ）に示されているように、すばやい形でふくらむ。ヒータ電流は、パルスにされ、インクが、インクチャネル５０３から流れ込むことに加えて、ポート５０４から吐出される。
【１４９４】
その後、パドル５０７が非アクティブ化されて、もう一度静止位置に戻る。非アクティブ化は、ノズル室へのインクの全体的な逆流を引き起こす。ノズルリムの外部のインクの順方向運動量および対応するバックフローが、滴５１２の全体的なネッキングおよび分離をもたらし、滴５１２は印刷媒体に進む。崩壊したメニスカス５０５は、インク流れチャネル５０３を介するノズル室５０１へのインクの全体的な吸い込みをもたらす。そのうちに、ノズル室５０１が補充され、図５２（ａ）の位置にもう一度達し、ノズル室は、その後、インクのもう１つの滴を吐出する準備ができる。
【１４９５】
図５３に、ノズル配置の側面透視図を示す。図５４に、図５３のノズル配置のアレイの断面図を示す。これらの図では、前に導入した要素の番号付けが維持されている。
【１４９６】
まず、アクチュエータ５０８に、一連の先細りのアクチュエータユニット、たとえば５１５が含まれ、これらのアクチュエータユニットは、窒化チタン層５１７の上に形成された上ガラス部分（アモルファス二酸化珪素）５１６を備える。代替案では、より高い曲げ効率を有する銅ニッケル合金層（以下ではキュプロニッケルと呼ぶ）を利用することができる。
【１４９７】
窒化チタン層５１７は、先細りの形であり、したがって、抵抗加熱は、ポスト５１０の端部の近くで発生する。隣接する窒化チタン／ガラス部分５１５が、ブロック部分５１９で相互接続され、ブロック部分５１９は、アクチュエータ５０８の機械的構造的支持も提供する。
【１４９８】
ヒータ手段５０９に、理想的には、複数の先細りのアクチュエータユニット５１５が含まれ、このアクチュエータユニット５１５は、細長く、離隔され、加熱時に、アクチュエータ５０８の軸に沿って示される曲げ力が最大になるようになっている。スロットが、隣接する先細りのユニット５１５の間に画定され、隣接するアクチュエータ５０８に関する各アクチュエータ５０８のわずかに差のある動作が可能になっている。
【１４９９】
ブロック部分５１９は、アーム５２０に相互接続される。アーム５２０は、ノズル室５０１の側面に形成されるスロット、たとえば５２２によって、ノズル室５０１の内側のパドル５０７に接続される。スロット５２２は、アーム５２０の周囲のインクの流出の機会を最小にするために、全体的にアーム５２０の表面に嵌合するように設計される。インクは、全体的に、スロット５２２の周囲の表面張力効果を介してノズル室５０１内に保持される。
【１５００】
アーム５２０を作動させることが望まれる時に、伝導電流が、下ＣＭＯＳ層５０６を接続するブロック部分５１９内の窒化チタン層５１７に通され、この下ＣＭＯＳ層５０６は、ノズル配置に必要な電力および制御回路網をもたらす。伝導電流は、ポスト５１０に隣接する窒化物層５１７の加熱をもたらし、この加熱が、アーム５２０の全体的に上向きの曲げと、その結果のノズル５０４からのインクの吐出をもたらす。吐出された滴は、前に説明したように、インクジェットプリンタに関して通常の形でページに印刷される。
【１５０１】
単一の印字ヘッドを作成するために、ノズル配置のアレイを形成することができる。たとえば、図５４に、印字ヘッドアレイを形成するためにインターリーブされたラインに配置された、図５３の複数のインク吐出ノズルを備えた、部分的に断面化されたさまざまなアレイの図が示されている。もちろん、フルカラーアレイ等を含む、異なるタイプのアレイを定式化することができる。
【１５０２】
説明される印字ヘッドシステムの構成は、その内容が相互参照によって完全に組み込まれている、本出願人の米国特許第６２４３１１３号、名称「Ｉｍａｇｅ  Ｃｒｅａｔｉｏｎ  Ｍｅｔｈｏｄ  ａｎｄ  Ａｐｐａｒａｔｕｓ（ＩＪ  ４１）」に記載のステップの適当な変更を介する標準的なＭＥＭＳ技法を利用して進めることができる。
【１５０３】
集積回路５０は、集積回路の長さおよび必要な所望の印刷特性に応じて、５０００個と１００００個の間の、上で説明したインク供給ノズルをその長さに沿って配置されるように配置することができる。たとえば、狭い媒体について、所望の印刷結果を達成するために、印字ヘッドアセンブリの表面に沿って配置された５０００個のノズルだけを必要とすることが可能である場合があるが、より幅広い媒体について、所望の印刷結果を達成するために、印字ヘッドの長さに沿って最小限１００００個、２００００個、または５００００個のノズルを設ける必要がある場合がある。１６００ｄｐｉまたはその付近でのＡ４またはＵＳレターサイズの媒体でのフルカラー写真品質イメージについて、集積回路５０は、１色あたり１３８２４個のノズルを有することができる。したがって、印字ヘッドアセンブリ２２が、４色（Ｃ、Ｍ、Ｙ、およびＫ）で印刷できる場合に、集積回路５０が、約５３３９６個のノズルをその表面に沿って配置される場合がある。さらに、印字ヘッドアセンブリ２２が、６つの印刷液（Ｃ、Ｍ、Ｙ、Ｋ、ＩＲ、および定着剤）を印刷できる場合に、これは、８２９４４個のノズルが集積回路５０の表面に設けられることをもたらす場合がある。そのような配置のどれにおいても、各ノズルをサポートするエレクトロニクスは同一である。
【１５０４】
個々のインク供給ノズル配置を印字ヘッドアセンブリ２２内で制御できる形を、これから図５５〜５８を参照して説明する。
【１５０５】
図５５に、集積回路５０と、印刷エンジン１の制御エレクトロニクス内に設けられるＳｏＰＥＣデバイス（上で述べた）への集積回路５０の接続の概要を示す。上で述べたように、集積回路５０に、各ノズルを発射するために繰り返される論理を含むノズルコアアレイ９０１と、ノズルを発射するためのタイミング信号を生成するノズル制御論理９０２とが含まれる。ノズル制御論理９０２は、高速リンクを介してＳｏＰＥＣデバイスからデータを受け取る。
【１５０６】
ノズル制御論理９０２は、リンク９０７を介して、印刷のためにノズルアレイコアにシリアルデータを送るように構成され、リンク９０７は、電気コネクタの形とすることができる。ノズルアレイコア９０１に関する状況情報および他の動作情報は、別のリンク９０８を介してノズル制御論理９０２に通信され、リンク９０８も、電気コネクタで提供することができる。
【１５０７】
ノズルアレイコア９０１を、図５６および５７に詳細に示す。図５６では、ノズルアレイコア９０１がノズル列９１１のアレイを備えることがわかる。このアレイに、発射／選択シフトレジスタ９１２と６つまでの色チャネルが含まれ、色チャネルのそれぞれは、対応するドットシフトレジスタ９１３によって表される。
【１５０８】
図５７に示されているように、発射／選択シフトレジスタ９１２には、順方向路発射シフトレジスタ９３０、逆方向路発射シフトレジスタ９３１、および選択シフトレジスタ９３２が含まれる。各ドットシフトレジスタ９１３に、奇数ドットシフトレジスタ９３３および偶数ドットシフトレジスタ９３４が含まれる。奇数ドットシフトレジスタ９３３および偶数ドットシフトレジスタ９３４は、データが、ある方向で奇数ドットシフトレジスタ９３３を通ってクロッキングされ、その後、逆方向で偶数シフトレジスタ９３４を通ってクロッキングされるように、一端で接続される。最後の偶数ドットシフトレジスタ以外のすべての出力が、マルチプレクサ９３５の１つの入力に供給される。マルチプレクサのこの入力は、製造後テスト中に信号（ｃｏｒｅｓｃａｎ）によって選択される。通常動作中には、ｃｏｒｅｓｃａｎ信号が、マルチプレクサ９３５の他の入力に供給されるドットデータ入力Ｄｏｔ［ｘ］を選択する。これは、各色のＤｏｔ［ｘ］をめいめいのドットシフトレジスタ９１３に供給させる。
【１５０９】
単一の列Ｎを、これから図５７を参照して説明する。図示の実施形態では、列Ｎに、６つのドットシフトレジスタごとに奇数データ値９３６および偶数データ値９３７を含む１２個のデータ値が含まれる。列Ｎには、順方向発射シフトレジスタ９３０からの奇数発射値９３８と、逆方向発射シフトレジスタ９３１からの偶数発射値９３９とも含まれ、これらは、マルチプレクサ９４０に入力として供給される。マルチプレクサ９４０の出力は、選択シフトレジスタ９３２の選択値９４１によって制御される。選択値が０の時に、奇数発射値が出力され、選択値が１の時に、偶数発射値が出力される。
【１５１０】
奇数データ値９３６および偶数データ値９３７のそれぞれが、それぞれ対応する奇数ドットラッチ９４２および偶数ドットラッチ９４３に入力として供給される。
【１５１１】
各ドットラッチおよびそれに関連するデータ値が、ユニットセル９４４などのユニットセルを形成する。ユニットセルを、図５８に詳細に示す。ドットラッチ９４２は、データ値９３６の出力を受け入れるＤタイプフリップフロップであり、データ値９３６の出力は、奇数ドットシフトレジスタ９３３の要素を形成するＤタイプフリップフロップ９４４によって保持される。フリップフロップ９４４へのデータ入力は、奇数ドットシフトレジスタの前の要素の出力から供給される（検討中の要素がシフトレジスタの最初の要素である場合を除く。この場合には、その入力はＤｏｔ［ｘ］値である）。データは、ＬｓｙｎｃＬで供給される負パルスを受け取った時に、フリップフロップ９４４の出力からラッチ９４２にクロッキングされる。
【１５１２】
ラッチ９４２の出力は、３入力ＡＮＤゲート９４５への入力の１つとして供給される。ＡＮＤゲート９４５への他の入力は、Ｆｒ信号（マルチプレクサ９４０の出力から）およびパルスプロファイル信号Ｐｒである。ノズルの発射時間は、パルスプロファイル信号Ｐｒによって制御され、たとえば、低い電力供給（取外し可能電源実施形態で）に起因して生じる低電圧状態を考慮に入れるために延長することができる。これは、相対的に一貫した量のインクが、各ノズルが発射される時に各ノズルから効率的に吐出されることを保証するためである。説明される実施形態では、プロファイル信号Ｐｒが、各ドットシフトレジスタについて同一であるが、これは、複雑さとコストと性能の間のバランスをもたらす。しかし、他の実施形態では、Ｐｒ信号を、グローバルに（すなわち、すべてのノズルについて同一）適用することができ、あるいは、各ユニットセルに、または各ノズルに合わせて個別に調整することができる。
【１５１３】
データがラッチ９４２にロードされたならば、発射イネーブルＦｒ信号およびパルスプロファイルＰｒ信号が、ＡＮＤゲート９４５に印加され、論理９０２を含むラッチ９４２ごとにインクのドットを吐出するためにノズルをトリガするために組み合わされる。
【１５１４】
各ノズルチャネルの信号を、次の表に要約する。
【表４】
2010012795.tif 000007
図５８に示されているように、発射信号Ｆｒは、対角線でルーティングされて、現在の列の１つの色、次の列の次の色などの発射をイネーブルする。これは、時間的に遅れた形で６列に拡散させることによって電流需要を平均化する。
【１５１５】
ドットラッチおよびさまざまなシフトレジスタを形成するラッチは、この実施形態ではフルスタティックであり、ＣＭＯＳベースである。ラッチの設計および構成は、集積回路の工学および設計の当業者に周知であり、したがって、この文書で詳細に説明はしない。
【１５１６】
ノズル速度は、約６０ｐｐｍで印刷できるプリンタユニット２およびより高い速度についても２０ｋＨｚ程度とすることができる。この範囲のノズル速度では、印字ヘッドアセンブリ２２全体によって吐出できるインクの量を、少なくとも毎秒５０００万滴とすることができる。しかし、より高い速度およびより高い品質の印刷のためにノズルの個数が増やされる時に、少なくとも毎秒１億滴、好ましくは少なくとも毎秒５億滴、より好ましくは毎秒１０億滴を送ることができる。そのような速度では、インクの滴が、毎滴約２５０ナノジュールの最大滴吐出エネルギでノズルによって吐出される。
【１５１７】
その結果、この速度での印刷に対処するために、制御エレクトロニクスは、ノズルがインクの滴を吐出するかどうかを、同等の速度で判定できなければならない。これに関して、いくつかの場合に、制御エレクトロニクスは、ノズルがインクの滴を吐出するかどうかを、少なくとも毎秒５０００万判定の速度で判定できなければならない。これは、より高速で高品質の印刷応用例では、少なくとも毎秒１億判定または少なくとも毎秒５億判定、多くの場合に少なくとも毎秒１０億判定まで増えることがある。
【１５１８】
本発明のプリンタユニット２について、上で説明した、印字ヘッドアセンブリ２２に設けられるノズルの個数の範囲は、ノズル発射速度および印刷速度と一緒に、少なくとも毎秒５０ｃｍ２の面印刷速度をもたらし、印刷速度に応じて、少なくとも毎秒１００ｃｍ２、好ましくは少なくとも毎秒２００ｃｍ２、より高速でより好ましくは少なくとも毎秒５００ｃｍ２の面印刷速度をもたらす。そのような配置は、従来のプリンタユニットを用いて以前に達成可能ではなかった速度で、ある面積の媒体を印刷できるプリンタユニット２を提供する。
【１５１９】
［リッドアセンブリ］
カートリッジユニット１０のリッドアセンブリ２１を、図５９〜６１に示す。リッドアセンブリ２１は、主本体２０の上にはまるように配置され、これによって、インク貯蔵コンパートメント２４のそれぞれを密閉する。したがって、リッドアセンブリ２１は、主本体２０の形状に従う形状にされ、超音波溶接または密閉接続をもたらす任意の他の適当な方法を介して主本体に取り付けられる。
【１５２０】
リッドアセンブリ２１の外面６０は、補充ユニット２００からインクを受け取り、補充インクを主本体２０のインク貯蔵コンパートメント２４のうちの１つに向けるために、複数のインク補充ポート６１を設けられる。図５９に示された実施形態では、５つのインク補充ポート６１が設けられ、補充ポートのそれぞれは、関連するコンパートメントへのインクの補充を容易にするために、５つのインク貯蔵コンパートメント２４のうちの１つと流体的に通じている。
【１５２１】
インク補充ポート６１は、リッドアセンブリ２１を通って延びる穴の形であり、各穴は、エラストマ成形から作られるバルブフィッティング６２を設けられる。バルブフィッティング６２は、非補充期間中にポート６１を密閉するように働き、インク補充ユニット２００とインク貯蔵コンパートメント２４の間のインクの制御された転送を保証するためにインク補充ユニット２００の出口と相互作用する手段を提供する。これに関して、インク補充ユニット２００がインク補充ポート６１と通じていない時には、バルブフィッティング６２がインク補充ポートを密閉し、インク補充ユニット２００がインク補充ポート６１と通じている時には、バルブフィッティング６２が、インク補充ポートを介するインク補充ユニットからのインクの転送を許す。これを達成する形を、この説明で後程説明する。
【１５２２】
リッドアセンブリ２１の外面６０に、各インク貯蔵コンパートメント２４の通気をもたらす通気配置も含まれる。通気配置は、個々のインク貯蔵コンパートメント２４に延びる個々の通気口６３と、通気口６３からリッドアセンブリ２１の縁まで延びるチャネル６４とからなる。チャネル６４は、好ましくはリッドアセンブリの外面６０にエッチングされ、通気口６３からリッドアセンブリの縁までの通路内の曲がりくねった経路の形をとる。
【１５２３】
図６１に示されているように、フィルム６５が、リッドアセンブリの外面６０に置かれ、インク補充ポート６１の回りにはまる、その中に形成された穴６６を含む。フィルム６５は、ステッカ／ラベルまたは類似物など、ユーザがカートリッジユニット１０を扱うのを助ける指示情報をその上に印刷されることもできる接着フィルムとすることができる。リッドアセンブリ２１の表面に貼り付けられた時に、フィルムは、外面６０に形成されたエッチングされたチャネル６４の上に乗り、これによって、通気口６３からリッドアセンブリ２１の縁までの通気通路を囲み、これによって、インク貯蔵コンパートメントが、曲がりくねった経路を介して呼吸できるようになる。
【１５２４】
リッドアセンブリ２１の下側が、図６０により詳細に示されており、補充インクを適当なインク貯蔵コンパートメント２４に向けるためにインク補充ポート６１の下側から延びるフローチャネル６７を含む。図６１に示されているように、溶接膜６８が、インク補充ポート６１およびフローチャネル６７の下側に溶接されて、密閉された配送通路を形成し、この配送通路に沿って、インクが、インク貯蔵コンパートメント２４のそれぞれに行く途中で通過する。
【１５２５】
リッドアセンブリ２１の下側に、成形された形状またはリッジ６９も含まれ、成形された形状またはリッジ６９は、リッドアセンブリ２１が主本体２０に密閉される時にインク貯蔵コンパートメント２４に延びる。これらの成形された形状またはリッジ６９は、吸収材料２９がインクを吸収し、毛細管現象の下でその中に保留されたインクを保持するように機能するのを助けるために、空気ギャップが通気口６３を介する通気のために吸収材料２９の上に形成されることを保証する。
【１５２６】
図５９および図６０に示されているように、リッドアセンブリ２１の外面６０から下に延びているのが、案内壁７０の対である。案内壁７０は、組立中に主本体２０にリッドアセンブリ２１を置くのを助ける。案内壁７０は、その中に形成されたくぼんだ部分７１も有し、くぼんだ部分７１は、使用中にカートリッジユニットを扱うのを助けるハンドグリップとして働く。
【１５２７】
図５９により明瞭に示されているように、主本体２０の正面に沿って印字ヘッドアセンブリ２２の近くで延びる案内壁７０に、その下縁の一連の穴７２も含まれる。これらの穴７２は、主本体２０に設けられた、印字ヘッドアセンブリ２２のフレキシブルＰＣＢバッカー３７およびフレキシブルＰＣＢ  ５２が取り付けられる位置決めスタッド３８と位置合せされ、これを受けるように配置される。この配置では、リッドアセンブリ２１が主本体２０に固定された時に、印字ヘッドアセンブリ２２のフレキシブルＰＣＢ  ５２の一部が、案内壁７０とフレキシブルＰＣＢバッカー３７の間に挟まれ、これによって、フレキシブルＰＣＢ  ５２を定位置に保持するのを助けるように働く。
【１５２８】
［キャッパアセンブリ］
前に述べ、図１１および１２に示したように、カートリッジユニット１０の主本体２０は、下向きに突き出した端支持部４０を設けられる。端支持部４０は、主本体２０と一体であり、印字ヘッドアセンブリ２２が端支持部の間に位置決めされるように配置される。端支持部４０のそれぞれは、キャッピングアセンブリ２３を受けるように構成され、したがって、キャッピングアセンブリ２３を定位置に保持するために、その表面に保持突起７３を形成される。
【１５２９】
キャッピングアセンブリ２３は、図６２から６７により詳細に示されており、全体的に、キャッパシャーシ７４からなり、キャッパシャーシ７４は、その中にキャッピングアセンブリ２３のさまざまな構成要素を受ける。キャッパシャーシ７４は、両端に上に延びる舌部分７５の対を有する開放型シャーシの形であり、舌部分７５は、キャッパアセンブリ２３を定位置に固定するために、主本体の端支持部４０にはまり、そこに設けられた保持突起７３と係合する形状にされる。キャッパシャーシ７４は、本質的に、その中にキャッパアセンブリ２３の諸部品を保持し、プレス加工された鋼板など、剛性および弾性を有する適当な金属材料から作られる。
【１５３０】
キャッパシャーシ７４の基部は、図６４により明瞭に示されており、中央に置かれた除去された部分７６と、除去された部分７６の両側から舌部分７５に向かって延びるスプリングアーム７７とを含む。スプリングアーム７７は、除去された部分の近くの領域でシャーシ７４にヒンジで連結されて固定され、キャッパシャーシの内側に偏っている。スプリングアーム７７は、シャーシと同一の材料から作ることができ、シャーシから材料を除去し、アームをシャーシの基部からプレス加工することによって形成することができる。スプリングアーム７７は、シャーシ７４と一体であるものとして図示されているが、当業者が諒解するように、スプリングアーム７７を、シャーシ７４の開いたチャネルに挿入できる別々のインサートとして提供することができる。
【１５３１】
剛体のインサート７８が、キャッパアセンブリ２３に追加の剛性を与えるために、シャーシ７４にはめるために設けられる。これに関して、インサート７８は、成形された鋼鉄から作られ、開いたＵ字形チャネルを形成する。下キャッパモールディング７９が、インサート７８内に置かれ、下キャッパモールディング７９の側面に沿って形成された複数の耳８０の、インサート７８の側面に設けられた対応する穴８１との係合を介してインサート内に保持される。下キャッパモールディング７９は、適当なプラスチック材料から作られ、閉じた端および開いた上面を有する本体を形成する。下キャッパモールディング７９の両端は、空気抜き８２を設けられ、空気抜き８２は、空気がキャッパアセンブリに入り、キャッパアセンブリに空気を通す手段を提供する。
【１５３２】
下キャッパモールディングの基部は、中央に置かれた突起８３の対を設けられ、突起８３は、剛体のインサート７８の基部に形成されたスロット８４内に受けられる。突起８３は、剛体のインサート７８を通り、その外側基部表面を超えて延びて、電磁石ボタン８５を受ける領域を画定し、電磁石ボタン８５は、突起８３の間で剛体のインサート７８の外側基部表面にスポット溶接される。電磁石ボタン８５の目的は、この説明で後程詳細に説明するが、電磁石ボタン８５を、磁力を経験することのできる任意の材料から作ることができることを諒解されたい。
【１５３３】
吸収媒体８６のストリップが、下キャッピングモールディング７９内にはまるように設けられ、ウレタンフォームまたは類似物など、インクを吸収し、その中に保持できる任意のタイプの材料から作ることができる。吸収媒体８６は、下キャッパモールディング７９内にはまる形状にされ、図６３および６５に関してより明瞭に示されているように、下キャッパモールディング７９の上に突き出し、吸収媒体８６の長さに沿って中央に延びる段付き部分８７を含む。
【１５３４】
次に、上キャッパモールディング８８が、下キャッパモールディング７９および吸収媒体８６の上にはまるように設けられる。上キャッパモールディング８８は、本質的に２つの部分すなわち、吸収媒体８６をその中に保持するために下キャッパモールディング７９の縁に沿って密閉する下部分８９と、吸収媒体８６の段付き部分８７の形状に基本的に従う上部分９０とを有する。下部分８９は、ゴム材料またはプラスチック材料から作られ、縁部分を有し、この縁部分は、下キャッピングモールディング７９の上縁に沿って乗り、超音波溶接または任意の他の適当な取付け手段によってこれに取り付けられる。上部分９０は、開いた上面を有し、デュアルショットエラストマ（ｄｕａｌ  ｓｈｏｔ  ｅｌａｓｔｏｍｅｒｉｃ）材料から作られる。開いた上面は、図６５に関して示されているように、リム部分９１の形であり、リム部分９１は、吸収媒体８６を超えて延び、印字ヘッドアセンブリ２２の集積回路５０を密閉するための周辺シールを画定する。リム部分９１の上縁と吸収媒体８６の間に形成される空間は、印字ヘッドアセンブリ２２の集積回路５０を密閉する空間である。
【１５３５】
この配置では、上キャッパモールディング８８、吸収媒体８６、下キャッパモールディング７９、および剛体のインサート７８が、キャッパシャーシ７４内にはまるように適合されたユニットを形成する。このユニットを定位置に固定するために、図６２に示されているように、上キャッピングモールディング８８にはまり、シャーシ７４に固定されるリテーナ要素９２が設けられる。
【１５３６】
リテーナ要素９２は、本質的に、上キャッパモールディング８８にはまり、その中の構成要素を封じ込める開放型チャネルの形である。スロット９３が、リテーナ要素９２の上面に形成され、これを通って、上キャッパモールディング８８の上部分９０が突き出すことができ、このスロットは、図６５に示されているように、上キャッパモールディング８８の上部分９０の形状に従う形状にされる。リテーナ要素９２の上面は、曲げられ、下でより詳細に説明するように、印刷中に媒体ガイドとして働く。リテーナ要素９２は、はまりばめ配置を介してシャーシに固定され、これによって、リテーナ要素９２内に形成された耳９４が、シャーシ７４に設けられた凹窩９５に受けられる。この形で組み立てられた時に、キャッパアセンブリ２３の構成要素が、リテーナ要素９２およびシャーシ７４内に格納され、剛体のインサート７８に固定された電磁石ボタン８５が、シャーシの中央に置かれた除去された部分７６と位置合せされる。
【１５３７】
キャッパアセンブリ２３の組立ておよび主本体２０の端支持部４０への取付けの時に、シャーシ７４の基部から内側に延びるスプリングアーム７７の存在に起因して、下キャッパモールディング７９、吸収媒体８６、および上キャッパモールディング８８をその中に含む剛体のインサート７８が、スプリングアーム７７の上で支持され、シャーシ７４の基部から持ち上げられる。この状態が、図６２および６５に示されており、この状態で、上キャッパモールディング８８の上部分９０は、リテーナ要素９２内に設けられたスロット９３を通って突き出す。この状態が、キャッピング状態であり、これによって、上キャッパモールディング８８の上リム部分９１が、印字ヘッドアセンブリ２２と接触し、印字ヘッド集積回路５０の回りの周辺シールとして働き、キャッパアセンブリ２３の閉じこめられた空間内に集積回路５０を密閉する。キャッピング状態で、印字ヘッド集積回路５０のノズル５１は、発射し、吸収材料８６にインクを吐き出すことができる。吸収材料８６は、通常は、常に湿った状態に保たれ、集積回路がキャッピング状態である時に、ノズルが湿った環境に密閉され、インクが集積回路のノズル内で乾燥せず、ノズルをブロックしないようになっている。
【１５３８】
印刷を実行するためには、キャッパアセンブリ２３を、キャッピング状態から印刷状態に移さなければならない。これは、剛体のインサート７８に、シャーシ７４のスプリングアーム７７に逆らって働かせ、下向きにシャーシ７４の基部に向かって移動させることによって達成される。この移動は、キャッパアセンブリ２３の基部の付近で、中央に置かれた除去された部分７６の近くで電磁力を印加することによって引き起こされる。電磁力の作動は、剛体のインサート７８の下側に固定された電磁石ボタン８５を引き付け、これが、下キャッパモールディング７９、吸収媒体８６、および上キャッパモールディング８８をその中に含む剛体のインサートに、印字ヘッドアセンブリ２２に関して下向きに移動させる。シャーシ７４の基部の中央に置かれた除去された部分７６は、電磁石ボタン８５が、スプリングアーム７７に反して電磁力の源に向かって十分に引き込まれることを可能にする。これが、上キャッピングモールディング８８の上リム部分９１をリテーナ要素９２内に引き込ませ、リテーナ要素９２の外面と同一平面になり、そこから突き出さないようにする。リテーナ要素９２が、移動せず、位置において固定されていることを諒解されたい。そのような状態を、印刷状態と呼び、この状態では、リテーナ要素９２と印字ヘッドアセンブリ２２の間にギャップが形成されており、これを介して、媒体が印刷のために通ることができる。印刷状態では、リテーナ要素９２は、媒体ガイドとして働き、媒体は、印刷のために印字ヘッドアセンブリを通る時に、リテーナ要素に接触し、リテーナ要素の表面で支持される。
【１５３９】
図６６および６７に、それぞれキャッピング状態および印刷状態のカートリッジユニット１０を示す。スプリングアーム７７の作用に起因して、キャッピング状態は、キャッパアセンブリ２３のゆるんだ状態であり、印刷が行われていない時には、必ず、カートリッジユニット１０がキャッピング状態であることを諒解されたい。これに関して、カートリッジユニット１０は、キャッピング状態で梱包され、出荷される。したがって、カートリッジユニット１０を印刷状態に移すためには、電磁石に電力を供給しなければならず、この電磁石は、後で説明するように、上キャッパモールディング８８をリテーナ要素９２内に引き込ませるために、クレードルユニット１２内に置かれる。停電またはプリンタユニットへの電力の休止の場合に、電磁力が除去され、キャッパアセンブリ２３が、スプリングアーム７７の作用の下でキャッピング状態に戻り、これによって、印字ヘッド集積回路５０が、乾いた空気への長期間の露出から保護される。
【１５４０】
［クレードルユニット］
クレードルユニット１２は、図６〜８に関して示されており、全体的に、カートリッジユニット１０を受ける開口を画定する主本体１３と、カートリッジユニット１０をクレードルユニット１２内で定位置に固定するために開口を閉じるように適合されたカバーアセンブリ１１とからなる。
【１５４１】
クレードルユニット１２の主本体１３に、図６８、図１１２〜図１１４に示されているように、フレーム構造１０１が含まれる。フレーム構造１０１は、全体的に、２つの端板１０２と、端板１０２のそれぞれを接続するベースプレート１０３とを備える。前に述べたように、端板１０２のそれぞれは、印刷エンジン１をプリンタユニット２内の定位置に固定できるようにするために、その基部に形成されたアンカ部分１４を設けられる。駆動ローラ１０４および出口ローラ１０５が、取付けベアリング１０６を介して端板１０２の間に取り付けられ、印刷エンジン１が完全に組み立てられた時にカートリッジユニット１０を収容する距離だけ離されている。駆動ローラ１０４および出口ローラ１０５は、それぞれ、ブラシレスＤＣモータ１０７によって駆動され、ブラシレスＤＣモータ１０７は、端板１０２のうちの１つに取り付けられ、ドライブベルトなどの駆動機構１０８を介して、駆動ローラおよび出口ローラのそれぞれを駆動する。そのようなシステムは、駆動ローラ１０４と出口ローラ１０５の両方が、同一の速度で駆動されることを保証して、印刷エンジン１を通る媒体の滑らかで一貫した通過を保証する。
【１５４２】
電磁石アセンブリ１０９が、図１１３および図１１４に最も明瞭に示されているように、ベースプレート１０３の下側の中央位置に取り付けられる。電磁石アセンブリ１０９の目的は、前に述べたように、カートリッジユニット１０のキャッパアセンブリ２３を作動させることである。穴１１０が、ベースプレート１０３の電磁石アセンブリ１０９の周囲に設けられて、キャッパアセンブリ２３の電磁石ボタン８５と通じるのを容易にする。
【１５４３】
補充ソレノイドアセンブリ１１１が、ＤＣモータ１０７と反対の、他方の端板１０２に取り付けられ、後で説明するように、補充インクをカートリッジユニット１０に補充するために補充ユニット２００を動作させるために設けられる。補充ソレノイドアセンブリ１１１は、アクチュエータアーム１１２が端板１０２の上縁を超えて延びるように位置決めされるが、その目的は、この説明で後程明白になる。
【１５４４】
カートリッジユニットガイド１１３も、端板１０２のそれぞれの内側の面に取り付けられる。このガイドは、クレードルユニット１２の背面に置かれ、カートリッジユニット１０の取外しおよび交換が単純なプロセスであることを保証するためにカートリッジユニット１０をクレードルユニット１２内で位置決めするのを助ける。カートリッジユニット１０にさらに対処するために、カートリッジユニット支持部材１１４が、端板１０２の間でクレードルユニット１２の前に取り付けられる。カートリッジユニット支持部材１１４は、図６９により詳細に示されており、クレードルユニット１２の前部分に固定される成形された板の形である。カートリッジユニット支持部材１１４は、端板１０２内に形成された凹窩１１６にはまるクリップ１１５の対を有し、さらに、アンカ点１１７を有し、アンカ点１１７は、カートリッジユニット１０を受け、支持することのできる表面を形成するために、カートリッジユニット支持部材をねじまたは類似物を介して端板１０２に固定することを可能にする。図７０に示されているように、カートリッジユニット支持部材１１４は、カートリッジユニットガイド１１３と一緒に、カートリッジユニット１０を受ける空間１１８をその中に画定し、この空間１１８は、カートリッジユニット１０の形状に従う。
【１５４５】
アイドルローラアセンブリ１１９が、カートリッジユニット支持部材１１４に固定され、複数のローラホイール１２０を含み、ローラホイール１２０は、駆動ローラ１０４の表面に接触し、これと共に回転するように位置決めされる。アイドルローラアセンブリ１１９は、図７１および図１１５に示されており、曲がった複数のセクションを有する板１２１を備え、この板の各セクションは、１対のローラホイール１２０をその遠位末端に設けられる。板１２１の各セクションは、適当なばね手段１２２を介してカートリッジユニット支持部材１１４の表面に対してばね荷重を与えられて、ローラホイール１２０が駆動ローラ１０４の表面との間に印刷媒体を入れるためにそれに関して移動できるようにする。アイドルローラアセンブリ１１９は、クリップ１２３を介してカートリッジユニット支持部材１１４の下面に取り付けられ、クリップ１２３は、図７２に示されているように、カートリッジユニット支持部材１１４内に形成された対応するスロット１２４に受けられる。そのような配置は、プリンタユニット２のピッカ機構９から印刷エンジン１に与えられる媒体が、印刷のためのカートリッジユニット１０の印字ヘッドアセンブリ２２を通る転送のために駆動ローラ１０４とアイドルローラアセンブリ１１９の間でつかまれることを保証する。
【１５４６】
印字ヘッドアセンブリ２２の集積回路５０の動作ならびに駆動ローラ１０４、出口ローラ１０５、および他の関連する構成要素の動作を制御する、印刷エンジンの制御エレクトロニクスは、図７３および図１１６に示されているように、プリント回路基板（ＰＣＢ）１２５上に設けられる。図からわかるように、ＰＣＢ  １２５の一方の面に、後で説明するように、ＳｏＰＥＣデバイス１２６と、データおよび電力を受け取り、受け取られたデータおよび電力を分配する関連構成要素１２７とが含まれ、ＰＣＢの他方の面に、その縁に沿った電気接点１２８の行が含まれ、電気接点１２８は、下で説明する形で印字ヘッドアセンブリ２２に電力およびデータ信号を伝送する手段を提供する。
【１５４７】
ＰＣＢ  １２５は、２つのアーム１２９の間に取り付けられ、アームのそれぞれは、図７４、図１１７、図１１８に示されているように、ＰＣＢ  １２５を定位置に受けるための爪部分１３０を有する。各アーム１２９は、実質的にまっすぐの縁１３１と、その上に突起１３３を形成された角度付きの縁１３２とを有するように構成される。ＰＣＢ  １２５は、その下の縁に沿って電気接点１２８を形成されたＰＣＢの面がアーム１２９の実質的にまっすぐの縁１３１の間に延びるように、アーム１２９の間で位置決めされる。
【１５４８】
アーム１２９のそれぞれの上側領域に、上に延びる指部分１３４が含まれ、ばね要素１３５が、アーム１２９ごとに設けられるが、指部分１３４およびばね要素１３５の目的は、後で詳細に説明する。
【１５４９】
２つのアーム１２９の間に取り付けられた時のＰＣＢ  １２５に安定性を与えるために、支持棒１３６が、アセンブリに取り付けられ、ＰＣＢ  １２５の下の縁に沿って、ＳｏＰＥＣデバイス１２６および関連構成要素１２７を含む面に作用する。支持棒１３６は、図７５および図１１９に示されており、適当な強度特性および剛性特性を有する、鋼鉄などの適当な材料から作られた曲がった板１３７からなる。支持棒１３６は、接触縁１３８を有し、接触縁１３８は、電気接点１２８と反対の下の縁に沿ってＰＣＢ  １２５の表面に接触するように配置される。接触縁１３８は、その端に１対の取付点１３９を有し、取付点１３９は、ねじまたは他の適当な取付け手段を介して支持棒１３６をＰＣＢ  １２５に固定することを可能にする。位置決め突起１４０も、支持棒１３６を定位置に正しく位置決めするのを助けるために、ＰＣＢ  １２５の適当な位置決め穴と嵌合するように設けられる。接触縁１３８に、その長さに沿った電気絶縁コーティング１４１が含まれ、電気絶縁コーティング１４１は、支持棒１３６とＰＣＢ  １２５の間の接触を実行する。支持棒１３６が、ＰＣＢ  １２５の下側の縁に沿ってＰＣＢ  １２５の表面に接触し、電気接点１２８が印字ヘッドアセンブリ２２のフレキシブルＰＣＢ  ５２に設けられた対応するくぼんだ接点５３と接触した時に電気接点１２８にバッキング支持を提供することを諒解されたい。
【１５５０】
支持棒１３６に、接触縁１３８から実質的に水平に延びる、比較的まっすぐの部分１４２も含まれる。まっすぐの部分１４２に、１対のタブ１４３が含まれ、タブ１４３は、その端から縦に延びて、アーム１２９に設けられた対応するスロット１４４と係合して、さらに支持棒１３６を定位置に固定する。複数の星形ホイール１４５も、千鳥配置でまっすぐの部分１４２の長さに沿って設けられる。星形ホイール１４５は、まっすぐの部分１４２内に形成されたスロット１４６内に固定され、ばね荷重を与えられた軸１４７上に設けられ、軸１４７は、支持棒１３６のまっすぐの部分に関する星形ホイール１４５の相対移動を許す。星形ホイール１４５は、下で述べるように、印刷された媒体をつかみ、印刷エンジン１から取り除くのを助けるために、出口ローラ１０５の表面と接触するために設けられる。図７６に、ＰＣＢ  １２５およびアーム１２９に取り付けられた支持棒１３６を示す。
【１５５１】
アーム１２９は、図７７および図１２０に示されているように、ねじ配置を介してピボット点１４８で端板１０２の最下部に取り付けられる。この配置では、アーム１２９、ならびにその後にＰＣＢ  １２５および支持棒１３６が、ＰＣＢ  １２５の接点１２８がカートリッジユニット１０のフレキシブルＰＣＢ  ５２のくぼんだ接点５３から取り外される開位置と、ＰＣＢ  １２５の接点１２８がカートリッジユニット１０のフレキシブルＰＣＢ  ５２のくぼんだ接点５３と押されて接触する閉位置との間でピボット点１４８の回りでピボット回転することができる。明瞭に図示されているように、端板１０２へのアーム１２９の取付けの時に、星形ホイール１４５が、出口ローラ１０５の表面と接触して、収集のための印刷エンジン１から収集領域４へのシートの除去のためにその間に媒体のシートを捕まえる。
【１５５２】
カバーアセンブリ１１は、図７８、図１２１、図１２２に示されているが、ピボットピン１５０を介して端板１０２の上部分に取り付けられ、ピボットピン１５０は、端板１０２の上部分に形成された穴１５１に受けられる。カバーアセンブリ１１は、成形されたプラスチック材料から作られ、ピボットピン１５０は、成形処理中にカバーアセンブリ１１の後縁の近くに形成される。ピボットピン１５０は、カバーアセンブリ１１が、カートリッジユニット１０がクレードルユニット１２内で固定される閉位置と、カートリッジユニット１０をクレードルユニット１２から取り外し、交換できる開位置との間で端板１０２の回りでピボット回転することを可能にする。ラッチ１５２が、カバーアセンブリ１１の前縁１５３に設けられる。ラッチ１５２は、柔軟なクリップ要素１５４を有し、柔軟なクリップ要素１５４は、図８１に示されているように、カバーアセンブリ１１が閉位置にある時に、カートリッジユニット支持部材１１４に設けられた凹窩１５５内に受けられる。柔軟なクリップ要素１５４は、ばね要素（図示せず）を介してばね荷重を与えられ、クリップ要素１５４を、それとカートリッジユニット支持部材１１４に設けられた凹窩１５５の間での係合を解放するためにたやすく押すことができ、その結果、図８０に示されているように、カバーアセンブリ１１を開位置にピボット回転できるようになっている。
【１５５３】
ピボットピン１５０に隣接して、カバーアセンブリ１１の内側に置かれているのが、１対のポスト１５６である。ポスト１５６は、実質的にピボットピン１５０に沿って、カバーアセンブリ１１の前縁１５３に向かって配置される。ポスト１５６は、ピボットピン１５０より大きく、したがってより長い距離だけ内側に延びて、ＰＣＢ  １２５を支持するアーム１２９のばね要素１３５と接触するように構成される。
【１５５４】
これに関して、カバーアセンブリ１１の開閉の動作は、ＰＣＢ  １２５の表面に設けられた接点１２８を印字ヘッドアセンブリ２２のフレキシブルＰＣＢ  ５２に設けられた対応するくぼんだ接点５３に接触される機能も実行する。これを達成するために、カバーアセンブリ１１およびアーム１２９は、図７９に示されているように配置される。
【１５５５】
図からわかるように、カバーアセンブリ１１は、ポスト１５６が、上に向かって延びる指部分１３４とその両端のばね要素１３５の間に延びるように端板１０２に取り付けられる。カバーアセンブリ１１が、図８０に示されているように開位置に移動された時に、ポスト１５６が、アーム１２９の上に向かって延びる指部分１３４に反して作用して、アーム１２９およびＰＣＢ  １２５に、カートリッジユニット１０のフレキシブルＰＣＢ  ５２のくぼんだ接点５３ととの接触から離れるようにピボット回転させる。この移動は、開かれる時のカバーアセンブリ１１のスイングアクションに起因し、これが、ポスト１５６に、印刷エンジン１の背面に向かう円弧の方向で移動させる。カバーアセンブリ１１が、図８１に示されているように閉位置に移動する時に、カバーアセンブリ１１は、ピボットピン１５０の回りでピボット回転し、ポスト１５６に、印刷エンジン１の前面に向かう円弧の方向で移動させる。ポスト１５６は、移動する際に、ばね要素１３５の直立部分に接触し、ＰＣＢ  １２５およびアーム１２９に前にピボット回転させる。ばね要素１３５は、ポスト１５６が働かせる力をＰＣＢ  １２５およびアーム１２９の前向きの動きに変換するかなりの剛性を有し、この前向きの動きが、ＰＣＢ  １２５の外側の下部分の接点１２８がカートリッジユニット１０のフレキシブルＰＣＢ  ５２に設けられた対応するくぼんだ接点５３と接触することをもたらし、接点１２８は、フレキシブルＰＣＢバッカー３７上で位置決めされ、支持される。カバーアセンブリ１１が、クリップ要素１５４がカートリッジユニット支持部材１１４の凹窩部分１５５をつかむことによって定位置に固定された時に、接点１２８は、くぼんだ接点５３と位置合せされて接触したままになり、電力およびデータをＳｏＰＥＣデバイス１２６と印字ヘッドアセンブリ２２の集積回路５０の間で伝送できることが保証される。ポスト１５６がばね要素１３５の直立位置に反して作用し、ばね要素１３５の対応する水平部分がアーム１２９に固定されているという事実に起因して、ばね要素１３５にたくわえられる戻り力があり、カバーアセンブリ１１のラッチ１５２が解放された時に、ＰＣＢ  １２５およびアーム１２９が、フレキシブルＰＣＢ  ５２のくぼんだ接点５３との接触から離れるようにピボット回転し始め、その間の電気接触が断たれ、カートリッジユニット１０のたやすい取外しが可能になる。
【１５５６】
図７８、図１２１、図１２２に示されているように、カバーアセンブリ１１に、カバーアセンブリ１１を通って形成された穴の形の中央に置かれたドッキングポート１５７が含まれる。ドッキングポート１５７は、補充ユニット２００がそれを通過してカートリッジユニット１０とドッキングすることを可能にし、これによって、下で説明する形でカートリッジユニット１０へのインクの補充を可能にする形状にされる。ドッキングポート１５７は、リム部分１５８を有し、リム部分１５８の上に、補充ユニット２００の基部の一部が受けられる。ドッキングポート１５７のリム部分１５８の中に形成されているのが、係合手段１５９であり、係合手段１５９は、補充ユニット２００と係合して補充ユニットを定位置にしっかりと保持して、カートリッジユニット１０の補充を容易にする。ＱＡチップリーダ１６０も、ドッキングポート１５７のリム１５８内に形成されて、補充ユニットの保全性を保証するために、補充ユニット２００内に設けられる対応するＱＡチップと嵌合する。係合手段１５９およびＱＡチップリーダ１６０が機能する形は、この説明で後程詳細に説明する。
【１５５７】
図１２２に示されているように、リム部分１５８の壁内に形成された穴１６１を介してドッキングポート１５７に突き出しているのが、プッシュロッド１６２である。図８２により明瞭に示されているように、プッシュロッド１６２は、リム部分１５８の壁の穴１６１を通って延びる狭められた断面を有する端１６３と、その一部がプッシュロッド１６２の長さに垂直に延びる足部分１６４を有する端とを有する細長い棒部材の形である。プッシュロッド１６２の本体は、足部分１６４の近くに、その中に形成されたスロット１６５を有し、スロット１６５は、プッシュクリップ（ｐｕｓｈ  ｃｌｉｐ）１６６が固定されるねじまたは類似物によってプッシュロッド１６２をカバーアセンブリ１１の下側に固定できるようにする。プッシュクリップ１６６は、プッシュクリップ１６６に関して縦にプッシュロッド１６２が移動することを許容するが、プッシュロッド１６２の横または下向きの移動をすべて防止する。リテーナ１６７も、プッシュロッドを定位置に保持し、プッシュロッド１６２の縦以外の移動を防ぐために、カバーアセンブリ１１の下側でドッキングポート１５７の近くに設けられる。この構成では、プッシュロッド１６２が、その長さに関して縦方向に移動でき、狭められた断面の端１６３をドッキングポート１５７に入れ、引き抜くことができるようになっている。ばね要素１６８が、プッシュロッド１６２内に形成されたスロット１６５内に設けられ、プッシュロッド１６２を定位置に偏らせるように働き、その自然な位置で、その端１６３がドッキングポート１５７内に延びるようになっている。
【１５５８】
プッシュロッド１６２の足部分１６４を、図８３により詳細に示す。足部分１６４のうちで、プッシュロッドの長さに垂直に延びる部分は、その中に溝１６９を形成される。溝の表面１７０は、図示のように、プッシュロッドの端１６３に向かって角度を付けられる。足部分１６４は、カバーアセンブリ１１の横縁に位置決めされ、カバーアセンブリ１１に関して下向きの方向に延びる。この位置で、クレードルユニット１２に取り付けられた補充ソレノイドアセンブリ１１１のアクチュエータアーム１１２が、足部分１６４の溝１６９と位置合せされる向きになる。アクチュエータアーム１１２は、ソレノイドアセンブリ１１１によって垂直方向に持ち上げられる時に、溝１６９の表面１７０に沿って移動し、これによって、プッシュロッド１６２を引っ込ませ、プッシュロッド１６２の端１６３がもはやドッキングポート１５７内に延びないようにする。ソレノイドアセンブリ１１１によってアクチュエータアーム１１２を下げることは、プッシュロッド１６２がばね要素１６８の作用の下でその自然に偏った位置に戻ることをもたらし、これによって、端１６３がドッキングポート１５７内に延びるようになる。プッシュロッドの端１６３が補充アセンブリ２００と相互作用する形を、下で詳細に説明するが、プッシュロッドの位置が、プリンタユニットの動作の状態に関してＳｏＰＥＣデバイス１２６によって制御されることを諒解されたい。
【１５５９】
［補充ユニット］
図８４に、インク補充ユニット２００の一実施形態を示す。インク補充ユニット２００は、全体的に、内部インク補充構成要素を収納する基部アセンブリ２０２と、基部アセンブリ２０２にはまるリッドアセンブリ２０４とを備える。基部アセンブリおよびリッドアセンブリは、プラスチック材料から成形することができ、基部アセンブリは、単一の片としてまたは複数のセクションで（図８８に示されているように）成形することができる。
【１５６０】
前に述べたように、補充ユニット２００は、インクを含み、カートリッジユニット１０内のインク貯蔵コンパートメント２４を補充する手段として使用されることが意図されている。補充ユニット２００は、それが含むインクをカートリッジユニット１０のインク貯蔵コンパートメント２４に転送するために、カートリッジユニット１０の表面とドッキングするように構成される。このために、クレードルユニット１２のカバーアセンブリ１１は、その中にドッキングポート１５７を形成され、このドッキングポート１５７を介して、補充ユニット２００がプリントカートリッジ１０の上面とドッキングするために通ることができる。
【１５６１】
カートリッジユニット１０のリッドアセンブリ２１に関して前に述べたように、リッドアセンブリ２１の上面６０は、その中に複数のインク補充ポート６１を形成され、個々のインク補充ポート６１のそれぞれは、インク貯蔵コンパートメント２４のうちの１つにインクを送るために、そのコンパートメントと流体的に通じている。カートリッジユニット１０の個々の表面でのインク補充ポート６１の位置は、そのカートリッジユニットに貯蔵されるインクのタイプまたは色に固有であり、インク補充ポート６１の位置および構成は、異なるカートリッジユニットの間で一貫している。これに関して、各補充ユニット２００は、カートリッジユニットとのドッキングのために基部アセンブリ２０２の最下部２０２ａに置かれた複数の出口２０６を有するように構成される。しかし、各例で、出口のうちの１つだけが、対応するインク補充ポートを介するカートリッジユニットのインク貯蔵コンパートメントへのインクの分配のためにインクの供給と流体的に通じており、出口の位置は、その補充ユニットから供給されるインクのタイプまたは色に依存する。図８８に示されているように、補充ユニット２００は、カートリッジユニット１０内の対応する色のインク貯蔵コンパートメント２４のインク補充ポート６１への補充ユニットに含まれる特定の色のインクの分配のために、１つの作業出口２０８を有するように配置される。すなわち、補充ユニット２００にシアンのインクが含まれる場合に、作業出口２０８は、補充ユニットがカートリッジユニットにドッキングされた時にカートリッジユニット１０のシアンのインク室のインク補充ポート６１に対応するように位置決めされる。
【１５６２】
クリップ配置２１０が、補充動作中に印刷エンジンに補充ユニットを固定するために、補充ユニット２００の基部アセンブリ２０２の少なくとも１側面に設けられる。これによって、クリップ配置２１０が係合解除されるまで、補充ユニット２００が実質的に印刷エンジンから移動不能になるので、補充ユニット２００からカートリッジユニットへのインクの信頼性のある効率的な転送が保証され、これによって、補充ユニットとカートリッジユニットの間の完全な密閉が保証され、出口とインク補充ポートの間のインク漏れまたは空気の進入の可能性が防がれる。
【１５６３】
これに関して、クリップ配置２１０は、基部アセンブリ２０２の側壁の弾力性のあるセクションとして形成され、クレードルユニットのカバーアセンブリ１１のドッキングポート１５７に設けられた対応する係合手段１５９と係合し、係合解除するために、側壁の残りに関して移動可能である。クリップ配置に、弾力性のあるアーム２１４から突き出す突起の形のクリップ部分２１２が含まれ、アーム２１４は、ピボット領域２１８の回りの凹窩２１６に出入りするために押下げ可能であり、ピボット領域２１８は、基部アセンブリ２０２の表面の弱められた領域である。この形で、基部アセンブリ２０２の最下部２０２ａが、カバーアセンブリのドッキングポート１５７を介して通されることによってカートリッジユニットの表面とドッキング係合するように移動される時に、カバーアセンブリの係合手段１５９が、クリップ部分２１２と接触するようになる。この接触が、補充ユニットがカートリッジユニットとのドッキング位置に押し込まれる時に、クリップ部分がカバーアセンブリの係合手段１５９を通るまで、アーム２１４を凹窩２１６内にたまわませる。クリップがカバーアセンブリの係合手段１５９を通った点で、アーム２１４は、もはや係合手段１５９と接触せず、したがって、その元の位置に戻り、これによって、クリップ部分２１２が係合手段１５９のリップと係合する。
【１５６４】
補充ユニットのクリップおよびカバーアセンブリの係合手段は、ドッキングした（補充）位置で、補充ユニット２００の出口２０６、最も重要なことに作業出口２０８が、カートリッジユニットの補充ポートにぴったりと位置決めされるように構成される。
【１５６５】
補充が完了したならば、クリップ部分２１２が係合手段のリップから係合解除されるように弾力性のあるアーム２１４を押し下げることによって、補充ユニット２００をカートリッジユニットとのドッキング係合から除去することができる。ユーザの指がクリップ配置２１０を操作するためのグリップを提供するために、適当な細かいリッジ２２２を弾力性のあるアーム２１４に設けることができる。
【１５６６】
クリップ配置２１０および対応する係合部分１５９を、補充ユニット２００およびカバーアセンブリの片側だけに設けることができ、あるいは、両側（対向する側面）に設けることができる。
【１５６７】
補充ユニット２００内で、インクは、注射器型アセンブリ２２４内に貯蔵される。注射器型アセンブリ２２４は、リッドアセンブリ２０４によって覆われるように、補充ユニット２００の基部アセンブリ２０２内に取り付けられる。注射器型アセンブリ２２４は、カートリッジユニットのインク貯蔵コンパートメントの補充に必要な量のインクを貯蔵するのに必要な容量を有する。注射器アセンブリ２２４の構成要素は、図９０に最も明瞭に示されている。
【１５６８】
タンク２２６が、補充ユニット２００内でインクを貯蔵するために注射器アセンブリ２２４内に設けられる。タンク２２６は、それを介してインクが分配のために吐出される吐出ポート２２８を一端に有し、他端では、注射器シール２３０によって密閉される。注射器シール２３０は、プランジャ２３２に取り付けられ、プランジャ２３２は、貯蔵されたインクを吐出ポート２２８から放出するためにタンク２２６の中空の内部空間内に受けられる。プランジャ２３２は、圧縮ばね２３４の作用の下でタンク２２６の中空の内部空間内に駆動されるように配置される。この圧縮ばねは、プランジャ２３２内に設けられ、プランジャから突き出して、基部アセンブリ２０２の内部端壁（すなわち、タンク２２６の吐出ポート２２８に隣接する内部端壁と反対の壁）と接触する。この形で、圧縮ばね２３４が、プランジャ２３２に一定の力を印加し、注射器アセンブリ２２４が基部アセンブリ２０２に収納された時にプランジャがタンク２２６の内側に突っ込むように強制する。
【１５６９】
突込動作の制御、したがって補充ユニットからのインクの配送の制御は、注射器アセンブリ２２４のつめ車配置によって提供される。つめ車配置は、アクチュエータロッド２３６を備え、アクチュエータロッド２３６は、その上端とその下端に向かう中間位置とで、タンク２２６に設けられた取付けスロット２３８に取り付けられる。ロッド２３６は、その１側面でスロット２３８を介して取り付けられた位置の間から突き出す歯止め２４０を有する。歯止め２４０は、プランジャ２３２の横表面のつめ車２４２をもたらす一連の溝と係合可能である。
【１５７０】
ロッド２３６は、歯止め２４０をつめ車２４２に係合させ、係合解除させるために、その超軸に沿って回転可能である。アクチュエータばね２４４が、ロッド２３６の上端に設けられ、歯止め２４０をつめ車２４２に偏らせるためにプランジャ２３２の横表面に向かって作用する。歯止め２４０とつめ車２４２の係合は、圧縮ばね２３４の圧縮の作用の下でのプランジャ２３２のタンク２２６の内側への突込に対する十分な抵抗をもたらす。
【１５７１】
したがって、補充ユニット２００の最初の使用の際に、歯止め２４０は、つめ車２４２の最初の溝と係合し、これによって、プランジャがタンク２２６の内側に実質的に入るのを防ぎ、タンク２２６内の最大のインク貯蔵容量をもたらす。カートリッジユニットの補充を開始するためには、インクを吐出ポート２２８を介してタンク２２６から吐出しなければならない。これは、歯止めを最初の溝から係合解除する、ロッド２３６の回転を介して達成される。次に、プランジャ２３２が、圧縮ばねの作用の下でタンク２２６の内側に入り、インクを吐出ポート２２８から吐出させる。歯止め２４０は、最初の溝からの係合解除の後に、ロッド２３６の最初の回転に対するアクチュエータばね２４４の戻り動作を介してつめ車２４２の次の溝と係合する。これが、タンク２２６の中でのプランジャ２３２の移動を停止させ、これによって、吐出ポート２２８からのインクの配送を停止させる。ロッド２３６の回転およびつめ車２４２との歯止め２４０の係合／係合解除の繰り返しによって、さらなるインクをタンク２２６から吐出することができ、これによって、制御された量でのインクの増分配送がもたらされる。これは、歯止めがつめ車の最後の溝と係合するまで継続され、この時点で、タンク２２６内のインクが空になっている。
【１５７２】
歯止め２４０を係合解除させるためのロッド２３６の回転は、ロッドから突き出したアーム２４８に対するアクチュエータシャフト２４６の作用によって引き起こされる。アクチュエータシャフト２４６は、図９３に示されているように、その長軸に沿って滑り可能になるように、基部アセンブリ２０２内に収納される。アクチュエータシャフト２４６の一端は、注射器アセンブリ２２４が基部アセンブリ２０２に取り付けられた時にロッド２３６のアーム２４８に接触するように滑り可能であり、アクチュエータシャフトの他端は、基部アセンブリの端壁の１つに形成された穴２０２ｂを通って基部アセンブリの外に露出されるように滑り可能である。
【１５７３】
補充動作を実行するために、アクチュエータシャフト２４６の露出された端は、カバーアセンブリの下側に設けられたプッシュロッドの端と接触し、このプッシュロッドは、カバーアセンブリのドッキングポート内に突き出す。プッシュロッドが動作する形は、上で詳細に述べたが、補充ユニット２００が補充位置にある時に、ソレノイドアセンブリが、プッシュロッドを延びさせ、歯止め２４０をつめ車２４２と係合解除させるためにロッド２３６のアーム２４８と接触するようにアクチュエータシャフト２４６を押させ、その後、プッシュロッドは、引っ込められた位置に戻る。次に、歯止め２４０が、アクチュエータばね２４４の作用を介して再係合したならば、ロッド２３６のアーム２４８が、プッシュロッドによる後続の接触のためにもう一度露出されるようにアクチュエータシャフト２４６を押す。
【１５７４】
ソレノイドアセンブリによるプッシュロッドの作動の繰り返しを介して、さらなるインクが補充ユニット２００から補充され、毎回、制御された量の補充インクが送られる。したがって、複数の補充動作を実行する能力を有する補充カートリッジが提供される。
【１５７５】
補充ユニット２００に貯蔵されたインクの量の状況は、基部アセンブリ２０２内に設けられる品質保証（ＱＡ）制御チップ２５０によって監視される。当初、ＱＡチップ２５０は、タンク２２６のインク容量（たとえば、約５０ｍｌ）、各歯止め２４０／つめ車２４２シフトによってタンクから吐出されるインクの量（たとえば、約６ｍｌ）、タンクに貯蔵されたインクの色、および作業出口２０８の位置などの情報を、メモリに保管することができる。
【１５７６】
これに関して、ＱＡチップ２５０に接続されたセンサまたは他の手段が設けられ、歯止め／爪車の位置またはアクチュエータシャフト２４６によってロッド２３６が回転された回数のいずれかを感知し、あるいは、補充ユニットの残り容量／補充の回数についてＱＡチップ２５０に知らせる他の機構が設けられる。これに関して、ＱＡチップ２５０のメモリが、書換可能メモリとして設けられる。
【１５７７】
ＱＡチップ２５０は、カバーアセンブリのドッキングポートのリム内に設けられる対応するＱＡチップリーダと位置合せされ、接続されるために、アクチュエータシャフト２４６用の穴２０２ｂの付近など（図８８を参照されたい）、基部アセンブリ２０２の端面の露出された位置に設けられる。
【１５７８】
ＱＡチップリーダは、印刷エンジンのＱＡチップおよび／またはコントローラに接続される。この形で、ＱＡチップ２５０が、上で説明した情報を印刷エンジンに通信することができる。たとえば、印刷エンジンのコントローラは、補充ユニット２００と一致するインク色／タイプを含むカートリッジユニットのインク貯蔵コンパートメントが、少なくとも１つの歯止め／爪車シフトの量の補充を必要とするかどうかを検査することができる。そのような判定に応答して、コントローラは、対応するインク室を補充するのに適当な回数だけプッシュロッドを動作させるためにソレノイドアセンブリを制御することができる。
【１５７９】
補充ユニット２００と印刷エンジンの間のこの通信は、正しいタイプ／色のインクおよび正しい量のインクが正しいインク貯蔵コンパートメントに補充されることを保証する。カートリッジユニットの適当な補充ポートの作業出口２０８の正しい位置決めなど、他の検査を実行することもできる。
【１５８０】
補充インクを補充ポートに送るために、補充ユニットの作業出口２０８は、注射針２５２を備え、注射針２５２は、基部アセンブリ２０２の内側側面および底面に設けられる流体チャネル２５４を介してタンク２２６の吐出ポート２２８に接続される。吐出ポート２２８と流体チャネル２５４の間の密閉は、Ｏリング２５６によってもたらされる。注射針２５２は、インク貯蔵コンパートメントへのインクの流れを可能にするために、対応するインク補充ポート内に設けられるバルブフィッティングを貫通するように配置される。
【１５８１】
前に述べたように、バルブフィッティングは、インク貯蔵コンパートメントを周囲から密閉し、したがってほこりおよび類似物が室に入るのを防ぎ、注射針２５２が通過できる弾性を有する壁で囲まれた室を提供する、エラストマシールとして提供することができる。
【１５８２】
作業出口２０８とバルブフィッティングの間の密閉は、注射針２５２を囲むシールリング２５８によってもたらされる。補充ユニットが分離された状態では、注射針２５２が、作業出口２０８内のシールリング２５８によって保護される（図８８を参照されたい）。一方、補充位置では、注射針２５２が、シールリングを作業出口２０８に押し込む、シールリング２５８に対する弁の上面の作用によって、バルブフィッティングに露出される。シールリング２５８は、注射針２５２に「またがる」ことができ、補充位置から解放された時に、シールリングは、シールリングと、注射針の上の流体チャネル２５４の内側表面との間に置かれたシールばね２６０の作用を介して、その保護位置に戻される。シールばね２６０は、支持ワッシャ２６２と共にシールリング２５８に保持される。
【１５８３】
例示的な補充動作を、図９４、図１２３、図１２４に示す。
【１５８４】
図９４では、補充ユニット２００が、補充位置にあり、注射針２５２が、カートリッジユニットのインク貯蔵コンパートメントのバルブフィッティングを貫通している。図示の段階では、タンク２２６に貯蔵されたインク２６４が、流体チャネル２５４および注射針２５２にプライミングされている。その代わりに、流体チャネル２５４が、たとえば補充ユニットの最初の補充動作が実行される前など、この段階で空気または他の気体を含む場合がある。インクは、流体経路内に作成される真空圧に起因して、注射針を介して逃げることなくこの流体経路内に保持される。
【１５８５】
代替案では、注射針の端をキャップするために、手動でまたは自動的にのいずれかで作業出口にはめられるキャップを設けることができる。そのようなキャップは、さらに、最初の適用の前および複数の補充適用の間に、貯蔵されたインクが乾燥しないことを保証する手段を提供する。
【１５８６】
図１２３では、クレードルユニットのソレノイドアセンブリのアクチュエータアームが、アクチュエータシャフト２４６と接触するようにプッシュバーを延ばすように動作し、ロッド２３６のアーム２４８に接触するようにアクチュエータシャフト２４６が移動している。この直後に、プッシュバーが、図９４に示された引っ込んだ位置に戻る。歯止め２４０が、つめ車溝２４２から係合解除され、したがって、圧縮ばね２３４に、プランジャ２３２を矢印Ａの方向でタンク２２６に押させる。その結果、インク２６４が、吐出ポート２２８から吐出され、したがって、注射針２５２を介してインク貯蔵コンパートメントへ矢印Ｂの方向で吐出される。
【１５８７】
図１２４で、プランジャ２３２は、歯止め２４０が次のつめ車溝２４２と係合するのに十分に移動している。この点で、プランジャ２３２は停止し、したがって、注射針２５２からのインク２６４の吐出が止まる。
【１５８８】
上のプロセスは、プリンタユニットのコントローラによってインク室２４が補充されたと考えられるまで、または補充ユニット２００のインクが空になるまで繰り返すことができる。補充ユニット２００内のインクの量の状況を、リッドアセンブリ２０４に設けられた、ＬＥＤなどのインジケータライト２６６の動作を介してユーザに中継することができる。インジケータライト２６６は、リッドアセンブリ２０４が基部アセンブリ２０２にはめられる時にＱＡチップ２５０に接続され、補充動作中に点灯し、この動作が終了した時または補充ユニット２００が空になった時に点灯を止めるように動作することができる。代替案では、インジケータライト２６６を、マルチカラー点灯が可能なものとすることができ、異なる色を使用して補充ユニット２００の特定の状況を示し、たとえば、補充中に緑の光、補充ユニットが空になった時に赤の光を使用する。
【１５８９】
インジケータライト２６６およびＱＡチップ２５０の電力は、ＱＡチップリーダとの接続を介して供給することができる。その代わりに、インクが空になるまで補充ユニット２００動作させるのに十分な電力容量を有する電池を、補充ユニット２００内に設けることができる。
【１５９０】
補充ユニット２００内に収容される注射器アセンブリ２６８の代替実施形態を、図９５から９９に示す。前の実施形態の注射器アセンブリ２２４と同様に、注射器アセンブリ２６８は、リッドアセンブリ２０４によって覆われるように、補充ユニット２００の基部アセンブリ２０２内に取り付けられ、作業出口２０８を介するプリントカートリッジ１０への補充に必要な量のインクを貯蔵し、送るのに必要な容量を有する。
【１５９１】
前の実施形態の注射器アセンブリと同様に、注射器アセンブリ２６８は、補充ユニット２００内でインクを貯蔵するタンク２２６を設けられる。タンク２２６は、それを介してインクが分配のために吐出される吐出ポート２２８を一端に有し、他端では、注射器シール２３０によって密閉される。注射器シール２３０は、プランジャ２３２に取り付けられ、プランジャ２３２は、貯蔵されたインクを吐出ポート２２８から押し流すためにタンク２２６の中空の内部空間内に突っ込む。
【１５９２】
プランジャ２３２は、圧縮ばね２７０の作用を介してタンク２２６に突っ込まれ、圧縮ばね２７０は、プランジャ２３２内の本体２３２ａの一端および周囲に取り付けられる。圧縮ばね２７０の他端は、ポスト２７２の間に固定されたリング２３２ｂに作用し、ポスト２７２は、基部アセンブリ２０２の下内側表面から突き出す。この配置では、圧縮ばね２７０の特性に起因して、圧縮ばね２７０は、前に説明した実施形態と同様に、注射器アセンブリ２６８が基部アセンブリ２０２に収納された時に、プランジャ２３２をタンク２２６の内側に常に偏らせるように働く。
【１５９３】
この例では、突込動作の制御が、注射器アセンブリ２６８の歯止めおよびつめ車配置によってもたらされる。歯止めおよびつめ車配置は、アクチュエータロッド２７４を備え、アクチュエータロッド２７４は、その上端および下端でピン２７４ａを介して取付けスロット２７６に取り付けられ、取付けスロット２７６は、基部アセンブリ２０２の下内側表面から突き出す。この形で、ロッド２７４は、取り付けられたピン２７４ａの回りでスイングまたはピボット回転することができる。
【１５９４】
ロッド２７４は、その上端に歯止め２７８を有し、歯止め２７８は、供給部材２８２の一端に円形配置で設けられたつめ車２８０の一連の歯と係合可能である（図９８に最もよく示されている）。ロッド２７４のスイングは、歯止めがつめ車と係合し、係合解除することを可能にする。アクチュエータばね２８４が、歯止めをつめ車に偏らせるために、ロッド２７４の下端から突き出すボス２７４ｂと基部アセンブリの内側表面との間に設けられる。
【１５９５】
供給部材２８２は、円筒形のホイールの形であり、両端でピン２７２ａを介してポスト２７２に取り付けられ、ピン２７２ａは、供給部材２８２の両端の軸穴（図示せず）に突き出す。この形で、供給部材２８２は、その縦軸の回りに回転することができる。供給部材２８２は、さらに、つめ車２８０と反対の端に、その周囲に溝付きねじ山（ｇｒｏｏｖｅｄ  ｔｈｒｅａｄ）２８６を有する。溝付きねじ山２８６は、供給部材２８２のまわりにロープ２８８を引きずるのに使用される。ロープの一端は、溝付きねじ山の端に取り付けられ、ロープの他端は、プランジャ本体２３２ａにまたはこれを介して取り付けられる。
【１５９６】
補充ユニット２００の出荷の前に、ロープ２８８と溝付きねじ山２８６の組合せならびにつめ車および歯止め配置が、まず、インクが貯蔵される空間をもたらすためにタンク２２６からプランジャ２３２を引っ込めるのに使用される。これに関して、供給部材２８２に、外部モータ歯車または類似物と嵌合できる歯車２９０が設けられる。モータ歯車の動作は、歯止めがつめ車と係合されていない間に供給部材を回転させ（図９７に示された配置で時計回りの方向に）、これが、ロープを溝付きねじ山に巻きつけさせ、したがって、プランジャを、ばね２７０の作用に反してタンク２２６から引っ込める。
【１５９７】
ばね２７０を圧縮するために、十分な回転力が必要であり、ばねが圧縮されている間にプランジャを定位置に保持するために、ロープに十分な強度が必要である。プランジャが、ばねが実質的に完全に圧縮される位置までタンクから引き出されたならば、歯止めが、つめ車の最も近い歯と係合される。この係合は、圧縮ばね２７０の作用を介するタンク２２６の内側へのプランジャ２３２の突込に対する十分な抵抗をもたらす。次に、タンク２２６に、出荷のためにインクをプライミングすることができる。
【１５９８】
したがって、補充ユニット２００の最初の使用時に、歯止め２７８が、つめ車２８０の歯と係合し、これが、タンク２２６内の最大のインク貯蔵容量をもたらす。インクが、補充動作中に吐出ポート２２８を介してタンク２２６から吐出される必要がある時に、ロッド２７４がスイングされて、歯止めがつめ車の歯から係合解除する。これが、プランジャ２３２をセット距離だけタンク２２６内に前進させ、これによって、正確に測られた量の貯蔵されたインクが、吐出ポート２２８を介して吐出される。吐出は、歯止め２７８がつめ車２８０の次の歯と係合する時に停止し、この係合は、ロッド２７４をつめ車と係合するようにスイングさせるアクチュエータばね２８４の作用を介して行われる。
【１５９９】
インクの追加の正確に測られた部分を、ロッド２７４のスイングを繰り返し、これによってつめ車との歯止めの係合／係合解除を引き起こすことによって、タンク２２６から吐出することができる。これは、ロープ２８８および圧縮ばね２７０が完全に延ばされるまで継続され、この点で、タンク２２６内のインクが空になり、補充ユニット２００が使い果たされる。
【１６００】
前の実施形態に似て、歯止め２７８を係合解除させるロッド２７４のスイングは、ボス２７４ｂと反対の、ロッドの下表面に接触するカバーアセンブリ１１の下側に設けられたスライダ要素によって制御することができる。前の実施形態に関して述べたように、リッドアセンブリは、補充ユニットがカートリッジユニット１０とドッキングされた時に、スライダ要素の端が基部アセンブリ２０２の側壁の１つに形成された穴２０２ｃを介してドッキングポート１５７内に突き出すように構成することができる。スライダ要素の他端を、前に説明したようにクレードルユニットに取り付けられた補充ソレノイドアセンブリに接続することができる。
【１６０１】
この形で、補充ユニット２００が、カートリッジユニット１０とドッキングされ、補充位置にある時に、スライダ要素を動作させて、歯止め２７８をつめ車２８０と係合解除させるようにロッド２７４を押すことができる。次に、歯止めがアクチュエータばね２８４の作用を介して再係合したならば、ロッド２７４の下端が、スライダ要素による後続の接触のために再位置決めされる。
【１６０２】
スライダ要素のスライドを繰り返すことを介して、補充ユニット２００からさらなるインクが補充される。同等に、いずれかの補充動作が補充ユニット２００に含まれるインクを空にしない場合に、１つの補充ユニット２００を使用して複数の補充動作を実行することができる。したがって、この補充ユニットは、複数の補充動作を実行する能力を備える。
【１６０３】
クリップ配置２１０と、作業出口２０８内の注射針２５２の配置と、ＱＡチップ２５０の配置は、この代替の注射器アセンブリ２６８を組み込んだ補充カートリッジについて、前の実施形態と同一である。
【１６０４】
注射器アセンブリ２６８のこの代替実施形態を用いると、より多くの量のインクを補充ユニット２００のタンク２２６に貯蔵できる（たとえば、約５０ｍｌ）と同時に、前の実施形態に類似するサイズが維持される。これは、歯止めおよびつめ車配置が占める空間が最小にされると同時に、補充のためのインクの制御された吐出の十分な個数のステップが維持されるからである。
【１６０５】
図１００から１０６に、本発明の印刷エンジンと共に使用するのに適するインク補充ユニット４００のもう１つの実施形態を示す。
【１６０６】
インク補充ユニット４００は、全体的に、補充インクを貯蔵し、送るのに必要なさまざまな内部構成要素を収納する本体アセンブリ４０２と、本体アセンブリ４０２の端にはまり、これをキャップする端キャップアセンブリ４０４を備える。本体アセンブリおよびキャップアセンブリは、プラスチック材料から成形することができる。
【１６０７】
上で説明した実施形態と同様に、補充ユニット４００は、インクを含み、カートリッジユニット１０内に設けられたインク貯蔵コンパートメント２４を補充する手段として使用されることを意図されている。これに関して、補充ユニット４００は、前に述べた形でカートリッジユニット１０の１つまたは複数のインク貯蔵コンパートメント２４に、インク補充ユニット４００に含まれるインクを転送するために、カートリッジユニット１０の最も上の面６０とドッキングするように構成される。
【１６０８】
これに関して、補充ユニット４００は、カートリッジユニット１０の所望のインク貯蔵コンパートメント２４に関連する対応するインク補充ポート６１に、補充ユニットに含まれる特定の色またはタイプのインクを分配するために、少なくとも１つの作業出口４０８を有するようにも配置される（図１０２を参照されたい）。すなわち、補充ユニット４００にシアンのインクが含まれる場合に、作業出口４０８は、補充ユニットが補充位置にある時にカートリッジユニット１０のシアンのインク貯蔵コンパートメントに関連するインク補充ポート６１に対応するように位置決めされる。
【１６０９】
図面には示されていないが、補充ユニット４００からカートリッジユニット１０への信頼性があり効率的なインクの転送を保証するために、前に説明した実施形態のクリップ配置に似たクリップ配置を、本体アセンブリ４０２上およびドッキングポート１５７のリム部分１５８内に設けることができる。
【１６１０】
インク補充ユニット４００の本体アセンブリ４０２は、カートリッジユニット１０のインク貯蔵コンパートメント２４にインクを補充するのに必要な、十分な量のインクを貯蔵する容量を有する。本体アセンブリ４０２の内部構成要素は、図１０３から１０６に最も明瞭に示されている。
【１６１１】
圧縮可能なベローズタンク４１０が、インクを貯蔵するために本体アセンブリ４０２内に設けられる。これに関して、ベローズタンクは、一端で密閉され、他端（本体アセンブリの端壁に隣接する端）に吐出ポート４１２を設けられ、吐出ポート４１２を介して、インクが分配のために吐出される。ベローズタンク４１０の密閉された端は、プランジャ４１４と接触し、プランジャ４１４は、貯蔵されたインクを吐出ポート４１２から放出するために、本体アセンブリの端壁に向かってベローズタンクを圧縮するように配置される。
【１６１２】
プランジャ４１４は、歯車およびねじ山配置の作用を介してベローズタンク４１０を圧縮する。歯車およびねじ山配置は、実質的に円形のプランジャ４１４の周囲に設けられ、本体アセンブリ４０２内に取り付けられその長さに沿って延びる細長い駆動歯車４１８と嵌合する斜歯歯車付きねじ山４１６と、本体アセンブリの実質的に円形の内壁内に設けられた内歯親ねじ山４２０とを備える（図１０６を参照されたい）。親ねじ山４２０は、本体アセンブリ４０２の長さに沿ったギャップを設けられ、このギャップの中に、駆動歯車４１８が入り、プランジャ４１４の歯車ねじ山４１６と接触することができる。本体アセンブリ４０２の細長い突き出した部分４２２が、駆動歯車４１８をこの部分に収めるために設けられる。
【１６１３】
この歯車およびねじ山配置では、プランジャ４１４が、親ねじ山４２０に沿って移動するために回転することができる。この移動は、ベローズタンクに対するプランジャの突込動作をもたらす。プランジャの回転は、プランジャの歯車付きねじ山４１６に与えられる駆動歯車４１８の回転によってもたらされる。駆動歯車４１８は、駆動歯車の一端に設けられた、本体アセンブリ４０２の内側端壁内のくぼみまたは穴に滑り込むピン４１８ａと、端キャップアセンブリ４０４の内側表面の対応する位置に設けられた、駆動歯車の他端に設けられた対応するくぼみ４１８ｂに滑り込むピン４０４ａとによって、突き出した領域４２２内に保持される。しかし、駆動歯車がその長軸に沿って回転できる限り、他の配置が可能である。
【１６１４】
駆動歯車４１８の回転は、駆動歯車の歯と噛み合うモータ歯車１２４によって駆動される。モータ歯車１２４は、クレードルユニット１２のカバーアセンブリ１１の下側に取り付けることのできるモータによって駆動される。この配置では、上の代替実施形態で説明したものに似て、モータ歯車１２４が、突き出した領域４２２内のスロット４２２ａを介して駆動歯車４１８と係合するために、カバーアセンブリの表面から突き出すように配置される。当業者は、歯車およびねじ山配置の動力化を、カバーアセンブリ内ではなく補充ユニット４００自体の中で設けることもできることを理解するであろう。
【１６１５】
突込動作の制御は、モータ歯車１２４を回転する責任を負うモータの動作を制御することによってもたらされ、適当なギアリングレシオを、プランジャ移動の適度に微細な制御のために提供することができる。諒解されるように、突込動作は、ベローズタンク４１０からの吐出ポート４１２を介するインクの制御された解放をもたらす。
【１６１６】
補充ユニット４００の最初の使用時に、プランジャ４１４は、ベローズタンクの完全な膨張をもたらし、したがって、補充ユニット４００内の最大のインク貯蔵容量をもたらすために、完全に引っ込められる。もちろん、応用例、インクの色などに応じて、設けられる異なる貯蔵量、たとえば５０ｍｌではなく３０ｍｌのために、適当なサイズのベローズタンクを同一サイズのインク補充ユニット４００内に設けることができる。次に、インクが補充動作中にベローズタンク４１０から吐出される必要がある時に、モータを制御してモータ歯車１２４および駆動歯車４１８を回転させ、これによって、プランジャ４１４にベローズタンクを圧縮させて、貯蔵されたインクの一部を吐出ポート４１２を介して吐出することができる。モータ歯車１２４の１回転あたりに吐出されるインクの量は、必要に応じて、カートリッジユニット１０へのインクの計量された解放をもたらすために、たやすく確かめることができる。
【１６１７】
突込は、必要な量のインクがカートリッジユニット１０のインク貯蔵コンパートメントに吐出されるまで継続される。たとえば、使い捨て補充動作では、補充ユニット４００の内容全体が吐出されるが、複数回使用補充動作では、補充ユニットのインク容量の一部だけが、一時に必要になる可能性がある。そのような複数回使用形態では、ベローズタンク内のインクが空になるまで、繰り返される突込動作によってさらなるインクをベローズタンクから吐出することができる。インクは、必要な量のインクが施与されるまで、一連の事前に選択された量で、たとえば、一連の事前に選択された回数のプランジャ４１４の回転によって施与することができ、あるいは、インク室が再び満たされたと判定されるまで、プランジャ４１４を単純に回転することができる。
【１６１８】
補充動作が実行された後にインクが吐出ポート４１２から漏れず、インクが後続補充のためにベローズタンク内に残ることを保証するために、適当な流体圧力が、常時インク補充ユニット４００内で維持される。これは、補充動作が完了した後に、適当な量だけプランジャ４１４を後退させることによって達成される。これは、ベローズタンク４１０のわずかな再膨張を可能にするために、プランジャを逆方向に回転させることによって行われる。これに関して、ベローズタンクの密閉された端が、好ましくはプランジャに取り付けられ、カバーアセンブリ１１内に設けられるモータが、好ましくは両方向モータである。
【１６１９】
前の実施形態と同様に、補充ユニット４００内に貯蔵されたインクの量の状況は、本体アセンブリ４０２に設けられたＱＡ制御チップ４２４によって監視される。ＱＡ制御４２４は、カバーアセンブリ１１のドッキングポート１５７に設けられたＱＡチップリーダ１６０と位置合せされ、接続されるために、端キャップアセンブリ４０４の表面の、またはその代わりに本体アセンブリ４０２の端面の、露出された位置に設けられる。ＱＡチップリーダは、全体的な補充動作の制御を可能にするために、クレードルユニット１２のＳｏＰＥＣデバイス１２６に接続される。この実施形態では、ＱＡチップ４２４が、補充ユニット４００に保管されたインクの量（および色など）に関する情報を任意の瞬間にＳｏＰＥＣデバイス１２６に供給するのに使用され、その結果、ＳｏＰＥＣデバイスが、対応するインク貯蔵コンパートメント２４を補充するのに適当な回数だけモータ歯車１２４を回転するためにモータを制御できるようになる。
【１６２０】
これに関して、プランジャ４１４の位置またはプランジャ４１４が駆動歯車４１８によって回転された回数のいずれかを感知するために、センサまたは他の手段をＱＡチップ４２４に接続することができ、このセンサまたは他の手段は、補充ユニット４００の残り容量／補充の回数についてＱＡチップ４２４に知らせる。
【１６２１】
第１の実施形態と同様に、補充ユニット４００の作業出口４０８は、注射針４２６を備え、注射針４２６は、本体アセンブリ４０２の外側側面に設けられた流体チャネル４２８を介してベローズタンク４１０の吐出ポート４１２に接続される（図１０２を参照されたい）。吐出ポート４１２と流体チャネル４２８の間の密閉は、Ｏリング４３０によってもたらされる。注射針４２６は、インク貯蔵コンパートメント２４へのインクの流れを可能にするために、カートリッジユニット１０のインク補充ポート６１内に設けられたバルブフィッティング６２を貫通するように配置される。注射針４２６の配置および動作は、それ以外の点では第１の実施形態と同一である。
【１６２２】
補充ユニット内のインクの量の状況をユーザに示すために、ＱＡチップ４２４に接続されたインジケータライト（図示せず）を、補充ユニット４００の本体アセンブリ４０２に設けることができる。インジケータライトおよびＱＡチップ用の電力は、プリントクレードル１２の接点１２８への接触を介して供給することができる。代替案では、インクが空になるまでの動作に十分な電力容量を有する電池を、補充ユニット４００内に設けることができる。
【１６２３】
本発明を、その例示的実施形態に関して図示し、説明したが、本発明の範囲および趣旨から逸脱しないさまざまな変更が、当業者に明白であり、当業者がたやすく行うことができる。したがって、本明細書に添付された請求項の範囲が本明細書に記載の説明に制限されることは意図されておらず、請求項が広義に解釈されることが意図されている。
【図１】
2010012795.tif 000008
【図２】
2010012795.tif 000009
【図３】
2010012795.tif 000010
【図４】
2010012795.tif 000011
【図５】
2010012795.tif 000012
【図６】
2010012795.tif 000013
【図７】
2010012795.tif 000014
【図８】
2010012795.tif 000015
【図９】
2010012795.tif 000016
【図１０】
2010012795.tif 000017
【図１１】
2010012795.tif 000018
【図１２】
2010012795.tif 000019
【図１３】
2010012795.tif 000020
【図１４】
2010012795.tif 000021
【図１５】
2010012795.tif 000022
【図１６】
2010012795.tif 000023
【図１７】
2010012795.tif 000024
【図１８】
2010012795.tif 000025
【図１９】
2010012795.tif 000026
【図２０】
2010012795.tif 000027
【図２１】
2010012795.tif 000028
【図２２】
2010012795.tif 000029
【図２３】
2010012795.tif 000030
【図２４】
2010012795.tif 000031
【図２５】
2010012795.tif 000032
【図２６】
2010012795.tif 000033
【図２７】
2010012795.tif 000034
【図２８】
2010012795.tif 000035
【図２９】
2010012795.tif 000036
【図３０】
2010012795.tif 000037
【図３１】
2010012795.tif 000038
【図３２】
2010012795.tif 000039
【図３３】
2010012795.tif 000040
【図３４】
2010012795.tif 000041
【図３５】
2010012795.tif 000042
【図３６】
2010012795.tif 000043
【図３７】
2010012795.tif 000044
【図３８】
2010012795.tif 000045
【図３９】
2010012795.tif 000046
【図４０】
2010012795.tif 000047
【図４１】
2010012795.tif 000048
【図４２】
2010012795.tif 000049
【図４３】
2010012795.tif 000050
【図４４】
2010012795.tif 000051
【図４５】
2010012795.tif 000052
【図４６】
2010012795.tif 000053
【図４７】
2010012795.tif 000054
【図４８】
2010012795.tif 000055
【図４９】
2010012795.tif 000056
【図５０】
2010012795.tif 000057
【図５１】
2010012795.tif 000058
【図５２】
2010012795.tif 000059
【図５３】
2010012795.tif 000060
【図５４】
2010012795.tif 000061
【図５５】
2010012795.tif 000062
【図５６】
2010012795.tif 000063
【図５７】
2010012795.tif 000064
【図５８】
2010012795.tif 000065
【図５９】
2010012795.tif 000066
【図６０】
2010012795.tif 000067
【図６１】
2010012795.tif 000068
【図６２】
2010012795.tif 000069
【図６３】
2010012795.tif 000070
【図６４】
2010012795.tif 000071
【図６５】
2010012795.tif 000072
【図６６】
2010012795.tif 000073
【図６７】
2010012795.tif 000074
【図６８】
2010012795.tif 000075
【図６９】
2010012795.tif 000076
【図７０】
2010012795.tif 000077
【図７１】
2010012795.tif 000078
【図７２】
2010012795.tif 000079
【図７３】
2010012795.tif 000080
【図７４】
2010012795.tif 000081
【図７５】
2010012795.tif 000082
【図７６】
2010012795.tif 000083
【図７７】
2010012795.tif 000084
【図７８】
2010012795.tif 000085
【図７９】
2010012795.tif 000086
【図８０】
2010012795.tif 000087
【図８１】
2010012795.tif 000088
【図８２】
2010012795.tif 000089
【図８３】
2010012795.tif 000090
【図８４】
2010012795.tif 000091
【図８５】
2010012795.tif 000092
【図８６】
2010012795.tif 000093
【図８７】
2010012795.tif 000094
【図８８】
2010012795.tif 000095
【図８９】
2010012795.tif 000096
【図９０】
2010012795.tif 000097
【図９１】
2010012795.tif 000098
【図９２】
2010012795.tif 000099
【図９３】
2010012795.tif 000100
【図９４】
2010012795.tif 000101
【図９５】
2010012795.tif 000102
【図９６】
2010012795.tif 000103
【図９７】
2010012795.tif 000104
【図９８】
2010012795.tif 000105
【図９９】
2010012795.tif 000106
【図１００】
2010012795.tif 000107
【図１０１】
2010012795.tif 000108
【図１０２】
2010012795.tif 000109
【図１０３】
2010012795.tif 000110
【図１０４】
2010012795.tif 000111
【図１０５】
2010012795.tif 000112
【図１０６】
2010012795.tif 000113
【図１０７】
2010012795.tif 000114
【図１０８】
2010012795.tif 000115
【図１０９】
2010012795.tif 000116
【図１１０】
2010012795.tif 000117
【図１１１】
2010012795.tif 000118
【図１１２】
2010012795.tif 000119
【図１１３】
2010012795.tif 000120
【図１１４】
2010012795.tif 000121
【図１１５】
2010012795.tif 000122
【図１１６】
2010012795.tif 000123
【図１１７】
2010012795.tif 000124
【図１１８】
2010012795.tif 000125
【図１１９】
2010012795.tif 000126
【図１２０】
2010012795.tif 000127
【図１２１】
2010012795.tif 000128
【図１２２】
2010012795.tif 000129
【図１２３】
2010012795.tif 000130
【図１２４】
2010012795.tif 000131